(57)【要約】【課題】  本発明は、物品（商品）を梱包する際に、簡単及び容易に、物品を梱包できる梱包用緩衝材を提供することにある。【解決手段】  梱包用緩衝材は、基礎平板体及び押えシートで構成される。基礎平板体は、下平板及び上平板で構成される。下平板は、第１及び第２下側脚平板部、各下側立上げ平板部、各第１保形平板部、各第２保形平板部で構成される。上平板は、第１及び第２上側脚平板部、各上側立上げ平板部、各第３保形平板部、各第４保形平板部で構成される。各上側脚平板部及び各下側脚平板部を立下げ、各上側立上げ平板部及び各下側立上げ平板部を立上げ、各第１乃至各第４保形平板部を折り返して立上げることで、押えシートの第１押えシート部及び第２シート部の間に物品を挟持して、物品を定着する。【選択図】  図３５
2019104533.tif 000002
【特許請求の範囲】
【請求項１】
板上縁、板下縁及び左右の板側縁を有し、所定の板厚の基礎平板体と、押えシートと、を備える梱包用緩衝材であって、
前記基礎平板体は、
前記板上縁に上板間隔を隔てて平行配置され、前記板上縁に下板間隔を隔てて平行配置され、及び前記各板側縁に交差する基準折曲直線と、
前記各板側縁から切込長を有して前記基準折曲直線上に形成され、前記基礎平板体を貫通して前記基礎平板体の表面及び裏面に開口する一対の基準切込直線と、を有し、
前記基準折曲直線、前記板上縁及び前記各板側縁とで区画される下平板と、
前記基準折曲直線、前記板上縁及び前記各板側縁とで区画される上平板と、で構成され、
前記各板側縁は、
前記板上縁及び前記基準折曲直線の間に位置する一対の板上側縁と、
前記板上縁及び前記基準折曲直線の間に位置する一対の板下側縁と、を有し、
前記下平板は、
前記板上縁及び前記基準折曲直線に第１間隔を隔てて平行配置され、相互に第２間隔を隔てて平行配置される一対の第１折曲直線と、
前記各板下側縁に第３間隔を隔てて配置され、前記基準折曲直線に前記第１間隔を隔てる前記第１折曲直線及び前記基準切込直線に直交する一対の第２折曲直線と、
前記各板下側縁に前記第３間隔を隔てて配置され、前記板上縁に前記第１間隔を隔てる前記第１折曲直線及び前記板上縁に直交する一対の第３折曲直線と、
前記各板下側縁に第４間隔を隔てて配置され、前記各板下側縁との間に前記各第２折曲直線及び前記各第３折曲直線を位置して前記各第２折曲直線及び前記各第３折曲直線に第５間隔を隔てて平行配置され、及び前記各第１折曲直線に直交する一対の第４折曲直線と、
前記基準折曲直線に前記第１間隔を隔てる前記第１折曲直線及び前記各第４折曲直線との各第１交点において、前記各第４折曲直線に第１鋭角度をなして、前記各第１交点から前記板上縁及び前記各板下側縁に向けて延在され、前記各板下側縁に交差する一対の第５折曲直線と、
前記板上縁に前記第１間隔を隔てる前記第１折曲直線及び前記各第４折曲直線との各第２交点において、前記各第４折曲直線に前記第１鋭角度をなして、前記各第２交点から前記基準折曲直線及び前記各板下側縁に向けて延在され、前記各板下側縁に交差する一対の第６折曲直線と、を有し、
前記各第１折曲直線、及び前記各第４折曲直線とで区画される積載平板部と、
前記積載平板部に形成され、前記積載平板部を貫通して前記積載平板部の表面及び裏面に開口される積載窓穴と、
前記基準折曲直線、前記基準折曲直線に前記第１間隔を隔てる前記第１折曲直線及び前記各第２折曲直線とで区画され、前記基準折曲直線に前記第１間隔を隔てる前記第１折曲直線に沿って前記積載平板部の裏面側に立下げられる第１下側脚平板部と、
前記板上縁に前記第１間隔を隔てる前記第１折曲直線、及び前記各第３折曲直線とで区画され、前記板上縁に前記第１間隔を隔てる前記第１折曲直線に沿って前記積載平板部の裏面側に立下げられる第２下側脚平板部と、
前記各第４折曲直線、前記各第５折曲直線及び前記第６折曲直線とで区画され、前記各第４折曲直線に沿って前記積載平板部の表面側に立上げられる一対の下側立上げ平板部と、
前記各第２折曲直線及び前記各第５折曲直線とで区画され、前記各第２折曲直線及び前記各第５折曲直線に沿って前記各下側立上げ部の裏面に折返され及び前記積載平板部の表面側に立上げられる一対の第１保形平板部と、
前記各第３折曲直線及び前記各第６折曲直線とで区画され、前記各第３折曲直線及び前記各第６折曲直線に沿って前記各下側立上げ平板部の裏面に折返され及び前記積載平板部の表面側に立上げられる一対の第２保形平板部と、で構成され、
前記上平板は、
前記上平板の表面を前記下平板の表面に向けて、前記基準折曲直線に沿って前記下平板の表面に折返され、
前記板上縁及び前記基準折曲直線に第６間隔を隔てて平行配置され、相互に第７間隔を隔てて平行配置される一対の第７折曲直線と、
前記各板上側縁に第８間隔を隔てて配置され、前記各板上側縁及び前記各第２折曲直線の間に位置して前記板上縁及び前記板上縁に前記第６間隔を隔てる前記第７折曲直線に直交する一対の第８折曲直線と、
前記各板上側縁に前記第８間隔を隔てて配置され、前記板上側縁及び前記各第２折曲直線の間に位置して前記基準切込直線及び前記基準折曲直線に前記第６間隔を隔てる前記第７折曲直線に直交する一対の第９折曲直線と、
前記各板上側縁に第９間隔を隔てて配置され、前記各板上側縁との間に前記各第８折曲直線及び第９折曲直線を位置して前記各第８折曲直線及び前記各第９折曲直線に第１０間隔を隔てて平行配置され、及び前記各第７折曲直線に直交する一対の第１０折曲直線と、
前記板上縁、及び前記板上縁に前記第６間隔を隔てる前記第７折曲直線との間に延在される前記各第１０折曲直線の延長線上の各第１基点において、前記各第１０折曲直線に第２鋭角度をなして、前記各第１基点から前記基準折曲直線及び前記各板上側縁に向けて延在され、前記各板上側縁に交差する一対の第１１折曲直線と、
前記各第１１折曲直線及び前記板上縁の間に位置して前記各第１１折曲直線に前記板厚以上の第１３間隔を隔てて平行配置され、前記各板上側縁及び前記各第８折曲直線に交差する一対の第１２折曲直線と、
前記基準折曲直線、及び前記基準折曲直線に前記第６間隔を隔てる前記第７折曲直線との間に延在する前記各第１０折曲直線の延長線上の各第２基点において、前記各第１０折曲直線に前記第２鋭角度をなして、前記各第２基点から前記各板上側縁及び前記板上縁に向けて延在され、前記各板上側縁に交差する一対の第１３折曲直線と、
前記基準折曲直線及び前記各第１３折曲直線の間に位置して前記各第１３折曲直線に前記第１３間隔を隔てて平行配置され、前記各板上側縁及び前記各第９折曲直線に交差する一対の第１４折曲直線と、を有し、
前記各第７折曲直線及び前記各第１０折曲直線とで区画される押え平板部と、
前記押え平板部に形成され、前記押え平板部を貫通して前記押え平板部の表面及び裏面に開口される押え窓穴と、
前記板上縁に前記第６間隔を隔てる前記第７折曲直線、及び前記各第８折曲直線とで区画され、前記板上縁に前記第６間隔を隔てる前記第７折曲直線に沿って前記押え平板部の表面側に立下げられ、立下げられた前記第２下側脚平板部の表面に重ねられる第１上側脚平板部と、
前記基準折曲直線に前記第６間隔を隔てる前記第７折曲直線及び前記各第９折曲直線とで区画され、前記基準折曲直線に前記第６間隔を隔てる前記第７折曲直線に沿って前記押え平板部の表面側に立下げられ、立下げられた前記第１下側脚平板部の表面に重ねられる第２上側脚平板部と、
前記各第１０折曲直線、前記各第１１折曲直線及び前記各第１３折曲直線とで区画され、前記各第１０折曲直線に沿って前記押え平板部の裏面側に立上げられ、立上げた前記各下側立上げ平板部の表面に重ねられる一対の上側立上げ平板部と、
前記各第８折曲直線及び前記各第１１折曲直線とで区画され、前記各第８折曲直線、前記各第１１折曲直線及び前記各第１２折曲直線に沿って前記各上側立上げ平板部の表面に折返えされ及び前記押え平板部の裏面側に立上げられ、立上げられた前記各上側立上げ平板部との間に立上げられた前記各下側脚平板部、折返され及び立上げられた前記各第２保形平板部を配置して重ねられる一対の第３保形平板部と、
前記各第９折曲直線及び前記各第１３折曲直線とで区画され、前記各第９折曲直線、前記各第１３折曲直線及び前記各第１４折曲直線に沿って前記各上側立上げ平板の表面に折返され及び前記押え平板部の裏面側に立上げられ、立ち上げた前記各上側立上げ平板部との間に立上げた前記各下側立上げ平板部、折返され及び立上げられた前記各第１保形平板部を配置して重ねられる一対の第４保形平板部と、で構成され、
前記押えシートは、
前記積載平板部の表面に積載され、前記積載窓穴を覆って前記下平板に固定される第１押えシート部と、
前記押え平板部の表面に積載され、前記押え窓穴を覆って前記上平板に固定される第２押えシート部と、を有する
ことを特徴とする梱包用緩衝材。
【請求項２】
前記積載窓穴の積載窓穴縁に沿って前記積載平板部に連設される積載補強平板を備え、
前記積載窓穴は、
前記積載窓穴縁の内側に積載窓穴部を有し、
前記積載補強平板は、
前記積載窓穴縁及び前記積載窓穴部の間に延在され、複数の積載切込線にて区画される複数の積載補強平板部で構成され、
前記各積載切込線は、
前記積載窓穴縁から延在して前記積載窓穴部に開口され、及び前記積載補強平板を貫通して前記積載補強平板の表面及び裏面に開口する
ことを特徴とする請求項１に記載の梱包用緩衝材。
【請求項３】
前記押え窓穴の押え窓穴縁に沿って前記押え平板部に連設される押え補強平板を備え、
前記押え窓穴は、
前記押え窓穴縁の内側に押え窓穴部を有し、
前記押え補強平板は、
前記押え窓穴縁及び前記押え窓穴部の間に延在され、複数の押え切込線にて区画される複数の押え補強平板部で構成され、
前記各押え切込線は、
前記押え窓穴縁から延在して前記押え窓穴部に開口され、及び前記押え補強平板を貫通して前記押え補強平板の表面及び裏面に開口する
ことを特徴とする請求項２に記載の梱包用緩衝材。
【請求項４】
板上縁、板下縁及び左右の板側縁を有し、所定の板厚の基礎平板体と、押えシートと、を備える梱包用緩衝材であって、
前記基礎平板体は、
前記板上縁に上板間隔を隔てて平行配置され、前記板上縁に下板間隔を隔てて平行配置され、及び前記各板側縁に交差する基準折曲直線と、
前記各板側縁から切込長を有して前記基準折曲直線上に形成され、前記基礎平板体を貫通して前記基礎平板体の表面及び裏面に開口する一対の基準切込直線と、を有し、
前記基準折曲直線、前記板上縁及び前記各板側縁とで区画される下平板と、
前記基準折曲直線、前記板上縁及び前記各板側縁とで区画される上平板と、で構成され、
前記各板側縁は、
前記板上縁及び前記基準折曲直線の間に位置する一対の板上側縁と、
前記板上縁及び前記基準折曲直線の間に位置する一対の板下側縁と、を有し、
前記下平板は、
前記板上縁及び前記基準折曲直線に第１間隔を隔てて平行配置され、相互に第２間隔を隔てて平行配置される一対の第１折曲直線と、
前記各板下側縁に第３間隔を隔てて配置され、前記基準折曲直線に前記第１間隔を隔てる前記第１折曲直線及び前記基準切込直線に直交する一対の第２折曲直線と、
前記各板下側縁に前記第３間隔を隔てて配置され、前記板上縁に前記第１間隔を隔てる前記第１折曲直線及び前記板上縁に直交する一対の第３折曲直線と、
前記各板下側縁に第４間隔を隔てて配置され、前記各板下側縁との間に前記各第２折曲直線及び前記各第３折曲直線を位置して前記各第２折曲直線及び前記各第３折曲直線に第５間隔を隔てて平行配置され、及び前記各第１折曲直線に直交する一対の第４折曲直線と、
前記基準折曲直線に前記第１間隔を隔てる前記第１折曲直線及び前記各第４折曲直線との各第１交点において、前記各第４折曲直線に第１鋭角度をなして、前記各第１交点から前記板上縁及び前記各板下側縁に向けて延在され、前記各板下側縁に交差する一対の第５折曲直線と、
前記板上縁に前記第１間隔を隔てる前記第１折曲直線及び前記各第４折曲直線との各第２交点において、前記各第４折曲直線に前記第１鋭角度をなして、前記各第２交点から前記基準折曲直線及び前記各板下側縁に向けて延在され、前記各板下側縁に交差する一対の第６折曲直線と、を有し、
前記各第１折曲直線、及び前記各第４折曲直線とで区画される積載平板部と、
前記積載平板部に形成され、相互に切込間隔を隔てて前記積載平板部を貫通して前記積載平板部の表面及び裏面に開口する複数の保持切込線にて区画される複数の積載保持平板部と、
前記基準折曲直線、前記基準折曲直線に前記第１間隔を隔てる前記第１折曲直線及び前記各第２折曲直線とで区画され、前記基準折曲直線に前記第１間隔を隔てる前記第１折曲直線に沿って前記積載平板部の裏面側に立下げられる第１下側脚平板部と、
前記板上縁に前記第１間隔を隔てる前記第１折曲直線、及び前記各第３折曲直線とで区画され、前記板上縁に前記第１間隔を隔てる前記第１折曲直線に沿って前記積載平板部の裏面側に立下げられる第２下側脚平板部と、
前記各第４折曲直線、前記各第５折曲直線及び前記第６折曲直線とで区画され、前記各第４折曲直線に沿って前記積載平板部の表面側に立上げられる一対の下側立上げ平板部と、
前記各第２折曲直線及び前記各第５折曲直線とで区画され、前記各第２折曲直線及び前記各第５折曲直線に沿って前記各下側立上げ部の裏面に折返され及び前記積載平板部の表面側に立上げられる一対の第１保形平板部と、
前記各第３折曲直線及び前記各第６折曲直線とで区画され、前記各第３折曲直線及び前記各第６折曲直線に沿って前記各下側立上げ平板部の裏面に折返され及び前記積載平板部の表面側に立上げられる一対の第２保形平板部と、で構成され、
前記上平板は、
前記上平板の表面を前記下平板の表面に向けて、前記基準折曲直線に沿って前記下平板の表面に折返され、
前記板上縁及び前記基準折曲直線に第６間隔を隔てて平行配置され、相互に第７間隔を隔てて平行配置される一対の第７折曲直線と、
前記各板上側縁に第８間隔を隔てて配置され、前記各板上側縁及び前記各第２折曲直線の間に位置して前記板上縁及び前記板上縁に前記第６間隔を隔てる前記第７折曲直線に直交する一対の第８折曲直線と、
前記各板上側縁に前記第８間隔を隔てて配置され、前記板上側縁及び前記各第２折曲直線の間に位置して前記基準切込直線及び前記基準折曲直線に前記第６間隔を隔てる前記第７折曲直線に直交する一対の第９折曲直線と、
前記各板上側縁に第９間隔を隔てて配置され、前記各板上側縁との間に前記各第８折曲直線及び第９折曲直線を位置して前記各第８折曲直線及び前記各第９折曲直線に第１０間隔を隔てて平行配置され、及び前記各第７折曲直線に直交する一対の第１０折曲直線と、
前記板上縁、及び前記板上縁に前記第６間隔を隔てる前記第７折曲直線との間に延在される前記各第１０折曲直線の延長線上の各第１基点において、前記各第１０折曲直線に第２鋭角度をなして、前記各第１基点から前記基準折曲直線及び前記各板上側縁に向けて延在され、前記各板上側縁に交差する一対の第１１折曲直線と、
前記各第１１折曲直線及び前記板上縁の間に位置して前記各第１１折曲直線に前記板厚以上の第１３間隔を隔てて平行配置され、前記各板上側縁及び前記各第８折曲直線に交差する一対の第１２折曲直線と、
前記基準折曲直線、及び前記基準折曲直線に前記第６間隔を隔てる前記第７折曲直線との間に延在する前記各第１０折曲直線の延長線上の各第２基点において、前記各第１０折曲直線に前記第２鋭角度をなして、前記各第２基点から前記各板上側縁及び前記板上縁に向けて延在され、前記各板上側縁に交差する一対の第１３折曲直線と、
前記基準折曲直線及び前記各第１３折曲直線の間に位置して前記各第１３折曲直線に前記第１３間隔を隔てて平行配置され、前記各板上側縁及び前記各第９折曲直線に交差する一対の第１４折曲直線と、を有し、
前記各第７折曲直線及び前記各第１０折曲直線とで区画される押え平板部と、
前記押え平板部に形成され、前記押え平板部を貫通して前記押え平板部の表面及び裏面に開口される押え窓穴と、
前記板上縁に前記第６間隔を隔てる前記第７折曲直線、及び前記各第８折曲直線とで区画され、前記板上縁に前記第６間隔を隔てる前記第７折曲直線に沿って前記押え平板部の表面側に立下げられ、立下げられた前記第２下側脚平板部の表面に重ねられる第１上側脚平板部と、
前記基準折曲直線に前記第６間隔を隔てる前記第７折曲直線及び前記各第９折曲直線とで区画され、前記基準折曲直線に前記第６間隔を隔てる前記第７折曲直線に沿って前記押え平板部の表面側に立下げられ、立下げられた前記第１下側脚平板部の表面に重ねられる第２上側脚平板部と、
前記各第１０折曲直線、前記各第１１折曲直線及び前記各第１３折曲直線とで区画され、前記各第１０折曲直線に沿って前記押え平板部の裏面側に立上げられ、立上げた前記各下側立上げ平板部の表面に重ねられる一対の上側立上げ平板部と、
前記各第８折曲直線及び前記各第１１折曲直線とで区画され、前記各第８折曲直線、前記各第１１折曲直線及び前記各第１２折曲直線に沿って前記各上側立上げ平板部の表面に折返えされ及び前記押え平板部の裏面側に立上げられ、立上げられた前記各上側立上げ平板部との間に立上げられた前記各下側脚平板部、折返され及び立上げられた前記各第２保形平板部を配置して重ねられる一対の第３保形平板部と、
前記各第９折曲直線及び前記各第１３折曲直線とで区画され、前記各第９折曲直線、前記各第１３折曲直線及び前記各第１４折曲直線に沿って前記各上側立上げ平板の表面に折返され及び前記押え平板部の裏面側に立上げられ、立ち上げた前記各上側立上げ平板部との間に立上げた前記各下側立上げ平板部、折返され及び立上げられた前記各第１保形平板部を配置して重ねられる一対の第４保形平板部と、で構成され、
前記押えシートは、
前記積載平板部の表面に積載され、前記各積載保持平板部を覆って前記下平板に固定される第１押えシート部と、
前記押え平板部の表面に積載され、前記押え窓穴を覆って前記上平板に固定される第２押えシート部と、を有する
ことを特徴とする梱包用緩衝材。
【請求項５】
板上縁、板下縁及び左右の板上側縁を有し、所定の板厚の上平板と、板上縁、板下縁及び左右の板下側縁を有し、前記板厚の下平板と、押えシートと、を備える梱包用緩衝材であって、
前記下平板は、
前記板上縁及び前記板下縁に第１間隔を隔てて平行配置され、相互に第２間隔を隔てて平行配置される一対の第１折曲直線と、
前記各板下側縁に第３間隔を隔てて配置され、前記板上縁に前記第１間隔を隔てる前記第１折曲直線及び前記板上縁に直交する一対の第２折曲直線と、
前記各板下側縁に前記第３間隔を隔てて配置され、前記板上縁に前記第１間隔を隔てる前記第１折曲直線及び前記板上縁に直交する一対の第３折曲直線と、
前記各板下側縁に第４間隔を隔てて配置され、前記各板下側縁との間に前記各第２折曲直線及び前記各第３折曲直線を位置して前記各第２折曲直線及び前記各第３折曲直線に第５間隔を隔てて平行配置され、及び前記各第１折曲直線に直交する一対の第４折曲直線と、
前記板上縁に前記第１間隔を隔てる前記第１折曲直線及び前記各第４折曲直線との各第１交点において、前記各第４折曲直線に第１鋭角度をなして、前記各第１交点から前記板上縁及び前記各板下側縁に向けて延在され、前記各板下側縁に交差する一対の第５折曲直線と、
前記板上縁に前記第１間隔を隔てる前記第１折曲直線及び前記各第４折曲直線との各第２交点において、前記各第４折曲直線に前記第１鋭角度をなして、前記各第２交点から前記板上縁及び前記各板下側縁に向けて延在され、前記各板下側縁に交差する一対の第６折曲直線と、を有し、
前記各第１折曲直線、及び前記各第４折曲直線とで区画される積載平板部と、
前記積載平板部に形成され、前記積載平板部を貫通して前記積載平板部の表面及び裏面に開口される積載窓穴と、
前記板上縁、前記板上縁に前記第１間隔を隔てる前記第１折曲直線及び前記各第２折曲直線とで区画され、前記板上縁に前記第１間隔を隔てる前記第２折曲直線に沿って前記積載平板部の裏面側に立下げられる第１下側脚平板部と、
前記板上縁に前記第１間隔を隔てる前記第１折曲直線、及び前記各第３折曲直線とで区画され、前記板上縁に前記第１間隔を隔てる前記第１折曲直線に沿って前記積載平板部の裏面側に立下げられる第２下側脚平板部と、
前記各第４折曲直線、前記各第５折曲直線及び前記第６折曲直線とで区画され、前記各第４折曲直線に沿って前記積載平板部の表面側に立上げられる一対の下側立上げ平板部と、
前記各第２折曲直線及び前記各第５折曲直線とで区画され、前記各第２折曲直線及び前記各第５折曲直線に沿って前記各下側立上げ部の裏面に折返され及び前記積載平板部の表面側に立上げられる一対の第１保形平板部と、
前記各第３折曲直線及び前記各第６折曲直線とで区画され、前記各第３折曲直線及び前記各第６折曲直線に沿って前記各下側立上げ平板部の裏面に折返され及び前記積載平板部の表面側に立上げられる一対の第２保形平板部と、で構成され、
前記上平板は、
前記上平板の表面を前記下平板の表面に向けて、前記下平板の表面に積載され、
前記板上縁及び前記板下縁に第６間隔を隔てて平行配置され、相互に第７間隔を隔てて平行配置される一対の第７折曲直線と、
前記各板上側縁に第８間隔を隔てて配置され、前記各板上側縁及び前記各第２折曲直線の間に位置して前記板上縁及び前記板上縁に前記第６間隔を隔てる前記第７折曲直線に直交する一対の第８折曲直線と、
前記各板上側縁に前記第８間隔を隔てて配置され、前記板上側縁及び前記各第２折曲直線の間に位置して前記板下縁及び板下縁に前記第６間隔を隔てる前記第７折曲直線に直交する一対の第９折曲直線と、
前記各板上側縁に第９間隔を隔てて配置され、前記各板上側縁との間に前記各第８折曲直線及び第９折曲直線を位置して前記各第８折曲直線及び前記各第９折曲直線に第１０間隔を隔てて平行配置され、及び前記各第７折曲直線に直交する一対の第１０折曲直線と、
前記板上縁、及び前記板上縁に前記第６間隔を隔てる前記第７折曲直線との間に延在される前記各第１０折曲直線の延長線上の各第１基点において、前記各第１０折曲直線に第２鋭角度をなして、前記各第１基点から前記板下縁及び前記各板上側縁に向けて延在され、前記各板上側縁に交差する一対の第１１折曲直線と、
前記各第１１折曲直線及び前記板上縁の間に位置して前記各第１１折曲直線に前記板厚以上の第１３間隔を隔てて平行配置され、前記各板上側縁及び前記各第８折曲直線に交差する一対の第１２折曲直線と、
前記板下縁、及び前記板下縁に前記第６間隔を隔てる前記第７折曲直線との間に延在する前記各第１０折曲直線の延長線上の各第２基点において、前記各第１０折曲直線に前記第２鋭角度をなして、前記各第２基点から前記各板上側縁及び前記板上縁に向けて延在され、前記各板上側縁に交差する一対の第１３折曲直線と、
前記板下縁及び前記各第１３折曲直線の間に位置して前記各第１３折曲直線に前記第１３間隔を隔てて平行配置され、前記各板上側縁及び前記各第９折曲直線に交差する一対の第１４折曲直線と、を有し、
前記各第７折曲直線及び前記各第１０折曲直線とで区画される押え平板部と、
前記押え平板部に形成され、前記押え平板部を貫通して前記押え平板部の表面及び裏面に開口される押え窓穴と、
前記板上縁に前記第６間隔を隔てる前記第７折曲直線、及び前記各第８折曲直線とで区画され、前記板上縁に前記第６間隔を隔てる前記第７折曲直線に沿って前記押え平板部の表面側に立下げられ、立下げられた前記第２下側脚平板部の表面に重ねられる第１上側脚平板部と、
前記板下縁に前記第６間隔を隔てる前記第７折曲直線及び前記各第９折曲直線とで区画され、前記板下縁に前記第６間隔を隔てる前記第７折曲直線に沿って前記押え平板部の表面側に立下げられ、立下げられた前記第１下側脚平板部の表面に重ねられる第２上側脚平板部と、
前記各第１０折曲直線、前記各第１１折曲直線及び前記各第１３折曲直線とで区画され、前記各第１０折曲直線に沿って前記押え平板部の裏面側に立上げられ、立上げた前記各下側立上げ平板部の表面に重ねられる一対の上側立上げ平板部と、
前記各第８折曲直線及び前記各第１１折曲直線とで区画され、前記各第８折曲直線、前記各第１１折曲直線及び前記各第１２折曲直線に沿って前記各上側立上げ平板部の表面に折返えされ及び前記押え平板部の裏面側に立上げられ、立上げられた前記各上側立上げ平板部との間に立上げられた前記各下側脚平板部、折返され及び立上げられた前記各第２保形平板部を配置して重ねられる一対の第３保形平板部と、
前記各第９折曲直線及び前記各第１３折曲直線とで区画され、前記各第９折曲直線、前記各第１３折曲直線及び前記各第１４折曲直線に沿って前記各上側立上げ平板の表面に折返され及び前記押え平板部の裏面側に立上げられ、立ち上げた前記各上側立上げ平板部との間に立上げた前記各下側立上げ平板部、折返され及び立上げられた前記各第１保形平板部を配置して重ねられる一対の第４保形平板部と、で構成され、
前記押えシートは、
前記積載平板部の表面に積載され、前記積載窓穴を覆って前記下平板に固定される第１押えシート部と、
前記押え平板部の表面に積載され、前記押え窓穴を覆って前記上平板に固定される第２押えシート部と、を有する
ことを特徴とする梱包用緩衝材。
【請求項６】
前記積載窓穴の積載窓穴縁に沿って前記積載平板部に連設される積載補強平板を備え、
前記積載窓穴は、
前記積載窓穴縁の内側に積載窓穴部を有し、
前記積載補強平板は、
前記積載窓穴縁及び前記積載窓穴部の間に延在され、複数の積載切込線にて区画される複数の積載補強平板部で構成され、
前記各積載切込線は、
前記積載窓穴縁から延在して前記積載窓穴部に開口され、及び前記積載補強平板を貫通して前記積載補強平板の表面及び裏面に開口する
ことを特徴とする請求項５に記載の梱包用緩衝材。
【請求項７】
前記押え窓穴の押え窓穴縁に沿って前記押え平板部に連設される押え補強平板を備え、
前記押え窓穴は、
前記押え窓穴縁の内側に押え窓穴部を有し、
前記押え補強平板は、
前記押え窓穴縁及び前記押え窓穴部の間に延在され、複数の押え切込線にて区画される複数の押え補強平板部で構成され、
前記各押え切込線は、
前記押え窓穴縁から延在して前記押え窓穴部に開口され、及び前記押え補強平板を貫通して前記押え補強平板の表面及び裏面に開口する
ことを特徴とする請求項６に記載の梱包用緩衝材。
【請求項８】
板上縁、板下縁及び左右の板上側縁を有し、所定の板厚の上平板と、板上縁、板下縁及び左右の板下側縁を有し、前記板厚の下平板と、押えシートと、を備える梱包用緩衝材であって、
前記下平板は、
前記板上縁及び前記板下縁に第１間隔を隔てて平行配置され、相互に第２間隔を隔てて平行配置される一対の第１折曲直線と、
前記各板下側縁に第３間隔を隔てて配置され、前記板上縁に前記第１間隔を隔てる前記第１折曲直線及び前記板上縁に直交する一対の第２折曲直線と、
前記各板下側縁に前記第３間隔を隔てて配置され、前記板上縁に前記第１間隔を隔てる前記第１折曲直線及び前記板上縁に直交する一対の第３折曲直線と、
前記各板下側縁に第４間隔を隔てて配置され、前記各板下側縁との間に前記各第２折曲直線及び前記各第３折曲直線を位置して前記各第２折曲直線及び前記各第３折曲直線に第５間隔を隔てて平行配置され、及び前記各第１折曲直線に直交する一対の第４折曲直線と、
前記板上縁に前記第１間隔を隔てる前記第１折曲直線及び前記各第４折曲直線との各第１交点において、前記各第４折曲直線に第１鋭角度をなして、前記各第１交点から前記板上縁及び前記各板下側縁に向けて延在され、前記各板下側縁に交差する一対の第５折曲直線と、
前記板上縁に前記第１間隔を隔てる前記第１折曲直線及び前記各第４折曲直線との各第２交点において、前記各第４折曲直線に前記第１鋭角度をなして、前記各第２交点から前記板上縁及び前記各板下側縁に向けて延在され、前記各板下側縁に交差する一対の第６折曲直線と、を有し、
前記各第１折曲直線、及び前記各第４折曲直線とで区画される積載平板部と、
前記積載平板部に形成され、相互に切込間隔を隔てて前記積載平板部を貫通して前記積載平板部の表面及び裏面に開口する複数の保持切込線にて区画される複数の積載保持平板部と、
前記板上縁、前記板上縁に前記第１間隔を隔てる前記第１折曲直線及び前記各第２折曲直線とで区画され、前記板上縁に前記第１間隔を隔てる前記第２折曲直線に沿って前記積載平板部の裏面側に立下げられる第１下側脚平板部と、
前記板上縁に前記第１間隔を隔てる前記第１折曲直線、及び前記各第３折曲直線とで区画され、前記板上縁に前記第１間隔を隔てる前記第１折曲直線に沿って前記積載平板部の裏面側に立下げられる第２下側脚平板部と、
前記各第４折曲直線、前記各第５折曲直線及び前記第６折曲直線とで区画され、前記各第４折曲直線に沿って前記積載平板部の表面側に立上げられる一対の下側立上げ平板部と、
前記各第２折曲直線及び前記各第５折曲直線とで区画され、前記各第２折曲直線及び前記各第５折曲直線に沿って前記各下側立上げ部の裏面に折返され及び前記積載平板部の表面側に立上げられる一対の第１保形平板部と、
前記各第３折曲直線及び前記各第６折曲直線とで区画され、前記各第３折曲直線及び前記各第６折曲直線に沿って前記各下側立上げ平板部の裏面に折返され及び前記積載平板部の表面側に立上げられる一対の第２保形平板部と、で構成され、
前記上平板は、
前記上平板の表面を前記下平板の表面に向けて、前記下平板の表面に積載され、
前記板上縁及び前記板下縁に第６間隔を隔てて平行配置され、相互に第７間隔を隔てて平行配置される一対の第７折曲直線と、
前記各板上側縁に第８間隔を隔てて配置され、前記各板上側縁及び前記各第２折曲直線の間に位置して前記板上縁及び前記板上縁に前記第６間隔を隔てる前記第７折曲直線に直交する一対の第８折曲直線と、
前記各板上側縁に前記第８間隔を隔てて配置され、前記板上側縁及び前記各第２折曲直線の間に位置して前記板下縁及び板下縁に前記第６間隔を隔てる前記第７折曲直線に直交する一対の第９折曲直線と、
前記各板上側縁に第９間隔を隔てて配置され、前記各板上側縁との間に前記各第８折曲直線及び第９折曲直線を位置して前記各第８折曲直線及び前記各第９折曲直線に第１０間隔を隔てて平行配置され、及び前記各第７折曲直線に直交する一対の第１０折曲直線と、
前記板上縁、及び前記板上縁に前記第６間隔を隔てる前記第７折曲直線との間に延在される前記各第１０折曲直線の延長線上の各第１基点において、前記各第１０折曲直線に第２鋭角度をなして、前記各第１基点から前記板下縁及び前記各板上側縁に向けて延在され、前記各板上側縁に交差する一対の第１１折曲直線と、
前記各第１１折曲直線及び前記板上縁の間に位置して前記各第１１折曲直線に前記板厚以上の第１３間隔を隔てて平行配置され、前記各板上側縁及び前記各第８折曲直線に交差する一対の第１２折曲直線と、
前記板下縁、及び前記板下縁に前記第６間隔を隔てる前記第７折曲直線との間に延在する前記各第１０折曲直線の延長線上の各第２基点において、前記各第１０折曲直線に前記第２鋭角度をなして、前記各第２基点から前記各板上側縁及び前記板上縁に向けて延在され、前記各板上側縁に交差する一対の第１３折曲直線と、
前記板下縁及び前記各第１３折曲直線の間に位置して前記各第１３折曲直線に前記第１３間隔を隔てて平行配置され、前記各板上側縁及び前記各第９折曲直線に交差する一対の第１４折曲直線と、を有し、
前記各第７折曲直線及び前記各第１０折曲直線とで区画される押え平板部と、
前記押え平板部に形成され、前記押え平板部を貫通して前記押え平板部の表面及び裏面に開口される押え窓穴と、
前記板上縁に前記第６間隔を隔てる前記第７折曲直線、及び前記各第８折曲直線とで区画され、前記板上縁に前記第６間隔を隔てる前記第７折曲直線に沿って前記押え平板部の表面側に立下げられ、立下げられた前記第２下側脚平板部の表面に重ねられる第１上側脚平板部と、
前記板下縁に前記第６間隔を隔てる前記第７折曲直線及び前記各第９折曲直線とで区画され、前記板下縁に前記第６間隔を隔てる前記第７折曲直線に沿って前記押え平板部の表面側に立下げられ、立下げられた前記第１下側脚平板部の表面に重ねられる第２上側脚平板部と、
前記各第１０折曲直線、前記各第１１折曲直線及び前記各第１３折曲直線とで区画され、前記各第１０折曲直線に沿って前記押え平板部の裏面側に立上げられ、立上げた前記各下側立上げ平板部の表面に重ねられる一対の上側立上げ平板部と、
前記各第８折曲直線及び前記各第１１折曲直線とで区画され、前記各第８折曲直線、前記各第１１折曲直線及び前記各第１２折曲直線に沿って前記各上側立上げ平板部の表面に折返えされ及び前記押え平板部の裏面側に立上げられ、立上げられた前記各上側立上げ平板部との間に立上げられた前記各下側脚平板部、折返され及び立上げられた前記各第２保形平板部を配置して重ねられる一対の第３保形平板部と、
前記各第９折曲直線及び前記各第１３折曲直線とで区画され、前記各第９折曲直線、前記各第１３折曲直線及び前記各第１４折曲直線に沿って前記各上側立上げ平板の表面に折返され及び前記押え平板部の裏面側に立上げられ、立ち上げた前記各上側立上げ平板部との間に立上げた前記各下側立上げ平板部、折返され及び立上げられた前記各第１保形平板部を配置して重ねられる一対の第４保形平板部と、で構成され、
前記押えシートは、
前記積載平板部の表面に積載され、前記各積載保持平板部を覆って前記下平板に固定される第１押えシート部と、
前記押え平板部の表面に積載され、前記押え窓穴を覆って前記上平板に固定される第２押えシート部と、を有する
ことを特徴とする梱包用緩衝材。
【発明の詳細な説明】
【技術分野】
【０００１】
本発明は、物品（商品）を梱包して運搬（運送）する梱包用緩衝材に関する。
【背景技術】
【０００２】
梱包用緩衝材として、特許文献１は、衝撃緩和運搬容器を開示する。衝撃緩和運搬容器は、複数（２個）の製品保持部材を備え、各製品保持部材は、可撓フィルム及び製品押圧片を有する。各製品保持部材は、展開された紙片の第４側片を折り曲げ部を境にして製品押圧片の裏面に折返し、第４側片の両端部の隅片を第２及び第３側片の裏面に粘着することで、直方体に組立てられる。
衝撃緩和運搬容器は、各製品保持部材を上下に重ねて、可撓性フィルム及び製品押圧片により製品を挟支持して保持する。
【先行技術文献】
【特許文献】
【０００３】
【特許文献１】実用新案登録第３１４５６３６号公報
【発明の概要】
【発明が解決しようとする課題】
【０００４】
しかし、特許文献１では、紙片を折り返し、及び粘着して複数の製品保持部材を製作する必要があるため、物品の梱包作業が複雑となる。
【０００５】
本発明は、物品（商品）を梱包する際に、簡単及び容易に、物品を梱包できる梱包用緩衝材を提供することにある。
【課題を解決するための手段】
【０００６】
発明に係る請求項１は、板上縁、板下縁及び左右の板側縁を有し、所定の板厚の基礎平板体と、押えシートと、を備える梱包用緩衝材であって、前記基礎平板体は、前記板上縁に上板間隔を隔てて平行配置され、前記板上縁に下板間隔を隔てて平行配置され、及び前記各板側縁に交差する基準折曲直線と、前記各板側縁から切込長を有して前記基準折曲直線上に形成され、前記基礎平板体を貫通して前記基礎平板体の表面及び裏面に開口する一対の基準切込直線と、を有し、前記基準折曲直線、前記板上縁及び前記各板側縁とで区画される下平板と、前記基準折曲直線、前記板上縁及び前記各板側縁とで区画される上平板と、で構成され、前記各板側縁は、前記板上縁及び前記基準折曲直線の間に位置する一対の板上側縁と、前記板上縁及び前記基準折曲直線の間に位置する一対の板下側縁と、を有し、前記下平板は、前記板上縁及び前記基準折曲直線に第１間隔を隔てて平行配置され、相互に第２間隔を隔てて平行配置される一対の第１折曲直線と、前記各板下側縁に第３間隔を隔てて配置され、前記基準折曲直線に前記第１間隔を隔てる前記第１折曲直線及び前記基準切込直線に直交する一対の第２折曲直線と、前記各板下側縁に前記第３間隔を隔てて配置され、前記板上縁に前記第１間隔を隔てる前記第１折曲直線及び前記板上縁に直交する一対の第３折曲直線と、前記各板下側縁に第４間隔を隔てて配置され、前記各板下側縁との間に前記各第２折曲直線及び前記各第３折曲直線を位置して前記各第２折曲直線及び前記各第３折曲直線に第５間隔を隔てて平行配置され、及び前記各第１折曲直線に直交する一対の第４折曲直線と、前記基準折曲直線に前記第１間隔を隔てる前記第１折曲直線及び前記各第４折曲直線との各第１交点において、前記各第４折曲直線に第１鋭角度をなして、前記各第１交点から前記板上縁及び前記各板下側縁に向けて延在され、前記各板下側縁に交差する一対の第５折曲直線と、前記板上縁に前記第１間隔を隔てる前記第１折曲直線及び前記各第４折曲直線との各第２交点において、前記各第４折曲直線に前記第１鋭角度をなして、前記各第２交点から前記基準折曲直線及び前記各板下側縁に向けて延在され、前記各板下側縁に交差する一対の第６折曲直線と、を有し、前記各１折曲直線、及び前記各第４折曲直線とで区画される積載平板部と、前記積載平板部に形成され、前記積載平板部を貫通して前記積載平板部の表面及び裏面に開口される積載窓穴と、前記基準折曲直線、前記基準折曲直線に前記第１間隔を隔てる前記第１折曲直線及び前記各第２折曲直線とで区画され、前記基準折曲直線に前記第１間隔を隔てる前記１折曲直線に沿って前記積載平板部の裏面側に立下げられる第１下側脚平板部と、前記板上縁に前記第１間隔を隔てる前記第１折曲直線、及び前記各第３折曲直線とで区画され、前記板上縁に前記第１間隔を隔てる前記第１折曲直線に沿って前記積載平板部の裏面側に立下げられる第２下側脚平板部と、前記各第４折曲直線、前記各第５折曲直線及び前記第６折曲直線とで区画され、前記各第４折曲直線に沿って前記積載平板部の表面側に立上げられる一対の下側立上げ平板部と、前記各第２折曲直線及び前記各第５折曲直線とで区画され、前記各第２折曲直線及び前記各第５折曲直線に沿って前記各下側立上げ部の裏面に折返され及び前記積載平板部の表面側に立上げられる一対の第１保形平板部と、前記各第３折曲直線及び前記各第６折曲直線とで区画され、前記各第３折曲直線及び前記各第６折曲直線に沿って前記各下側立上平板部の裏面に折返され及び前記積載平板部の表面側に立上げられる一対の第２保形平板部と、で構成され、前記上平板は、前記上平板の表面を前記下平板の表面に向けて、前記基準折曲直線に沿って前記下平板の表面に折返され、前記板上縁及び前記基準折曲直線に第６間隔を隔てて平行配置され、相互に第７間隔を隔てて平行配置される一対の第７折曲直線と、前記各板上側縁に第８間隔を隔てて配置され、前記各板上側縁及び前記各第２折曲直線の間に位置して前記板上縁及び前記板上縁に前記第６間隔を隔てる前記第７折曲直線に直交する一対の第８折曲直線と、前記各板上側縁に前記第８間隔を隔てて配置され、前記板上側縁及び前記各第２折曲直線の間に位置して前記基準切込直線及び前記基準折曲直線に前記第６間隔を隔てる前記第７折曲直線に直交する一対の第９折曲直線と、前記各板上側縁に第９間隔を隔てて配置され、前記各板上側縁との間に前記各第８折曲直線及び第９折曲直線を位置して前記各第８折曲直線及び前記各第９折曲直線に第１０間隔を隔てて平行配置され、及び前記各第７折曲直線に直交する一対の第１０折曲直線と、前記板上縁、及び前記板上縁に前記第６間隔を隔てる前記第７折曲直線との間に延在される前記各第１０折曲直線の延長線上の各第１基点において、前記各第１０折曲直線に第２鋭角度をなして、前記各第１基点から前記基準折曲直線及び前記各板上側縁に向けて延在され、前記各板上側縁に交差する一対の第１１折曲直線と、前記各第１１折曲直線及び前記板上縁の間に位置して前記各第１１折曲直線に前記板厚以上の第１３間隔を隔てて平行配置され、前記各板上側縁及び前記各第８折曲直線に交差する一対の第１２折曲直線と、前記基準折曲直線、及び前記基準折曲直線に前記第６間隔を隔てる前記第７折曲直線との間に延在する前記各第１０折曲直線の延長線上の各第２基点において、前記各第１０折曲直線に前記第２鋭角度をなして、前記各第２基点から前記各板上側縁及び前記板上縁に向けて延在され、前記各板上側縁に交差する一対の第１３折曲直線と、前記基準折曲直線及び前記各第１３折曲直線の間に位置して前記各第１３折曲直線に前記第１３間隔を隔てて平行配置され、前記各板上側縁及び前記各第９折曲直線に交差する一対の第１４折曲直線と、を有し、前記各第７折曲直線及び前記各第１０折曲直線とで区画される押え平板部と、前記押え平板部に形成され、前記押え平板部を貫通して前記押え平板部の表面及び裏面に開口される押え窓穴と、前記板上縁に前記第６間隔を隔てる前記第７折曲直線、及び前記各第８折曲直線とで区画され、前記板上縁に前記第６間隔を隔てる前記第７折曲直線に沿って前記押え平板部の表面側に立下げられ、立下げられた前記第２下側脚平板部の表面に重ねられる第１上側脚平板部と、前記基準折曲直線に前記第６間隔を隔てる前記第７折曲直線及び前記各第９折曲直線とで区画され、前記基準折曲直線に前記第６間隔を隔てる前記第７折曲直線に沿って前記押え平板部の表面側に立下げられ、立下げられた前記第１下側脚平板部の表面に重ねられる第２上側脚平板部と、前記各第１０折曲直線、前記各第１１折曲直線及び前記各第１３折曲直線とで区画され、前記各第１０折曲直線に沿って前記押え平板部の裏面側に立上げられ、立上げた前記各下側立上げ平板部の表面に重ねられる一対の上側立上げ平板部と、前記各第８折曲直線及び前記各第１１折曲直線とで区画され、前記各第８折曲直線、前記各第１１折曲直線及び前記各第１２折曲直線に沿って前記各上側立上げ平板部の表面に折返えされ及び前記押え平板部の裏面側に立上げられ、立上げられた前記各上側立上げ平板部との間に立上げられた前記各下側脚平板部、折返され及び立上げられた前記各第２保形平板部を配置して重ねられる一対の第３保形平板部と、前記各第９折曲直線及び前記各第１３折曲直線とで区画され、前記各第９折曲直線、前記各第１３折曲直線及び前記各第１４折曲直線に沿って前記各上側立上げ平板の表面に折返され及び前記押え平板部の裏面側に立上げられ、立ち上げた前記各上側立上げ平板部との間に立上げた前記各下側立上げ平板部、折返され及び立上げられた前記各第１保形平板部を配置して重ねられる一対の第４保形平板部と、で構成され、前記押えシートは、前記積載平板部の表面に積載され、前記積載窓穴を覆って前記下平板に固定される第１押えシート部と、  前記押え平板部の表面に積載され、前記押え窓穴を覆って前記上平板に固定される第２押えシート部と、を有することを特徴とする梱包用緩衝材である。
【０００７】
本発明に係る請求項２は、前記積載窓穴の積載窓穴縁に沿って前記積載平板部に連設される積載補強平板を備え、前記積載窓穴は、前記積載窓穴縁の内側に積載窓穴部を有し、前記積載補強平板は、前記積載窓穴縁及び前記積載窓穴部の間に延在され、複数の積載切込線にて区画される複数の積載補強平板部で構成され、前記各積載切込線は、前記積載窓穴縁から延在して前記積載窓穴部に開口され、及び前記積載補強平板を貫通して前記積載補強平板の表面及び裏面に開口することを特徴とする請求項１に記載の梱包用緩衝材である。
【０００８】
本発明に係る請求項３は、前記押え窓穴の押え窓穴縁に沿って前記押え平板部に連設される押え補強平板を備え、前記押え窓穴は、前記押え窓穴縁の内側に押え窓穴部を有し、前記押え補強平板は、前記押え窓穴縁及び前記押え窓穴部の間に延在され、複数の押え切込線にて区画される複数の押え補強平板部で構成され、前記各押え切込線は、前記押え窓穴縁から延在して前記押え窓穴部に開口され、及び前記押え補強平板を貫通して前記押え補強平板の表面及び裏面に開口することを特徴とする請求項２に記載の梱包用緩衝材である。
【０００９】
本発明に係る請求項４は、板上縁、板下縁及び左右の板側縁を有し、所定の板厚の基礎平板体と、押えシートと、を備える梱包用緩衝材であって、前記基礎平板体は、前記板上縁に上板間隔を隔てて平行配置され、前記板上縁に下板間隔を隔てて平行配置され、及び前記各板側縁に交差する基準折曲直線と、前記各板側縁から切込長を有して前記基準折曲直線上に形成され、前記基礎平板体を貫通して前記基礎平板体の表面及び裏面に開口する一対の基準切込直線と、を有し、前記基準折曲直線、前記板上縁及び前記各板側縁とで区画される下平板と、前記基準折曲直線、前記板上縁及び前記各板側縁とで区画される上平板と、で構成され、前記各板側縁は、前記板上縁及び前記基準折曲直線の間に位置する一対の板上側縁と、前記板上縁及び前記基準折曲直線の間に位置する一対の板下側縁と、を有し、前記下平板は、前記板上縁及び前記基準折曲直線に第１間隔を隔てて平行配置され、相互に第２間隔を隔てて平行配置される一対の第１折曲直線と、前記各板下側縁に第３間隔を隔てて配置され、前記基準折曲直線に前記第１間隔を隔てる前記第１折曲直線及び前記基準切込直線に直交する一対の第２折曲直線と、前記各板下側縁に前記第３間隔を隔てて配置され、前記板上縁に前記第１間隔を隔てる前記第１折曲直線及び前記板上縁に直交する一対の第３折曲直線と、前記各板下側縁に第４間隔を隔てて配置され、前記各板下側縁との間に前記各第２折曲直線及び前記各第３折曲直線を位置して前記各第２折曲直線及び前記各第３折曲直線に第５間隔を隔てて平行配置され、及び前記各第１折曲直線に直交する一対の第４折曲直線と、前記基準折曲直線に前記第１間隔を隔てる前記第１折曲直線及び前記各第４折曲直線との各第１交点において、前記各第４折曲直線に第１鋭角度をなして、前記各第１交点から前記板上縁及び前記各板下側縁に向けて延在され、前記各板下側縁に交差する一対の第５折曲直線と、前記板上縁に前記第１間隔を隔てる前記第１折曲直線及び前記各第４折曲直線との各第２交点において、前記各第４折曲直線に前記第１鋭角度をなして、前記各第２交点から前記基準折曲直線及び前記各板下側縁に向けて延在され、前記各板下側縁に交差する一対の第６折曲直線と、を有し、前記各１折曲直線、及び前記各第４折曲直線とで区画される積載平板部と、前記積載平板部に形成され、相互に切込間隔を隔てて前記積載平板部を貫通して前記積載平板部の表面及び裏面に開口する複数の保持切込線にて区画される複数の積載保持平板部と、前記基準折曲直線、前記基準折曲直線に前記第１間隔を隔てる前記第１折曲直線及び前記各第２折曲直線とで区画され、前記基準折曲直線に前記第１間隔を隔てる前記１折曲直線に沿って前記積載平板部の裏面側に立下げられる第１下側脚平板部と、前記板上縁に前記第１間隔を隔てる前記第１折曲直線、及び前記各第３折曲直線とで区画され、前記板上縁に前記第１間隔を隔てる前記第１折曲直線に沿って前記積載平板部の裏面側に立下げられる第２下側脚平板部と、前記各第４折曲直線、前記各第５折曲直線及び前記第６折曲直線とで区画され、前記各第４折曲直線に沿って前記積載平板部の表面側に立上げられる一対の下側立上げ平板部と、前記各第２折曲直線及び前記各第５折曲直線とで区画され、前記各第２折曲直線及び前記各第５折曲直線に沿って前記各下側立上げ部の裏面に折返され及び前記積載平板部の表面側に立上げられる一対の第１保形平板部と、前記各第３折曲直線及び前記各第６折曲直線とで区画され、前記各第３折曲直線及び前記各第６折曲直線に沿って前記各下側立上平板部の裏面に折返され及び前記積載平板部の表面側に立上げられる一対の第２保形平板部と、で構成され、前記上平板は、前記上平板の表面を前記下平板の表面に向けて、前記基準折曲直線に沿って前記下平板の表面に折返され、前記板上縁及び前記基準折曲直線に第６間隔を隔てて平行配置され、相互に第７間隔を隔てて平行配置される一対の第７折曲直線と、前記各板上側縁に第８間隔を隔てて配置され、前記各板上側縁及び前記各第２折曲直線の間に位置して前記板上縁及び前記板上縁に前記第６間隔を隔てる前記第７折曲直線に直交する一対の第８折曲直線と、前記各板上側縁に前記第８間隔を隔てて配置され、前記板上側縁及び前記各第２折曲直線の間に位置して前記基準切込直線及び前記基準折曲直線に前記第６間隔を隔てる前記第７折曲直線に直交する一対の第９折曲直線と、前記各板上側縁に第９間隔を隔てて配置され、前記各板上側縁との間に前記各第８折曲直線及び第９折曲直線を位置して前記各第８折曲直線及び前記各第９折曲直線に第１０間隔を隔てて平行配置され、及び前記各第７折曲直線に直交する一対の第１０折曲直線と、前記板上縁、及び前記板上縁に前記第６間隔を隔てる前記第７折曲直線との間に延在される前記各第１０折曲直線の延長線上の各第１基点において、前記各第１０折曲直線に第２鋭角度をなして、前記各第１基点から前記基準折曲直線及び前記各板上側縁に向けて延在され、前記各板上側縁に交差する一対の第１１折曲直線と、前記各第１１折曲直線及び前記板上縁の間に位置して前記各第１１折曲直線に前記板厚以上の第１３間隔を隔てて平行配置され、前記各板上側縁及び前記各第８折曲直線に交差する一対の第１２折曲直線と、前記基準折曲直線、及び前記基準折曲直線に前記第６間隔を隔てる前記第７折曲直線との間に延在する前記各第１０折曲直線の延長線上の各第２基点において、前記各第１０折曲直線に前記第２鋭角度をなして、前記各第２基点から前記各板上側縁及び前記板上縁に向けて延在され、前記各板上側縁に交差する一対の第１３折曲直線と、前記基準折曲直線及び前記各第１３折曲直線の間に位置して前記各第１３折曲直線に前記第１３間隔を隔てて平行配置され、前記各板上側縁及び前記各第９折曲直線に交差する一対の第１４折曲直線と、を有し、前記各第７折曲直線及び前記各第１０折曲直線とで区画される押え平板部と、前記押え平板部に形成され、前記押え平板部を貫通して前記押え平板部の表面及び裏面に開口される押え窓穴と、前記板上縁に前記第６間隔を隔てる前記第７折曲直線、及び前記各第８折曲直線とで区画され、前記板上縁に前記第６間隔を隔てる前記第７折曲直線に沿って前記押え平板部の表面側に立下げられ、立下げられた前記第２下側脚平板部の表面に重ねられる第１上側脚平板部と、前記基準折曲直線に前記第６間隔を隔てる前記第７折曲直線及び前記各第９折曲直線とで区画され、前記基準折曲直線に前記第６間隔を隔てる前記第７折曲直線に沿って前記押え平板部の表面側に立下げられ、立下げられた前記第１下側脚平板部の表面に重ねられる第２上側脚平板部と、前記各第１０折曲直線、前記各第１１折曲直線及び前記各第１３折曲直線とで区画され、前記各第１０折曲直線に沿って前記押え平板部の裏面側に立上げられ、立上げた前記各下側立上げ平板部の表面に重ねられる一対の上側立上げ平板部と、前記各第８折曲直線及び前記各第１１折曲直線とで区画され、前記各第８折曲直線、前記各第１１折曲直線及び前記各第１２折曲直線に沿って前記各上側立上げ平板部の表面に折返えされ及び前記押え平板部の裏面側に立上げられ、立上げられた前記各上側立上げ平板部との間に立上げられた前記各下側脚平板部、折返され及び立上げられた前記各第２保形平板部を配置して重ねられる一対の第３保形平板部と、前記各第９折曲直線及び前記各第１３折曲直線とで区画され、前記各第９折曲直線、前記各第１３折曲直線及び前記各第１４折曲直線に沿って前記各上側立上げ平板の表面に折返され及び前記押え平板部の裏面側に立上げられ、立ち上げた前記各上側立上げ平板部との間に立上げた前記各下側立上げ平板部、折返され及び立上げられた前記各第１保形平板部を配置して重ねられる一対の第４保形平板部と、で構成され、前記押えシートは、前記積載平板部の表面に積載され、前記各積載保持平板部を覆って前記下平板に固定される第１押えシート部と、前記押え平板部の表面に積載され、前記押え窓穴を覆って前記上平板に固定される第２シート部と、を有することを特徴とする梱包用緩衝材である。
【００１０】
本発明に係る請求項５は、板上縁、板下縁及び左右の板上側縁を有し、所定の板厚の上平板と、板上縁、板下縁及び左右の板下側縁を有し、前記板厚の下平板と、押えシートと、を備える梱包用緩衝材であって、前記下平板は、前記板上縁及び前記板下縁に第１間隔を隔てて平行配置され、相互に第２間隔を隔てて平行配置される一対の第１折曲直線と、前記各板下側縁に第３間隔を隔てて配置され、前記板上縁に前記第１間隔を隔てる前記第１折曲直線及び前記板上縁に直交する一対の第２折曲直線と、前記各板下側縁に前記第３間隔を隔てて配置され、前記板上縁に前記第１間隔を隔てる前記第１折曲直線及び前記板上縁に直交する一対の第３折曲直線と、前記各板下側縁に第４間隔を隔てて配置され、前記各板下側縁との間に前記各第２折曲直線及び前記各第３折曲直線を位置して前記各第２折曲直線及び前記各第３折曲直線に第５間隔を隔てて平行配置され、及び前記各第１折曲直線に直交する一対の第４折曲直線と、前記板上縁に前記第１間隔を隔てる前記第１折曲直線及び前記各第４折曲直線との各第１交点において、前記各第４折曲直線に第１鋭角度をなして、前記各第１交点から前記板上縁及び前記各板下側縁に向けて延在され、前記各板下側縁に交差する一対の第５折曲直線と、前記板上縁に前記第１間隔を隔てる前記第１折曲直線及び前記各第４折曲直線との各第２交点において、前記各第４折曲直線に前記第１鋭角度をなして、前記各第２交点から前記板上縁及び前記各板下側縁に向けて延在され、前記各板下側縁に交差する一対の第６折曲直線と、を有し、前記各１折曲直線、及び前記各第４折曲直線とで区画される積載平板部と、前記積載平板部に形成され、前記積載平板部を貫通して前記積載平板部の表面及び裏面に開口される積載窓穴と、前記板上縁、前記板上縁に前記第１間隔を隔てる前記第１折曲直線及び前記各第２折曲直線とで区画され、前記板上縁に前記第１間隔を隔てる前記第２折曲直線に沿って前記積載平板部の裏面側に立下げられる第１下側脚平板部と、前記板上縁に前記第１間隔を隔てる前記第１折曲直線、及び前記各第３折曲直線とで区画され、前記板上縁に前記第１間隔を隔てる前記第１折曲直線に沿って前記積載平板部の裏面側に立下げられる第２下側脚平板部と、前記各第４折曲直線、前記各第５折曲直線及び前記第６折曲直線とで区画され、前記各第４折曲直線に沿って前記積載平板部の表面側に立上げられる一対の下側立上げ平板部と、前記各第２折曲直線及び前記各第５折曲直線とで区画され、前記各第２折曲直線及び前記各第５折曲直線に沿って前記各下側立上げ部の裏面に折返され及び前記積載平板部の表面側に立上げられる一対の第１保形平板部と、前記各第３折曲直線及び前記各第６折曲直線とで区画され、前記各第３折曲直線及び前記各第６折曲直線に沿って前記各下側立上平板部の裏面に折返され及び前記積載平板部の表面側に立上げられる一対の第２保形平板部と、で構成され、前記上平板は、前記上平板の表面を前記下平板の表面に向けて、前記下平板の表面に積載され、前記板上縁及び前記板下縁に第６間隔を隔てて平行配置され、相互に第７間隔を隔てて平行配置される一対の第７折曲直線と、前記各板上側縁に第８間隔を隔てて配置され、前記各板上側縁及び前記各第２折曲直線の間に位置して前記板上縁及び前記板上縁に前記第６間隔を隔てる前記第７折曲直線に直交する一対の第８折曲直線と、前記各板上側縁に前記第８間隔を隔てて配置され、前記板上側縁及び前記各第２折曲直線の間に位置して前記板下縁及び板下縁に前記第６間隔を隔てる前記第７折曲直線に直交する一対の第９折曲直線と、前記各板上側縁に第９間隔を隔てて配置され、前記各板上側縁との間に前記各第８折曲直線及び第９折曲直線を位置して前記各第８折曲直線及び前記各第９折曲直線に第１０間隔を隔てて平行配置され、及び前記各第７折曲直線に直交する一対の第１０折曲直線と、前記板上縁、及び前記板上縁に前記第６間隔を隔てる前記第７折曲直線との間に延在される前記各第１０折曲直線の延長線上の各第１基点において、前記各第１０折曲直線に第２鋭角度をなして、前記各第１基点から前記板下縁及び前記各板上側縁に向けて延在され、前記各板上側縁に交差する一対の第１１折曲直線と、前記各第１１折曲直線及び前記板上縁の間に位置して前記各第１１折曲直線に前記板厚以上の第１３間隔を隔てて平行配置され、前記各板上側縁及び前記各第８折曲直線に交差する一対の第１２折曲直線と、前記板下縁、及び前記板下縁に前記第６間隔を隔てる前記第７折曲直線との間に延在する前記各第１０折曲直線の延長線上の各第２基点において、前記各第１０折曲直線に前記第２鋭角度をなして、前記各第２基点から前記各板上側縁及び前記板上縁に向けて延在され、前記各板上側縁に交差する一対の第１３折曲直線と、前記板下縁及び前記各第１３折曲直線の間に位置して前記各第１３折曲直線に前記第１３間隔を隔てて平行配置され、前記各板上側縁及び前記各第９折曲直線に交差する一対の第１４折曲直線と、を有し、前記各第７折曲直線及び前記各第１０折曲直線とで区画される押え平板部と、前記押え平板部に形成され、前記押え平板部を貫通して前記押え平板部の表面及び裏面に開口される押え窓穴と、前記板上縁に前記第６間隔を隔てる前記第７折曲直線、及び前記各第８折曲直線とで区画され、前記板上縁に前記第６間隔を隔てる前記第７折曲直線に沿って前記押え平板部の表面側に立下げられ、立下げられた前記第２下側脚平板部の表面に重ねられる第１上側脚平板部と、前記板下縁に前記第６間隔を隔てる前記第７折曲直線及び前記各第９折曲直線とで区画され、前記板下縁に前記第６間隔を隔てる前記第７折曲直線に沿って前記押え平板部の表面側に立下げられ、立下げられた前記第１下側脚平板部の表面に重ねられる第２上側脚平板部と、前記各第１０折曲直線、前記各第１１折曲直線及び前記各第１３折曲直線とで区画され、前記各第１０折曲直線に沿って前記押え平板部の裏面側に立上げられ、立上げた前記各下側立上げ平板部の表面に重ねられる一対の上側立上げ平板部と、前記各第８折曲直線及び前記各第１１折曲直線とで区画され、前記各第８折曲直線、前記各第１１折曲直線及び前記各第１２折曲直線に沿って前記各上側立上げ平板部の表面に折返えされ及び前記押え平板部の裏面側に立上げられ、立上げられた前記各上側立上げ平板部との間に立上げられた前記各下側脚平板部、折返され及び立上げられた前記各第２保形平板部を配置して重ねられる一対の第３保形平板部と、前記各第９折曲直線及び前記各第１３折曲直線とで区画され、前記各第９折曲直線、前記各第１３折曲直線及び前記各第１４折曲直線に沿って前記各上側立上げ平板の表面に折返され及び前記押え平板部の裏面側に立上げられ、立ち上げた前記各上側立上げ平板部との間に立上げた前記各下側立上げ平板部、折返され及び立上げられた前記各第１保形平板部を配置して重ねられる一対の第４保形平板部と、で構成され、前記押えシートは、前記積載平板部の表面に積載され、前記積載窓穴を覆って前記下平板に固定される第１押えシート部と、前記押え平板部の表面に積載され、前記押え窓穴を覆って前記上平板に固定される第２押えシート部と、を有することを特徴とする梱包用緩衝材である。
【００１１】
本発明に係る請求項６は、前記積載窓穴の積載窓穴縁に沿って前記積載平板部に連設される積載補強平板を備え、前記積載窓穴は、前記積載窓穴縁の内側に積載窓穴部を有し、前記積載補強平板は、前記積載窓穴縁及び前記積載窓穴部の間に延在され、複数の積載切込線にて区画される複数の積載補強平板部で構成され、前記各積載切込線は、前記積載窓穴縁から延在して前記積載窓穴部に開口され、及び前記積載補強平板を貫通して前記積載補強平板の表面及び裏面に開口することを特徴とする請求項５に記載の梱包用緩衝材である。
【００１２】
本発明に係る請求項７は、前記押え窓穴の押え窓穴縁に沿って前記押え平板部に連設される押え補強平板を備え、前記押え窓穴は、前記押え窓穴縁の内側に押え窓穴部を有し、前記押え補強平板は、前記押え窓穴縁及び前記押え窓穴部の間に延在され、複数の押え切込線にて区画される複数の押え補強平板部で構成され、前記各押え切込線は、前記押え窓穴縁から延在して前記押え窓穴部に開口され、及び前記押え補強平板を貫通して前記押え補強平板の表面及び裏面に開口することを特徴とする請求項６に記載の梱包用緩衝材である。
【００１３】
本発明にかかる請求項８は、板上縁、板下縁及び左右の板上側縁を有し、所定の板厚の上平板と、板上縁、板下縁及び左右の板下側縁を有し、前記板厚の下平板と、押えシートと、を備える梱包用緩衝材であって、前記下平板は、前記板上縁及び前記板下縁に第１間隔を隔てて平行配置され、相互に第２間隔を隔てて平行配置される一対の第１折曲直線と、  前記各板下側縁に第３間隔を隔てて配置され、前記板上縁に前記第１間隔を隔てる前記第１折曲直線及び前記板上縁に直交する一対の第２折曲直線と、前記各板下側縁に前記第３間隔を隔てて配置され、前記板上縁に前記第１間隔を隔てる前記第１折曲直線及び前記板上縁に直交する一対の第３折曲直線と、前記各板下側縁に第４間隔を隔てて配置され、前記各板下側縁との間に前記各第２折曲直線及び前記各第３折曲直線を位置して前記各第２折曲直線及び前記各第３折曲直線に第５間隔を隔てて平行配置され、及び前記各第１折曲直線に直交する一対の第４折曲直線と、前記板上縁に前記第１間隔を隔てる前記第１折曲直線及び前記各第４折曲直線との各第１交点において、前記各第４折曲直線に第１鋭角度をなして、前記各第１交点から前記板上縁及び前記各板下側縁に向けて延在され、前記各板下側縁に交差する一対の第５折曲直線と、前記板上縁に前記第１間隔を隔てる前記第１折曲直線及び前記各第４折曲直線との各第２交点において、前記各第４折曲直線に前記第１鋭角度をなして、前記各第２交点から前記板上縁及び前記各板下側縁に向けて延在され、前記各板下側縁に交差する一対の第６折曲直線と、を有し、前記各第１折曲直線、及び前記各第４折曲直線とで区画される積載平板部と、前記積載平板部に形成され、相互に切込間隔を隔てて前記積載平板部を貫通して前記積載平板部の表面及び裏面に開口する複数の保持切込線にて区画される複数の積載保持平板部と、前記板上縁、前記板上縁に前記第１間隔を隔てる前記第１折曲直線及び前記各第２折曲直線とで区画され、前記板上縁に前記第１間隔を隔てる前記第２折曲直線に沿って前記積載平板部の裏面側に立下げられる第１下側脚平板部と、前記板上縁に前記第１間隔を隔てる前記第１折曲直線、及び前記各第３折曲直線とで区画され、前記板上縁に前記第１間隔を隔てる前記第１折曲直線に沿って前記積載平板部の裏面側に立下げられる第２下側脚平板部と、前記各第４折曲直線、前記各第５折曲直線及び前記第６折曲直線とで区画され、前記各第４折曲直線に沿って前記積載平板部の表面側に立上げられる一対の下側立上げ平板部と、前記各第２折曲直線及び前記各第５折曲直線とで区画され、前記各第２折曲直線及び前記各第５折曲直線に沿って前記各下側立上げ部の裏面に折返され及び前記積載平板部の表面側に立上げられる一対の第１保形平板部と、前記各第３折曲直線及び前記各第６折曲直線とで区画され、前記各第３折曲直線及び前記各第６折曲直線に沿って前記各下側立上平板部の裏面に折返され及び前記積載平板部の表面側に立上げられる一対の第２保形平板部と、で構成され、前記上平板は、前記上平板の表面を前記下平板の表面に向けて、前記下平板の表面に積載され、前記板上縁及び前記板下縁に第６間隔を隔てて平行配置され、相互に第７間隔を隔てて平行配置される���対の第７折曲直線と、前記各板上側縁に第８間隔を隔てて配置され、前記各板上側縁及び前記各第２折曲直線の間に位置して前記板上縁及び前記板上縁に前記第６間隔を隔てる前記第７折曲直線に直交する一対の第８折曲直線と、前記各板上側縁に前記第８間隔を隔てて配置され、前記板上側縁及び前記各第２折曲直線の間に位置して前記板下縁及び板下縁に前記第６間隔を隔てる前記第７折曲直線に直交する一対の第９折曲直線と、前記各板上側縁に第９間隔を隔てて配置され、前記各板上側縁との間に前記各第８折曲直線及び第９折曲直線を位置して前記各第８折曲直線及び前記各第９折曲直線に第１０間隔を隔てて平行配置され、及び前記各第７折曲直線に直交する一対の第１０折曲直線と、前記板上縁、及び前記板上縁に前記第６間隔を隔てる前記第７折曲直線との間に延在される前記各第１０折曲直線の延長線上の各第１基点において、前記各第１０折曲直線に第２鋭角度をなして、前記各第１基点から前記板下縁及び前記各板上側縁に向けて延在され、前記各板上側縁に交差する一対の第１１折曲直線と、前記各第１１折曲直線及び前記板上縁の間に位置して前記各第１１折曲直線に前記板厚以上の第１３間隔を隔てて平行配置され、前記各板上側縁及び前記各第８折曲直線に交差する一対の第１２折曲直線と、前記板下縁、及び前記板下縁に前記第６間隔を隔てる前記第７折曲直線との間に延在する前記各第１０折曲直線の延長線上の各第２基点において、前記各第１０折曲直線に前記第２鋭角度をなして、前記各第２基点から前記各板上側縁及び前記板上縁に向けて延在され、前記各板上側縁に交差する一対の第１３折曲直線と、前記板下縁及び前記各第１３折曲直線の間に位置して前記各第１３折曲直線に前記第１３間隔を隔てて平行配置され、前記各板上側縁及び前記各第９折曲直線に交差する一対の第１４折曲直線と、を有し、前記各第７折曲直線及び前記各第１０折曲直線とで区画される押え平板部と、前記押え平板部に形成され、前記押え平板部を貫通して前記押え平板部の表面及び裏面に開口される押え窓穴と、前記板上縁に前記第６間隔を隔てる前記第７折曲直線、及び前記各第８折曲直線とで区画され、前記板上縁に前記第６間隔を隔てる前記第７折曲直線に沿って前記押え平板部の表面側に立下げられ、立下げられた前記第２下側脚平板部の表面に重ねられる第１上側脚平板部と、前記板下縁に前記第６間隔を隔てる前記第７折曲直線及び前記各第９折曲直線とで区画され、前記板下縁に前記第６間隔を隔てる前記第７折曲直線に沿って前記押え平板部の表面側に立下げられ、立下げられた前記第１下側脚平板部の表面に重ねられる第２上側脚平板部と、前記各第１０折曲直線、前記各第１１折曲直線及び前記各第１３折曲直線とで区画され、前記各第１０折曲直線に沿って前記押え平板部の裏面側に立上げられ、立上げた前記各下側立上げ平板部の表面に重ねられる一対の上側立上げ平板部と、前記各第８折曲直線及び前記各第１１折曲直線とで区画され、前記各第８折曲直線、前記各第１１折曲直線及び前記各第１２折曲直線に沿って前記各上側立上げ平板部の表面に折返えされ及び前記押え平板部の裏面側に立上げられ、立上げられた前記各上側立上げ平板部との間に立上げられた前記各���側脚平板部、折返され及び立上げられた前記各第２保形平板部を配置して重ねられる一対の第３保形平板部と、前記各第９折曲直線及び前記各第１３折曲直線とで区画され、前記各第９折曲直線、前記各第１３折曲直線及び前記各第１４折曲直線に沿って前記各上側立上げ平板の表面に折返され及び前記押え平板部の裏面側に立上げられ、立ち上げた前記各上側立上げ平板部との間に立上げた前記各下側立上げ平板部、折返され及び立上げられた前記各第１保形平板部を配置して重ねられる一対の第４保形平板部と、で構成され、前記押えシートは、前記積載平板部の表面に積載され、前記各積載保持平板部を覆って前記下平板に固定される第１押えシート部と、前記押え平板部の表面に積載され、前記押え窓穴を覆って前記上平板に固定される第２押えシート部と、を有することを特徴とする梱包用緩衝材である。
【発明の効果】
【００１４】
本発明に係る請求項１では、第１に、展開した梱包用緩衝材において、物品（商品／製品）を積載窓穴の内側の第１シート部上（第１押えシート部の表面）に積載する。物品は、積載窓穴の内側に位置する第１押えシート部の表面に積載される。第２に、第１押えシート部上に物品を積載した状態において、上平板を基準折曲直線に沿って下平板の表面に折返す。上平板は、上平板の表面を下平板の表面に向けて、基準折曲直線に沿って下平板の表面に折返される。このとき、押え平板部は、押え平板部の表面を積載平板部の表面に向けて、積載平板部の表面に重ねて配置され、第１上側脚平板部は、第１上側脚平板部の表面を第２下側脚平板部の表面に向けて、第１下側脚平板部の表面に重ねて配置される。第２上側脚平板部は、第２上側脚平板部の表面を第１下側脚平板部の表面に向けて、第１下側脚平板部の表面に重ねて配置され、各上側立上げ平板部は、各上側立上げ平板部の表面を各下側立上げ平板部の表面に向けて、各下側脚平板部の表面に重ねて配置される。各第３保形平板部は、各第３保形平板部の表面を各第２保形平板部の表面に向けて、各第２保形平板部の表面に重ねて配置され、各第４保形平板部は、各第４保形平板部の表面を各第１保形平板の表面に向けて、各第１保形平板部の表面に重ねて配置される。押えシートにおいて、第２押えシート部は、第１押えシート部上に積載された物品に当接される。物品は、押え窓穴の内側に位置する第２押えシート部に当接される。これにより、押えシートは、積載窓穴の内側に位置する第１押えシート部、及び押え窓穴の内側に位置する第２押えシート部の間に配置される。第３に、重ねて配置された第１下側脚平板及び第２上側脚平板部は、基準折曲直線に第１間隔を隔てる第１折曲直線、及び基準折曲直線に第６間隔を隔てる第７折曲直線に沿って、積載平板部の裏面側、押え平板部の表面側に折曲げられて、積載平板部の裏面側、押え平板部の表面側に立下げられる。重ねて配置された第２下側脚平板部及び第１上側脚平板部は、基礎平板体の板下縁に第１間隔を隔てる第１折曲直線、基礎平板体の板上縁に第６間隔を隔てる第７折曲直線に沿って、積載平板部の裏面側、押え平板部の表面側に折曲げられ、積載平板部の裏面側、押え平板部の裏面側に立下げられる。このとき、押えシートにおいて、第２押えシート部は、第１押えシート部上に積載された物品に押付けられる。これにより、押えシートは、第１押えシート部及び第１押えシート部により物品を挟持して、物品を定着する。第４に、重ねて配置された各下側立上げ平板部及び各上側立上げ平板部は、各第４折曲直線及び各第１０折曲直線に沿って、積載平板部の表面側、押え平板部の裏面側に折曲げされ、積載平板部の表面側、押えシート部の裏面側に立上げられる。このとき、各上側立上げ平板部は、立上げられた各下側平板部の間に配置され、各下側立上げ平板部の表面に当接して、重ねて配置される。第５に、重ねて配置された第１保形平板部及び各第４保形平板部は、各第２折曲直線、各第５折曲直線、各第９折曲直線、各第１３折曲直線及び各第１４折曲直線に沿って、立上げられた各下側立上げ平板部の裏面側に折返され、各上側立上げ平板部の表面に折返され、積載平板部の裏面側に立上げられ、押え平板部の裏面側に立上げられる。このとき、各第４保形平板部は、立上げられた各上側平板部との間に、立上げられた各下側立上げ平板部と、立上げ及び折返えされた各第１保形平板部を配置して、各下側立上げ平板及び各第１保形平板部に重ねて配置される。第７に、重ねて配置された各第２保形平板部及び各第３保形平板部は、各第３折曲直線、各第６折曲直線、各第８折曲直線、各第１１折曲直線及び各第１２折曲直線に沿って、立上げられた各下側立上げ平板部の裏面側に折返され、各上側立上げ平板部の表面に折返され、積載平板部の裏面側に立上げられ、押え平板部の裏面側に立上げられる。このとき、各第３保形平板部は、立上げられた各上側平板部との間に、立上げられた各下側立上げ平板部と、立上げ及び折返えされた各第２保形平板部を配置して、各下側立上げ平板及び各第１保形平板部に重ねて配置される。
このようにして、請求項１の梱包用緩衝材では、物品（商品／製品）を梱包する際に、物品を第１押えシート部に積載して、上平板を下平板の表面に折返し、各下側脚平板部及び各」上側脚平板部を立下げ、各下側立上げ平板部及び各上側立上げ平板部を立上げ、及び各第１乃至各第４保形平板部を折返して立上げることで、第１及び第２押えシート部にて物品を挟持して、物品を第１及び第２押えシート部で定着できる。
これにより、物品を梱包する際に、上平板及び下平板の第１乃至第１３折曲直線に沿って折曲げることで、物品を梱包でき、物品の梱包作業が簡単、容易となる。
本発明に係る請求項１によれば、第１及び第２下側脚平板部を立下げ、第１及び第２上側脚平板部を立下げて、第１及び第２押えシート部にて挟持した物品を支持する。
これにより、物品（商品）を梱包した梱包用緩衝材を、立下げた第１及び第２下側脚平板部と、立下げた第１及び第２上側脚平板部から梱包箱に収納することで、物品の重量により、物品が梱包箱の底に接触することなく、緩衝機能に優れたものになる。
【００１５】
本発明に係る請求項２では、積載補強平板において、各積載補強平板部は、第１及び第２下側脚平板部の立下げに伴って、積載窓穴の積載窓穴縁を折曲直線として、積載平板部の裏面から突出するように折曲げられる。これにより、各積載補強平板部によって第１押えシート部上に積載された物品を保持できる。
【００１６】
本発明に係る請求項３では、押え補強平板において、各押え補強平板部は、第１及び第２上側脚平板部の立下げに伴って、押え窓穴の押え窓穴縁を折曲直線として、押え平板部の表面から突出するように折曲げされる。
これにより、各積載補強平板部及び各押え補強平板部によって物品を挟持して保持できる。
【００１７】
本発明に係る請求項４では、第１に、展開した梱包用緩衝材において、物品（商品／製品）を第押え１シート部上（第１押えシート部の表面上）、及び各積載保持平板部上に積載する。物品は、積載保持平板部上の第１押えシート部の表面に積載する。第２に、第１押えシート部上及び各積載保持平板部上に物品を積載した状態において、上平板を基準折曲直線に沿って下平板の表面に折返す。上平板は、上平板の表面を下平板の表面に向けて、基準折曲直線に沿って下平板の表面に折返される。このとき、押え平板部は、押え平板部の表面を積載平板部の表面に向けて、積載平板部の表面に重ねて配置され、第１上側脚平板部は、第１上側脚平板部の表面を第２下側脚平板部の表面に向けて、第１下側脚平板部の表面に重ねて配置される。第２上側脚平板部は、第２上側脚平板部の表面を第１下側脚平板部の表面に向けて、第１下側脚平板部の表面に重ねて配置され、各上側立上げ平板部は、各上側立上げ平板部の表面を各下側立上げ平板部の表面に向けて、各下側脚平板部の表面に重ねて配置される。各第３保形平板部は、各第３保形平板部の表面を各第２保形平板部の表面に向けて、各第２保形平板部の表面に重ねて配置され、各第４保形平板部は、各第４保形平板部の表面を各第１保形平板の表面に向けて、各第１保形平板部の表面に重ねて配置される。押えシートにおいて、第２押えシート部は、第１押えシート部上に積載された物品に当接される。物品は、押え窓穴の内側に位置する第２押えシート部に当接される。これにより、押えシートは、積載窓穴の内側に位置する第１押えシート部、及び押え窓穴の内側に位置する第２押えシート部の間に配置される。第３に、重ねて配置された第１下側脚平板及び第２上側脚平板部は、基準折曲直線に第１間隔を隔てる第１折曲直線、及び基準折曲直線に第６間隔を隔てる第７折曲直線に沿って、積載平板部の裏面側、押え平板部の表面側に折曲げられて、積載平板部の裏面側、押え平板部の表面側に立下げられる。重ねて配置された第２下側脚平板部及び第１上側脚平板部は、基礎平板体の板下縁に第１間隔を隔てる第１折曲直線、基礎平板体の板上縁に第６間隔を隔てる第７折曲直線に沿って、積載平板部の裏面側、押え平板部の表面側に折曲げられ、積載平板部の裏面側、押え平板部の裏面側に立下げられる。このとき、押えシートにおいて、第２押えシート部は、第１押えシート部上に積載された物品に押付けられる。これにより、押えシートは、第１押えシート部及び第１押えシート部により物品を挟持して、物品を定着する。各積載保持平板部は、第１押えシート部上に積載された物品を保持する。第４に、重ねて配置された各下側立上げ平板部及び各上側立上げ平板部は、各第４折曲直線及び各第１０折曲直線に沿って、積載平板部の表面側、押え平板部の裏面側に折曲げされ、積載平板部の表面側、押えシート部の裏面側に立上げられる。このとき、各上側立上げ平板部は、立上げられた各下側平板部の間に配置され、各下側立上げ平板部の表面に当接して、重ねて配置される。第５に、重ねて配置された第１保形平板部及び各第４保形平板部は、各第２折曲直線、各第５折曲直線、各第９折曲直線、各第１３折曲直線及び各第１４折曲直線に沿って、立上げられた各下側立上げ平板部の裏面側に折返され、各上側立上げ平板部の表面に折返され、積載平板部の裏面側に立上げられ、押え平板部の裏面側に立上げられる。このとき、各第４保形平板部は、立上げられた各上側平板部との間に、立上げられた各下側立上げ平板部と、立上げ及び折返えされた各第１保形平板部を配置して、各下側立上げ平板及び各第１保形平板部に重ねて配置される。第７に、重ねて配置された各第２保形平板部及び各第３保形平板部は、各第３折曲直線、各第６折曲直線、各第８折曲直線、各第１１折曲直線及び各第１２折曲直線に沿って、立上げられた各下側立上げ平板部の裏面側に折返され、各上側立上げ平板部の表面に折返され、積載平板部の裏面側に立上げられ、押え平板部の裏面側に立上げられる。このとき、各第３保形平板部は、立上げられた各上側平板部との間に、立上げられた各下側立上げ平板部と、立上げ及び折返えされた各第２保形平板部を配置して、各下側立上げ平板及び各第１保形平板部に重ねて配置される。
このようにして、請求項１の梱包用緩衝材では、物品（商品／製品）を梱包する際に、物品を第１押えシート部に積載して、上平板を下平板の表面に折返し、各下側脚平板部及び各」上側脚平板部を立下げ、各下側立上げ平板部及び各上側立上げ平板部を立上げ、及び各第１乃至各第４保形平板部を折返して立上げることで、第１及び第２押えシート部にて物品を挟持して、物品を第１及び第２押えシート部で定着できる。各積載保持平板部は、第２押えシート部とで物品を挟持して、物品を保持する。
これにより、物品を梱包する際に、上平板及び下平板の第１乃至第１３折曲直線に沿って折曲げることで、物品を梱包でき、物品の梱包作業が簡単、容易となる。
本発明に係る請求項４によれば、第１及び第２下側脚平板部を立下げ、第１及び第２上側脚平板部を立下げて、第１及び第２押えシート部にて挟持した物品を支持する。
これにより、物品（商品）を梱包した梱包用緩衝材を、立下げた第１及び第２下側脚平板部と、立下げた第１及び第２上側脚平板部から梱包箱に収納することで、物品の重量により、物品が梱包箱の底に接触することなく、緩衝機能に優れたものになる。
【００１８】
本発明に係る請求項５では、第１に、展開した梱包用緩衝材において、物品（商品／製品）を積載窓穴の内側の第１シート部上（第１押えシート部の表面）に積載する。物品は、積載窓穴の内側に位置する第１押えシート部の表面に積載される。第２に、第１押えシート部上に物品を積載した状態において、上平板を下平板の表面に積載（積層）する。上平板は、上平板の表面を下平板の表面に向けて、下平板の表面に積載する。このとき、押え平板部は、押え平板部の表面を積載平板部の表面に向けて、積載平板部の表面に重ねて配置され、第１上側脚平板部は、第１上側脚平板部の表面を第２下側脚平板部の表面に向けて、第１下側脚平板部の表面に重ねて配置される。第２上側脚平板部は、第２上側脚平板部の表面を第１下側脚平板部の表面に向けて、第１下側脚平板部の表面に重ねて配置され、各上側立上げ平板部は、各上側立上げ平板部の表面を各下側立上げ平板部の表面に向けて、各下側脚平板部の表面に重ねて配置される。各第３保形平板部は、各第３保形平板部の表面を各第２保形平板部の表面に向けて、各第２保形平板部の表面に重ねて配置され、各第４保形平板部は、各第４保形平板部の表面を各第１保形平板の表面に向けて、各第１保形平板部の表面に重ねて配置される。押えシートにおいて、第２押えシート部は、第１押えシート部上に積載された物品に当接される。物品は、押え窓穴の内側に位置する第２押えシート部に当接される。これにより、押えシートは、積載窓穴の内側に位置する第１押えシート部、及び押え窓穴の内側に位置する第２押えシート部の間に配置される。第３に、重ねて配置された第１下側脚平板及び第２上側脚平板部は、基準折曲直線に第１間隔を隔てる第１折曲直線、及び基準折曲直線に第６間隔を隔てる第７折曲直線に沿って、積載平板部の裏面側、押え平板部の表面側に折曲げられて、積載平板部の裏面側、押え平板部の表面側に立下げられる。重ねて配置された第２下側脚平板部及び第１上側脚平板部は、基礎平板体の板下縁に第１間隔を隔てる第１折曲直線、基礎平板体の板上縁に第６間隔を隔てる第７折曲直線に沿って、積載平板部の裏面側、押え平板部の表面側に折曲げられ、積載平板部の裏面側、押え平板部の裏面側に立下げられる。このとき、押えシートにおいて、第２押えシート部は、第１押えシート部上に積載された物品に押付けられる。これにより、押えシートは、第１押えシート部及び第１押えシート部により物品を挟持して、物品を定着する。第４に、重ねて配置された各下側立上げ平板部及び各上側立上げ平板部は、各第４折曲直線及び各第１０折曲直線に沿って、積載平板部の表面側、押え平板部の裏面側に折曲げされ、積載平板部の表面側、押えシート部の裏面側に立上げられる。このとき、各上側立上げ平板部は、立上げられた各下側平板部の間に配置され、各下側立上げ平板部の表面に当接して、重ねて配置される。第５に、重ねて配置された第１保形平板部及び各第４保形平板部は、各第２折曲直線、各第５折曲直線、各第９折曲直線、各第１３折曲直線及び各第１４折曲直線に沿って、立上げられた各下側立上げ平板部の裏面側に折返され、各上側立上げ平板部の表面に折返され、積載平板部の裏面側に立上げられ、押え平板部の裏面側に立上げられる。このとき、各第４保形平板部は、立上げられた各上側平板部との間に、立上げられた各下側立上げ平板部と、立上げ及び折返えされた各第１保形平板部を配置して、各下側立上げ平板及び各第１保形平板部に重ねて配置される。第７に、重ねて配置された各第２保形平板部及び各第３保形平板部は、各第３折曲直線、各第６折曲直線、各第８折曲直線、各第１１折曲直線及び各第１２折曲直線に沿って、立上げられた各下側立上げ平板部の裏面側に折返され、各上側立上げ平板部の表面に折返され、積載平板部の裏面側に立上げられ、押え平板部の裏面側に立上げられる。このとき、各第３保形平板部は、立上げられた各上側平板部との間に、立上げられた各下側立上げ平板部と、立上げ及び折返えされた各第２保形平板部を配置して、各下側立上げ平板及び各第１保形平板部に重ねて配置される。
このようにして、請求項１の梱包用緩衝材では、物品（商品／製品）を梱包する際に、物品を第１押えシート部に積載して、上平板を下平板の表面に積載し、各下側脚平板部及び各」上側脚平板部を立下げ、各下側立上げ平板部及び各上側立上げ平板部を立上げ、及び各第１乃至各第４保形平板部を折返して立上げることで、第１及び第２押えシート部にて物品を挟持して、物品を第１及び第２押えシート部で定着できる。
これにより、物品を梱包する際に、上平板及び下平板の第１乃至第１３折曲直線に沿って折曲げることで、物品を梱包でき、物品の梱包作業が簡単、容易となる。
本発明に係る請求項５によれば、第１及び第２下側脚平板部を立下げ、第１及び第２上側脚平板部を立下げて、第１及び第２押えシート部にて挟持した物品を支持する。
これにより、物品（商品）を梱包した梱包用緩衝材を、立下げた第１及び第２下側脚平板部と、立下げた第１及び第２上側脚平板部から梱包箱に収納することで、物品の重量により、物品が梱包箱の底に接触することなく、緩衝機能に優れたものになる。
【００１９】
本発明に係る請求項６では、積載補強平板において、各積載補強平板部は、第１及び第２下側脚平板部の立下げに伴って、積載窓穴の積載窓穴縁を折曲直線として、積載平板部の裏面から突出するように折曲げられる。これにより、各積載補強平板部によって第１押えシート部上に積載された物品を保持できる。
【００２０】
本発明に係る請求項７では、押え補強平板において、各押え補強平板部は、第１及び第２上側脚平板部の立下げに伴って、押え窓穴の押え窓穴縁を折曲直線として、押え平板部の表面から突出するように折曲げされる。
これにより、各積載補強平板部及び各押え補強平板部によって物品を挟持して保持できる。
【００２１】
本発明に係る請求項８では、第１に、展開した梱包用緩衝材において、物品（商品／製品）を第１押えシート部上（第１押えシート部の表面上）、及び各積載保持平板部上に積載する。物品は、各積載保持平板部上の第１押えシート部の表面に積載する。第２に、第１押えシート部上及び各積載保持平板部上に物品を積載した状態において、上平板を下平板の表面に積載（積層）する。上平板は、上平板の表面を下平板の表面に向けて、基準折曲直線に沿って下平板の表面に積載される。このとき、押え平板部は、押え平板部の表面を積載平板部の表面に向けて、積載平板部の表面に重ねて配置され、第１上側脚平板部は、第１上側脚平板部の表面を第２下側脚平板部の表面に向けて、第１下側脚平板部の表面に重ねて配置される。第２上側脚平板部は、第２上側脚平板部の表面を第１下側脚平板部の表面に向けて、第１下側脚平板部の表面に重ねて配置され、各上側立上げ平板部は、各上側立上げ平板部の表面を各下側立上げ平板部の表面に向けて、各下側脚平板部の表面に重ねて配置される。各第３保形平板部は、各第３保形平板部の表面を各第２保形平板部の表面に向けて、各第２保形平板部の表面に重ねて配置され、各第４保形平板部は、各第４保形平板部の表面を各第１保形平板の表面に向けて、各第１保形平板部の表面に重ねて配置される。押えシートにおいて、第２押えシート部は、第１押えシート部上に積載された物品に当接される。物品は、押え窓穴の内側に位置する第２押えシート部に当接される。これにより、押えシートは、積載窓穴の内側に位置する第１押えシート部、及び押え窓穴の内側に位置する第２押えシート部の間に配置される。第３に、重ねて配置された第１下側脚平板及び第２上側脚平板部は、基準折曲直線に第１間隔を隔てる第１折曲直線、及び基準折曲直線に第６間隔を隔てる第７折曲直線に沿って、積載平板部の裏面側、押え平板部の表面側に折曲げられて、積載平板部の裏面側、押え平板部の表面側に立下げられる。重ねて配置された第２下側脚平板部及び第１上側脚平板部は、基礎平板体の板下縁に第１間隔を隔てる第１折曲直線、基礎平板体の板上縁に第６間隔を隔てる第７折曲直線に沿って、積載平板部の裏面側、押え平板部の表面側に折曲げられ、積載平板部の裏面側、押え平板部の裏面側に立下げられる。このとき、押えシートにおいて、第２押えシート部は、第１押えシート部上に積載された物品に押付けられる。これにより、押えシートは、第１押えシート部及び第１押えシート部により物品を挟持して、物品を定着する。各積載保持平板部は、第１押えシート部上に積載された物品を保持する。第４に、重ねて配置された各下側立上げ平板部及び各上側立上げ平板部は、各第４折曲直線及び各第１０折曲直線に沿って、積載平板部の表面側、押え平板部の裏面側に折曲げされ、積載平板部の表面側、押えシート部の裏面側に立上げられる。このとき、各上側立上げ平板部は、立上げられた各下側平板部の間に配置され、各下側立上げ平板部の表面に当接して、重ねて配置される。第５に、重ねて配置された第１保形平板部及び各第４保形平板部は、各第２折曲直線、各第５折曲直線、各第９折曲直線、各第１３折曲直線及び各第１４折曲直線に沿って、立上げられた各下側立上げ平板部の裏面側に折返され、各上側立上げ平板部の表面に折返され、積載平板部の裏面側に立上げられ、押え平板部の裏面側に立上げられる。このとき、各第４保形平板部は、立上げられた各上側平板部との間に、立上げられた各下側立上げ平板部と、立上げ及び折返えされた各第１保形平板部を配置して、各下側立上げ平板及び各第１保形平板部に重ねて配置される。第７に、重ねて配置された各第２保形平板部及び各第３保形平板部は、各第３折曲直線、各第６折曲直線、各第８折曲直線、各第１１折曲直線及び各第１２折曲直線に沿って、立上げられた各下側立上げ平板部の裏面側に折返され、各上側立上げ平板部の表面に折返され、積載平板部の裏面側に立上げられ、押え平板部の裏面側に立上げられる。このとき、各第３保形平板部は、立上げられた各上側平板部との間に、立上げられた各下側立上げ平板部と、立上げ及び折返えされた各第２保形平板部を配置して、各下側立上げ平板及び各第１保形平板部に重ねて配置される。
このようにして、請求項１の梱包用緩衝材では、物品（商品／製品）を梱包する際に、物品を第１押えシート部に積載して、上平板を下平板の表面に折返し、各下側脚平板部及び各」上側脚平板部を立下げ、各下側立上げ平板部及び各上側立上げ平板部を立上げ、及び各第１乃至各第４保形平板部を折返して立上げることで、第１及び第２押えシート部にて物品を挟持して、物品を第１及び第２押えシート部で定着できる。各積載保持平板部は、第２押えシート部とで物品を挟持して、物品を保持する。
これにより、物品を梱包する際に、上平板及び下平板の第１乃至第１３折曲直線に沿って折曲げることで、物品を梱包でき、物品の梱包作業が簡単、容易となる。
本発明に係る請求項８によれば、第１及び第２下側脚平板部を立下げ、第１及び第２上側脚平板部を立下げて、第１及び第２押えシート部にて挟持した物品を支持する。
これにより、物品（商品）を梱包した梱包用緩衝材を、立下げた第１及び第２下側脚平板部と、立下げた第１及び第２上側脚平板部から梱包箱に収納することで、物品の重量により、物品が梱包箱の底に接触することなく、緩衝機能に優れたものになる。
【図面の簡単な説明】
【００２２】
【図１】第１実施形態の梱包用緩衝材を示す表平面図（展開表平面図）である。
【図２】第１実施形態の梱包用緩衝材を示す裏平面図（展開裏平面図）である。
【図３】第１実施形態の梱包用緩衝材を示す平面斜視図（展開表斜視図）である。
【図４】図２のＡ−Ａ断面図である。
【図５】図２のＢ−Ｂ断面図である。
【図６】図２のＣ−Ｃ断面図である。
【図７】図１において、梱包用緩衝材を構成する下平板の上側半分を示す表平面図である。
【図８】図１において、梱包用緩衝材を構成する下平板の下側半分を示す表平面図である。
【図９】図７の要部拡大図であって、右側の第４折曲直線、及び右側の第５折曲直線の関係を示す表平面図である。
【図１０】図７の要部拡大図であって、左側の第４折曲直線、及び左側の第５折曲直線の関係を示す表平面図である。
【図１１】図８の要部拡大図であって、右側の第４折曲直線、及び右側の第６折曲直線の関係を示す表平面図である。
【図１２】図８の要部拡大図であって、左側の第４折曲直線、及び左側の第６折曲直線の関係を示す表平面図である。
【図１３】下平板の板上縁、板下縁、右側の板下側縁及び左側の板下側縁を示す表平面図である。
【図１４】図１３の要部拡大図であって、右側の第１板下側縁部、右側の第３板下側縁部、右側の第５板下側縁部及び右側の第７板下側縁部を示す表平面図である。
【図１５】図１３の要部拡大図であって、左側の第１板下側縁部、左側の第３板上側縁部、左側の第５板下側縁部及び左側の第７板下側縁部を示す表平面図である。
【図１６】図１３の要部拡大図であって、右側の第２板下側縁部、右側の第４板下側縁部、右側の第６板下側縁部、及び右側の第７板下側縁部を示す表平面図である。
【図１７】図１３の要部拡大図であって、左側の第２板下側縁部、左側の第４板下側縁部、左側の第６板下側縁部、及び左側の第７板下側縁部を示す表平面図である。
【図１８】図１において、梱包用緩衝材を構成する上平板の上側半分を示す表平面図である。
【図１９】図１において、梱包用緩衝材を構成する上平板の下側半分を示す表平面図である。
【図２０】図１８の要部拡大図であって、右側の第１０折曲直線、右側の第１１折曲直線、及び右側の第１２折曲直線の関係を示す表平面図である。
【図２１】図１８の要部拡大図であって、左側の第１０折曲直線、左側の第１１折曲直線、及び左側の第１２折曲直線の関係を示す表平面図である。
【図２２】図１９の要部拡大図であって、右側の第１０折曲直線、右側の第１３折曲直線、及び右側の第１４折曲直線の関係を示す表平面図である。
【図２３】図１９の要部拡大図であって、左側の第１０折曲直線、左側の第１３折曲直線、及び左側の第１４折曲直線の関係を示す表平面図である。
【図２４】上平板の上板縁、板下縁、右側の板上側縁及び左側の板上側縁を示す表平面図である。
【図２５】図２４の要部拡大図であって、右側の第１板上側縁部、右側の第３板上側縁部、右側の第５板上側縁部、及び右側の第７板上側縁部を示す表平面図である。
【図２６】図２４の要部拡大図であって、左側の第１板上側縁部、左側の第３板上側縁部、左側の第５板上側縁部、及び左側の第７板上側縁部を示す表平面図である。
【図２７】図２４の要部拡大図であって、右側の第２板上側縁部、右側の第４板上側縁部、右側の第６板上側縁部、及び右側の第７板上側縁部を示す表平面図である。
【図２８】図２４の要部拡大図であって、左側の第２板上側縁部、左側の第４板上側縁部、左側の第６板上側縁部、及び左側の第７板上側縁部を示す表平面図である。
【図２９】第１実施形態の梱包用緩衝材における組立て梱包方法を説明する図であって、展開状態の梱包用緩衝材（第１押えシート部）に物品（商品）を積載した表平面斜視図である。
【図３０】第１実施形態の梱包用緩衝材における組立て梱包方法を説明する図であって、上平板を基準折曲直線に沿って、下平板の表面に折返した平面斜視図である。
【図３１】第１実施形態の梱包用緩衝材における組立て梱包方法を説明する図であって、第１及び第２下側脚平板部を各第１折曲直線に沿って積載平板部の裏面側に折曲げ、及び第１及び第２上側脚平板部を各第７折曲直線に沿って押え平板部の表面側に折曲げた斜視図である。
【図３２】第１実施形態の梱包用緩衝材における組立て梱包方法を説明する図であって、第１及び第２下側脚平板部を各第１折曲直線に沿って積載平板部の裏面側に折曲げ、及び第１及び第２上側脚平板部を各第７折曲直線に沿って押え平板部の表面側に折曲げた平面図である。
【図３３】図３２のＤ−Ｄ断面図である。
【図３４】図３２のＥ−Ｅ断面図である。
【図３５】第１実施形態の梱包用緩衝材における組立て梱包方法を説明する図であって、第１及び第２下側脚平板を立下げ、第１及び第２上側脚平板部を立下げ、各下側立上げ平板部及び各上側立上げ平板部を立上げ、各第１〜第４保形平板を折返して立上げた斜視図である。
【図３６】第１実施形態の梱包用緩衝材における組立て梱包方法を説明する図であって、第１及び第２下側脚平板を立下げ、第１及び第２上側脚平板部を立下げ、各下側立上げ平板部及び各上側立上げ平板部を立上げ、各第１〜第４保形平板を折返して立上げた平面図である。
【図３７】図３６のＦ−Ｆ断面図である。
【図３８】第１実施形態の梱包用緩衝材において、組立て梱包した梱包用緩衝材、及び梱包箱を示す斜視図である。
【図３９】第１実施形態の梱包用緩衝材において、組立て梱包した梱包用緩衝材を梱包箱の内部に収納した平面図である。
【図４０】図３９のＧ−Ｇ断面図である。
【図４１】図３６のＦ−Ｆ拡大断面図である。
【図４２】第２実施形態の梱包用緩衝材を示す表平面図（展開表平面図）である。
【図４３】第２実施形態の梱包用緩衝材を示す裏平面図（展開裏平面図）である。
【図４４】第２実施形態の梱包用緩衝材を示す平面斜視図（展開表斜視図）である。
【図４５】図４３のＨ−Ｈ断面図である。
【図４６】図４３のＩ−Ｉ断面図である。
【図４７】図４３のＪ−Ｊ断面図である。
【図４８】第２実施形態の梱包用緩衝材における組立て梱包方法を説明する図であって、展開状態の梱包用緩衝材（第１押えシート部及び積載補強平板）に物品（商品）を積載した表平面斜視図である。
【図４９】第２実施形態の梱包用緩衝材における組立て梱包方法を説明する図であって、上平板を基準折曲直線に沿って、下平板の表面に折返した平面斜視図である。
【図５０】第２実施形態の梱包用緩衝材における組立て梱包方法を説明する図であって、第１及び第２下側脚平板部を各第１折曲直線に沿って積載平板部の裏面側に折曲げ、及び第１及び第２上側脚平板部を各第７折曲直線に沿って押え平板部の表面側に折曲げた斜視図である。
【図５１】第２実施形態の梱包用緩衝材における組立て梱包方法を説明する図であって、第１及び第２下側脚平板部を各第１折曲直線に沿って積載平板部の裏面側に折曲げ、及び第１及び第２上側脚平板部を各第７折曲直線に沿って押え平板部の表面側に折曲げた平面図である。
【図５２】図５１のＫ−Ｋ断面図である。
【図５３】図５１のＬ−Ｌ断面図である。
【図５４】第２実施形態の梱包用緩衝材における組立て梱包方法を説明する図であって、第１及び第２下側脚平板を立下げ、第１及び第２上側脚平板部を立下げ、各下側立上げ平板部及び各上側立上げ平板部を立上げ、各第１〜第４保形平板を折返して立上げた斜視図である。
【図５５】第２実施形態の梱包用緩衝材における組立て梱包方法を説明する図であって、第１及び第２下側脚平板を立下げ、第１及び第２上側脚平板部を立下げ、各下側立上げ平板部及び各上側立上げ平板部を立上げ、各第１〜第４保形平板を折返して立上げた平面図である。
【図５６】図５５のＭ−Ｍ断面図である。
【図５７】第２実施形態の梱包用緩衝材において、組立て梱包した梱包用緩衝材、及び梱包箱を示す斜視図である。
【図５８】第２実施形態の梱包用緩衝材において、組立て梱包した梱包用緩衝材を梱包箱の内部に収納した平面図である。
【図５９】図５８のＮ−Ｎ断面図である。
【図６０】第３実施形態の梱包用緩衝材を示す表平面図（展開表平面図）である。
【図６１】第３実施形態の梱包用緩衝材を示す裏平面図（展開裏平面図）である。
【図６２】第３実施形態の梱包用緩衝材を示す平面斜視図（展開表斜視図）である。
【図６３】図６１のＯ−Ｏ断面図である。
【図６４】図６１のＰ−Ｐ断面図である。
【図６５】図６１のＱ−Ｑ断面図である。
【図６６】第２実施形態の梱包用緩衝材における組立て梱包方法を説明する図であって、展開状態の梱包用緩衝材（第１押えシート部及び積載保持平板部）に物品（商品）を積載した表平面斜視図である。
【図６７】第３実施形態の梱包用緩衝材における組立て梱包方法を説明する図であって、上平板を基準折曲直線に沿って、下平板の表面に折返した平面斜視図である。
【図６８】第３実施形態の梱包用緩衝材における組立て梱包方法を説明する図であって、第１及び第２下側脚平板部を各第１折曲直線に沿って積載平板部の裏面側に折曲げ、及び第１及び第２上側脚平板部を各第７折曲直線に沿って押え平板部の表面側に折曲げた斜視図である。
【図６９】第３実施形態の梱包用緩衝材における組立て梱包方法を説明する図であって、第１及び第２下側脚平板部を各第１折曲直線に沿って積載平板部の裏面側に折曲げ、及び第１及び第２上側脚平板部を各第７折曲直線に沿って押え平板部の表面側に折曲げた平面図である。
【図７０】図６９のＲ−Ｒ断面図である。
【図７１】図６９のＳ−Ｓ断面図である。
【図７２】第３実施形態の梱包用緩衝材における組立て梱包方法を説明する図であって、第１及び第２下側脚平板を立下げ、第１及び第２上側脚平板部を立下げ、各下側立上げ平板部及び各上側立上げ平板部を立上げ、各第１〜第４保形平板を折返して立上げた斜視図である。
【図７３】第３実施形態の梱包用緩衝材における組立て梱包方法を説明する図であって、第１及び第２下側脚平板を立下げ、第１及び第２上側脚平板部を立下げ、各下側立上げ平板部及び各上側立上げ平板部を立上げ、各第１〜第４保形平板を折返して立上げた平面図である
【図７４】図７３のＴ−Ｔ断面図である。
【図７５】第３実施形態の梱包用緩衝材において、組立て梱包した梱包用緩衝材、及び梱包箱を示す斜視図である。
【図７６】第３実施形態の梱包用緩衝材において、組立て梱包した梱包用緩衝材を梱包箱の内部に収納した平面図である。
【図７７】図７３のＴ−Ｔ断面図である。
【図７８】第４実施形態の梱包用緩衝材を示す表平面図（展開表平面図）である。
【図７９】第４実施形態の梱包用緩衝材を示す裏平面図（展開裏平面図）である。
【図８０】第４実施形態の梱包用緩衝材を示す平面斜視図（展開表斜視図）である。
【図８１】図７９のａ−ａ断面図である。
【図８２】図７９のｂ−ｂ断面図である。
【図８３】図７９のｃ−ｃ断面図である。
【図８４】図７９のｄ−ｄ断面図である。
【図８５】第４実施形態の梱包用緩衝材における組立て梱包方法を説明する図であって、展開状態の梱包用緩衝材（第１押えシート部）に物品（商品）を積載した表平面斜視図である。
【図８６】第４実施形態の梱包用緩衝材における組立て梱包方法を説明する図であって、上平板を下平板の表面に積載（積層）した平面斜視図である。
【図８７】第４実施形態の梱包用緩衝材における組立て梱包方法を説明する図であって、第１及び第２下側脚平板部を各第１折曲直線に沿って積載平板部の裏面側に折曲げ、及び第１及び第２上側脚平板部を各第７折曲直線に沿って押え平板部の表面側に折曲げた斜視図である。
【図８８】第４実施形態の梱包用緩衝材における組立て梱包方法を説明する図であって、第１及び第２下側脚平板部を各第１折曲直線に沿って積載平板部の裏面側に折曲げ、及び第１及び第２上側脚平板部を各第７折曲直線に沿って押え平板部の表面側に折曲げた平面図である。
【図８９】図８８のｅ−ｅ断面図である。
【図９０】図８８のf−f断面図である。
【図９１】第４実施形態の梱包用緩衝材における組立て梱包方法を説明する図であって、第１及び第２下側脚平板を立下げ、第１及び第２上側脚平板部を立下げ、各下側立上げ平板部及び各上側立上げ平板部を立上げ、各第１〜第４保形平板を折返して立上げた斜視図である。
【図９２】第４実施形態の梱包用緩衝材における組立て梱包方法を説明する図であって、第１及び第２下側脚平板を立下げ、第１及び第２上側脚平板部を立下げ、各下側立上げ平板部及び各上側立上げ平板部を立上げ、各第１〜第４保形平板を折返して立上げた平面図である。
【図９３】図９２のｇ−ｇ断面図である。
【図９４】第４実施形態の梱包用緩衝材において、組立て梱包した梱包用緩衝材、及び梱包箱を示す斜視図である。
【図９５】第４実施形態の梱包用緩衝材において、組立て梱包した梱包用緩衝材を梱包箱の内部に収納した平面図である。
【図９６】図９５のｈ−ｈ断面図である。
【図９７】第５実施形態の梱包用緩衝材を示す表平面図（展開表平面図）である。
【図９８】第５実施形態の梱包用緩衝材を示す裏平面図（展開裏平面図）である。
【図９９】第５実施形態の梱包用緩衝材を示す平面斜視図（展開表斜視図）である。
【図１００】図９８のｉ−ｉ断面図である。
【図１０１】図９８のｊ−ｊ断面図である。
【図１０２】図９８のｋ−ｋ断面図である。
【図１０３】図９８のｌ−ｌ断面図である。
【図１０４】第５実施形態の梱包用緩衝材における組立て梱包方法を説明する図であって、展開状態の梱包用緩衝材（第１押えシート部及び積載補強平板）に物品（商品）を積載した表平面斜視図である。
【図１０５】第５実施形態の梱包用緩衝材における組立て梱包方法を説明する図であって、上平板を下平板の表面に積載（積層）した平面斜視図である。
【図１０６】第５実施形態の梱包用緩衝材における組立て梱包方法を説明する図であって、第１及び第２下側脚平板部を各第１折曲直線に沿って積載平板部の裏面側に折曲げ、及び第１及び第２上側脚平板部を各第７折曲直線に沿って押え平板部の表面側に折曲げた斜視図である。
【図１０７】第５実施形態の梱包用緩衝材における組立て梱包方法を説明する図であって、第１及び第２下側脚平板部を各第１折曲直線に沿って積載平板部の裏面側に折曲げ、及び第１及び第２上側脚平板部を各第７折曲直線に沿って押え平板部の表面側に折曲げた平面図である。
【図１０８】図１０７のｍ−ｍ断面図である。
【図１０９】図１０７のｎ−ｎ断面図である。
【図１１０】第５実施形態の梱包用緩衝材における組立て梱包方法を説明する図であって、第１及び第２下側脚平板を立下げ、第１及び第２上側脚平板部を立下げ、各下側立上げ平板部及び各上側立上げ平板部を立上げ、各第１〜第４保形平板を折返して立上げた斜視図である。
【図１１１】第５実施形態の梱包用緩衝材における組立て梱包方法を説明する図であって、第１及び第２下側脚平板を立下げ、第１及び第２上側脚平板部を立下げ、各下側立上げ平板部及び各上側立上げ平板部を立上げ、各第１〜第４保形平板を折返して立上げた平面図である。
【図１１２】図１１１のｏ−ｏ断面図である。
【図１１３】第５実施形態の梱包用緩衝材において、組立て梱包した梱包用緩衝材、及び梱包箱を示す斜視図である。
【図１１４】第５実施形態の梱包用緩衝材において、組立て梱包した梱包用緩衝材を梱包箱の内部に収納した平面図である。
【図１１５】図１１４のｐ−ｐ断面図である。
【図１１６】第６実施形態の梱包用緩衝材を示す表平面図（展開表平面図）である。
【図１１７】第６実施形態の梱包用緩衝材を示す裏平面図（展開裏平面図）である。
【図１１８】第６実施形態の梱包用緩衝材を示す平面斜視図（展開表斜視図）である。
【図１１９】図１１７のｑ−ｑ断面図である。
【図１２０】図１１７のｒ−ｒ断面図である。
【図１２１】図１１７のｓ−ｓ断面図である。
【図１２２】図１１７のｔ−ｔ断面図である。
【図１２３】第６実施形態の梱包用緩衝材における組立て梱包方法を説明する図であって、展開状態の梱包用緩衝材（第１押えシート部及び積載保持平板部）に物品（商品）を積載した表平面斜視図である。
【図１２４】第６実施形態の梱包用緩衝材における組立て梱包方法を説明する図であって、上平板を下平板の表面に積載（積層）した平面斜視図である。
【図１２５】第６実施形態の梱包用緩衝材における組立て梱包方法を説明する図であって、第１及び第２下側脚平板部を各第１折曲直線に沿って積載平板部の裏面側に折曲げ、及び第１及び第２上側脚平板部を各第７折曲直線に沿って押え平板部の表面側に折曲げた斜視図である。
【図１２６】第６実施形態の梱包用緩衝材における組立て梱包方法を説明する図であって、第１及び第２下側脚平板部を各第１折曲直線に沿って積載平板部の裏面側に折曲げ、及び第１及び第２上側脚平板部を各第７折曲直線に沿って押え平板部の表面側に折曲げた平面図である。
【図１２７】図１２６のｕ−ｕ断面図である。
【図１２８】図１２６のｖ−ｖ断面図である。
【図１２９】第６実施形態の梱包用緩衝材における組立て梱包方法を説明する図であって、第１及び第２下側脚平板を立下げ、第１及び第２上側脚平板部を立下げ、各下側立上げ平板部及び各上側立上げ平板部を立上げ、各第１〜第４保形平板を折返して立上げた斜視図である。
【図１３０】第６実施形態の梱包用緩衝材における組立て梱包方法を説明する図であって、第１及び第２下側脚平板を立下げ、第１及び第２上側脚平板部を立下げ、各下側立上げ平板部及び各上側立上げ平板部を立上げ、各第１〜第４保形平板を折返して立上げた平面図である。
【図１３１】図１３０のｗ−ｗ断面図である。
【図１３２】第６実施形態の梱包用緩衝材において、組立て梱包した梱包用緩衝材、及び梱包箱を示す斜視図である。
【図１３３】第６実施形態の梱包用緩衝材において、組立て梱包した梱包用緩衝材を梱包箱の内部に収納した平面図である。
【図１３４】図１３３のｘ−ｘ断面図である。
【発明を実施するための形態】
【００２３】
本発明に係る第１乃至第６実施形態の梱包用緩衝材について、図１乃至図１３４を参照して説明する。
【００２４】
＜第１実施形態＞
第１実施形態の梱包用緩衝材Ｘ１について、図１乃至図４１を参照して説明する。
なお、説明の便宜上、先ず、組立前の展開した第１実施形態の梱包用緩衝材Ｘ１について説明し、次に、第１実施形態１の梱包用緩衝材Ｘ１を組立てて物品（商品）を梱包する要領（組立て梱包方法）について説明する。
【００２５】
図１乃至図４０において、第１実施形態の梱包用緩衝材Ｘ１（以下、「梱包用緩衝材Ｘ１」という）は、基礎平板体１、及び押えシート２（押えフィルム）を備える。
【００２６】
＜基礎平板体１＞
基礎平板体１は、折曲自在な紙、合成樹脂等のシート素材（シート材）、例えば、段ボール（紙製段ボールシート）、プラスチック段ボール等から形成される。基礎平板体１は、図４に示すように、所定の板厚Ｔを有する。
基礎平板体１は、図１及び図２に示すように、板上縁１Ａ、板下縁１Ｂ、及び左右一対の板側縁１Ｃ，１Ｄ（右側の板側縁１Ｃ、左側の板側縁１Ｄ）を有する。
【００２７】
基礎平板体１の板上縁１Ａ及び板下縁１Ｂは、図１及び図２に示すように、上下方向ＵＤにおいて、相互に板縁間隔ＰＷ（距離）を隔てて平行配置される。
基礎平板体１の各板側縁１Ｃ，１Ｄは、図２に示すように、左右方向ＬＲに板縁間隔ＰＶ（距離）を隔てて配置される。各板側縁１Ｃ，１Ｄは、上下方向ＵＤにおいて、板上縁１Ａ及び板下縁１Ｂの間に延在される。各板側縁１Ｃ，１Ｄは、板上縁１Ａ及び板下縁１Ｂに交差する。
なお、左右方向ＬＲは、上下方向ＵＤに直交する方向である。
基礎平板体１は、図２に示すように、左右方向ＬＲにおいて、板縁間隔ＰＶの縦板中心線ＣＬ１に対して、左右対称に形成される。
【００２８】
基礎平板体１は、図１乃至図３に示すように、基準折曲直線ＬＸ（基準直線）と、左右一対の基準切込直線ＬＹ，ＬＹとを有する。
【００２９】
基準折曲直線ＬＸは、図１乃至図３に示すように、上下方向ＵＤにおいて、板上縁１Ａ及び板下縁１Ｂの間に位置して配置される。基準折曲直線ＬＸは、上下方向ＵＤにおいて、基礎平板体１の板上縁１Ａに上板間隔ＰＸ（上板距離）を隔てて平行配置される。基準折曲直線ＬＸは、上下方向ＵＤにおいて、基礎平板体１の板下縁１Ｂに下板間隔ＰＹ（下板距離）を隔てて平行配置される。
基準折曲直線ＬＸは、基礎平板体１の板上縁１Ａ及び板下縁１Ｂに平行して、左右方向ＬＲに延在される。基準折曲直線ｌＸは、基礎平板体１の各板側縁１Ｃ，１Ｄに交差する。
【００３０】
各基準切込直線ＬＹ，ＬＹは、図１乃至図３、及び図７に示すように、基準折曲線ＬＸ上に形成される。各基準切込直線ＬＹ，ＬＹは、基礎平板体１の各板側縁１Ｃ，１Ｄから切込長ｌｙを有して左右方向ＬＲに延在される。各基準切込直線ＬＹ，ＬＹは、左右方向ＬＲにおいて、基準折曲直線ＬＸの直線長より短い切込長ｌｙを有する。
各基準切込直線ＬＹ，ＬＹは、左右方向ＬＲにおいて、基礎平板体１の各板側縁１Ｃ，１Ｄに交差して、基礎平板体１の各板側縁１Ｃ，１Ｄに開口する。各基準切込直線ＬＹ，ＬＹは、前後方向ＦＲ（板厚方向）において、基礎平板体１を貫通して基礎平板体１の表面１Ｘ（表平面）及び裏面１Ｙ（裏平面）に開口する。
なお、前後方向ＦＲは、基礎平板体１の板厚方向であって、上下方向ＵＤ及び左右方向ＬＲに直交する方向である。
【００３１】
基礎平板体１において、各板側縁１Ｃ，１Ｄは、図１及び図２に示すように、左右一対の板下側縁３Ｃ，３Ｄ、及び左右一対の板上側縁４Ｃ，４Ｄを有する。各板下側縁３Ｃ，３Ｄは、上下方向ＵＤにおいて、基礎平板体１の板下縁１Ｂ及び基準折曲直線ＬＸ（各基準切込直線ＬＹ，ＬＹ）の間に位置する。各板下側縁３Ｃ，３Ｃは、基礎平板体１の板下縁１Ｂ及び基準折曲直線ＬＸ（各基準切込直線ＬＹ，ＬＹ）に交差する。
各板上側縁４Ｃ，４Ｄは、上下方向ＵＤにおいて、基礎平板体１の板上縁１Ａ及び基準折曲直線ＬＸ（各基準切込直線ＬＹ，ＬＹ）の間に位置する。各板上側縁４Ｃ，４Ｄは、基礎平板体１の板上縁１Ａ及び基準折曲直線ＬＸ（各基準切込直線ＬＹ，ＬＹ）に交差する。
【００３２】
基礎平板体１は、図１乃至図２８に示すように、下平板３と、上平板４とで構成される。基礎平板体１において、基準折曲直線ＬＸ（各基準切込直線ＬＹ，ＬＹ）は、図１乃至図３に示すように、下平板３及び上平板４の境（境界線）となる。
【００３３】
＜下平板３＞
下平板３は、図１乃至図３に示すように、基準折曲直線ＬＸ、基礎平板体１の板下縁１Ｂ、及び各板側縁１Ｃ，１Ｄ（下平板３の各板下側縁３Ｃ，３Ｄ）とで区画される。
下平板３は、図１乃至図３に示すように、基準折曲直線ＬＸ及び各基準切込直線ＬＹ，ＬＹを含む板上縁３Ａと、基礎平板体１の板下縁１Ｂである板下縁３Ｂと、左右一対の板下側縁３Ｃ，３Ｄを有する。
下平板３は、図１乃至図３に示すように、縦板中心線ＣＬ１に対して、左右対称に形成される。下平板３は、図１乃至図３に示すように、上下方向ＵＤにおいて、板縁間隔ＰＹの横板中心線ＣＬ１に対して、上下対称に形成される。
【００３４】
下平板３は、図１乃至図３、及び図７乃至図１２に示すように、上下一対の第１折曲直線Ｌ１，Ｌ１（第１直線）、左右一対の第２折曲直線Ｌ２，Ｌ２（第２直線）、左右一対の第３折曲直線Ｌ３，Ｌ３（第３直線）、左右一対の第４折曲直線Ｌ４，Ｌ４（第４直線）、左右一対の第５折曲直線Ｌ５，Ｌ５（第５直線）、左右一対の第６折曲直線Ｌ６，Ｌ６（第６直線）、左右一対の第１下側折曲穴５，５及び左右一対の第２下側折曲穴６，６を有する。
【００３５】
各第１折曲直線Ｌ１，Ｌ１（上側の第１折曲直線Ｌ１、下側の第１折曲直線Ｌ１）は、図１乃至図３、図７及び図８に示すように、上下方向ＵＢにおいて、基準折曲直線ＬＸ（下平板３の板上縁３Ａ）及び基礎平板体１の板下縁１Ｂ（下平板３の板下縁３Ｂ）の間に配置される。各第１折曲直線Ｌ１，Ｌ１は、上下方向ＵＤにおいて、基礎平板体１の板下縁１Ｂ（下平板３の板下縁３Ｂ）及び基準折曲直線ＬＸ（下平板３の板上縁３Ａ）の夫々に第１間隔Ｐ１（第１距離）を隔てて平行配置される。
上側の第１折曲直線Ｌ１は、図７に示すように、上下方向ＵＤにおいて、基準折曲直線ＬＸ（下平板３の板上縁３Ａ）に第１間隔Ｐ１を隔てて平行配置される。下側の第１折曲直線Ｌ１は、図８に示すように、上下方向ＵＤにおいて、基礎平板体１の板下縁１Ｂ（下平板３の板下縁３Ｂ）に第１間隔Ｐ１を隔てて平行配置される。
各第１折曲直線Ｌ１，Ｌ１は、図７及び図８に示すように、上下方向ＵＤにおいて、相互に第２間隔Ｐ２（第２距離）を隔てて平行配置される。各第１折曲直線Ｌ１，Ｌ１は、基準折曲直線ＬＸ（下平板３の板上縁３Ａ）及び基礎平板体１の板下縁１Ｂ（下平板３の板下縁３Ｂ）に平行して、左右方向ＬＲに延在される。
【００３６】
各第２折曲直線Ｌ２，Ｌ２は、図1乃至図３、図７に示すように、上下方向ＵＤにおいて、基準折曲直線ＬＸ、及び基準折曲直線ＬＸに第１間隔Ｐ１を隔てる第１折曲直線Ｐ１（上側の第１折曲直線Ｌ１）の間に配置される。
各第２折曲直線Ｌ２，Ｌ２は、図７に示すように、左右方向ＬＲにおいて、下平板３の各板下側縁３Ｃ，３Ｄ（各第３板下側縁部３Ｊ，３Ｋ）の夫々に第３間隔Ｐ３（第３距離）を隔てて配置される。各第２折曲直線Ｌ２，Ｌ２は、左右方向ＬＲにおいて、相互に第１５間隔Ｐ１５（第１５距離）を隔てて平行配置される。
各第２折曲直線Ｌ２，Ｌ２は、上下方向ＵＤに延在され、基準折曲直線ＬＸ（下平板３の板上縁３Ａ）、及び基準折曲直線ＬＸに第１間隔Ｐ１を隔てる第１折曲直線Ｌ１（上側の第１折曲直線）に直交する。各第２折曲直線Ｌ２，Ｌ２は、上下方向ＵＤにおいて、各基準切込直線ＬＹ，ＬＹの夫々に直交する。
右側の第２折曲直線Ｌ２は、図７に示すように、左右方向ＬＲにおいて、下平板３の板下側縁３Ｃ（右側の第３板下側縁部３Ｊ）に第３間隔Ｐ３を隔てて配置される。左側の第２折曲直線Ｌ２は、図７に示すように、左右方向ＬＲにおいて、下平板３の板下側縁３Ｄ（左側の第３板下側縁部３Ｋ）に第３間隔Ｐ３を隔てて配置される。
【００３７】
各第３折曲直線Ｌ３，Ｌ３（右側の第３折曲直線Ｌ３、左側の折曲直線Ｌ３）は、図１乃至図３、及び図８に示すように、上下方向ＵＤにおいて、基礎平板体１の板下縁１Ｂ（下平板３の板下縁３Ｂ）、及び板下縁１Ｂに第１間隔Ｐ１を隔てる第１折曲直線Ｌ１（下側の第１折曲直線）の間に配置される。
各第３折曲直線Ｌ３，Ｌ３は、図８に示すように、左右方向ＬＲにおいて、下平板３の各板下側縁３Ｃ，３Ｄ（各第４板下側縁部３Ｌ，３Ｍ）の夫々に第３間隔Ｐ３を隔てて配置される。各第３折曲直線Ｌ３，Ｌ３は、左右方向ＬＲにおいて、相互に第１５間隔Ｐ１５（第１５距離）を隔てて平行配置される。
各第３折曲直線Ｌ３，Ｌ３は、上下方向ＵＤに延在され、基礎平板体１の板下縁１Ｂ（下平板３の板下縁３Ｂ）、及び板下縁１Ｂに第１間隔Ｐ１を隔てる第１折曲直線Ｌ１（下側の第１折曲直線）に直交する。
右側の第３折曲直線Ｌ３は、図８に示すように、左右方向ＬＲにおいて、下平板３の板下側縁３Ｃ（右側の第４板下側縁部３Ｌ）に第３間隔Ｐ３を隔てて配置される。左側の第３折曲直線Ｌ３は、図８に示すように、左右方向ＬＲにおいて、下平板３の板下側縁３Ｄ（左側の第４板下側縁部３Ｍ）に第３間隔Ｐ３を隔てて配置される。
各第３折曲直線Ｌ３，Ｌ３は、左右方向ＬＲにおいて、縦板中心線ＣＬ１から各第２折曲直線Ｌ２，Ｌ２と同一位置に配置される。
【００３８】
各第４折曲直線Ｌ４，Ｌ４（右側の第４折曲直線Ｌ４、左側の第４折曲直線Ｌ４）は、図１乃至図３、図７及び図８に示すように、上下方向ＵＤにおいて、各第１折曲直線Ｌ１，Ｌ１の間に配置される。
各第４折曲直線Ｌ４，Ｌ４は、図７に示すように、左右方向ＬＲにおいて、下平板３の各板下側縁３Ｃ，３Ｄ（各第７板下側縁部３Ｒ，３Ｓ）の夫々に第４間隔Ｐ４（第４距離）を隔てて配置される。各第４折曲直線Ｌ４，Ｌ４は、図７及び図８に示すように、左右方向ＬＲにおいて、下平板３の各板下側縁３Ｃ，３Ｄ（第７板下側縁部３Ｒ，３Ｓ）との間に各第２折曲直線Ｌ２，Ｌ２及び各第３折曲直線Ｌ３，Ｌ３を位置して配置される。
各第４折曲直線Ｌ４，Ｌ４は、図７及び図８に示すように、各第２折曲直線Ｌ２，Ｌ２の夫々、及び各第３折曲直線Ｌ３，Ｌ３の夫々に第５間隔Ｐ５（第５距離）を隔てて平行配置される。各第４折曲直線Ｌ４，Ｌ４は、上下方向ＵＤに延在され、各第１折曲直線Ｌ１，Ｌ１に直交する。
右側の第４折曲直線Ｌ４は、図７及び図８に示すように、左右方向ＬＲにおいて、下平板３の板下側縁３Ｃ（右側の第７板下側縁部３Ｒ）に第４間隔Ｐ４を隔てて配置される。右側の第４折曲直線Ｌ４は、左右方向ＬＲにおいて、下平板３の板下側縁３Ｃ（第７板下側縁部３Ｒ）との間に右側の第２折曲直線Ｌ２及び右側の第３折曲直線Ｌ３を位置して、右側の第２折曲直線Ｌ２に第５間隔Ｐ５を隔てて平行配置され、及び右側の第３折曲直線Ｌ３に第５間隔Ｐ５を隔てて平行配置される。
左側の第４折曲直線Ｌ４は、図７及び図８に示すように、左右方向ＬＲにおいて、下平板３の板下側縁３Ｄ（左側の第７板下側縁部３Ｓ）に第４間隔Ｐ４を隔てて配置される。左側の第４折曲直線Ｌ４は、左右方向ＬＲにおいて、下平板３の板下側縁３Ｄ（第７板下側縁部３Ｓ）との間に左側の第２折曲直線Ｌ２及び左側の第３折曲直線Ｌ３を位置して、左側の第２折曲直線Ｌ２に第５間隔Ｐ５を隔てて平行配置され、及び左側の第３折曲直線Ｌ３の第５間隔Ｐ５を隔てて平行配置される。
各第４折曲直線Ｌ４，Ｌ４は、左右方向ＬＲにおいて、相互に第１６間隔Ｐ１６（第１６距離）を隔てて平行配置される。
【００３９】
各第５折曲直線Ｌ５，Ｌ５（右側の第５折曲直線Ｌ５、左側の第５折曲直線Ｌ５）は、図１乃至図３、図７、図９及び図１０に示すように、左右方向ＬＲにおいて、下平板３の各板下側縁３Ｃ，３Ｄ（各第７板下側縁部３Ｒ，３Ｓ）及び各第４折曲直線Ｌ４，Ｌ４の間に配置される。各第５折曲直線Ｌ５，Ｌ５は、図９及び図１０に示すように、基準折曲直線ＬＸに第１間隔Ｐ１を隔てる第１折曲直線Ｌ１（上側の第１折曲直線）、及び各第４折曲直線Ｌ４，Ｌ４との各第１交点Ｑ１，Ｑ１において、各第１交点Ｑ１，Ｑ１の夫々から延在される。
各第５折曲直線Ｌ５，Ｌ５は、図１乃至図３、図９及び図１０に示すように、各第４折曲直線Ｌ４，Ｌ４の夫々に第１鋭角度θ１（鋭角度）をなして、各第１交点Ｑ１，Ｑ１の夫々から基礎平板体１の板下縁１Ｂ（下平板３の板下縁３Ｂ）及び各板下側縁３Ｃ，３Ｄ（各第７板下側縁部３Ｒ，３Ｓ）の夫々に向けて延在される。各第５折曲直線Ｌ５，Ｌ５は、下平板３の各板下側縁３Ｃ，３Ｄ（各第５板下側縁部３Ｎ，３Ｏ及び各第７板下側縁部３Ｒ，３Ｓ）の夫々に交差する。
右側の第５折曲直線Ｌ５は、図１乃至図３、及び図９に示すように、右側の第４折曲直線Ｌ４に第１鋭角度θ１をなして、右側の第１交点Ｑ１から基礎平板体１の板下縁１Ｂ（下平板３の板下縁３Ｂ）及び下平板３の板下側縁３Ｃ（右側の第７板下側縁部３Ｒ）に向けて延在され、右側の板下側縁３Ｃに交差する。
左側の第５折曲直線Ｌ５は、図１乃至図３、及び図１０に示すように、左側の第４折曲直線Ｌ４に第１鋭角度θ１をなして、左側の第１交点Ｑ１から基礎平板体１の板下縁１Ｂ（下平板３の板下縁３Ｂ）及び下平板３の板下側縁３Ｄ（左側の第７板下側縁部３Ｓ）に向けて延在され、左側の板下側縁３Ｄに交差する。
第１鋭角度θ１は、θ１＝０度（０°）を超えて、θ１＝９０度（９０°）未満であって、例えば、θ１＝６０度（６０°）に設定する。
【００４０】
各第６折曲直線Ｌ６，Ｌ６（右側の第６折曲直線Ｌ６，左側の第６折曲直線Ｌ６）は、図１乃至図３、図８、図１１及び図１２に示すように、左右方向ＬＲにおいて、下平板３の各板下側縁３Ｃ，３Ｄ（各第７板下側縁部３Ｒ，３Ｓ）及び各第４折曲直線Ｌ４，Ｌ４の間に配置される。各第６折曲直線Ｌ６，Ｌ６は、基礎平板体１の板下縁１Ｂ（下平板３の板下縁３Ｂ）に第１間隔Ｐ１を隔てる第１折曲直線Ｌ１、及び各第４折曲直線Ｌ４，Ｌ４との各第２交点Ｑ２，Ｑ２において、各第２交点Ｑ２，Ｑ２の夫々から延在される。
各第６折曲直線Ｌ６，Ｌ６は、図１乃至図３、図１１及び図１２に示すように、各第４折曲直線Ｌ４，Ｌ４の夫々に第１鋭角度θ１をなして、各第２交点Ｑ２，Ｑ２の夫々から基準折曲直線ＬＸ（下平板３の板上縁３Ａ）及び下平板３の各板下側縁３Ｃ，３Ｄ（各第７板下側縁部３Ｒ，３Ｓ）に向けて延在される。各第６折曲直線Ｌ６，Ｌ６は、下平板３の各板下側縁３Ｃ，３Ｄの夫々に交差する。
右側の第６折曲直線Ｌ６は、図１乃至図３、及び図１１に示すように、右側の第４折曲直線Ｌ４に第１鋭角度θ１（鋭角度）をなして、右側の第２交点Ｑ２から基準折曲直線ＬＸ及び下平板３の板下側縁３Ｃ（右側の第７板下側縁部３Ｒ）に向けて延在され、右側の板下側縁３Ｃに交差する。左側の第６折曲直線Ｌ６は、図１乃至図３、及び図１２に示すように、左側の第４折曲直線Ｌ４に第１鋭角度θ１をなして、左側の第２交点Ｑ２から基準折曲直線ＬＸ及び下平板３の板下側縁３Ｄ（左側の第７板下側縁部３Ｓ）に向けて延在され、左側の板下側縁３Ｄに交差する。
【００４１】
各第１下側折曲穴５，５（右側の第１下側折曲穴５、左側の第１下側折曲穴５）は、図１乃至図３、図７、図９及び図１０に示すように、各第２折曲直線Ｌ２，Ｌ２の第１折曲直線Ｌ１側の部分、各第４折曲直線Ｌ４，Ｌ４の各第１交点Ｑ１，Ｑ１側の部分、各第５折曲直線Ｌ５，Ｌ５の各第１交点Ｑ１，Ｑ１側の部分、及び第１交点Ｑ１，Ｑ１にわたって配置され、前後方向ＦＲ（板厚方向）において、下平板３を貫通して下平板３の表面３Ｘ（表平面）及び裏面３Ｙに開口する。
各第１下側折曲穴５，５は、各第２折曲直線Ｌ２，Ｌ２の第１折曲直線Ｌ１側の部分、各第４折曲直線Ｌ４，Ｌ４の第１交点Ｑ１，Ｑ１側の部分、各第５折曲直線Ｌ５，Ｌ５の各第１交点Ｑ１，Ｑ１側の部分及び各第１交点Ｑ１，Ｑ１において、下平板３を前後方向ＦＲ（板厚方向）に貫通する。
これにより、基準折曲直線ＬＸ（下平板３の板上縁３Ａ）に第１間隔Ｐ１を隔てる第１折曲直線Ｌ１、各第２折曲直線Ｌ２，Ｌ２、各第４折曲直線Ｌ４，Ｌ４、各第５折曲直線Ｌ１，Ｌ１は、各第１下側折曲穴５，５に隣接（連続）する。
右側の第１下側折曲穴５は、図７及び図９に示すように、右側の第２折曲直線Ｌ２の第１折曲直線Ｌ１側の部分、右側の第４折曲直線Ｌ４の右側の第１交点Ｑ１側の部分、右側の第５折曲直線Ｌ５の右側の第１交点Ｑ１側の部分及び右側の第１交点Ｑ１において、下平板３を前後方向ＦＲ（板厚方向）に貫通する。
左側の第１下側折曲穴５は、図７及び図１０に示すように、左側の第２折曲直線Ｌ２の第１折曲直線Ｌ１側の部分、左側の第４折曲直線Ｌ４の左側の第１交点Ｑ１側の部分、左側の第５折曲直線Ｌ５の左側の第１交点Ｑ１側の部分及び左側の第１交点Ｑ１において、下平板３を前後方向ＦＲ（板厚方向）に貫通する。
各第１下側折曲穴５，５は、図１乃至図３、図７及び図１０に示すように、例えば、各第１交点Ｑ１，Ｑ１を中心とする扇状穴（円孤穴）であって、左右方向ＬＲにおいて、下平板３の各板下側縁３Ｃ，３Ｄ及び各第４折曲直線Ｌ４，Ｌ４の間に形成されて、上側の第１折曲直線Ｌ１、各第２折曲直線Ｌ２，Ｌ２、各第４折曲直線Ｌ４，Ｌ４及び各第５折曲直線Ｌ５，Ｌ５に隣接（連続）する。
【００４２】
各第２下側折曲穴６，６（右側の第２下側折曲穴６、左側の第２下側折曲穴６）は、図１乃至図３、図８、図１１及び図１２に示すように、各第３折曲直線Ｌ３，Ｌ３の第１折曲直線Ｌ１側の部分、各第４折曲直線Ｌ４，Ｌ４の各第２交点Ｑ２，Ｑ２側の部分、各第６折曲直線Ｌ６，Ｌ６の各第２交点Ｑ２，Ｑ２側の部分、及び各第２交点Ｑ２，Ｑ２にわたって配置され、前後方向ＦＲ（板厚方向）において、下平板３を貫通して下平板３の表面３Ｘ及び裏面３Ｙに開口する。
各第２下側折曲穴６，６は、各第３折曲直線Ｌ３，Ｌ３の第１折曲直線Ｌ１の部分、各第４折曲直線Ｌ２，Ｌ２の各第２交点Ｑ２，Ｑ２側の部分、各第６折曲直線Ｌ６，Ｌ６の各第２交点Ｑ２，Ｑ２側の部分、及び各第２交点Ｑ２，Ｑ２において、下平板３を前後方向ＦＲ（板厚方向）に貫通する。
これにより、基礎平板体１の板下縁１Ｂ（下平板３の板下縁３Ｂ）に第１間隔Ｐ１を隔てる第１折曲直線Ｌ１、各第３折曲直線Ｌ３，Ｌ３、各第４折曲直線Ｌ４，Ｌ４、各第６折曲直線Ｌ６，Ｌ６は、各第２下側折曲穴６，６に隣接（連続）する。
右側の第２下側折曲穴６は、図８及び図１０に示すように、右側の第３折曲直線Ｌ３の第１折曲直線Ｌ１側の部分、右側の第４折曲直線Ｌ４の右側の第２交点Ｑ２側の部分、右側の第６折曲直線Ｌ６の右側の第２交点Ｑ２側の部分及び右側の第２交点Ｑ２にわたって配置され、下平板３を前後方向ＦＲ（板厚方向）に貫通する。
左側の第２下側折曲穴６は、図８及び図１０示すように、左側の第３折曲直線Ｌ３の第１折曲直線Ｌ１側の部分、左側の第４折曲直線Ｌ４の左側の第２交点Ｑ２側の部分、左側の第６折曲直線Ｌ６の左側の第２交点Ｑ２側の部分及び左側の第２交点Ｑ２において、下平板３を前後方向ＦＲ（板厚方向）に貫通する。
各第２下側折曲穴６，６は、図１乃至図３、図７及び図１０に示すように、例えば、各第２交点Ｑ２，Ｑ２を中心とする扇状穴（円孤穴）であって、左右方向ＬＲにおいて、下平板３の各板下側縁３Ｃ，３Ｄ及び各第４折曲直線Ｌ４，Ｌ４の間に形成されて、下側の第１折曲直線Ｌ１、各第３折曲直線Ｌ３，Ｌ３、各第４折曲直線Ｌ４，Ｌ４及び各第６折曲直線Ｌ６，Ｌ６に隣接（連続）する。
【００４３】
下平板３において、基準折曲直線ＬＸである板上縁３Ａは、図１乃至図３、図１３乃至図１５に示すように、上下方向ＵＤにおいて、上側の第１折曲直線Ｌ１に第１間隔Ｐ１（第１距離）を隔てて平行配置される。
下平板３の板上縁３Ａは、図１乃至図３、図１５及び図１６に示すように、左右方向ＬＲに延在されて、各板下側縁３Ｃ，３Ｄに連続する。下平板３の板上縁３Ａは、左右方向ＬＲにおいて、縦板中心線ＣＬ１から両側（右側、左側）に板縁長α１（同一の縁長）を有して、各第２折曲直線Ｌ２，Ｌ２及び下平板３の各板下側縁３Ｃ，３Ｄの間まで延在される。
【００４４】
下平板３において、板下縁３Ｂ（基礎平板体１の板下縁１Ｂ）は、図１乃至図３、図１３、図１６及び図１７に示すように、上下方向ＵＤにおいて、下側の第１折曲直線Ｌ１に第１間隔Ｐ１（第１距離）を隔てて平行配置される。下平板３の板下縁３Ｂは、左右方向ＬＲに延在されて、各板下側縁３Ｃ，３Ｄに連続する。下平板３の板下縁３Ｂは、左右方向ＬＲにおいて、縦板中心線ＣＬ１から両側（右側、左側）に板縁長α１（同一の板縁長）を有して、各第３折曲直線Ｌ３，Ｌ３及び下平板３の各板下側縁３Ｃ，３Ｄの間まで延在される。
【００４５】
下平板３は、図１３乃至図１７に示すように、左右一対の第１板下側縁部３Ｆ，３Ｇ、左右一対の第２板下側縁部３Ｈ，３Ｉ、左右一対の第３板下側縁部３Ｊ，３Ｋ、左右一対の第４板下側縁部３Ｌ，３Ｍ、左右一対の第５板下側縁部３Ｎ，３Ｏ、左右一対の第６板下側縁部３Ｐ，３Ｑ及び左右一対の第７板下側縁部３Ｒ，３Ｓを有する。
【００４６】
下平板３の板下側縁３Ｃ（右側の板下側縁）は、図１３に示すように、右側の第１板下側縁部３Ｆ、右側の第２板下側縁部３Ｈ、右側の第３板下側縁部３Ｊ、右側の第４板下側縁部３Ｌ、右側の第５板下側縁部３Ｎ、右側の第６板下側縁部３Ｐ及び右側の第７板下側縁部３Ｒで構成され、上下方向ＵＤにおいて、下平板３の板上縁３Ａ（基準折曲直線ＬＸ）、及び下平板３の板下縁３Ｂ（基礎平板体１の板下縁１Ｂ）の間に配置される。
板下側縁３Ｃは、左右方向ＬＲにおいて、下平板３の板上縁３Ａの縁右端、及び下平板３の板下縁３Ｂの縁右端に連続する。
【００４７】
下平板３の板下側縁３Ｄ（左側の板下側縁）は、図１３に示すように、左側の第１板下側縁部３Ｇ、左側の第２板下側縁部３Ｉ、左側の第３板下側縁部３Ｋ、左側の第４板下側縁部３Ｍ、左側の第５板下側縁部３Ｏ、左側の第６板下側縁部３Ｑ及び左側の第７板下側縁部３Ｓで構成され、上下方向ＵＤにおいて、下平板３の板上縁３Ａ（基準折曲直線ＬＸ）及び下平板３の板下縁３Ｂ（基礎平板体１の板下縁１Ｂ）の間に配置される。
板下側縁３Ｄは、左右方向ＬＲにおいて、下平板３の板上縁３Ａの縁左端、及び下平板３の板下縁３Ｂの縁左端に連続する。
【００４８】
下平板３において、各板下側縁３Ｃ，３Ｄは、図２及び図１３に示すように、縦板中心線ＣＬ１に対して、左右対称である。
【００４９】
各板下側縁３Ｃ，３Ｄにおいて、各第１板下側縁部３Ｆ，３Ｇ（右側の第１板下側縁部３Ｆ、左側の第１板下側縁部３Ｇ）は、図１３乃至図１５に示すように、左右方向ＬＲにおいて、下平板３の板上縁３Ａの各縁端に連続する。
各第１板下側縁部３Ｆ，３Ｇは、下平板３の板上縁３Ａとの各第３交点Ｑ３，Ｑ３において、各第３交点Ｑ３，Ｑ３の夫々から延在される。各第１板下側縁部３Ｆ，３Ｇは、図１３乃至図１５に示すように、下平板３の板上縁３Ａに第３鋭角度θ３をなして、各第３交点Ｑ３，Ｑ３の夫々から各第４折曲直線Ｌ４，Ｌ４に離間しつつ下平板３の板下縁３Ｂに向けて延在される。
右側の第１板下側縁部３Ｆは、図１３及び図１４に示すように、下平板３の板上縁３Ａ（基準折曲直線ＬＸ）に第３鋭角度θ３をなして、右側の第３交点Ｑ３から各第４折曲直線Ｌ４に離間しつつ下平板３の板下縁３Ｂ（基礎平板体１の板下縁１Ｂ）に向けて延在される。
左側の第１板下側縁部３Ｇは、図１３及び図１５に示すように、下平板３の板上縁３Ａ（基準折曲直線ＬＸ）に第３鋭角度θ３をなして、左側の第３交点Ｑ３から各第４折曲直線Ｌ４に離間しつつ下平板３の板下縁３Ｂ（基礎平板体１の板下縁１Ｂ）に向けて延在される。
第３鋭角度θ３は、θ３＝０度（０°）を超えて、θ３＝９０度（９０°）未満である。第３鋭角度θ３は、例えば、第１鋭角度θ１と同一角度であって、θ３＝６０度（６０°）に設定する［θ１＝θ３＝６０度（６０°）］。
【００５０】
各板下側縁３Ｃ，３Ｄにおいて、各第２板下側縁部３Ｈ，３Ｉ（右側の第２板下側縁部３Ｈ、左側の第２板下側縁部３Ｉ）は、図１３、図１６及び図１７に示すように、左右方向ＬＲにおいて、下平板３の板下縁３Ｂの各縁端に連続する。
各第２板下側縁部３Ｈ，３Ｉは、下平板３の板下縁３Ｂとの各第４交点Ｑ４，Ｑ４において、各第４交点Ｑ４，Ｑ４の夫々から延在される。各第２板下側縁部３Ｈ，３Ｉは、図１３、図１６及び図１７に示すように、下平板３の板下縁３Ｂ（基礎平板体１の板下縁１Ｂ）に第３鋭角度θ３をなして、各第４交点Ｑ４，Ｑ４夫々から各第４折曲直線Ｌ４，Ｌ４に離間しつつ下平板３の板上縁３Ａ（基準折曲直線ＬＸ）に向けて延在される。
右側の第２板下側縁部３Ｈは、図１３及び図１６に示すように、下平板３の板下縁３Ｂ（基礎平板体１の板下縁１Ｂ）に第３鋭角度θ３をなして、右側の第４交点Ｑ４から各第４折曲直線Ｌ４に離間しつつ下平板３の板上縁３Ａ（基準折曲直線ＬＸ）に向けて延在される。
左側の第２板下側縁部３Ｉは、図１３及び図１７に示すように、下平板３の板下縁３Ｂ（基礎平板体１の板下縁１Ｂ）に第３鋭角度θ３をなして、左側の第４交点Ｑ４から各第４折曲直線Ｌ４に離間しつつ下平板３の板上縁３Ａ（基準折曲直線ＬＸ）に向けて延在される。
【００５１】
各板下側縁３Ｃ，３Ｄにおいて、各第３板下側縁部３Ｊ，３Ｋは、図１３乃至図１５に示すように、各第１板下側縁部３Ｆ，３Ｇの各縁端（各縁下端）に連続する。
各第３板下側縁部３Ｊ，３Ｋは、上下方向ＵＤにおいて、各第１板下側縁部３Ｆ，３Ｇから下平板３の板下縁３Ｂ（基礎平板体１の板下縁１Ｂ）に向けて延在される。各第３板下側縁部３Ｊ，３Ｋは、上下方向ＵＤにおいて、各第１板下側縁部３Ｆ，３Ｇから板縁長α２を有して、下平板３の板下縁３Ｂ側（基礎平板体１の板下縁１Ｂ側）に延在される。各第３板下側縁部３Ｊ，３Ｋは、各第４折曲直線Ｌ４，Ｌ４（各第２折曲直線Ｌ２，Ｌ２）に平行配置される。
右側の第３板下側縁部３Ｊは、図１３及び図１４に示すように、上下方向ＵＤにおいて、右側の第１板下側縁部３Ｆから下平板３の板下縁３Ｂ（基礎平板体１の板下縁１Ｂ）に向けて延在される。
左側の第３板下側縁部３Ｋは、図１３及び図１５に示すように、上下方向ＵＤにおいて、左側の第１板下側縁部３Ｇから下平板３の板下縁３Ｂ（基礎平板体１の板下縁１Ｂ）に向けて延在される。
【００５２】
各板下側縁３Ｃ，３Ｄにおいて、各第４板下側縁部３Ｌ，３Ｍは、図１３、図１６及び図１７に示すように、各第２板下側縁部３Ｈ，３Ｉの各縁端（各縁上端）に連続する。
各第４板下側縁部３Ｌ，３Ｍは、上下方向ＵＤにおいて、各第２板下側縁部３Ｈ，３Ｉから下平板３の板上縁３Ａ（基準折曲直線ＬＸ）に向けて延在される。各第４板下側縁部３Ｌ，３Ｍは、上下方向ＵＤにおいて、各第２板下側縁部３Ｈ，３Ｉから板縁長α１を有して、下平板３の板上縁３Ａ側（基準折曲直線ＬＸ側）に延在される。各第４板下側縁部３Ｌ，３Ｍは、各第４折曲直線Ｌ４，Ｌ４（各第３折曲直線Ｌ３，Ｌ３）に平行配置される。各第４板下側縁部３Ｌ，３Ｍは、左右方向ＬＲにおいて、各第３板下側縁部３Ｊ，３Ｋと同一位置に配置される。
右側の第４板下側縁部３Ｌは、図１３及び図１６に示すように、上下方向ＵＤにおいて、右側の第２板下側縁部３Ｈから下平板３の板上縁３Ａ（基準折曲直線ＬＸ）に向けて延在される。
左側の第４板下側縁部３Ｍは、図１３及び図１７に示すように、上下方向ＵＤにおいて、左側の第２板下側縁部３Ｉから下平板３の板上縁３Ａ（基準折曲直線ＬＸ）に向けて延在される。
【００５３】
各板下側縁３Ｃ，３Ｄにおいて、各第５板下側縁部３Ｎ，３Ｏは、図１３乃至図１５に示すように、各第３板下側縁部３Ｊ，３Ｋの各縁端（各縁下端）に連続する。
各第５板下側縁部３Ｎ，３Ｏは、図１３乃至図１５に示すように、各第３板下側縁部３Ｊ，３Ｋとの各第５交点Ｑ５，Ｑ５において、各第５交点Ｑ５，Ｑ５の夫々から延在される。
各第５板下側縁部３Ｎ，３Ｏは、各第５交点Ｑ５，Ｑ５を通り、及び各第１折曲直線Ｌ１，Ｌ１（下平板３の板上縁３Ａ）に平行する第２縁基準直線Ｌαに第４鋭角度θ４（鋭角度）をなして、各第５交点Ｑ５，Ｑ５の夫々から下平板３の板下縁３Ｂ（基礎平板体１の板下縁１Ｂ）及び各第５折曲直線Ｌ５，Ｌ５に向けて延在される。各第５板下側縁部３Ｎ，３Ｏは、図１３乃至図１５に示すように、各第５折曲直線Ｌ５，Ｌ５に交差する。
右側の第５板下側縁部３Ｎは、図１３及び図１４に示すように、第１縁基準直線Ｌαに第４鋭角度θ４をなして、右側の第５交点Ｑ５から下平板３の板下縁３Ｂ（基礎平板体１の板下縁１Ｂ）及び右側の第５折曲直線Ｌ５に向けて延在され、右側の第５折曲直線Ｌ５に交差する。
左側の第５板下側縁部３Ｏは、図１３及び図１５に示すように、第１縁基準直線Ｌαに第４鋭角度θ４をなして、左側の第５交点Ｑ５から下平板３の板下縁３Ｂ（基礎平板体１の板下縁１Ｂ）及び左側の第５折曲直線Ｌ５に向けて延在され、左側の第５折曲直線Ｌ５に交差する。
第４鋭角度θ４は、θ４＝０度（０°）を超えて、θ４＝９０度（９０°）未満であって、例えば、第３鋭角度θ３の半分の角度（θ４＝θ３／２）に設定する。第４鋭角度θ４は、例えば、第３鋭角度θ３＝６０度（６０°）とすると、θ４＝３０度（３０°）に設定する。
【００５４】
各板下側縁３Ｃ，３Ｄにおいて、各第６板下側縁部３Ｐ，３Ｑは、図１３、図１６及び図１７に示すように、各第４板下側縁部３Ｌ，３Ｍの各縁端（各縁上端）に連続する。
各第６板下側縁部３Ｐ，３Ｑは、図１３、図１６及び図１７に示すように、各第４板下側縁部３Ｌ，３Ｍとの各第６交点Ｑ６，Ｑ６において、各第６交点Ｑ６，Ｑ６から延在される。
各第６板下側縁部３Ｐ，３Ｑは、各第６交点Ｑ６，Ｑ６を通り、及び各第１折曲直線Ｌ１，Ｌ１に平行する第２縁基準直線Ｌβに第４鋭角度θ４をなして、各第６交点Ｑ６，Ｑ６から下平板３の板上縁３Ａ（基準折曲直線ＬＸ）及び各第６折曲直線Ｌ６，Ｌ６に向けて延在される。各第６板下側縁部３Ｐ，３Ｑは、各第６折曲直線Ｌ６，Ｌ６に交差する。
右側の第６板下側縁部３Ｐは、図１３及び図１６に示すように、第２縁基準直線Ｌβに第４鋭角度θ４をなして、下平板３の板上縁３Ａ（基準折曲直線ＬＸ）及び右側の第６折曲直線Ｌ６に向けて延在され、右側の第６折曲直線Ｌ６に交差する。
左側の第６板下側縁部３Ｑは、図１３及び図１７に示すように、第２縁基準直線Ｌβに第４鋭角度θ４をなして、下平板３の板上縁３Ａ（基準折曲直線ＬＸ）及び左側の第６折曲直線Ｌ６に向けて延在され、左側の第６折曲直線Ｌ６に交差する。
【００５５】
各板下側縁３Ｃ，３Ｄにおいて、各第７板下側縁部３Ｒ，３Ｓは、図１３乃至図１７に示すように、各第５板下側縁部３Ｎ，３Ｏの各縁端（各縁下端）、及び各第６板下側縁部３Ｐ，３Ｑの各縁端（各縁上端）に連続する。
各第７板下側縁部３Ｒ，３Ｓは、図１３乃至図１７に示すように、各第５板下側縁部３Ｎ，３Ｏ及び各第５折曲直線Ｌ５，Ｌ５の各第７交点Ｑ７，Ｑ７と、各第６板下側縁部３Ｐ，３Ｑ及び各第６折曲直線Ｌ６，Ｌ６の各第８交点Ｑ８，Ｑ８において、各第７交点Ｑ７，Ｑ７及び各第８交点Ｑ８，Ｑ８の間に配置される。
各第７板下側縁部３Ｒ，３Ｓは、図７及び図１３に示すように、左右方向ＬＲにおいて、各第４折曲直線Ｌ４，Ｌ４に第４間隔Ｐ４（第４距離）を隔てて平行配置される。各第７板下側縁部３Ｒ，３Ｓは、各第８交点Ｑ８，Ｑ８において、各第７交点Ｑ７，Ｑ７及び各第８交点Ｑ８，Ｑ８の間に延在される。
各第７板下側縁部３Ｒ，３Ｓは、図１３乃至図１５に示すように、各第７交点Ｑ７，Ｑ７において、各第５板下側縁部３Ｎ，３Ｏ及び各第５折曲直線Ｌ５，Ｌ５に交差する。各第７板下側縁部３Ｒ，３Ｓは、各第８交点Ｑ８，Ｑ８において、各第６板下側縁部３Ｐ，３Ｑ及び各第６折曲直線Ｌ６，Ｌ６に交差する。
各第７板下側縁部３Ｒ，３Ｓは、左右方向ＬＲにおいて、第３板下側縁部３Ｊ，３Ｋ及び各第４折曲直線Ｌ４，Ｌ４の間に配置される。
右側の第７板下側縁部３Ｒは、図１３及び図１４に示すように、右側の第７交点Ｑ７及び右側の第８交点Ｑ８の間に延在され、右側の第７交点Ｑ７において、右側の第５板下側縁部３Ｎ及び右側の第５折曲直線Ｌ５に交差する。右側の第７板下側縁部３Ｒは、図１３及び図１６に示すように、右側の第８交点Ｑ８において、右側の第６板下側縁部３Ｐ及び右側の第６折曲直線Ｌ６に交差する。右側の第７板下側縁部３Ｒは、左右方向ＬＲにおいて、右側の第４折曲直線Ｌ４に第４間隔Ｐ４（第４距離）を隔てて平行配置される。
これにより、右側の第４折曲直線Ｌ４は、左右方向ＬＲにおいて、板下側縁３Ｃ（右側の板上側縁）の第７板下側縁部３Ｒに第４間隔Ｐ４（第４距離）を隔てて平行配置される。
左側の第７板下側縁部３Ｓは、図１３及び図１５に示すように、左側の第７交点Ｑ７及び左側の第８交点Ｑ８の間に延在され、左側の第７交点Ｑ７において、左側の第５板下側縁部３Ｏ及び左側の第５折曲直線Ｌ５に交差する。左側の第７板下側縁部３Ｓは、図１３及び図１７に示すように、左側の第８交点Ｑ８において、左側の第６板下側縁部３Ｑ及び左側の第６折曲直線Ｌ６に交差する。左側の第７板下側縁部３Ｓは、左右方向ＬＲにおいて、左側の第４折曲直線Ｌ４に第４間隔Ｐ４（第４間隔）を隔てて平行配置される。
これにより、左側の第４折曲直線Ｌ４は、左右方向ＬＲにおいて、板下側縁３Ｄ（左側の板下側縁）の第７板下側縁部３Ｓに第４間隔Ｐ４（第４間隔）を隔てて平行配置される。
【００５６】
下平板３は、図１乃至図８に示すように、積載平板部７、積載窓穴８、第１下側脚平板部９、第２下側脚平板部１０、左右一対の下側立上げ平板部１１，１２、左右一対の第１保形平板部１３，１４、左右一対の第２保形平板部１５，１６とで構成される。
【００５７】
下平板３において、積載平板部７は、図1及び図２に示すように、各第１折曲直線Ｌ１，Ｌ１及び各第４折曲直線Ｌ４，Ｌ４とで区画される。積載平板部７は、例えば、左右方向ＬＲに長い長方形（矩形状）に形成される。
【００５８】
積載窓穴８は、図１乃至図５、図７及び図８に示すように、積載平板部７に形成される。積載窓穴８は、前後方向ＦＲ（板厚方向）において、積載平板部７を貫通して積載平板部７の表面７Ｘ（表平面）及び裏面７Ｙ（裏平面）に開口される。
積載窓穴８は、例えば、長方形の窓穴（矩形又は正方形の窓穴）に形成され、積載平板部７の表面７Ｘ及び裏面７Ｙ（基礎平板体１の表面１Ｘ及び裏面１Ｙ）に開口される。
積載窓穴８は、図４、図５、図７及び図８に示すように、窓穴上縁８Ａ（積載窓穴上縁）、窓穴下縁８Ｂ（積載窓穴下縁）、窓穴右縁８Ｃ（積載窓穴右縁）及び窓穴左縁８Ｄ（積載窓穴左縁）でなる積載窓縁を有して、長方形の窓穴に形成される。
積載窓穴８の窓穴上縁８Ａは、図７に示すように、上下方向ＵＤにおいて、上側の第１折曲直線Ｌ１（下平板３の板上縁３Ａに第１間隔Ｐ１を隔てる第１折曲直線Ｌ１）に第１窓穴間隔Ｐａを隔てて平行配置される。窓穴上縁８Ａは、左右方向ＬＲに延在されて、窓穴右縁８Ｃ及び窓穴左縁８Ｄに直交する。
積載窓穴８の窓穴下縁８Ｂは、図８に示すように、上下方向ＵＤにおいて、下側の第１折曲直線Ｌ１（下平板３の板下縁３Ｂに第１間隔Ｐ１を隔てる第１折曲直線）に第１窓穴間隔Ｐａを隔てて平行配置される。窓穴下縁８Ｂは、左右方向ＬＲに延在されて、窓穴右縁８Ｃ及び窓穴左縁８Ｄに直交する。
積載窓穴８において、窓穴上縁８Ａ及び窓穴下縁１１Ｂは、図８に示すように、上下方向ＵＤにおいて、相互に第２窓穴間隔Ｐｂを隔てて平行配置される。
【００５９】
積載窓穴８の窓穴右縁８Ｃは、図８に示すように、左右方向ＬＲにおいて、右側の第４折曲直線Ｌ４（板下側縁３Ｃに第４間隔Ｐ４を隔てる第４折曲直線）に第３窓穴間隔Ｐｃを隔てて平行配置される。窓穴右縁８Ｃは、上下方向ＵＤに延在されて、窓穴上縁８Ａ及び窓穴下縁８Ｂに直交する。
積載窓穴８の窓穴左縁８Ｄは、図８に示すように、左右方向ＬＲにおいて、左側の第４折曲直線Ｌ４（板下側縁３Ｄに第４間隔Ｐ４を隔てる第４折曲直線）に第３窓穴間隔Ｐｃを隔てて平行配置される。窓穴左縁８Ｄは、上下方向ＵＤに延在されて、窓穴上縁８Ａ及び窓穴下縁８Ｂに直交する。
積載窓穴８において、窓穴右縁８Ｃ及び窓穴左縁８Ｄは、図８に示すように、左右方向ＬＲにおいて、相互に第４窓穴間隔Ｐｄを隔てて平行配置される。
【００６０】
第１下側脚平板部９は、図１乃至図３、及び図７に示すように、基準折曲直線ＬＸ（下平板３の板上縁３Ａ）、基準折曲直線ＬＸ（下平板３の板上縁３Ａ）に第１間隔Ｐ１を隔てる第１折曲直線Ｌ１（上側の第１折曲直線）、及び各第２折曲直線Ｌ２，Ｌ２とで区画される。第１下側脚平板部９は、例えば、左右方向ＬＲに長い長方形（矩形状）に形成される。
第１下側脚平板部９は、基準折曲直線ＬＸ（下平板３の板上縁３Ａ）、上側の第１折曲直線Ｌ１及び各第２折曲直線Ｌ２，Ｌ２に連設される。
これにより、第１下側脚平板部９は、図１乃至図３、及び図３に示すように、上下方向ＵＤにおいて、上側の第１折曲直線Ｌ１に沿って積載平板部７に隣接（連設）されて、積載平板部７の上側に配置される。
【００６１】
下平板３において、上側の第１折曲直線Ｌ１は、図１乃至図３、及び図７に示すように、積載平板部７及び第１下側脚平板部９の境（境界線）となる。
【００６２】
第２下側脚平板部１０は、図１乃至図３、及び図８に示すように、基礎平板体１の板下縁１Ｂ（下平板３の板下縁３Ｂ）、基礎平板体１の板下縁１Ｂ（下平板の板下縁３Ｂ）に第１間隔Ｐ１を隔てる第１折曲直線Ｌ１（下側の第１折曲直線）、及び各第３折曲直線Ｌ３，Ｌ３とで区画される。第２下側脚平板部１０は、第１下側脚平板部９と同形であって、左右方向ＬＲに長い長方形（矩形状）に形成される。第２下側脚平板部１０は、下側の第１折曲直線Ｌ１、及び各第３折曲直線Ｌ３，Ｌ３に連設される。
これにより、第２下側脚平板部１０は、図１乃至図３、及び図８に示すように、上下方向ＵＤにおいて、下側の第１折曲直線Ｌ１に沿って積載平板部７に隣接（連設）されて、積載平板部７の下側に配置される。
【００６３】
下平板３において、下側の第１折曲直線Ｌ１は、図１乃至図３、及び図８に示すように、積載平板部７及び第２下側脚平板部１０の境（境界線）となる。
【００６４】
各下側立上げ平板部１１，１２（右側の下側立上げ平板部１１、左側の下側立上げ平板部１２）は、図１乃至図３、図７及び図８に示すように、各第４折曲平板部Ｌ４，Ｌ４、各第５折曲直線Ｌ５，Ｌ５、各第６折曲直線Ｌ６，Ｌ６、及び下平板３の各板下側縁３Ｃ，３Ｄ（各第７板下側縁部３Ｒ，３Ｓ）とで区画される。
下側立上げ平板部１１は、図１乃至図３、図７及び図８に示すように、右側の第４折曲直線Ｌ４、右側の第５折曲直線Ｌ５、右側の第６折曲直線Ｌ５、下平板３の板下側縁３Ｃ（第７板下側縁部３Ｒ）とで区画される。
下側立上げ平板部１２は、図１乃至図３、図７及び図８示すように、左側の第４折曲直線Ｌ４、左側の第５折曲直線Ｌ６、左側の第６折曲直線Ｌ６、及び下平板３の板下側縁３Ｄ（第７板下側縁部３Ｓ）とで区画される。
各下側立上げ平板部１１，１２は、各第４折曲直線Ｌ４，Ｌ４、各第５折曲直線Ｌ５，Ｌ５及び各第６折曲直線Ｌ６，Ｌ６に連設される。
これにより、下側立上げ平板部１１（右側）は、左右方向ＬＲにおいて、右側の第４折曲直線Ｌ４に沿って積載平板部７に隣接（連設）されて、積載平板部７の右側に配置される。
下側立上げ平板部１２（左側）は、左右方向ＬＲにおいて、左側の第４折曲直線Ｌ４に沿って積載平板部７に隣接（連設）されて、積載平板部７の左側に配置される。
【００６５】
下平板３において、各第４折曲直線Ｌ４，Ｌ４は、図１乃至図３に示すように、積載平板部７及び各下側立上げ平板部１１，１２の境（境界線）となる。
【００６６】
各第１保形平板部１３，１４（右側の第１保形平板部１３、左側の第１保形平板部１４）は、図１乃至図３、図７、図９及び図１０に示すように、下平板３の各下側縁３Ｃ，３Ｄ（各第１板下側縁部３Ｆ，３Ｇ、各第３板下側縁部３Ｊ，３Ｋ、各第５板下側縁部３Ｎ，３Ｏ及び各第７板下側縁部３Ｒ，３Ｓ）、各基準切込直線ＬＹ，ＬＹ（下平板３の板上縁３Ａ）、各第２折曲直線Ｌ２，Ｌ２、及び各第５折曲直線Ｌ５，Ｌ５とで区画される。
第１保形平板部１３（右側）は、図１乃至図３、図７及び図９に示すように、下平板３の板下側縁３Ｃ（第１板下側縁部３Ｆ、第３板下側縁部３Ｊ、第５板下側縁部３Ｎ及び第７板下側縁部３Ｒ）、右側の基準切込直線ＬＹ、右側の第２折曲直線Ｌ２及び右側の第５折曲直線Ｌ５とで区画される。
第１保形平板部１４（左側）は、図１乃至図３、図７及び図１０に示すように、下平板３の板下側縁３Ｄ（第１板下側縁部３Ｇ、第３板下側縁部３Ｋ、第５板下側縁部３Ｏ及び第７板下側縁部３Ｓ）、左側の基準切込直線ＬＹ、左側の第２折曲直線Ｌ２及び左側の第５折曲直線Ｌ５とで区画される。
第１保形平板部１３（右側）は、右側の第２折曲直線Ｌ２に連設される。これにより、第１保形平板部１３は、左右方向ＬＲにおいて、右側の第２折曲直線Ｌ２に沿って第１下側脚平板部９に隣接（連設）されて、第１下側脚平板部９の右側に配置される。
第１保形平板部１３は、右側の第５折曲直線Ｌ５に連設される。これにより、第１保形平板部１３は、上下方向ＵＤにおいて、右側の第５折曲直線Ｌ５に沿って第１下側立上げ平板部１１に隣接（連設）されて、第１下側立上げ平板部１１の上側に配置される。
第１保形平板部１４（左側）は、左側の第２折曲直線Ｌ２に連設される。これにより、第１保形平板部１４は、左右方向ＬＲにおいて、左側の第２折曲直線Ｌ２に沿って第１下側脚平板部９に隣接（連設）されて、第１下側脚平板部の左側に配置される。
第１保形平板部１４は、右側の第５折曲直線Ｌ５に連設される。これにより、第１保形平板部１４は、上下方向ＵＤにおいて、左側の第５折曲直線Ｌ５に沿って第２下側立上げ平板部１２に隣接（連設）されて、第２下側立上げ平板部１２の上側に配置される。
【００６７】
下平板３において、各第２折曲直線Ｌ２，Ｌ２は、図1乃至図３、及び図７に示すように、第１下側脚平板部９及び各第１保形平板部１３，１４の境（境界線）となる。
下平板３において、各第５折曲直線Ｌ５，Ｌ５は、図１乃至図３、及び図７に示すように、各下側立上げ平板部１１，１２及び各第１保形平板部１３，１４の境（境界線）となる。
【００６８】
各第２保形平板部１５，１６（右側の第２保形平板部１５、左側の第２保形平板部１６）は、図１乃至図３、図８、図１１及び図１２に示すように、下平板３の板下縁３Ｂ（基礎平板体１の板下縁１Ｂ）、下平板３の各板下側縁３Ｃ，３Ｄ（各第２板下側縁部３Ｈ，３Ｉ、各第４板下側縁部３Ｌ，３Ｍ、各第６板下側縁部３Ｐ，３Ｑ及び各第７板下側縁部３Ｒ，３Ｓ）、各第３折曲直線Ｌ３，Ｌ３、及び各第６折曲直線Ｌ６，Ｌ６とで区画される。
第２保形平板部１５（右側）は、図１乃至図３、図８及び図１１に示すように、下平板３の板下縁３Ｂ、下平板３の板下側縁３Ｃ（第２板下側縁部３Ｈ、第４板下側縁部３Ｌ、第６板下側縁部３Ｐ及び第７板下側縁部３Ｒ）、右側の第３折曲直線Ｌ３及び右側の第６折曲直線Ｌ６とで区画される。
第２保形平板部１６（左側）は、図１乃至図３、図８及び図１２示すように、下平板３の板下縁３Ｂ、下平板３の板下側縁３Ｄ（第２板下側縁部３Ｉ、第４板下側縁部３Ｍ、第６板下側縁部３Ｑ及び第７板下側縁部３Ｓ）、左側の第３折曲直線Ｌ３及び左側の第６折曲直線Ｌ６とで区画される。
第２保形平板部１５（右側）は、右側の第３折曲直線Ｌ３に連設される。これにより、第２保形平板部１５は、左右方向ＬＲにおいて、第２下側脚平板部１０に隣接（連設）されて、第２下側脚平板部１０の右側に配置される。
第２保形平板部１５は、右側の第６折曲直線Ｌ６に連設される。これにより、第２保形平板部１５は、上下方向ＵＤにおいて、右側の下側立上げ平板部１１に隣接（連設）されて、右側の下側立上げ平板部１１の下側に配置される。
第２保形平板部１６（左側）は、左側の第３折曲直線Ｌ３に連設される。これにより、第２保形平板部１６は、左右方向ＬＲにおいて、第２下側脚平板部１０に隣接（連設）されて、第２下側脚平板部１０の左側に配置される。
第２保形平板部１６は、左側の第６折曲直線Ｌ６に連設される。これにより、第２保形平板部１６は、上下方向ＵＤにおいて、左側の第６折曲直線Ｌ６に沿って左側の下側立上げ平板部１２に隣接（連設）されて、左側の下側立上げ平板部１２の下側に配置される。
【００６９】
下平板３において、各第３折曲直線Ｌ３，Ｌ３は、図１乃至図３、及び図８に示すように、第２下側脚平板部１０及び各第２保形平板部１５，１６の境（境界線）となる。
下平板３において、各第６折曲直線Ｌ６，Ｌ６は、図１乃至図３、及び図８に示すように、各下側立上げ平板部１１，１２及び各第２保形平板部１５，１６の境（境界線）となる。
【００７０】
＜上平板４＞
上平板４は、図１乃至図３に示すように、基礎平板体１の板上縁１Ａ（上平板４の板上縁４Ａ）、基準折曲直線ＬＸ（上平板４の板下縁４Ｂ）、及び各板側縁１Ｃ，１Ｄ（上平板４の各板上側縁４Ｃ，４Ｄ）とで区画される。
上平板４は、基礎平板体１の板上縁１Ａである板上縁４Ａと、基準折曲直線ＬＸ及び各基準切込直線ＬＹ，ＬＹを含む板下縁４Ｂと、左右一対の板上側縁４Ｃ，４Ｄを有する。上平板４は、図４に示すように、板厚Ｔを有する。
これにより、下平板３及び上平板４は、図１乃至図４に示すように、上下方向ＵＤにおいて、基準折曲直線ＬＸに沿って一体に連設（隣接）される。
【００７１】
上平板４は、図２に示すように、縦板中心線ＣＬ１に対して、左右対称に形成される。上平板４は、図１及び図２に示すように、上下方向ＵＤにおいて、板縁間隔ＰＸの横板中心線ＣＬ３に対して、上下対称に形成される。
上平板４は、図２９及び図３０に示すように、上平板４の表面４Ｘ（表平面）を下平板３の表面３Ｘ（表平面）に向けて、基準折曲直線ＬＸに沿って下平板３の表面３Ｘに折返される。
【００７２】
上平板４は、図１乃至図３、図１８乃至図２３に示すように、上下一対の第７折曲直線Ｌ７，Ｌ７（第７直線）、左右一対の第８折曲直線Ｌ８，Ｌ８（第８直線）、左右一対の第９折曲直線Ｌ９，Ｌ９（第９直線）、左右一対の第１０折曲直線Ｌ１０，Ｌ１０（第１０直線）、左右一対の第１１折曲直線Ｌ１１，Ｌ１１（第１１直線）、左右一対の第１２折曲直線Ｌ１２，Ｌ１２（第１２直線）、左右一対の第１３折曲直線Ｌ１３，１３（第１３直線）、左右一対の第１４折曲直線Ｌ１４，Ｌ１４（第１４直線）、左右一対の第１上側折曲穴１７，１７、及び左右一対の第２上側折曲穴１８，１８を有する。
【００７３】
各第７折曲直線Ｌ７，Ｌ７（上側の第７折曲直線Ｌ７、下側の第７折曲直線Ｌ７）は、図１乃至図３、図１８及び図１９に示すように、上下方向ＵＤにおいて、基礎平板体１の板上縁１Ａ（上平板４の板上縁４Ａ）及び基準折曲直線ＬＸ（上平板４の板下縁４Ｂ）の夫々に第６間隔Ｐ６（第６距離）を隔てて平行配置される。第６間隔Ｐ６は、第１間隔Ｐ１より広い間隔（Ｐ６＞Ｐ１）に設定する。
上側の第７折曲直線Ｌ７は、図１８に示すように、上下方向ＵＤにおいて、基礎平板体１の板上縁１Ａ（上平板４の板上縁４Ａ）に第６間隔Ｐ６を隔てて平行配置される。下側の第７折曲直線Ｌ７は、図１９に示すように、上下方向ＵＤにおいて、基準折曲直線ＬＸ（上平板４の板下縁４Ｂ）に第６間隔Ｐ６を隔てて平行配置される。
各第７折曲直線Ｌ７，Ｌ７は、図１８及び図１９に示すように、上下方向ＵＤにおいて、相互に第７間隔Ｐ７（第７距離）を隔てて平行配置される。各第７折曲直線Ｌ７，Ｌ７は、基礎平板体１の板上縁１Ａ及び基準折曲直線ＬＸに平行して、左右方向ＬＲに延在される。
【００７４】
各第８折曲直線Ｌ８，Ｌ８（右側の第８折曲直線Ｌ８、左側の第８折曲直線Ｌ８）は、図１乃至図３、及び図８に示すように、上下方向ＵＤにおいて、基礎平板体１の板上縁１Ａ（上平板４の板上縁３Ａ）、及び基礎平板体１の板上縁１Ａに第６間隔Ｐ１を隔てる第７折曲直線Ｌ７（上側の第７折曲直線Ｌ７）の間に配置される。
各第８折曲直線Ｌ８，Ｌ８は、図１８に示すように、左右方向ＬＲにおいて、上平板４の各板上側縁４Ｃ，４Ｄ（各第３板上側縁部４Ｊ，４Ｋ）の夫々に第８間隔Ｐ８（第８距離）を隔てて配置される。各第８折曲直線Ｌ８，Ｌ８は、左右方向ＬＲにおいて、相互に第１６間隔Ｐ１６（第１６距離）を隔てて平行配置される。
各第８折曲直線Ｌ８，Ｌ８は、図１乃至図３、及び図１８に示すように、左右方向ＬＲにおいて、上平板４の各板上側縁４Ｃ，４Ｄ、及び各第２折曲直線Ｌ２，Ｌ２の間に位置して配置される。
各第８折曲直線Ｌ８，Ｌ８は、上下方向ＵＤに延在され、基礎平板体１の板上縁１Ａ（上平板４の板上縁４Ａ）、及び基礎平板体１の板上縁１Ａに第６間隔Ｐ６を隔てる第７折曲直線Ｌ７（上側の第７折曲直線）に直交する。
右側の第８折曲直線Ｌ８は、図１８に示すように、左右方向ＬＲにおいて、上平板４の板上側縁４Ｃ（右側の第３板上側縁部４Ｊ）に第８間隔Ｐ８を隔てて配置される。右側の第８折曲直線Ｌ８は、左右方向ｌＲにおいて、上平板４の板上側縁４Ｃ及び右側の第２折曲直線Ｌ２の間に位置して上下方向ＵＤに延在され、基礎平板体１の板上縁１Ａ（上平板４の板上縁４Ａ）、及び板上縁１Ａに第６間隔を隔てる第７折曲直線Ｌ７（上側の第７折曲直線）に直交する。
左側の第８折曲直線Ｌ８は、図１８に示すように、左右方向ＬＲにおいて、上平板４の板上側縁４Ｄ（左側の第３板上側縁部４Ｋ）に第８間隔Ｐ８を隔てて配置される。左側の第８折曲直線Ｌ８は、左右方向ＬＲにおいて、上平板４の板上側縁４Ｄ及び右側の第２折曲直線Ｌ２の間に位置して上下方向ＵＤに延在され、基礎平板体１の板上縁１Ａ（上平板４の板上縁４Ａ）、及び板上縁１Ａに第６間隔Ｐ６を隔てる第７折曲直線Ｌ７（上側の第７折曲直線）に直交する。
【００７５】
各第９折曲直線Ｌ９，Ｌ９（右側の第９折曲直線Ｌ９、左側の第９折曲直線Ｌ９）は、図１乃至図３、及び図１９に示すように、上下方向ＵＤにおいて、基準折曲直線ＬＸ（上平板４の板下縁４Ｂ）、及び基準折曲直線ＬＸに第６間隔を隔てる第７折曲直線Ｌ７（下側の第７折曲直線）の間に配置される。
各第９折曲直線Ｌ９，Ｌ９は、図１９に示すように、左右方向ＬＲにおいて、上平板４の各板上側縁４Ｃ，４Ｄ（各第４板上側縁部４Ｌ，４Ｍ）の夫々に第８間隔Ｐ８を隔てて配置される。各第９折曲直線Ｌ９，Ｌ９は、図１乃至図３、及び図１９に示すように、左右方向ＬＲにおいて、上平板４の各板上側縁４Ｃ，４Ｄ及び各第２折曲直線Ｌ２，Ｌ２の間に位置して配置される。各第９折曲直線Ｌ９，Ｌ９は、上下方向ＵＤに延在され、上平板４の板下縁４Ｂ（基準折曲直線ＬＸ）、及び基準折曲直線ＬＸに第６間隔Ｐ６を隔てる第７折曲直線Ｌ７に直交する。各第９折曲直線Ｌ９，Ｌ９は、上下方向ＵＤにおいて、各基準切込直線ＬＹ，ＬＹに直交する。
右側の第９折曲直線Ｌ９は、図１９に示すように、左右方向ＬＲにおいて、上平板４の板上側縁４Ｃ（右側の第４板上側縁部４Ｌ）に第８間隔Ｐ８を隔てて配置される。右側の第９折曲直線Ｌ９は、左右方向ＬＲにおいて、上平板４の板上側縁４Ｃ及び右側の第２折曲直線Ｌ２の間に位置して上下方向ＵＤに延在され、右側の基準切込直線ＬＹ、及び基準折曲直線ＬＸに第６間隔を隔てる第７折曲直線Ｌ７（下側の第７折曲直線Ｌ７）に直交する。
左側の第９折曲直線Ｌ）は、図１９に示すように、左右方向ＬＲにおいて、上平板４の板上側縁４Ｄ（右側の第４板上側縁部４Ｍ）に第８間隔Ｐ８を隔てて配置される。左側の第９折曲直線Ｌ９は、左右方向ＬＲにおいて、上平板４の板上側縁４Ｄ及び右側の第２折曲直線Ｌ２の間に位置して上下方向ＵＤに延在され、右側の基準切込直線ＬＹ、及び基準折曲直線ＬＸに第６間隔Ｐ６を隔てる第７折曲直線Ｌ７（下側の第７折曲直線）に直交する。
各第９折曲直線Ｌ９，Ｌ９は、左右方向ＬＲにおいて、各第８折曲直線Ｌ８，Ｌ８と同一位置に配置される。
【００７６】
各第１０折曲直線Ｌ１０，Ｌ１０（右側の第１０折曲直線Ｌ１０、左側の第１０折曲直線Ｌ１０）は、図１乃至図３、図１８及び図１９に示すように、上下方向ＵＤにおいて、各第７折曲直線Ｌ７，Ｌ７の間に配置される。
各第１０折曲直線Ｌ１０，Ｌ１０は、図１８に示すように、左右方向ＬＲにおいて、上平板４の各板上側縁４Ｃ，４Ｄ（各第７板上側縁部４Ｒ，４Ｓ）の夫々に第９間隔Ｐ９を隔てて配置される。各第１０折曲直線Ｌ１０，Ｌ１０は、図１８及び図１９に示すように、左右方向ＬＲにおいて、上平板４の各板上側縁４Ｃ，４Ｄ（各第７板上側縁部４Ｒ，４Ｓ）との間の夫々に各第８折曲直線Ｌ８，Ｌ８及び各第９折曲直線Ｌ９，Ｌ９を位置して配置される。各第１０折曲直線Ｌ１０，Ｌ１０は、図１８及び図１９に示すように、左右方向ＬＲにおいて、各第８折曲直線Ｌ８，Ｌ８及び各第９折曲直線Ｌ９，Ｌ９の間に第１０間隔Ｐ１０を隔てて平行配置される。各第１０折曲直線Ｌ１０，Ｌ１０は、上下方向ＵＤに延在されて、各第７折曲直線Ｌ７，Ｌ７に直交する。
各第１０折曲直線Ｌ１０，Ｌ１０は、図１乃至図３に示すように、左右方向ＬＲにおいて、各第９折曲直線Ｌ９，Ｌ９との間の夫々に下平板３の各第４折曲直線Ｌ４，Ｌ４を位置して配置される。これにより、各第１０折曲直線Ｌ１０，Ｌ１０は、左右方向ＬＲにおいて、下平板３の各第４折曲直線Ｌ４，Ｌ４より縦板中心線ＣＬ１側に配置される（各第１０折曲直線Ｌ１０，Ｌ１０は、下平板３の各第４折曲直線Ｌ４，Ｌ４の夫々、及び縦板中心線ＣＬ１の間に配置される）。
右側の第１０折曲直線Ｌ１０は、図１８及び図１９に示すように、左右方向ＬＲにおいて、上平板４の板上側縁４Ｃ（右側の第７板上側縁部４Ｒ）に第９間隔Ｐ９を隔てて配置される。右側の第１０折曲直線Ｌ１０は、左右方向ＬＲにおいて、上平板４の板上側縁４Ｃとの間に右側の第８折曲直線Ｌ８及び右側の第９折曲直線Ｌ９を位置して、右側の第８折曲直線Ｌ８及び右側の第９折曲直線Ｌ９に第１０間隔Ｐ１０を隔てて平行配置される。右側の第１０折曲直線Ｌ１０は、上下方向ＵＤに延在されて、各第７折曲直線Ｌ７，Ｌ７に直交する。
右側の第１０折曲直線Ｌ１０は、左右方向ＬＲにおいて、下平板３の右側の第４折曲直線Ｌ４及び縦板中心線ＣＬ１の間に配置される。
左側の第１０折曲直線Ｌ１０は、図１８及び図１９に示すように、左右方向ＬＲにおいて、上平板４の板上側縁４Ｄ（右側の第７板上側縁部４Ｓ）に第９間隔Ｐ９を隔てて配置される。左側の第１０折曲直線Ｌ１０は、左右方向ＬＲにおいて、上平板４の板上側縁４Ｄとの間に右側の第８折曲直線Ｌ８及び右側の第９折曲直線Ｌ０を位置して、右側の第８折曲直線Ｌ８及び右側の第９折曲直線Ｌ９に第１０間隔Ｐ１０を隔てて平行配置される。左側の第１０折曲直線Ｌ１０は、上下方向ＵＲに延在されて、各第７折曲直線Ｌ７，Ｌ７に直交する。
左側の第１０折曲直線Ｌ１０は、左右方向ＬＲにおいて、下平板３の左側の第４折曲直線Ｌ４及び縦板中心線ＣＬ１の間に配置される。
各第１０折曲直線Ｌ１０，Ｌ１０は、左右方向ＬＲにおいて、相互に第１７間隔Ｐ１７（第１７距離）を隔てて平行配置される。
【００７７】
各第１１折曲直線Ｌ１１，Ｌ１１（右側の第１１折曲直線Ｌ１１、左側の第１１折曲直線Ｌ１１）は、図１乃至図３、図１８、図２０及び図２１に示すように、左右方向ＬＲにおいて、上平板４の各板上側縁４Ｃ，４Ｄ及び各第１０折曲直線Ｌ１０，Ｌ１０の間に配置される。
各第１１折曲直線Ｌ１１，Ｌ１１は、図２０及び図２１に示すように、基礎平板体１の板上縁１Ａ（上平板４の板上縁４Ａ）と、基礎平板体１の板上縁１Ａ（上平板４の板上縁４Ａ）に第６間隔Ｐ６を隔てる第７折曲直線Ｌ７（上側の第７折曲直線Ｌ７）との間に延在する各第１０折直線Ｌ１０，Ｌ１０の延長線Ｌａ上の各第１基点ＱＡ，ＱＡにおいて、各第１基点ＱＡ，ＱＡの夫々から延在される。
各第１１折曲直線Ｌ１，Ｌ１は、図２０及び図２１に示すように、各第１０折曲直線Ｌ１０，Ｌ１０に第２鋭角度θ２を（鋭角度）をなして、各第１基点ＱＡ，ＱＡの夫々から基準折曲直線ＬＸ（上平板４の板下縁４Ｂ）及び上平板４の各板上側縁４Ｃ，４Ｄ（各第７板上側縁部４Ｒ，４Ｓ）に向けて延在され、上平板４の各板上側縁４Ｃ，４Ｄ（各第７板上側縁部４Ｓ，４Ｒ）に交差する。
右側の第１１折曲直線Ｌ１は、図１８及び図２０に示すように、右側の第１０折曲直線Ｌ１０に第２鋭角度θ２をなして、右側の第１基点ＱＡから基準折曲直線ＬＸ（上平板４の板下縁４Ｂ）及び上平板４の板上側縁４Ｃ（右側の第７板上側縁部４Ｒ）に向けて延在され、右側の板上側縁４Ｃ（第７板上側縁部４Ｒ）に交差する。
左側の第１１折曲直線Ｌ１１は、図１８及び図２１に示すように、左側の第１０折曲直線Ｌ１０に第２鋭角度θ２をなして、左側の第１基点ＱＡから基準折曲直線ＬＸ（上平板４の板下縁４Ｂ）及び上平板４の板上側縁４Ｄ（左側の第７板上側縁部４Ｓ）に向けて延在され、左側の板上側縁４Ｄ（第７板上側縁部４Ｓ）に交差する。
第２鋭角度θ２は、θ２＝０度（０°）を超えて、θ２＝９０度（９０°）未満である。第２鋭角度θ２は、第１鋭角度θ１以上の角度であって、例えば、第１鋭角度θ１と同一角度［例えば、θ２＝θ１＝６０度（６０°）］に設定する。
【００７８】
各第１２折曲直線Ｌ１２，Ｌ１２（右側の第１２折曲直線Ｌ１２，左側の第１２折曲直線Ｌ１２）は、図１乃至図３、図１８、図２０及び図２１に示すように、左右方向ＬＲにおいて、上平板４の各板上側縁４Ｃ，４Ｄ及び各第８折曲直線Ｌ８，Ｌ８の間に配置される。
各第１２折曲直線Ｌ１２，Ｌ１２は、上下方向ＵＤにおいて、基礎平板体１の板上縁１Ａ（上平板４の板上縁４Ａ）、及び各第１１折曲直線Ｌ１１，Ｌ１１の間に位置して配置される。各第１２折曲直線Ｌ１２，Ｌ１２は、図２０及び図２１に示すように、各第１１折曲直線Ｌ１１，Ｌ１１に板厚Ｔ以上の第１３間隔Ｐ１３を隔てて平行配置される。各第１２折曲直線Ｌ１２，Ｌ１２は、図１８、図２０及び図２１示すように、上平板４の各板上側縁４Ｃ，４Ｄ（各第５板上側縁部４Ｎ，４Ｏ及び各第７板上側縁部４Ｒ，４Ｓ）、及び各第８折曲直線Ｌ８，Ｌ８に交差する。
各第１２折曲直線Ｌ１２，Ｌ１２は、各第１０折曲直線Ｌ１０，Ｌ１０に第２鋭角度θ２をなして、各第１１折曲直線Ｌ１１，Ｌ１１に平行配置される。
右側の第１２折曲直線Ｌ１２は、図２０に示すように、右側の第１１折曲直線Ｌ１１に第１３間隔Ｐ１３を隔てて平行配置される。右側の第１２折曲直線Ｌ１２は、上平板４の板上側縁４Ｃ（右側の第５板上側縁部４Ｎ及び第７板上側縁部４Ｒ）及び右側の第８折曲直線Ｌ８に交差する。
左側の第１２折曲直線Ｌ１２は、図２１に示すように、左側の第１１折曲直線Ｌ１１に第１３間隔Ｐ１３を隔てて平行配置される。左側の第１２折曲直線Ｌ１２は、上平板４の板上側縁４Ｄ（左側の第５板上側縁部４Ｏ及び第７板上側縁部４Ｓ）及び左側の第８折曲直線Ｌ８に交差する。
第１３間隔Ｐ１３は、基礎平板体１（下平板３）の板厚Ｔ以上、例えば、下平板３の板厚Ｔ（１枚の板厚）の間隔である。第１３間隔Ｐ１３は、基礎平板体１（下平板３）の板厚Ｔ（１枚の板厚）以上、４倍の板厚Ｔ以下（Ｔ≦Ｐ１３≦４×Ｔ）、更に、下平板３の板厚Ｔを超えて４倍の板厚Ｔ未満（Ｔ＜Ｐ１３＜４×Ｐ）とすることもできる。
【００７９】
各第１３折曲直線Ｌ１３，Ｌ１３（右側の第１３折曲直線Ｌ１３、左側の第１３折曲直線Ｌ１３は、図１乃至図３、図１９、図２２及び図２３に示すように、左右方向ＬＲにおいて、上平板４の各板上側縁４Ｃ，４Ｄ及び各第１０折曲直線Ｌ１０，Ｌ１０に間に配置される。
各第１３折曲直線Ｌ１３，１３は、上下方向ＵＤにおいて、基準折曲直線ＬＸ（上平板４の板下縁４Ｂ）及び各第１１折曲直線Ｌ１１，Ｌ１１の間に配置される。
各第１３折曲直線Ｌ１３，１３は、図２２及び図２３に示すように、基準折曲直線ＬＸ（上平板４の板下縁４Ｂ）と、基準折曲直線ＬＸに第６間隔Ｐを隔てる第７折曲直線Ｌ７（下側の第７折曲直線）との間に延在する各第１０折曲直線Ｌ１０，Ｌ１０の延長線Ｌβ上の各第２基点ＱＢ，ＱＢにおいて、各第２基点ＱＢ，ＱＢの夫々から延在される。
各第１３折曲直線Ｌ１３，Ｌ１３は、図２２及び図２３に示すように、各第１０折曲直線Ｌ１０，Ｌ１０に第２鋭角度θ２をなして、各第１基点ＱＢ，ＱＢの夫々から基礎平板体１の板上縁１Ａ（上平板４の板上縁４Ａ）及び上平板４の各板上側縁４Ｃ，４Ｄ（各第７板上側縁部４Ｒ，４Ｓ）に向けて延在され、上平板４の各板上側縁４Ｃ，４Ｄ（各第７板上側縁部４Ｒ，４Ｓ）に交差する。
右側の第１３折曲直線Ｌ１３は、図２２に示すように、右側の第１０折曲直線Ｌ１０に第２鋭角度θ２をなして、右側の第２基点ＱＢから基礎平板体１の板上縁１Ａ（上平板４の板上縁４Ａ）及び上平板４の板上側縁４Ｃ（第７板上側縁部４Ｒ）に向けて延在され、右側の板上側縁４Ｃ（第７板上側縁部４Ｒ）に交差する。
左側の第１３折曲直線Ｌ１３は、図２２に示すように、左側の第１０折曲直線Ｌ１０に第２鋭角度θ２をなして、左側の第２基点ＱＢから基礎平板体１の板上縁１Ａ（上平板４の板上縁４Ａ）及び上平板４の板上側縁４Ｄ（第７板上側縁部４Ｓ）に向けて延在され、左側の板上側縁４Ｄ（第７板上側縁部４Ｓ）に交差する。
【００８０】
各第１４折曲直線Ｌ１４，Ｌ１４（右側の第１４折曲直線Ｌ１４、左側の第１４折曲直線Ｌ１４）は、図１乃至図３、図１９、図２２及び図２３に示すように、左右方向ＬＲにおいて、上平板４の各板上側縁４Ｃ，４Ｄ及び第９折曲直線Ｌ９，Ｌ９の間に配置される。
各第１４折曲直線Ｌ１４，Ｌ１４は、上下方向ＬＲにおいて、各第１３折曲直線Ｌ１３，Ｌ１３及び基準折曲直線ＬＸ（上平板４の板下縁４Ｂ）の間に位置して配置される。
各第１４折曲直線Ｌ１４，Ｌ１４は、図２２及び図２３に示すように、各第１３折曲直線Ｌ１３，Ｌ１３に第１３間隔Ｐ１３（第１３距離）を隔てて平行配置される。各第１４，１４折曲直線Ｌ１４，Ｌ１４は、図２２及び図２３に示すように、上平板４の各板上側縁４Ｃ，４Ｄ（各第６板上側縁部４Ｐ，４Ｑ及び各第７板上側縁部４Ｒ，４Ｓ）及び各第９折曲直線Ｌ９，Ｌ９に交差する。
各第１４折曲直線Ｌ１４，Ｌ１４は、図２２及び図２３に示すように、各第１０折曲直線Ｌ１０，Ｌ１０に第２鋭角度θ２をなして、各第１３折曲直線Ｌ１３，Ｌ１３に平行配置される。
右側の第１４折曲直線Ｌ１４は、図２２に示すように、右側の第１３折曲直線Ｌ１３に第１３間隔Ｐ１３を隔てて平行配置される。右側の第１４折曲直線Ｌ１４は、上平板４の板上側縁４Ｃ（第６板上側縁部４Ｐ及び第７板上側縁部４Ｒ）に交差する。
左側の第１４折曲直線Ｌ１４は、図２３に示すように、左側の第１３折曲直線Ｌ１３に第１３間隔Ｐ１３を隔てて平行配置される。左側の第１４折曲直線Ｌ１４は、上平板４の板上側縁４Ｄ（第６板上側縁部４Ｑ及び第７板上側縁部４Ｓ）に交差する。
【００８１】
各第１０折曲直線Ｌ１０，Ｌ１０の延長線Ｌａ上の各第１基点ＱＡ，ＱＡは、上平板４の下平板３への折返しに伴って、下平板３の各第６折曲直線Ｌ６，Ｌ６を各第１１折曲直線Ｌ１１，Ｌ１１及び各第１２折曲直線Ｌ１２，Ｌ１２の間（第１３間隔Ｐ１３の間）に配置する位置（各第１０折曲直線Ｌ１０，Ｌ１０の延長線上の位置）である。
各第１０折曲直線Ｌ１０，Ｌ１０の延長線Ｌｂ上の各第２基点Ｑ２，Ｑ２は、上平板４の下平板３への折返しに伴って、下平板３の各第５折曲直線Ｌ５，Ｌ５を各第１３折曲直線Ｌ１３，Ｌ１３及び各第１４折曲直線Ｌ１４，Ｌ１４の間（第１３間隔Ｐ１３の間）に配置する位置（各第１０折曲直線Ｌ１０，Ｌ１０の延長線上の位置）である。
【００８２】
各第１上側折曲穴１７，１７（右側の第１上側折曲穴１７、左側の第１上側折曲穴１７）は、図１乃至図３、図１８、図２０及び図２１に示すように、上側の第７折曲直線Ｌ７の各第１０折曲直線Ｌ１０，Ｌ１０側の部分、各第８折曲直線Ｌ８，Ｌ８の第７折曲直線Ｌ７側の部分、各第１０折曲直線Ｌ１０，Ｌ１０の上側の第７折曲直線Ｌ７側の部分、各第１１折曲直線Ｌ１１，Ｌ１１の各第１基点ＱＡ，ＱＡ側の部分、及び各第１２折曲直線Ｌ１２，１２の各第８折曲直線Ｌ８，Ｌ８側の部分にわたって配置され、前後方向ＦＲ（板厚方向）において、上平板４を貫通して上平板４の表面４Ｘ（表平面）及び裏面４Ｙ（裏平面）に開口する。
各第１上側折曲穴１７，１７は、上側の第７折曲直線Ｌ７の各第１０折曲直線Ｌ１０，Ｌ１０側の部分、各第８折曲直線Ｌ８，Ｌ８の第７折曲直線Ｌ７側の部分、各第１０折曲直線Ｌ１０，Ｌ１０の上側の第７折曲直線Ｌ７側の部分、各第１１折曲直線Ｌ１１，Ｌ１１の各第１基点ＱＡ，ＱＡ側の部分、及び各第１２折曲直線Ｌ１２，１２の各第８折曲直線Ｌ８，Ｌ８側の部分において、上平板４を前後方向ＦＲに貫通する。
これにより、基礎平板体１の板上縁１Ａ（上平板４の板上縁４Ａ）に第６間隔Ｐ６を隔てる第７折曲直線Ｌ７、各第８折曲直線Ｌ８，Ｌ８、各第１０折曲直線Ｌ１０，Ｌ１０、各第１１折曲直線Ｌ１１，Ｌ１１、及び各第１２折曲直線Ｌ１２，Ｌ１２は、各第１上側折曲穴１７，１７に隣接（連続）する。
右側の第１上側折曲穴１７は、図１８及び図２０示すように、上側の第７折曲直線Ｌ７の右側の第０折曲直線Ｌ１０側の部分、右側の第８折曲直線Ｌ８の上側の第７折曲直線Ｌ７側の部分、右側の第１０折曲直線Ｌ１０の上側の第７折曲直線Ｌ７側の部分、右側の第１１折曲直線Ｌ１１の右側の第１基点ＱＡ側の部分、及び右側の第１２折曲直線Ｌ１２の右側の第８折曲直線Ｌ８側の部分にわたって、上平板４を前後方向ＦＲに貫通する。
左側の第１上側折曲穴１７は、図１８及び図２１に示すように、上側の第７折曲直線Ｌ７の左側の第０折曲直線Ｌ１０側の部分、左側の第８折曲直線Ｌ８の上側の第７折曲直線Ｌ７側の部分、左側の第１０折曲直線Ｌ１０の上側の第７折曲直線Ｌ７側の部分、左側の第１１折曲直線Ｌ１１の左側の第１基点ＱＡ側の部分、及び左側の第１２折曲直線Ｌ１２の左側の第８折曲直線Ｌ８側の部分にわたって、上平板４を前後方向ＦＲに貫通する。
各第１上側折曲穴１７，１７は、図２０及び図２１に示すように、例えば、上側の第７折曲直線Ｌ７上の基点を中心とする扇状穴（円弧穴）であって、左右方向ＬＲにおいて、上平板４の各上側縁４Ｃ，４Ｄ及び各第１０折曲直線Ｌ１０，Ｌ１０の間に形成されて、上側の第７折曲直線Ｌ７、各第８折曲直線Ｌ８，Ｌ８、各第１１折曲直線Ｌ１１，Ｌ１１及び各第１２折曲直線Ｌ１２に隣接（連続）する。
【００８３】
各第２上側折曲穴１８，１８（右側の第２上側折曲穴１８、左側の第２上側折曲穴１８）は、図１乃至図３、図１９、図２２及び図２３に示すように、下側の第７折曲直線Ｌ７の各第１０折曲直線Ｌ１０，Ｌ１０側の部分、各第９折曲直線Ｌ８，Ｌ８の第７折曲直線Ｌ７側の部分、各第１０折曲直線Ｌ１０，Ｌ１０の下側の第７折曲直線Ｌ７側の部分、各第１１折曲直線Ｌ１３，Ｌ１３の各第２基点ＱＢ，ＱＢ側の部分、及び各第１４折曲直線Ｌ１４，１４の各第９折曲直線Ｌ９，Ｌ９側の部分にわたって配置され、前後方向ＦＲ（板厚方向）において、上平板４を貫通して上平板４の表面４Ｘ及び裏面４Ｙに開口する。
各第２上側折曲穴１８，１８は、下側の第７折曲直線Ｌ７の各第１０折曲直線Ｌ１０，Ｌ１０側の部分、各第９折曲直線Ｌ８，Ｌ８の第７折曲直線Ｌ７側の部分、各第１０折曲直線Ｌ１０，Ｌ１０の下側の第７折曲直線Ｌ７側の部分、各第１３折曲直線Ｌ１３，Ｌ１３の各第２基点ＱＢ，ＱＢ側の部分、及び各第１４折曲直線Ｌ１４，１４の各第８折曲直線Ｌ９，Ｌ９側の部分において、上平板４を前後方向ＦＲに貫通する。
これにより、基準折曲直線ＬＸ（上平板４の板下縁４Ｂ）に第６間隔Ｐ６を隔てる第７折曲直線Ｌ７、各第９折曲直線Ｌ９，Ｌ９、各第１０折曲直線Ｌ１０，Ｌ１０、各第１３折曲直線Ｌ１３，Ｌ１３、及び各第１４折曲直線Ｌ１４，Ｌ１４は、各第２上側折曲穴１８，１８に隣接（連続）する。
右側の第２上側折曲穴１８は、図１９及び図２２に示すように、下側の第７折曲直線Ｌ７の右側の第０折曲直線Ｌ１０側の部分、右側の第９折曲直線Ｌ９の下側の第７折曲直線Ｌ７側の部分、右側の第１０折曲直線Ｌ１０の下側の第７折曲直線Ｌ側の部分、右側の第１３折曲直線Ｌ１３の右側の第２基点ＱＢ側の部分、及び右側の第１４折曲直線Ｌ１４の右側の第９折曲直線Ｌ９側の部分にわたって、上平板４を前後方向ＦＲに貫通する。
左側の第２上側折曲穴１８は、図２２及び図２３に示すように、下側の第７折曲直線Ｌ７の左側の第０折曲直線Ｌ１０側の部分、左側の第９折曲直線Ｌ９の下側の第７折曲直線Ｌ７側の部分、左側の第１０折曲直線Ｌ１０の下側の第７折曲直線Ｌ７側の部分、左側の第１３折曲直線Ｌ１３の左側の第２基点ＱＢ側の部分、及び左側の第１４折曲直線Ｌ１４の左側の第９折曲直線Ｌ９側の部分にわたって、上平板４を前後方向ＦＲに貫通する。
各第２上側折曲穴１８，１８は、図２２及び図２３に示すように、例えば、下側の第７折曲直線Ｌ７上の基点を中心とする扇状穴（円弧穴）であって、左右方向ＬＲにおいて、上平板４の各上側縁４Ｃ，４Ｄ及び各第１０折曲直線Ｌ１０，Ｌ１０の間に形成されて、下側の第７折曲直線Ｌ７、各第９折曲直線Ｌ９，Ｌ９、各第１３折曲直線Ｌ１３，Ｌ１３及び各第１４折曲直線Ｌ４，１４に隣接（連続）する。
【００８４】
上平板４において、板上縁４Ａ（基礎平板体１の板上縁１Ａ）は、上下方向ＵＤにおいて、上側の第７折曲直線Ｌ７に第６間隔Ｐ６（第６距離）を隔てて平行配置される。
上平板４の板上縁４Ａは、図１乃至図３、図１８、及び図２４乃至図２６に示すように、左右方向ＬＲに延在されて、各板上側縁４Ｃ，４Ｄに連続する。
上平板４の板上縁４Ａは、図２４に示すように、左右方向ＬＲにおいて、縦板中心線ＣＬ１の両側（右側、左側）に板縁長α１（同一の板縁長）を有して、上平板４の各板上側縁４Ｃ，４Ｄ及び各第８折曲直線Ｌ８，Ｌ８の間まで延在される。
【００８５】
上平板４において、基準折曲直線ＬＸである板下縁４Ｂは、図１乃至図３、図１９、図２４、図２６及び図２７に示すように、上下方向ＵＤにおいて、下側の第７折曲直線Ｌ７に第６間隔Ｐ６（第６距離）を隔てて平行配置される。
上平板４の板下縁４Ｂは、図１９及び図２４に示すように、左右方向ＬＲにおいて、各板上側縁４Ｃ，４Ｄに連続する。
上平板４の板下縁４Ｂは、図２４に示すように、左右方向ＬＲにおいて、縦板中心線ＣＬ１の両側（右側、左側）に板縁長α１（同一の板縁長）を有して、上平板４の各板上側縁４Ｃ，４Ｄ及び各第９折曲直線Ｌ９，Ｌ９の間まで延在される。
【００８６】
上平板４は、図２４に示すように、左右一対の第１板上側縁部４Ｆ，４Ｇ、左右一対の第２板上側縁部４Ｈ，４Ｉ、左右一対の第３板上側縁部４Ｊ，４Ｋ、左右一対の第４板上側縁部４Ｌ，４Ｍ、左右一対の第５板上側縁部４Ｎ，４Ｏ、左右一対の第６板上側縁部４Ｐ，４Ｑ、及び左右一対の第７板上側縁部４Ｒ，４Ｓを有する。
上平板４の板上側縁４Ｃ（右側の板上側縁）は、図２４に示すよう、右側の第１板上側縁部４Ｆ、右側の第２板上側縁部４Ｈ、右側の第３板上側縁部４Ｊ、右側の第４板上側縁部４Ｌ、右側の第５板上側縁部４Ｎ、右側の第６板上側縁部４Ｐ及び右側の第７板上側縁部４Ｒで構成され、上下方向ＵＤにおいて、上平板４の板上縁４Ａ（基礎平板体１の板上縁１Ａ）及び上平板４の板下縁４Ｂ（基準折曲直線ＬＸ）の間に配置される。
板上側縁４Ｃは、左右方向ＬＲにおいて、上平板４の板上縁４Ａの縁右端、及び上平板４の板下縁４Ｂの縁右端に連続する。
【００８７】
上平板４の板上側縁４Ｄ（左側の板上縁）は、図２４に示すように、左側の第１板上側縁部４Ｇ、左側の第２板上側縁部４Ｉ、左側の第３板上側縁部４Ｋ、左側の第４板上側縁部４Ｍ、左側の第５板上側縁部４Ｏ、左側の第６板上側縁部４Ｑ及び左側の第７板上側縁部４Ｓで構成され、上下方向ＵＤにおいて、上平板４の板上縁４Ａ（基礎平板体１の板上縁１Ａ）及び上平板４の板下縁４Ｂ（基準折曲直線ＬＸ）の間に配置される。
板上側縁４Ｄは、左右方向ＬＲにおいて、上平板４の板上縁４Ａの縁左端、及び上平板４の板下縁４Ｂの縁左端に連続する。
【００８８】
上平板４において、各板上側縁４Ｃ，４Ｄは、図２４に示すように、左右方向ＬＲにおいて、縦板中心線ＣＬ１に対して、左右対称である。
【００８９】
各板上側縁４Ｃ，４Ｄにおいて、各第１板上側縁部４Ｆ，４Ｇは、（右側の第１板上側縁部４Ｆ、左側の第１板上側縁部４Ｇ）は、図２４乃至図２６に示すように、左右方向ＬＲにおいて、上平板４の板上縁４Ａの各縁端に連続する。
各第１板上側縁部４Ｆ，４Ｇは、上平板４の板上縁４Ａとの各第９交点Ｑ９，Ｑ９において、各第９交点Ｑ９，Ｑ９の夫々から延在される。各第１板上側縁部４Ｆ，４Ｇは、図２５及び図２６に示すように、上平板４の板上縁４Ａ（基礎平板体１の板上縁１Ａ）に第３鋭角度θ３をなして、各第９交点Ｑ９，Ｑ９の夫々から各第１０折曲直線Ｌ４，Ｌ４に離間しつつ上平板４の板下縁４Ｂ（基準折曲直線ＬＸ）に延在される。
右側の第１板上側縁部４Ｆは、図２４及び図２５に示すように、上平板４の板上縁４Ａ（基礎平板体１の板上縁１Ａ）に第３鋭角度θ３をなして、右側の第９交点Ｑ９から各第１０折曲直線Ｌ４に離間しつつ上平板４の板下縁４Ｂに向けて延在される。
左側の第１板上側縁部４Ｇは、図２４及び図２６に示すように、上平板４の板上縁４Ａ（基礎平板体１の板上縁１Ａ）に第３鋭角度θ３をなして、左側の第９交点Ｑ９から各第１０折曲直線Ｌ４から離間しつつ上平板４の板下縁４Ｂに向けて延在される。
【００９０】
各板上側縁４Ｃ，４Ｄにおいて、各第２板上側縁部４Ｈ，４Ｉ（右側の第２板上側縁部４Ｈ、左側の第２板上側縁部４Ｉ）は、図２４、図２７及び図２８に示すように、左右方向ＬＲにおいて、上平板４の板下縁４Ｂの各縁端に連続する。
各第２板上側縁部４Ｈ，４Ｉは、上平板４の板下縁４Ｂとの各第１０交点Ｑ１０，Ｑ１０において、各第１０交点Ｑ１０，Ｑ１０から延在される。各第２板上側縁部４Ｈ，４Ｉは、図２４、図２７及び図２８に示すように、上平板４の板下縁４Ｂ（基準折曲直線ＬＸ）に第３鋭角度θ３をなして、各第１０交点Ｑ１０，Ｑ１０から各第１０折曲直線Ｌ４，Ｌ４に離間しつつ上平板４の板上縁４Ａ（基礎平板体１の板上縁１Ａ）に向けて延在される。
右側の第２板上側縁部４Ｈは、図２４及び図２７に示すように、上平板４の板下縁４Ｂ（基準折曲直線ＬＸ）に第３鋭角度θ３をなして、右側の第１０交点Ｑ１０から各第１０折曲直線Ｌ４に離間しつつ下平板３の板上縁３Ａ（基礎平板体１の板上縁１Ａ）に向けて延在される。
左側の第２板上側縁部４Ｉは、図２４及び図２８に示すように、上平板４の板下縁４Ｂ（基準折曲直線ＬＸ）に第３鋭角度θ３をなして、左側の第１０交点Ｑ１０から各第１０折曲直線Ｌ４に離間しつつ上平板４の板上縁４Ａ（基礎平板体１の板上縁１Ａ）に向けて延在される。
【００９１】
各板上側縁４Ｃ，４Ｄにおいて、各第３板上側縁部４Ｊ，４Ｋは、図２４乃至図２６に示すように、各第１板上側縁部４Ｆ，４Ｇの各縁端（各縁下端）に連続する。
各第３板上側縁部４Ｊ，４Ｋは、上下方向ＵＤにおいて、各第１板上側縁部４Ｆ，４Ｇから上平板４の板下縁４Ｂ（基準折曲直線ＬＸ）に向けて延在される。各第３板上側縁部４Ｊ，４Ｋは、図２４乃至図２６に示すように、上下方向ＵＤにおいて、各第１板上側縁部４Ｆ，４Ｇから板縁長α３を有して、上平板４の板下縁４Ｂ側（基準折曲直線ＬＸ側）に延在される。各第３板上側縁部４Ｊ，４Ｋは、各第１０折曲直線Ｌ１０，Ｌ１０に平行配置される。各第３板上側縁部４Ｊ，４Ｋは、左右方向ＬＲにおいて、下平板３の各第３板下側縁部３Ｊ，３Ｋと同一位置に配置される。
右側の第３板上側縁部４Ｊは、図２４及び図２５に示すように、上下方向ＵＤにおいて、右側の第１板上側縁部４Ｆから上平板４の板下縁４Ｂ（基準折曲直線ＬＸ）に向けて延在される。
左側の第３板上側縁部４Ｋは、図２４及び図２６に示すように、上下方向ＵＤにおいて、左側の第１板上側縁部４Ｇから上平板４の板下縁４Ｂ（基準折曲直線ＬＸ）に向けて延在される。
【００９２】
各板上側縁４Ｃ，４Ｄにおいて、各第４板上側縁部４Ｌ，４Ｍは、図２４、図２７及び図２８に示すように、各第２板上側縁部４Ｈ，４Ｉの各縁端（各縁下端）に連続する。
各第４板上側縁部４Ｌ，４Ｍは、上下方向ＵＤにおいて、各第２板上側縁部４Ｈ，４Ｉから上平板４の板上縁４Ａ（基礎平板体１の板上縁１Ａ）に向けて延在される。各第４板上側縁部４Ｌ，４Ｍは、図２７及び図２８に示すように、上下方向ＵＤにおいて、各第２板上側縁部４Ｈ，４Ｉから板縁長α３を有して、上平板４の板上縁４Ａ側（基礎平板体１の板上縁１Ａ側）に延在される。各第４板上側縁部４Ｌ，４Ｍは、各第１０折曲直線Ｌ１０，Ｌ１０に平行配置される。各第４板上側縁部４Ｌ，４Ｍは、左右方向ＬＲにおいて、下平板３の各第４板下側縁部３Ｌ，３Ｍと同一位置に配置される。
右側の第４板上側縁部４Ｌは、図２４及び図２７に示すように、上下方向ＵＤにおいて、右側の第２板上側縁部４Ｈから上平板４の板上縁４Ａ（基礎平板体１の板上縁１Ａ）に向けて延在される。
左側の第４板上側縁部４Ｍは、図２４及び図２８に示すように、上下方向ＵＤにおいて、左側の第２板上側縁部４Ｉから上平板４の板上縁４Ａ（基礎平板体１の板上縁１Ａ）に向けて延在される。
【００９３】
各板上側縁４Ｃ，４Ｄにおいて、各第５板上側縁部４Ｎ，４Ｏは、図２４乃至図２６に示すように、各第３板上側縁部４Ｊ，４Ｋの各縁端（各縁上端）に連続する。
各第５板上側縁部４Ｎ，４Ｏは、図２４及び図２６に示すように、各第３板上側縁部４Ｊ，４Ｋとの各第１１交点Ｑ１１，Ｑ１１において、各第１１交点Ｑ１１，Ｑ１１の夫々から延在される。
各第５板上側縁部４Ｎ，４Ｏは、図２４及び図２６に示すように、各第１１交点Ｑ１１，Ｑ１１を通り、及び各第７折曲直線Ｌ７，Ｌ７（上平板４の板上縁４Ａ）に平行する第３縁基準直線Ｌγに第４鋭角度θ４をなして、各第１１交点Ｑ１１，Ｑ１１の夫々から上平板４の板下縁４Ｂ（基準折曲直線ＬＸ）及び各第１２折曲直線Ｌ１２，Ｌ１２に向けて延在される。各第５板上側縁部４Ｎ，４Ｏは、図２４乃至図２６に示すように、各第１２折曲直線Ｌ１２，Ｌ１２に交差する。
右側の第５板上側縁部４Ｎは、図２４及び図２５に示すように、第３縁基準直線Ｌγに第４鋭角度θ４をなして、右側の第１１交点Ｑ１１から上平板４の板下縁４Ｂ（基準折曲直線ＬＸ）及び右側の第１２折曲直線Ｌ１２に向けて延在され、右側の第１２折曲直線Ｌ１２に交差する。
左側の第５板上側縁部４Ｏは、図２４及び図２６に示すように、第３縁基準直線Ｌγに第４鋭角度θ４をなして、左側の第１１交点Ｑ１１から上平板４の板下縁４Ｂ（基準折曲直線ＬＸ）及び左側の第１２折曲直線Ｌ１２に向けて延在され、左側の第１２折曲直線Ｌ１２に交差する。
【００９４】
各板上側縁４Ｃ，４Ｄにおいて、各第６板上側縁部４Ｐ，４Ｑは、図２４、図２７及び図２８に示すように、各第４板上側縁部４Ｌ，４Ｍの各縁端（各縁上端）に連続する。
各第６板上側縁部４Ｐ，４Ｑは、図２４、図２７及び図２８に示すように、各第４板上側縁部４Ｌ，４Ｍとの各第１２交点Ｑ１２，Ｑ１２において、各第１２交点Ｑ１２，Ｑ１２の夫々から延在される。
各第６板上側縁部４Ｐ，４Ｑは、図２４、図２７及び図２８に示すように、各第１２交点Ｑ１２，Ｑ２１を通り、及び各第７折曲直線Ｌ７，Ｌ７に平行する第４縁基準直線Ｌεに第４鋭角度θ４をなして、各第１２交点Ｑ１２，Ｑ１２から上平板４の板上縁４Ａ（基礎平板体１の板上縁１Ａ）及び各第１４折曲直線Ｌ１４，Ｌ１４に向けて延在される。各第６板上側縁部４Ｐ，４Ｑは、各第１４折曲直線Ｌ１４，Ｌ１４に交差する。
右側の第６板上側縁部４Ｐは、図２４及び図２７に示すように、第４縁基準直線Ｌεに第４鋭角度θ４をなして、右側の第１２交点Ｑ１２から上平板４の板上縁４Ａ（基礎平板体１の板上縁１Ａ）及び右側の第１４折曲直線Ｌ１４に向けて延在され、右側の第１４折曲直線Ｌ１４に交差する。
左側の第６板上側縁部４Ｑは、図２４及び図２８に示すように、第４縁基準直線Ｌεに第４鋭角度θ４をなして、左側の第１２交点Ｑ１２から上平板４の板上縁４Ａ（基礎平板体１の板上縁１Ａ）及び左側の第１４折曲直線Ｌ１４に向けて延在され、左側の第１４折曲直線Ｌ１４に交差する。
【００９５】
各板上側縁４Ｃ，４Ｄにおいて、各第７板上側縁部４Ｒ，４Ｓは、図２４乃至図２８に示すように、各第５板上側縁部４Ｎ，４Ｏの各縁端（各縁下端）、及び各第６板上側縁部４Ｐ，４Ｑの各縁端（各縁上端）に連続する。
各第７板上側縁部４Ｒ，４Ｓは、図２４乃至図２８に示すように、各第５板上側縁部４Ｎ，４Ｏ及び各第１２折曲直線Ｌ１２，Ｌ１２の各第１３交点Ｑ１３，Ｑ１３と、各第６板上側縁部４Ｐ，４Ｑ及び各第１４折曲直線Ｌ１４，Ｌ１４の各第１４交点Ｑ１４，Ｑ１４において、各第１３交点Ｑ１３，Ｑ１３及び各第１４交点Ｑ１４，Ｑ１４の間に配置される。
各第７板上側縁部４Ｒ，４Ｓは、図２４に示すように、左右方向ＬＲにおいて、各第１０折曲直線Ｌ１０，Ｌ１０に第９間隔Ｐ９（第９距離）を隔てて平行配置される。
各第７板上側縁部４Ｒ，４Ｓは、左右方向ＬＲにおいて、各第１０折曲直線Ｌ１０，Ｌ１０及び各第３板上側縁部４Ｊ，４Ｋ（各第４板上側縁部４Ｌ，４Ｍ）の間に配置される。各第７板上側縁部４Ｒ，４Ｓは、左右方向ＬＲにおいて、下平板３の各第７板下側縁部３Ｒ，３Ｓ及び各第１０折曲直線Ｌ１０，Ｌ１０（各第４折曲直線Ｌ４，Ｌ４）の間に配置され、下平板３の各第７板下側縁部３Ｒ，３Ｓより縦板中心線ＣＬ１側に位置する。
各第７板上側縁部４Ｒ，４Ｓは、上下方向ＵＤにおいて、各第１３交点Ｑ１３，Ｑ１３及び各第１４交点Ｑ１４，Ｑ１４の間に延在される。
各第７板上側縁部４Ｒ，４Ｓは、図２４乃至図２６に示すように、各第１３交点Ｑ１３，Ｑ１３において、各第５板上側縁部４Ｎ，４Ｏ及び各第１２折曲直線Ｌ１２，Ｌ１２に交差する。各第７板上側縁部４Ｒ，４Ｓは、図２４、図２７及び図２８に示すように、各第１４交点Ｑ１４，Ｑ１４において、各第６板上側縁部４Ｐ，４Ｑ及び各第１４折曲直線Ｌ１４，Ｌ１４に交差する。
各第７板上側縁部４Ｒ，４Ｓは、各第１３交点Ｑ１３，Ｑ１３及び各第１４交点Ｑ１４，Ｑ１４の間において、各第１１折曲直線Ｌ１１，Ｌ１１及び各第１３折曲直線Ｌ１３，Ｌ１３に交差する。
右側の第７板上側縁部４Ｒは、図２５に示すように、右側の第１３交点Ｑ１３及び右側の第１４交点Ｑ１４の間に延在され、右側の第１３交点Ｑ１３において、右側の第５板上側縁部４Ｎ及び右側の第１２折曲直線Ｌ１２に交差する。右側の第７板上側縁部４Ｒは、右側の第１４交点Ｑ１４において、右側の第６板上側縁部４Ｐ及び右側の第１４折曲直線Ｌ１４に交差する。右側の第７板上側縁部４Ｒは、図２４、図２５及び図２７に示すように、右側の第１３交点Ｑ１３及び右側の第１４交点Ｑ１４の間において、右側の第１１折曲直線Ｌ１１及び右側の第１３折曲直線Ｌ１３に交差する。
右側の第７板上側縁部４Ｒは、図２４に示すように、左右方向ＬＲにおいて、右側の第１０折曲直線Ｌ１０に第９間隔Ｐ９（第９距離）を隔てて平行配置される。
これにより、右側の第１０折曲直線Ｌ１０は、左右方向ＬＲにおいて、板上側縁４Ｃ（右側の板上側縁）の第７板上側縁部４Ｒに第９間隔Ｐ９（第９距離）を隔てて平行配置される。
左側の第７板上側縁部４Ｓは、図２６に示すように、左側の第１３交点Ｑ１３及び左側の第１４交点Ｑ１４の間に延在され、左側の第１３交点Ｑ１３において、左側の第５板上側縁部４Ｏ及び左側の第１２折曲直線Ｌ１２に交差する。左側の第７板上側縁部４Ｓは、左側の第１４交点Ｑ１４において、左側の第６板上側縁部４Ｑ及び左側の第１４折曲直線Ｌ１４に交差する。左側の第７板上側縁部４Ｓは、図２４、図２６及び図２８に示すように、左側の第１３交点Ｑ１３及び左側の第１４交点Ｑ１４の間において、左側の第１１折曲直線Ｌ１１及び左側の第１３折曲直線Ｌ１３に交差する。
左側の第７板上側縁部４Ｓは、図２４に示すように、左右方向ＬＲにおいて、左側の第１０折曲直線Ｌ１０に第９間隔Ｐ９（第９間隔Ｐ９）を隔てて平行配置される。
これにより、左側の第１０折曲直線Ｌ１０は、左右方向ＬＲにおいて、板上側縁４Ｄ（左側の板上側縁）の第７板上側縁部４Ｓに第９間隔Ｐ９（第９間隔）を隔てて平行配置される。
【００９６】
上平板４は、図１乃至図３、図１８及び図１９に示すように、押え平板部１９、押え窓穴２０、第１上側脚平板部２１、第２上側脚平板部２２、左右一対の上側立上げ平板部２３，２４、左右一対の第３保形平板部２５，２６及び左右一対の第４保形平板部２７，２８で構成される。
【００９７】
上平板４において、押え平板部１９は、図１乃至図３に示すように、各第７折曲直線Ｌ７，Ｌ７、及び各第１０折曲直線Ｌ１０，Ｌ１０とで区画される。押え平板部１９は、例えば、左右方向ＬＲに長い長方形（矩形状）に形成される。
【００９８】
押え窓穴２０は、図１乃至図４、図６、図１８及び図１９に示すように、押え平板部１９に形成される。押え窓穴２０は、前後方向ＦＲ（板厚方向）において、押え平板部１９を貫通して押え平板部１９の表面１９Ｘ（表平面）及び裏面１９Ｙ（裏平面）に開口される。
押え窓穴２０は、図４、図６、図１８及び図１９に示すように、窓穴上縁２０Ａ（押え窓穴上縁）、窓穴下縁２０Ｂ（押え窓穴下縁）、窓穴右縁２０Ｃ（押え窓穴右縁）、及び窓穴左縁２０Ｄ（押え窓穴左縁）でなる押え窓穴縁を有して、長方形の窓穴に形成される。
【００９９】
押え窓穴２０の窓穴上縁２０Ａは、図１８に示すように、上下方向ＵＤにおいて、上側の第７折曲直線Ｌ７（上平板４の板上縁４Ａに第６間隔Ｐ６を隔てる第７折曲直線）に第１窓穴間隔Ｐａを隔てて平行配置される。窓穴上縁２０Ａは、左右方向ＬＲに延在されて、窓穴右縁２０Ｃ及び窓穴左縁２０Ｄに直交する。
【０１００】
押え窓穴２０の窓穴下縁２０Ｂは、図１９に示すように、上下方向ＵＤにおいて、下側の第７折曲直線Ｌ７（上平板４の板下縁４Ｂに第６間隔Ｐ６を隔てる第７折曲直線Ｌ７）に第１窓穴間隔Ｐを隔てて平行配置される。窓穴下縁２０Ｂは、左右方向ＬＲに延在されて、窓穴右縁２０Ｃ及び窓穴左縁２０Ｄに直交する。
押え窓穴２０において、窓穴上縁２０Ａ及び窓穴下縁２０Ｂは、上下方向ＵＤにおいて、相互に第２窓穴間隔Ｐｂを隔てて平行配置される。
【０１０１】
押え窓穴２０の窓穴右縁２０Ｃは、図１８及び図１９に示すように、左右方向ＬＲにおいて、右側の第１０折曲直線Ｌ１０（上平板４の板上側縁４Ｃに第９間隔Ｐ９を隔てる第１０折曲直線）に第３窓穴間隔Ｐｃを隔てて平行配置される。窓穴右縁２０Ｃは、上下方向ＵＤに延在されて、窓穴上縁２０Ａ及び窓穴下縁２０Ｂに直交する。
【０１０２】
押え窓穴２０の窓穴左縁２０Ｄは、図１８及び図１９に示すように、左右方向ＬＲにおいて、左側の第１０折曲直線Ｌ１０（上平板４の板上側縁４Ｄに第９間隔Ｐ９を隔てる第１０折曲直線）に第３窓穴間隔Ｐｃを隔てて平行配置される。窓穴左縁２０Ｄは、上下方向ＵＤに延在さされて、窓穴上縁２０Ａ及び窓穴下縁２０Ｂに直交する。
押え窓穴２０において、窓穴右縁２０Ｃ及び窓穴左縁２０Ｄは、左右方向ＬＲにおいて、相互に第４窓穴間隔Ｐｃを隔てて平行配置される。
【０１０３】
第１上側脚平板部２１は、図１乃至図３、及び図１８に示すように、基礎平板体１の板上縁１Ａ（上平板４の板上縁４Ａ）、基礎平板体１の板上縁１Ａ（上平板４の板上縁４Ａ）に第６間隔Ｐ６を隔てる第７折曲直線Ｌ７（上側の第７折曲直線）、及び各第８折曲直線Ｌ８，Ｌ８とで区画される。第１上側脚平板部２１は、例えば、左右方向ＬＲに長い長方形（矩形状）に形成される。
第１上側脚平板部２１は、上側の第７折曲直線Ｌ７及び各第８折曲直線Ｌ８，Ｌ８に連設される。
これにより、第１上側脚平板部２１は、図１乃至図３、及び図１８に示すように、上下方向ＵＤにおいて、上側の第７折曲直線Ｌ７に沿って押え平板部１９に隣接（連設）されて、押え平板部１９の上側に配置される。
【０１０４】
上平板４において、上側の第７折曲直線Ｌ７は、図１乃至図３、及び図１８に示すように、押え平板部１９及び第１上側脚平板部２１の境（境界線）となる。
【０１０５】
第２上側脚平板部２２は、図１乃至図３、図１９に示すように、基準折曲直線ＬＸ（上平板４の板下縁４Ｂ）、下側の第７折曲直線Ｌ７（上平板４の板下縁４Ｂに第６間隔Ｐ６を隔てる第７折曲直線）、及び各第９折曲直線Ｌ９，Ｌ９とで区画される。第２上側脚平板部２２は、第１上側脚平板部２１と同一形状であって、左右方向ＬＲに長い長方形（矩形状）に形成される。
第２上側脚平板部２２は、基準折曲直線ＬＸ（上平板４の板下縁４Ｂ）、下側の第７折曲直線Ｌ７及び各第９折曲直線Ｌ９，ｌ９に連設される。
これにより、第２上側脚平板部２２は、図１乃至図３、及び図１９に示すように、上下方向ＵＤにおいて、下側の第７折曲直線Ｌ７に沿って押え平板部１９に隣接（連設）されて、押さ平板部１９の下側に配置される。
第２上側脚平板部２２は、図１乃至図３、及び図９に示すように、上下方向ＵＤにおいて、基準折曲直線ＬＸに沿って下平板３の第１下側脚平板部９に隣接（連設）されて、第１下側脚平板部９の上側に配置される。
【０１０６】
上平板４において、下側の第７折曲直線Ｌ７は、図１乃至図３、及び図９に示すように、押え平板部１９及び第２上側脚平板部２２の境（境界線）となる。
【０１０７】
各上側立上げ平板部２３，２４（右側の上側立上げ平板部２３、左側の上側立上げ平板部２４）は、図１乃至図３、図１８及び図１９に示すように、各第１０折曲直線Ｌ１０，Ｌ１０、各第１１折曲直線Ｌ１１，Ｌ１１、各第１３折曲直線Ｌ１３，Ｌ１３、及び上平板４の各板上側縁４Ｃ，４Ｄ（各第７板上側縁部４Ｒ，４Ｓ）とで区画される。
上側立上げ平板部２３（右側）は、図１乃至図３、図１８及び図１９に示すように、右側の第１０折曲直線Ｌ１０、右側の第１１折曲直線Ｌ１０、右側の第１３折曲直線Ｌ１３、及び上平板４の板上側縁４Ｃ（第７板上側縁部４Ｒ）とで区画される。
上側立上げ平板部２４（左側）は、図１乃至図３、図１８及び図１９に示すように、左側の第１０折曲直線Ｌ１０、左側の第１１折曲直線Ｌ１０、左側の第１３折曲直線Ｌ１３、及び上平板４の板上側縁４Ｄ（第７板上側縁部４Ｓ）とで区画される。
各上側立上げ平板部２３，２４は、各第１０折曲直線Ｌ１０，Ｌ１０、各第１１折曲直線Ｌ１１，Ｌ１１及び各第１３折曲直線Ｌ１３，Ｌ１３に連設される。
これにより、上側立上げ平板部２３（右側）は、図１乃至図３、図１８及び図１９に示すように、左右方向ＬＲにおいて、右側の第１０折曲直線Ｌ１０に沿って押え平板部１９に隣接（連設）されて、押え平板部１９の右側に配置される。
上側立上げ平板部２４（左側）は、図１乃至図３、図１８及び図１９に示すように、左右方向ＬＲにおいて、左側の第１０折曲直線Ｌ１０に沿って押え平板部１９に隣接（連設）されて、押え平板部１９の左側に配置される。
【０１０８】
上平板４において、各第１０折り曲げ直線Ｌ１０，Ｌ１０は、図１乃至図３、図１８及び図１９に示すように、押え平板部１９及び各上側立上げ平板部２３，２４の境（境界線）となる。
【０１０９】
各第３保形平板部２５，２６（右側の第３保形平板部２５、左側の第３保形平板部２６）は、図１乃至図３、図１８、図２０及び図２１に示すように、上平板４の各板上側縁４Ｃ，４Ｄ（各第１板上側縁部４Ｆ，４Ｇ、各第３板上側縁部４Ｊ，４Ｋ、各第６板上側縁部４Ｐ，４Ｑ及び各第７板上側縁部４Ｒ，４Ｓ）、上平板４の板上縁４Ａ（基礎平板体１の板上縁１Ａ）、各第８折曲直線Ｌ８，Ｌ８、及び各第１１折曲直線Ｌ１１，Ｌ１１とで区画される。
第３保形平板部２５（右側）は、図１８及び図２０に示すように、上平板４の板上側縁４Ｃ（第１板上側縁部４Ｆ、第３板上側縁部４Ｊ、第５板上側縁部４Ｎ及び第７板上側縁部４Ｒ）、上平板４の板上縁４Ａ（基礎平板体１の板上縁１Ａ）、右側の第８折曲直線Ｌ８、及び右側の第１１折曲直線Ｌ１１とで区画される。
第３保形平板部２６（左側）は、図１８及び図２１に示すように、上平板４の板上側縁４Ｄ（第１板上側縁部４Ｇ、第３板上側縁部４Ｋ、第５板上側縁部４Ｏ及び第７板上側縁部４Ｓ）、上平板４の板上縁４Ａ（基礎平板体１の板上縁１Ａ）、左側の第８折曲直線Ｌ８、及び左側の第１１折曲直線Ｌ１１とで区画される。
第３保形平板部２５は、右側の第８折曲直線Ｌ８に連設される。これにより、第３保形平板部２５は、図１乃至図３、及び図１８に示すように、左右方向ＬＲにおいて、右側の第８折曲直線Ｌ８に沿って第１上側脚平板部２１に隣接（連設）されて、第１上側脚平板部２１の右側に配置される。
第３保形平板部２５は、図１乃至図３、及び図１８に示すように、右側の第１１折曲直線Ｌ１１に連設される。これにより、第３保形平板部２５は、上下方向ＵＤにおいて、右側の第１１折曲直線Ｌ１１に沿って上側立上げ平板部２３（右側）に隣接（連設）されて、上側立上げ平板部２３の上側に配置される。
第３保形平板部２６（左側）は、図１乃至図３、及び図１８に示すように、左側の第８折曲直線Ｌ８に連設される。これにより、第３保形平板部２６は、左側の第８折曲直線Ｌ８に沿って第１上側脚平板部２１に隣接（連設）されて、第１上側脚平板部２１の左側に配置される。
第３保形平板部２６（左側）は、図１乃至図３、及び図１８に示すように、左側の第１１折曲直線Ｌ１１に連設される。これにより、第３保形平板部２６は、上下方向ＵＤにおいて、左側の第１１折曲直線Ｌ１１に沿って上側立上げ平板部２４（左側）に隣接（連設）されて、上側立上げ平板部２４の上側に配置される。
【０１１０】
上平板４において、各第８折曲直線Ｌ８，Ｌ８は、図１乃至図３、及び図１８に示すように、第１上側脚平板部２１及び各第３保形平板部２５，２６の境（境界線）となる。
上平板４において、各第１１折曲直線Ｌ１１，Ｌ１１は、図１乃至図３、及び図１８に示すように、各上側立上げ平板部２３，２４及び各第３保形平板部２５，１６の境（境界線）となる。
【０１１１】
各第４保形平板部２７，２８（右側の第４保形平板部２７、左側の第４保形平板部２８）は、図１乃至図３、図１９、図２２及び図２３に示すように、各基準切込直線ＬＹ，ＬＹ（上平板４の板下縁４Ｂ）、上平板４の各板上側縁４Ｃ，４Ｄ（各第２板上側縁部４Ｈ，４Ｉ、各第４板上側縁部４Ｌ，４Ｍ、各第６板上側縁部４Ｐ，４Ｑ及び各第７板上側縁部４Ｒ，４Ｓ）、各第９折曲直線Ｌ９，Ｌ９、及び各第１３折曲直線Ｌ１３，Ｌ１３とで区画される。
第４保形平板部２７（右側）は、図１９及び図２７に示すように、右側の基準切込直線ＬＹ（上平板４の板下縁４Ｂ）、上平板４の板上側縁４Ｃ（第２板上側縁部４Ｈ、各第４板上側縁部４Ｌ、第６板上側縁部４Ｐ及び第７板上側縁部４Ｒ）、右側の第９折曲直線Ｌ９、及び右側の第１３折曲直線Ｌ１３とで区画される。
第４保形平板部２８（左側）は、図１９及び図２８に示すように、左側の基準切込直線ＬＹ（上平板４の板下縁４Ｂ）、上平板４の板上側縁４Ｄ（第２板上側縁部４Ｉ、第４板上側縁部４Ｍ、第６板上側縁部４Ｑ及び第７板上側縁部４Ｓ）、左側の第９折曲直線Ｌ９、及び左側の第１３折曲直線Ｌ１３とで区画される。
第４保形平板部２７（右側）は、右側の第９折曲直線Ｌ９に連設される。これにより、第４保形平板部２７は、図１乃至図３、及び図１９に示すように、左右方向ＬＲにおいて、右側の第９折曲直線Ｌ９に沿って第２上側脚平板部２２に隣接（連設）されて、第２上側脚平板部２２の右側に配置される。
第４保形平板部２７は、右側の基準切込直線ＬＹに連設される。これにより、第４保形平板部２７は、図１乃至図３、及び図１９に示すように、上下方向ＵＤにおいて、右側の基準切込直線ＬＹに沿って下平板３の第１保形平板部１３に隣接（連設）されて、第１保形平板部１３の上側に配置される。
第４保形平板部２７は、右側の第１３折曲直線Ｌ１３に連設される。これにより、第４保形平板部２７は、図１乃至図３、及び図１９に示すように、上下方向ＵＤにおいて、右側の第１３折曲直線Ｌ１３に沿って上側立上げ平板部２３（右側）に隣接（連設）されて、上側立上げ平板部２３の下側に配置される。
第４保形平板部２８（左側）は、左側の第９折曲直線Ｌ９に連設される。これにより、第４保形平板部２７は、図１乃至図３、及び図１９に示すように、左右方向ＬＲにおいて、左側の第９折曲直線Ｌ９に沿って第２上側脚平板部２２に隣接（連設）されて、第２上側脚平板部２２の左側に配置される。
第４保形平板部２７は、左側の基準切込直線ＬＹに連設される。これにより、第４保形平板部２７は、上下方向ＵＤにおいて、左側の基準切込直線ＬＹに沿って下平板３の第１保形平板部１４に隣接（連設）されて、第１保形平板部１４の上側に配置される。
第４保形平板部２７は、左側の第１３折曲直線Ｌ１３に連設される。これにより、第４保形平板部２７は、上下方向ＵＤにおいて、左側の第１３折曲直線Ｌ１３に沿って上側立上げ平板部２４（左側）に隣接（連設）されて、上側立上げ平板部２４の下側に配置される。
【０１１２】
上平板４において、各第９折曲直線Ｌ９，Ｌ９は、図１乃至図３、及び図１９に示すように、第２上側脚平板部２２及び各第４保形平板部２７，２８の境（境界線）となる。
上平板４において、各第１３折曲直線Ｌ１３，Ｌ１４は、図１乃至図３、及び図１９に示すように、各上側立上げ平板部２３，２４及び各第４保形平板部２７，２８の境（境界線）となる。
【０１１３】
〈押えシート２〉
押えシート２（押えフィルム）は、図１乃至図８、図１８及び図１９に示すように、下平板３の表面３Ｘ、及び上平板４の表面４Ｘに積層（積載）される。
押えシート２は、第１押えシート部２Ａ、及び第２押えシート部２Ｂを有する。第１及び第２押えシート部２Ａ、２Ｂは、例えば、長方形に形成される。
【０１１４】
第１押えシート部２Ａは、図１乃至図３、図７及び図８に示すように、積載平板部７の表面７Ｘ（表平板）に積層される。
第１押えシート部２Ａは、積載窓穴８（積載窓穴８の全開口）を覆って、積載平板部７の表面７Ｘ（下平板３の表面３Ｘ）に積層される。第１押えシート部２Ａは、弛みがなく、張った状態において、積載窓穴８を覆って配置される。
第１押えシート部２Ａは、積載窓穴８の全窓穴縁であって、窓穴上縁８Ａ、窓穴下縁８Ｂ、窓穴右縁８Ｃ及び窓穴左縁８Ｄに沿って下平板３の表面３Ｘ（表平面）に固定（貼着）される。
【０１１５】
第２押えシート部２Ｂは、図１乃至図３、図１８及び図１９に示すように、押え平板部１９の表面１９Ｘ（表平面）に積層される。
第２押えシート部２Ｂは、押え窓穴２０（押え窓穴２０の全開口）を覆って、押さ平板部１９の表面１９Ｘ（上平板４の表面４Ｘ）に積層される。第２押えシート部２Ｂは、弛みがなく、張った状態において、押え窓穴２０を覆って配置される。
第２押えシート部２Ｂは、押え窓穴２０の全窓穴縁であって、窓穴上縁２０Ａ、窓穴下縁２０Ｂ、窓穴右縁２０Ｃ及び窓穴左縁２０Ｄに沿って上平板４の表面４Ｘ（表平面）に固定（貼着）される。
【０１１６】
押えシート２（第１及び第２押えシート部２Ａ，２Ｂ）は、伸縮性（可撓性）を有するシート材（フィルム材）で形成される。押えシート２は、例えば、ポリウレタン系熱可塑性樹脂を原料とする透明フィルムを使用する（フィルム厚さは、１０〜３００μｍ）。
第１及び第２押えシート部２Ａ，２Ｂにおいて、例えば、ポリウレタン系熱可塑性樹脂を原料とする透明フィルムを使用すると、ヒートシール（熱圧着）により、下平板３の表面３Ｘ、上平板４の表面４Ｘに固着（固定）できる。
押えシート２は、図１及び図３に示すように、例えば、１枚のシート（フィルム）によって、第１押えシート部２Ａ及び第２押えシート部２Ｂを構成して、下平板３及び上平板４にわたって基礎平板体１の表面１Ａに配置して、下平板３の表面３Ｘ及び上平板４の表面４Ｘに固定する。なお、押えシート２は、２枚のシート（フィルム）にて第１押えシート部２Ａ及び第２押えシート部２Ｂを構成し、１枚のシート（フィルム）でなる第１押えシート部２Ａを下平板３の表面３Ｘに固定し、１枚のシート（フィルム）でなる第２押えシート部２Ｂを上平板４の表面４Ｘに固定する構成も採用できる（以下、実施形態２及び実施形態３も同様）。
【０１１７】
押えシート２は、積載窓穴８の内側に位置する第１押えシート部２Ａ、及び押え窓穴２０の内側に位置する第２押えシート部２Ｂの間に物品（商品）を配置して、物品（商品）を第１及び第２押えシート部２Ａ，２Ｂにて挟持して定着する（図３７参照）。
【０１１８】
＜物品（商品）の梱包＞
次に、梱包用緩衝材Ｘ１を組立てて、物品Ｚ（商品）を梱包する要領（組立て梱包方法）について、図２９乃至図３７を参照して説明する。
【０１１９】
先ず、展開した梱包用緩衝材Ｘ１において、物品Ｚ（商品）を下平板３の表面３Ｘに積載（載置）する（図２９参照）。
物品Ｚは、図２９に示すように、下平板３の表面３Ｘから積載窓穴８内（積載窓穴８の内側）に配置されて、第１押えシート部２Ａ（第１押えシート部２Ａの表面）上に積載（載置）される。
このとき、物品Ｚは、積載窓穴８の積載窓穴縁であって、窓穴上縁８Ａ、窓穴下縁８Ｂ、窓穴右縁８Ｃ及び窓穴左縁８Ｄに接触することなく、積載窓穴８の内側の第１押えシート部２Ａ上（第１押えシート部２Ａの表面上）に積載（載置）される。
【０１２０】
図２９及び図３０において、上平板４を、基準折曲直線ＬＸに沿って下平板３の表面３Ｘに折返す。上平板４は、表面４Ｘを下平板３の表面３Ｘに向けて、基準折曲直線ＬＸに沿って下平板３の表面３Ｘに折返される。
このとき、第２上側脚平板部２２は、図２９及び図３０に示すように、第２上側脚平板部２２の表面２２Ｘを第１下側脚平板部９の表面９Ｘに向けて、基準折曲直線ＬＸに沿って第１下側脚平板部９の表面９Ｘ（表平面）に折返される。
各第４保形平板部２７，２８は、図２９及び図３０に示すように、各第４保形平板部２７，２８の表面２７Ｘ，２８Ｘを各第１保形平板部１３，１４の表面１３Ｘ，１４Ｘに向けて、各基準切込直線ＬＹ，ＬＹ（基準折曲直線ＬＸ）に沿って各第１保形平板部１３，１４の表面１３Ｘ，１４Ｘ（表平面）に折返される。
これにより、上平板４は、基準折曲直線ＬＸを境（境界線）として下平板３の表面３Ｘに重ねて配置される。
第２上側脚平板部２２は、基準折曲直線ＬＸを境（境界線）として第１下側脚平板部９に重ねて配置される。
各第４保形平板部２７，２８は、各基準切込直線ＬＹ，ＬＹ（基準折曲直線ＬＹ）を境（境界線）として各第１保形平板部１３，１４の表面１３Ｘ，１４Ｘ（表平面）に重ねて配置される。
【０１２１】
押え平板部１９は、図２９及び図３０に示すように、上平板４を下平板３の表面３Ｘに折返した状態において、積載平板部７の表面７Ｘに重ねて配置される。  
【０１２２】
押え窓穴２０は、図２９及び図３０に示すように、上平板４を下平板３の表面３Ｘに折返した状態において、積載窓穴８に重ねて配置される。
【０１２３】
第１上側脚平板部２１は、図２９及び図３０に示すように、上平板４を下平板３の表面３Ｘに折返した状態において、第１上側脚平板部２１の表面２１Ｘを第２下側脚平板部１０の表面１０Ｘに向けて、第２下側脚平板部１０の表面１０Ｘ（表平面）に重ねて配置される。
各上側立上げ平板部２３，２４は、図２９及び図３０に示すように、上平板４を下平板３の表面３Ｘに折返した状態において、各上側立上げ平板部２３，２４の表面２３Ｘ，２４Ｘを各下側立上げ平板部１１，１２の表面１１Ｘ，１２Ｘに向けて、各下側立上げ平板部１１，１２の表面１１Ｘ，１２Ｘ（表平面）に重ねて配置される。
各第３保形平板部２５，２６は、図２９及び図３０に示すように、上平板４を下平板３の表面３Ｘに折返した状態において、各第３保形平板部２５，２６の表面２５Ｘ，２６Ｘを各第２保形平板部１５，１６の表面１５Ｘ，１６Ｘに向けて、各第２保形平板部１５，１６の表面１５Ｘ，１６Ｘ（表平面）に重ねて配置される。
上平板４は、図３０に示すように、下平板３の表面３Ｘに重ねた状態において、各第１１折曲直線Ｌ１１，Ｌ１１及び各第１２折曲直線Ｌ１２，Ｌ１２の間（各第１３間隔Ｐ１３）に、下平板３の各第６折曲直線Ｌ６，Ｌ６を配置する。
上平板４は、図３０に示すように、下平板３の表面３Ｘに重ねた状態において、各第１３折曲直線Ｌ１３，Ｌ１３及び各第１４折曲直線Ｌ１４，Ｌ１４の間（各第１３間隔Ｐ１３）に、下平板３の各第５折曲直線Ｌ５，Ｌ５を配置する。
【０１２４】
押えシート２において、第２押えシート部２Ｂは、図２９及び図３０に示すように、上平板４を下平板３の表面３Ｘに折返した状態において、第２押えシート部２Ｂの表面を第１押えシート部２Ａの表面に向けて、第１押えシート部２Ａの表面に重ねて配置される。
第２押えシート部２Ｂは、図２９及び図３０に示すように、上平板４を下平板３の表面３Ｘに折返した状態において、第１押えシート部２Ａ上の物品Ｚ（商品）を覆って、物品Ｚに当接される。
このとき、第１押えシート部２Ａ上の物品Ｚ（商品）は、押え窓穴２０の押え窓穴縁であって、窓穴上縁２０Ａ，窓穴下縁２０Ｂ、窓穴右縁２０Ｃ及び窓穴左縁２０Ｄに接触することなく、押え窓穴２０の内側（押え窓穴２０内）に位置する第２押えシート部２Ｂに当接される。
これにより、押えシート２は、積載窓穴８の内側に位置する第１押えシート部２Ａ、及び押え窓穴２０の内側に位置する第２押えシート部２Ｂの間に、物品Ｚ（商品）を配置する。
【０１２５】
続いて、図３０乃至図３７に示すように、重ね配置された第１下側脚平板部９及び第２上側脚平板部２２を、上側の第１折曲直線L１及び上側の第７折曲直線Ｌ７に沿って、積載平板部７の裏面７Ｙ側及び押え平板部１９の表面１９Ｘ側（第１押えシート部２Ａの裏面側）に折曲げる。
このとき、第１下側脚平板部９は、基準折曲直線ＬＸ（下平板３の板上縁３Ａ）に第６間隔Ｐ６を隔てる第１折曲直線Ｌ１（上側の第７折曲直線）に沿って、積載平板部７の裏面７Ｙ側に折曲げられる。
第２上側脚平板部２２は、基準折曲直線ＬＸ（上平板４の板下縁４Ｂ）に第６間隔Ｐ６を隔てる第７折曲直線Ｌ７（下側の第７折曲直線）に沿って、押え平板部１９の表面１９Ｘ側に折曲げられる。
これにより、第１下側脚平板部９は、図３７に示すように、積載平板部７の裏面７Ｙに立下げ角度θＡをなして、上側の第１折曲直線Ｌ１に沿って積載平板部７の裏面７Ｙ側に立下げられる。第１下側脚平板部９は、上側の第１折曲直線Ｌ１を境（境界線）として、積載平板部７の裏面７Ｙ側（第１押えシート部２Ａの裏面側）に立下げられる。
第２上側脚平板部２２は、図３７に示すように、押え平板部１９の表面１９Ｘに立下げ角度θＡをなして、下側の第７折曲直線Ｌ７に沿って押え平板部１９の表面１９Ｘ側に立下げられる。立下げた第２上側平板部２２は、図３４及び図３７に示すように、立下げた第１下側脚平板部９の表面９Ｘに当接して、第１下側脚平板部９の表面９Ｘに重ねられる。第２上側脚平板部２２は、下側の第７折曲直線Ｌ７を境（境界線）として、立下げられた第１下側脚平板部９の表面９Ｘに重ねられて、押え平板部１９の表面１９Ｘ側に立下げられる。
このように、重ね配置された第１下側脚平板部９及び第２上側脚平板部２２は、同時に、積載平板部７の裏面７Ｙ及び押え平板部１９の表面１９Ｘに折曲げられて、積載平板部７の裏面７Ｙ側及び押え平板部１９の表面１９Ｘ側に立下げられる。
【０１２６】
図３０乃至図３７に示すように、重ね配置された第２下側脚平板部１０及び第１上側脚平板部２１を、下側の第１折曲直線Ｌ１及び下側の第７折曲直線Ｌ７に沿って、積載平板部７の裏面７Ｙ及び押え平板部１９の表面１９Ｘに折曲げられる。
このとき、第２下側脚平板部１０は、基礎平板体１の板下縁１Ｂ（下平板３の板下縁３Ｂ）に第１間隔Ｐ１を隔てる第１折曲直線Ｌ１（下側の第１折曲直線）に沿って、積載平板部７の裏面７Ｙに折曲げられる。
第１上側脚平板部２１は、基礎平板体１の板上縁１Ａ（上平板４の板上縁１Ａ）に第６間隔Ｐ６を隔てる第７折曲直線Ｌ７（上側の第７折曲直線）に沿って、押え平板部１９の表面１９Ｘに折曲げられる。
これにより、第２下側脚平板部１０は、図３７に示すように、積載平板部７の裏面７Ｙに立下げ角度θＡをなして、下側の第１折曲直線Ｌ１に沿って、積載平板部７の裏面７Ｙ側に立下げられる。第２下側脚平板部１０は、下側の第１折曲直線Ｌ１を境（境界線）として、積載平板部７の裏面７Ｙ側に立下げられる。
第１上側脚平板部２１は、図３７に示すように、押え平板部１９の表面１９Ｘに立下げ角度θＡをなして、上側の第７折曲直線Ｌ７に沿って押え平板部１９の表面１９Ｘ側に立下げられる。立下げた第１上側脚平板部２１は、図３４及び図３７に示すように、立下げた第２下側脚平板部１０の表面１０Ｘに当接して、第２下側脚平板部１０の表面１０Ｘに重ねられる。第１上側脚平板部２１は、上側の第７折曲直線Ｌ１０を境（境界線）として、立下げられた第２下側脚平板部１０に重ねられて、押え平板部１９の表面１９Ｘ側に立下げられる。
このように、重ね配置された第２下側脚平板部１０及び第１上側脚平板部２１は、同時に、積載平板部７の裏面７Ｙ及び押え平板部１９の表面１９Ｘに折曲げられて、積載平板部７の裏面７Ｙ側及び押え平板部１９の表面１９Ｘ側に立下げられる。
【０１２７】
図３０乃至図３４に示すように、重ね配置された下側立上げ平板部１１及び上側立上げ平板部２３は、各下側脚平板部９，１０及び各上側脚平板部２１，２２の立下げに伴って、右側の第４折曲直線Ｌ４及び右側の第１０折曲直線Ｌ１０に沿って、積載平板部７の表面７Ｘ側（第１押えシート部２Ａの表面側）及び押え平板部１９の裏面１９Ｙ側（第２押えシート部２Ｂの裏面側）に立上げられる。
このとき、右側の下側立上げ平板部１１は、図３１乃至図３３に示すように、第１及び第２下側脚平板部９，１０の立下げに伴って、下平板３の板下側縁３Ｃ（第７板下側縁部３Ｒ）に第３間隔Ｐ３を隔てる第４折曲直線Ｌ４（右側の第４折曲直線Ｌ４）に沿って、積載平板部７の表面７Ｘ側に折曲げられる。
右側の上側立上げ平板部２３は、図３１乃至図３３に示すように、第１及び第２上側脚平板部２１，２２の立下げに伴って、上平板４の板上側縁４Ｃ（第７板上側縁部４Ｒ）に第９間隔Ｐ９を隔てる第１０折曲直線Ｌ１０（右側の第１０折曲直線Ｌ１０）に沿って、押え平板部１９の裏面１９Ｙ側に折曲げられる。
これにより、右側の下側立上げ平板部１１は、図３３に示すように、積載平板部７の表面７Ｘに立上げ角度θＢをなして、右側の第４折曲直線Ｌ４に沿って積載平板部７の表面７Ｘ側に立上げられる。右側の下側立上げ平板部１１は、右側の第４折曲直線Ｌ４を境（境界線）として、積載平板部７の表面７Ｘ側に立上げられる。
右側の上側立上げ平板部２３は、図３３に示すように、押え平板部１９の裏面１９Ｙに立上げ角度θＢをなして、右側の第１０折曲直線Ｌ１０に沿って押え平板部１９の裏面１９Ｙ側に立上げられる。立上げられた上側立上げ平板部２３は、図３１乃至図３３に示すように、立上げられた下側立上げ平板部１１の表面１１Ｘ（表平面）に当接して、下側立上げ平板部１１の表面１１Ｘに重ねられる。右側の上側立上げ平板部２３は、右側の第１０折曲直線L１０を境（境界線）として、立上げられた下側立上げ平板部１１に重ねられて、押え平板部１９の裏面Ｙ側に立上げられる。
このように、右側の下側立上げ平板部１１及び右側の上側立上げ平板部２３は、各下側脚平板部９，１０及び各上側脚平板部２１，２２の立下げに伴って、積載平板部７の表面７Ｘ側及び押え平板部１９の裏面１９Ｙ側に立上げられる。
なお、「各下側脚平板部９，１０及び各上側脚平板部２１，２２の立下げに伴って、」とは、「各下側脚平板部９，１０及び各上側脚平板部２１，２２の立下げに連動して、」とも言える（以下、同様）。
【０１２８】
図３０乃至図３４に示すように、重ね配置された下側立上げ平板部１２及び上側立上げ平板部２３は、各下側脚平板部９，１０及び各上側脚平板部２１，２２の立下げに伴って、左側の第４折曲直線Ｌ４及び左側の第１０折曲直線Ｌ１０に沿って、積載平板部７の表面７Ｘ側及び押え平板部１９の裏面１９Ｙ側に立上げられる。
このとき、左側の下側立上げ平板部１２は、図３１乃至図３３に示すように、第１及び第２下側脚平板部９，１０の立下げに伴って、下平板３の板下側縁３Ｄ（第７板下側縁部３Ｓ）に第３間隔Ｐ３を隔てる第４折曲直線Ｌ４（左側の第４折曲直線Ｌ４）に沿って、積載平板部７の表面７Ｘ側に折曲げられる。
左側の上側立上げ平板部２４は、図３１乃至図３３に示すように、第１及び第２上側脚平板部２１，２２の立下げに伴って、上平板４の板上側縁４Ｄ（第７板上側縁部４Ｓ）に第９間隔Ｐ９を隔てる第１０折曲直線Ｌ１０（左側の第１０折曲直線Ｌ１０）に沿って、押え平板部１９の裏面１９Ｙ側に折曲げられる。
これにより、左側の下側立上げ平板部１２は、図３３に示すように、積載平板部７の表面７Ｘに立上げ角度θＢをなして、左側の第４折曲直線Ｌ４に沿って積載平板部７の表面７Ｘ側に立上げられる。左側の下側立上げ平板部１２は、左側の第４折曲直線Ｌ４を境（境界線）として、積載平板部７の表面７Ｘ側に立上げられる。
左側の上側立上げ平板部２４は、図３３に示すように、押え平板部１９の裏面１９Ｙに立上げ角度θＢをなして、左側の第１０折曲直線Ｌ１０に沿って押え平板部１９の裏面１９Ｙ側に立上げられる。立上げられた上側立上げ平板部２４は、図３１乃至図３３に示すように、立上げられた下側立上げ平板部１２の表面１２Ｘ（表平面）に当接して、下側立上げ平板部１２の表面１２Ｘに重ねられる。左側の上側立上げ平板部２４は、左側の第１０折曲直線L１０を境（境界線）として、立上げられた下側立上げ平板部１２に重ねられて、押え平板部１９の裏面１９Ｙ側に立上げられる。
このように、左側の下側立上げ平板部１２及び左側の上側立上げ平板部２４は、各下側脚平板部９，１０及び各上側脚平板部２１，２２の立下げに伴って、積載平板部７の表面７Ｘ側及び押え平板部１９の裏面１９Ｙ側に立上げられる。
【０１２９】
図３０乃至図３２に示すように、重ね配置された第１保形平板部１３及び第４保形平板部２７は、各下側脚平板部９，１０及び各上側脚平板部２１，２２の立下げに伴って、右側の第２折曲直線Ｌ２、右側の第５折曲直線Ｌ５、右側の第９折曲直線Ｌ９、右側の第１３折曲直線Ｌ１３及び右側の第１４折曲直線Ｌ１４に沿って、積載平板部７の表面７Ｘ側に立上げられ及び下側立上げ平板部１１の裏面１１Ｙ側に折返され、押え平板部１９の裏面１９Ｙ側に立上げられ及上側立上げ平板部２３の表面２３Ｘ側に折返される。
このとき、右側の第１保形平板部１３は、図３１及び図３２に示すように、各下側脚平板部９，１０及び各上側脚平板部２１，２２の立下げに伴って、下平板３の板下側縁３Ｃ（第３板下側縁部３Ｊ）に第３間隔Ｐ３を隔てる第２折曲直線Ｌ２（右側の第２折曲直線Ｌ２）、右側の第５折曲直線Ｌ５に沿って、積載平板部７の表面７Ｘ側、及び下側立上げ平板部１１の裏面１１Ｙ側に折曲げられる。
右側の第４保形平板部２７は、図３１及び図３２に示すように、各下側脚平板部９，１０及び各上側脚平板部２１，２２の立下げに伴って、上平板４の板上側縁４Ｃ（第４板上側縁部４Ｌ）に第８間隔Ｐ８を隔てる第９折曲直線Ｌ９（右側の第９折曲直線Ｌ９）、右側の第１３折曲直線Ｌ１３及び右側の第１４折曲直線Ｌ１４に沿って、押え平板部１９の裏面１９Ｙ側、及び上側立上げ平板部２３の表面２３Ｘ側に折曲げられる。
これにより、右側の第１保形平板部１３は、図３１及び図３２に示すように、右側の第２折曲直線Ｌ２及び右側の第５折曲直線Ｌ５に沿って、積載平板部７の表面７Ｘ側に立上げられ、及び立上げられた下側立上げ平板部１１の裏面１１Ｙ側に折返えされる。第１保形平板部１３は、右側の第２折曲直線Ｌ２及び右側の第５折曲直線Ｌ５を境（境界線）として、積載平板部７の表面７Ｘ側に立上げられ、及び右側の下側立上げ平板部１１の裏面１１Ｙ側に折返えされる。
右側の第４保形平板部２７は、図３１及び図３２に示すように、右側の第９折曲直線Ｌ９、右側の第１３折曲直線Ｌ１３及び右側の第１４折曲直線Ｌ１４に沿って、押え平板部１９の裏面１９Ｙ側に立上げられ、及び右側の上側立上げ平板部２３の表面２３Ｘ側に折返される。第４保形平板部２７は、右側の第９折曲直線Ｌ９、右側の第１３折曲直線Ｌ１３及び右側の第１４折曲直線Ｌ１４を境（境界線）として、押え平板部１９の裏面１９Ｙ側に立上げられ、及び右側の上側立上げ平板部２３の表面２３Ｘ側に折返される。
右側の第４保形平板部２７は、図３１及び図３２に示すように、立上げられた上側立上げ平板部２３との間に、立上げられた下側立上げ平板部１１と、立上げられ及び折返えされた第１保形平板部１３を配置して、押え平板部１９の裏面１９Ｙ側に立上げられ、及び右側の上側立上げ平板部２３の表面２３Ｘ側に折返される。
右側の第４保形平板部２７は、立上げ及び折返しに伴って、右側の第１３折曲直線Ｌ１３及び右側の第１４折曲直線Ｌ１４の間（第１３間隔Ｐ１３）に、立上げられた下側立上げ平板部１１と、立上げられ及び折返えされた第１保形平板部１３（右側の第５折曲直線Ｌ５）を配置（位置）する。
【０１３０】
図３１及び図３２に示すように、重ね配置された第１保形平板部１４及び第４保形平板部２８は、各下側脚平板部９，１０及び各上側脚平板部２１，２２の立下げに伴って、左側の第２折曲直線Ｌ２、左側の第５折曲直線Ｌ５、左側の第９折曲直線Ｌ９、左側の第１３折曲直線Ｌ１３及び左側の第１４折曲直線Ｌ１４に沿って、積載平板部７の表面７Ｘ側に立上げられ及び下側立上げ平板部１２の裏面１２Ｙ側に折返され、押え平板部１９の裏面１９Ｙ側に立上げられ及上側立上げ平板部２４の表面２４Ｘ側に折返される。
このとき、左側の第１保形平板部１４は、図３１及び図３２に示すように、各下側脚平板部９，１０及び各上側脚平板部２１，２２の立下げに伴って、下平板３の板下側縁３Ｄ（第３板下側縁部３Ｋ）に第３間隔Ｐ３を隔てる第２折曲直線Ｌ２（左側の第２折曲直線Ｌ２）、左側の第５折曲直線Ｌ５に沿って、積載平板部７の表面７Ｘ側、及び下側立上げ平板部１２の裏面１２Ｙ側に折曲げられる。
右側の第４保形平板部２８は、図３１及び図３２に示すように、各下側脚平板部９，１０及び各上側脚平板部２１，２２の立下げに伴って、上平板４の板上側縁４Ｄ（第４板上側縁部４Ｍ）に第８間隔Ｐ８を隔てる第９折曲直線Ｌ９（左側の第９折曲直線Ｌ９）、左側の第１３折曲直線Ｌ１３及び左側の第１４折曲直線Ｌ１４に沿って、押え平板部１９の裏面１９Ｙ側、及び上側立上げ平板部２４の表面２４Ｘ側に折曲げられる。
これにより、左側の第１保形平板部１４は、図３１及び図３２に示すように、左側の第２折曲直線Ｌ２及び左側の第５折曲直線Ｌ５に沿って、積載平板部７の表面７Ｘ側に立上げられ、及び立上げられた下側立上げ平板部１２の裏面１２Ｙ側に折返えされる。第１保形平板部１４は、左側の第２折曲直線Ｌ２及び左側の第５折曲直線Ｌ５を境（境界線）として、積載平板部７の表面７Ｘ側に立上げられ、及び左側の下側立上げ平板部１２の裏面１２Ｙ側に折返えされる。
左側の第４保形平板部２８は、図３１及び図３２に示すように、左側の第９折曲直線Ｌ９、左側の第１３折曲直線Ｌ１３及び左側の第１４折曲直線Ｌ１４に沿って、押え平板部１９の裏面１９Ｙ側に立上げられ、及び左側の上側立上げ平板部２４の表面２４Ｘ側に折返される。第４保形平板部２７は、左側の第９折曲直線Ｌ９、左側の第１３折曲直線Ｌ１３及び左側の第１４折曲直線Ｌ１４を境（境界線）として、押え平板部１９の裏面１９Ｙ側に立上げられ、及び左側の上側立上げ平板部２４の表面２４Ｘ側に折返される。
左側の第４保形平板部２８は、図３１及び図３２に示すように、立上げられた上側立上げ平板部２４との間に、立上げられた下側立上げ平板部１２と、立上げられ及び折返えされた第１保形平板部１４を配置して、押え平板部１９の裏面１９Ｙ側に立上げられ、及び左側の上側立上げ平板部２４の表面２４Ｘ側に折返される。
左側の第４保形平板部２８は、立上げ及び折返しに伴って、左側の第１３折曲直線Ｌ１３及び左側の第１４折曲直線Ｌ１４の間（第１３間隔Ｐ１３）に、立上げられた下側立上げ平板部１２と、立上げられ及び折返えされた第１保形平板部１４（左側の第５折曲直線Ｌ５）を配置（位置）する。
【０１３１】
図３１及び図３２に示すように、重ね配置された第２保形平板部１５及び第３保形平板部２５は、各下側脚平板部９，１０及び各上側脚平板部２１，２２の立下げに伴って、右側の第３折曲直線Ｌ３、右側の第６折曲直線Ｌ６、右側の第８折曲直線Ｌ８、右側の第１１折曲直線Ｌ１１及び右側の第１２折曲直線Ｌ１２に沿って、積載平板部７の表面７Ｘ側に立上げられ及び下側立上げ平板部１１の裏面１１Ｙ側に折返され、押え平板部１９の裏面１９Ｙ側に立上げられ及上側立上げ平板部２３の表面２３Ｘ側に折返される。
このとき、右側の第２保形平板部１５は、図３１及び図３２に示すように、各下側脚平板部９，１０及び各上側脚平板部２１，２２の立下げに伴って、下平板３の板下側縁３Ｃ（第４板下側縁部３Ｌ）に第３間隔Ｐ３を隔てる第３折曲直線Ｌ３（右側の第３折曲直線Ｌ３）、右側の第６折曲直線Ｌ６に沿って、積載平板部７の表面７Ｘ側、及び下側立上げ平板部１１の裏面１１Ｙ側に折曲げられる。
右側の第３保形平板部２５は、図３１及び図３２に示すように、各下側脚平板部９，１０及び各上側脚平板部２１，２２の立下げに伴って、上平板４の板上側縁４Ｃ（第３板上側縁部４Ｊ）に第８間隔Ｐ８を隔てる第８折曲直線Ｌ８（右側の第８折曲直線Ｌ８）、右側の第１１折曲直線Ｌ１１及び右側の第１２折曲直線Ｌ１２に沿って、押え平板部１９の裏面１９Ｙ側、及び上側立上げ平板部２３の表面２３Ｘ側に折曲げられる。
これにより、右側の第２保形平板部１５は、図３１及び図３２に示すように、右側の第３折曲直線Ｌ３及び右側の第６折曲直線Ｌ６に沿って、積載平板部７の表面７Ｘ側に立上げられ、及び立上げられた下側立上げ平板部１１の裏面１１Ｙ側に折返えされる。第２保形平板部１５は、右側の第３折曲直線Ｌ３及び右側の第６折曲直線Ｌ６を境（境界線）として、積載平板部７の表面７Ｘ側に立上げられ、及び右側の下側立上げ平板部１１の裏面１１Ｙ側に折返えされる。
右側の第３保形平板部２５は、図３１及び図３２に示すように、右側の第８折曲直線Ｌ８、右側の第１１折曲直線Ｌ１１及び右側の第１２折曲直線Ｌ１２に沿って、押え平板部１９の裏面１９Ｙ側に立上げられ、及び右側の上側立上げ平板部２３の表面２３Ｘ側に折返される。第３保形平板部２５は、右側の第８折曲直線Ｌ８、右側の第１１折曲直線Ｌ１１及び右側の第１２折曲直線Ｌ１２を境（境界線）として、押え平板部１９の裏面１９Ｙ側に立上げられ、及び右側の上側立上げ平板部２３の表面２３Ｘ側に折返される。
右側の第３保形平板部２５は、立上げられた上側立上げ平板部２３との間に、立上げられた下側立上げ平板部１１と、立上げられ及び折返えされた第２保形平板部１５を配置して、押え平板部１９の裏面１９Ｙ側に立上げられ、及び右側の上側立上げ平板部２３の表面２３Ｘ側に折返される。
右側の第３保形平板部２５は、立上げ及び折返しに伴って、右側の第１１折曲直線Ｌ１１及び右側の第１２折曲直線Ｌ１２の間（第１３間隔Ｐ１３）に、立上げられた下側立上げ平板部１１と、立上げられ及び折返えされた第２保形平板部１５（右側の第６折曲直線Ｌ５）を配置（位置）する。
【０１３２】
図３１及び図３２に示すように、重ね配置された第２保形平板部１６及び第３保形平板部２６は、各下側脚平板部９，１０及び各上側脚平板部２１，２２の立下げに伴って、左側の第３折曲直線Ｌ３、左側の第６折曲直線Ｌ６、左側の第８折曲直線Ｌ８、左側の第１１折曲直線Ｌ１１及び左側の第１２折曲直線Ｌ１２に沿って、積載平板部７の表面７Ｘ側に立上げられ及び下側立上げ平板部１２の裏面１２Ｙ側に折返され、押え平板部１９の裏面１９Ｙ側に立上げられ及上側立上げ平板部２４の表面２４Ｘ側に折返される。
このとき、左側の第２保形平板部１６は、図３１及び図３２に示すように、各下側脚平板部９，１０及び各上側脚平板部２１，２２の立下げに伴って、下平板３の板下側縁３Ｄ（第４板下側縁部３Ｍ）に第３間隔Ｐ３を隔てる第３折曲直線Ｌ３（左側の第３折曲直線Ｌ３）、左側の第６折曲直線Ｌ３に沿って、積載平板部７の表面７Ｘ側、及び下側立上げ平板部１２の裏面１２Ｙ側に折曲げられる。
右側の第３保形平板部２６は、図３１及び図３２に示すように、各下側脚平板部９，１０及び各上側脚平板部２１，２２の立下げに伴って、上平板４の板上側縁４Ｄ（第３板上側縁部４Ｋ）に第８間隔Ｐ８を隔てる第８折曲直線Ｌ８（左側の第８折曲直線Ｌ８）、左側の第１１折曲直線Ｌ１１及び左側の第１２折曲直線Ｌ１２に沿って、押え平板部１９の裏面１９Ｙ側、及び上側立上げ平板部２４の表面２４Ｘ側に折曲げられる。
これにより、左側の第２保形平板部１６は、図３１及び図３２に示すように、左側の第３折曲直線Ｌ３及び左側の第６折曲直線Ｌ６に沿って、積載平板部７の表面７Ｘ側に立上げられ、及び立上げられた下側立上げ平板部１２の裏面１２Ｙ側に折返えされる。第２保形平板部１６は、左側の第３折曲直線Ｌ３及び左側の第６折曲直線Ｌ６を境（境界線）として、積載平板部７の表面７Ｘ側に立上げられ、及び左側の下側立上げ平板部１２の裏面１２Ｙ側に折返えされる。
左側の第３保形平板部２６は、図３１及び図３２に示すように、左側の第８折曲直線Ｌ８、左側の第１１折曲直線Ｌ１１及び左側の第１２折曲直線Ｌ１２に沿って、押え平板部１９の裏面１９Ｙ側に立上げられ、及び左側の上側立上げ平板部２４の表面２４Ｘ側に折返される。第３保形平板部２６は、左側の第８折曲直線Ｌ８、左側の第１１折曲直線Ｌ１１及び左側の第１２折曲直線Ｌ１２を境（境界線）として、押え平板部１９の裏面１９Ｙ側に立上げられ、及び左側の上側立上げ平板部２４の表面２４Ｘ側に折返される。
左側の第３保形平板部２６は、立上げられた上側立上げ平板部２４との間に、立上げられた下側立上げ平板部１２と、立上げられ及び折返えされた第２保形平板部１６を配置して、押え平板部１９の裏面１９Ｙ側に立上げられ、及び左側の上側立上げ平板部２４の表面２４Ｘ側に折返される。
左側の第３保形平板部２６は、立上げ及び折返しに伴って、左側の第１１折曲直線Ｌ１１及び左側の第１２折曲直線Ｌ１２の間（第１３間隔Ｐ１３）に、立上げられた下側立上げ平板部１２と、立上げられ及び折返えされた第２保形平板部１６（左側の第６折曲直線Ｌ５）を配置（位置）する。
【０１３３】
押えシート２において、第２押えシート部２Ｂは、図３１乃至図３４に示すように、各下側脚平板部９，１０及び各上側脚平板部２１，２２の立下げに伴って、物品Ｚ（下平板３）に押付けられる。
これにより、押えシート２は、積載窓穴８の内側に位置する第１押えシート部２Ａ、及び押え窓穴２０の内側に位置する第２押えシート部２Ｂにて物品Ｚ（商品）を挟持して、物品Ｚを定着する。
【０１３４】
続いて、各下側立上げ平板部１１，１２、及び各上側立上げ平板部２３，２４は、図３５乃至図３７に示すように、立上げ角θＢから積載平板部７の表面７Ｘ及び押え平板部１９の裏面１９Ｙに直交する位置に立上げられる。
このとき、各第１保形平板部１３，１４、及び各第２保形平板部１５，１６は、図３５乃至図３７に示すように、各第２折曲直線Ｌ２，Ｌ２、各第３折曲直線Ｌ３，Ｌ３、各第５折曲直線Ｌ５，Ｌ５及び各第６折曲直線Ｌ６，Ｌ６に沿って、各下側立上げ平板部１１，１２の裏面１１Ｙ，１２Ｙに平行する位置に折返えされ、及び積載平板部７の表面７Ｘに直交する位置に立上げられる。
また、各第３保形平板部２５，２６、及び各第４保形平板部２７，２８は、図３５乃至図３７に示すように、各第８折曲直線Ｌ８，Ｌ８、各第９折曲直線Ｌ９，Ｌ９、各第１１折曲直線Ｌ１１，Ｌ１１、各第１２折曲直線Ｌ１２，Ｌ１２、各第１３折曲直線Ｌ１３，Ｌ１３及び各第１４折曲直線Ｌ１４，Ｌ１４に沿って、各上側立上げ平板部２３，２４の裏面２３Ｙ，２４Ｙに平行する位置に折返えされ、及び押え平板部１９の裏面１９Ｙに直行する位置に立上げられる。
これにより、下側立上げ平板部１１、第１保形平板部１３、上側立上げ平板部２３、及び第４保形平板部２７は、図３５及び図３６に示すように、左右方向ＬＲにおいて、相互に平行して重ね配置される。下側立上げ平板部１１及び第１保形平板部１３は、第１３及び第１４折曲直線Ｌ１３，１４の間（第１３間隔Ｐ３）において、上側立上げ平板部２３及び第４保形平板部２８の間に折込まれる。
下側立上げ平板部１２、第１保形平板部１４、上側立上げ平板部２４、及び第４保形平板部２８は、図３５及び図３６に示すように、左右方向ＬＲにおいて、相互に平行して重ね配置される。下側立上げ平板部１２及び第１保形平板部１４は、第１３及び第１４折曲直線Ｌ１３，１４の間（第１３間隔Ｐ１３）において、上側立上げ平板部２４及び第４保形平板部２８の間に折込まれる。
下側立上げ平板部１１、第２保形平板部１５、上側立上げ平板部２３、及び第３保形平板部２５は、図３５及び図３６に示すように、左右方向ＬＲにおいて、相互に平行して重ね配置される。下側立上げ平板部１１及び第２保形平板部１５は、第１１及び第１２折曲直線Ｌ１１，Ｌ１１の間（第１３間隔Ｐ１３）において、上側立上げ平板部２３及び第３保形平板部２５の間に折込まれる。
下側立上げ平板部１２、第２保形平板部１６、上側立上げ平板部２４及び第３保形平板部２６は、図３５及び図３６に示すように、左右方向ＬＲにおいて、相互に平行して重ね配置される・下側立上げ平板部１２及び第２保形平板部１６は、第１１及び第１２折曲直線Ｌ１１，Ｌ１２の間（第１３間隔Ｐ１３）において、上側立上げ平板部２４及び第３保形平板部２６の間に折込まれる。
【０１３５】
下平板３の第７板下側縁部３Ｒ，３Ｓ（各下側立上げ平板部１１，１２の第７板下側縁部３Ｒ，３Ｓ）は、図３５及び図３６に示すように、各下側立上げ平板部１１，１２を積載平板部７の表面７Ｘに直交する位置に立上げると、積載平板部７の表面７Ｘに平行配置される。
上平板４の第７板上側縁部４Ｒ，４Ｓ（各上側立上げ平板部２３，２４の第７板上側縁部４Ｒ，４Ｓ）は、各上側立上げ平板部２３，２４を押え平板部１９の裏面１９Ｙに直交する位置に立上げると、押え平板部１９の裏面１９Ｙに平行配置される。
【０１３６】
下平板３の各第５板下側縁部３Ｎ，３Ｏ、及び第６板下側縁部３Ｐ，３Ｑ（各第１保形平板部１３，１４の第５板下側縁部３Ｎ，３Ｏ、各第２保形平板部１５，１６の第６板下側縁部３Ｐ，３Ｑ）は、図３５に示すように、各第１及び各第２保形平板部１３〜１６を積載平板部７の表面７Ｘに直交する位置に立上げると、各下側立上げ平板部１１，１２の第７板下側縁部３Ｒ，３Ｓに面一として平行配置される。
第４鋭角度θ４を、第１鋭角度θ１の半分の角度以上［θ４≧（１／２）×θ１］にすることで、第１保形平板部１３，１４の第５板下側縁部３Ｎ，３Ｏ、各第２保形平板部１５，１６の第６板下側縁部３Ｐ，３Ｑは、各下側立上げ平板部１１，１２の第７板下側縁部３Ｒ，３Ｓに平行配置される。第４鋭角度θ４は、例えば、第１鋭角度θ１の半分の角度［θ４＝（１／２）×θ１］とする（以下、同様）。
上平板４の各第５板上側縁部４Ｎ，４Ｑ、及び第６板上側縁部４Ｐ，４Ｑ（各第３保形平板部２５，２６の第５板上側縁部４Ｎ，４Ｏ、各第４保形平板部２７，２８の第６板上側縁部４Ｐ，４Ｑ）は、図３５に示すように、各第３及び各第４保形平板部２５〜２８を押え平板部１９の裏面１９Ｙに直交する位置に立上げると、各上側立上げ平板部２３，２４の第７板上側縁部４Ｒ，４Ｓに平行配置される。
第４鋭角度θ４を、第１鋭角度θ１の半分の角度以上［θ４≧（１／２）×θ１］にすることで、第３保形平板部２５，２６の第５板上側縁部４Ｎ，４Ｏ、各第４保形平板部２７，２８の第６板上側縁部４Ｐ，４Ｑは、各下側立上げ平板部１１，１２の第７板下側縁部３Ｒ，３Ｓに平行配置される。
これにより、梱包用緩衝材Ｘ１は、物品Ｚ（商品）を梱包して組立てられる。
【０１３７】
物品Ｚ（商品）を梱包して組立てられた梱包用緩衝材Ｘ１（以下、「組立て梱包した梱包用緩衝材Ｘ１」という）は、運送（運搬）する際に、図３８乃至図４０に示すように、直方体の梱包箱Ｂ内に収納される。
組立て梱包した梱包用緩衝材Ｘ１は、図３８乃至図４０に示すように、積載平板部７の裏面７Ｙ側から梱包箱Ｂ内に収納される。
組立て梱包した梱包用緩衝材Ｘ１は、図４０に示すように、第１及び第２下側脚平板部９，１０、第１及び第２上側脚平板部２１，２２（下平板３の板上縁３Ａ及び板下縁３Ｂ、上平板４の板上縁４Ａ及び板下縁４Ｂ）を梱包箱Ｂの底平板１０１に当接して。梱包箱Ｂ内に収納される。
また、組立て梱包した梱包用緩衝材Ｘ１は、図３９に示すように、各第３保形平板部２５，２６、及び各第４保形平板部２７，２８を梱包箱Ｂの側平板５２，５２に当接して、梱包箱Ｂ内に収納される。
続いて、梱包箱Ｂの蓋平板５３を閉じて、蓋平板５３を、立上げられた各下側立上げ平板部１１，１２、立上げられた各上側立上げ平板部２３，２４に当接して運送する。
このとき、組立て梱包した梱包用緩衝材Ｘ１は、各第３保形平板部２５，２６、及び各第４保形平板部２７，２８を梱包箱Ｂの各側平板５２，５２に当接するので、梱包用緩衝材Ｘ１の組立ては開放（展開）されず、第１及び第２下側脚平板部９，１０の立下げ角度θＡ、及び第１及び第２上側脚平板部２１，２２の立下げ角度θＡを保持する。
【０１３８】
梱包用緩衝材Ｘ１の下平板３において、立下げ角度θＡ、第１鋭角度θ１、積載平板部７の板幅Ｈ７、第１及び第２下側脚平板部９，１０の板幅Ｈ９，Ｈ１０の関係について、図２、図７乃至図１２及び図４１を参照して説明する。
【０１３９】
先ず、積載平板部７の板幅Ｈ７は、図２に示すように、上下方向ＵＤにおいて、各第１折曲直線Ｌ１，Ｌ１の間の距離であって、第２間隔Ｐ２（第２距離）となる。
第１及び第２下側脚平板部９，１０の板幅Ｈ９，Ｈ１０は、図８及び図９に示すように、上下方向において、基準折曲直線ＬＸ及び上側の第１折曲直線Ｌ１の間の距離、又は基礎平板体１の板下縁１Ｂ（下平板３の板下縁３Ｂ）及び下側の第１折曲直線Ｌ１の間の距離であって、第１間隔Ｐ１（第１距離）となる。
第１鋭角度θ１は、図９乃至図１２に示すように、第５折曲直線Ｌ５及び第４折曲直線Ｌ４の間（又は、第６折曲直線L６及び第４折曲直線Ｌ４の間）の角度となる。
立下げ角度θＡは、図４１に示すように、積載平板部７の裏面７Ｙとの間の角度となる。立上げ角度θＡは、θＡ＝０度（０°）を超えて、θＡ＝１８０度（１８０°）未満（０°＜θＡ＜１８０°）であって、例えば、θＡ＝３０度（３０°）〜θＡ＝９０度（９０°）の範囲において、任意の１の角度に設定する。
折曲げ角度θＣは、図４１に示すように、第５折曲直線Ｌ５（又は第６折曲直線Ｌ６）となす角度であって、角度：９０度（９０°）から第１鋭角度θ１を減算した角度であって、θＣ＝９０度（９０°）−θ１となる。折曲げ角度θＣは、立下げ角度θＡの半分の角度［θＣ＝（１／２）×θＡ］とする。
立上げ底距離Ｒは、図４１に示すように、積載平板部７の裏面Ｙ７に直交して、立下げられた第２下側脚平板部１０の板下縁３Ｂ（又は、第１下側脚平板部９の板上縁３Ａ）及び積載平板部７の裏面７Ｙの間の距離となる。
【０１４０】
第１及び第２下側脚平板部９，１０の板幅Ｈ９，Ｈ１０を同一板幅ＨＡ（ＨＡ＝Ｈ９＝Ｈ１０）、積載平板部７の板幅Ｈ７のｎ分の１の板幅ＨＣ［ＨＣ＝（１／ｎ）×Ｈ７：但し、ｎは零でない］、立下げ底距離Ｒとすると、以下のようになる。
なお、板厚ＨＣは、例えば、ＨＣ＝（１／４）×Ｈ７〜（１／２）×Ｈ７の範囲とし、好ましくは、ＨＣ＝（１／２）×Ｈ７とする。
立下げ角度θＡ、第２下側脚平板部１０の板幅ＨＡ（又は、第１下側脚平板部９の板幅ＨＡ）、板幅ＨＣ及び立下げ底距離Ｒとの間において、式（１）及び式（２）が成り立つ。
【０１４１】
【数１】
2019104533.tif 000003
【０１４２】
式（１）及び式（２）において、立下げ底距離Ｒ、積載平板部７の板幅Ｈ７（ＨＣ）を任意の数値に設定すると、立下げ角度θＡ、及び第１及び第２下側脚平板部９，１０の板幅ＨＡ（Ｈ９，Ｈ１０）を設定できる。
そして、立下げ角度θＡが決まれば、第１鋭角度θ１、及び折曲げ角度θＣも決定できる。
各下側立上げ平板部１１，１２は、立下げ角度θＡ＝０度（０°）を超えて、θＡ＝９０度（９０°）未満の範囲であれば、第１及び第２下側脚平板部９，１０の立下げに伴って、立下げ角度θＡに対応する立上げ角度θＢにて立上げられる。なお、立上げ角度θＡ＝０度（０°）とすると、折曲げ角度θＢ＝１８０度（１８０°）となり、各下側立上げ平板部１１，１２は、第１及び第２下側脚平板部９，１０積載平板部７の裏面７Ｙ側の立下げに伴って、積載平板部７の表面７Ｘ側に立上がらない。
立下げ角度θＡ、立上げ角度θＢ、第１鋭角度θ１、第１及び第２下側脚平板部９，１０の板幅Ｈ９，Ｈ１０（第１間隔Ｐ１）は、積載平板部７の板幅Ｈ７（第２間隔Ｐ２）に依存し、積載平板部７の板幅Ｈ７及び立下げ底距離Ｒを任意の数値に設定すれば、式（１）及び式（２）により決定できる。
【０１４３】
梱包用緩衝材Ｘ１の上平板４において、立下げ角度θＡ、第２鋭角度θ２、押え平板部１９の板幅Ｈ１９、第１及び第２上側脚平板部２１，２２の板幅Ｈ２１，２２の関係について、図２、図１８乃至図２３、及び図４１を参照して説明する。
【０１４４】
先ず、押え平板部１９の板幅Ｈ１９は、図２に示すように、上下方向ＵＤにおいて、各第７折曲直線Ｌ７，Ｌ７の間の距離であって、第７間隔Ｐ７（第７距離）となる。
第１及び第２上側脚平板部２１，２２の板幅Ｈ２１，２２は、図１８及び図１９に示すように、上下方向ＵＤにおいて、基礎平板体１の板上縁１Ａ（上平板４の板上縁４Ａ）及び上側の第７折曲直線Ｌの間の距離、又は基準折曲直線ＬＸ（上平板４の板下縁４Ｂ）及び下側の第７折曲直線Ｌ７の間の距離であって、第６間隔Ｐ６（第６距離）となる。
第２鋭角度θ２は、図２０乃至図２２に示すように、第１１折曲直線Ｌ１１及び第１２折曲直線Ｌ１２の間（又は、第１３折曲直線Ｌ１３及び第１４折曲直線Ｌ１４の第）の角度であって、例えば、第１鋭角度θ１を同一角度となる。
立上げ角度θＡは、図４１に示すように、押え平板部１９の表面１９Ｘとの間の角度となる。立上げ角度θＡは、θＡ＝０度（０°）を超えて、θＡ＝１８０度（１８０°）未満（０°＜θＡ＜１８０°）であって、例えば、θＡ＝３０度（３０°）〜θＡ＝９０度（９０°）の範囲において、任意の１の角度に設定する。
折曲げ角度θＤは、図４１に示すように、第１１折曲直線Ｌ１１（又は第１３折曲直線Ｌ１３）となす角度であって、角度：９０度（９０°）から第２鋭角度θ２を減算した角度であって、θＤ＝９０度（９０°）−θ２となる。折曲げ角度θＤは、立下げ角度θＡの半分の角度［θＤ＝（１／２）×θＡ］とする。
立上げ底距離Ｒは、図４１に示すように、押え平板部の表面１９Ｘに直交して、立下げられた第２上側脚平板部２２の板下縁４Ｂ（又は、第１上側脚平板部２１の板上縁４Ａ）及び押え平板部１９の表面１９Ｘの間の距離となる。
【０１４５】
第１及び第２上側脚平板部２１，２２の板幅Ｈ２１，Ｈ２２を同一板幅ＨＢ（ＨＢ＝Ｈ２１＝Ｈ２２）、押え平板部１９の板幅Ｈ１９のｎ分の１の板幅ＨＤ［ＨＤ＝（１／ｎ）×Ｈ１９：但し、ｎは零でない］、及び立下げ底距離Ｒとすると、以下のようになる。
なお、板厚ＨＤは、例えば、ＨＤ＝（１／４）×Ｈ１９〜（１／２）×Ｈ１９の範囲とし、好ましくは、ＨＤ＝（１／２）×Ｈ１９とする。
立下げ角度θＡ、第２上側脚平板部２２の板幅ＨＢ（又は、第１上側脚平板部２１の板幅ＨＡ）、及び立下げ底距離Ｒとの間において、式（３）及び式（４）が成り立つ。
【０１４６】
【数２】
2019104533.tif 000004
【０１４７】
式（３）及び式（４）において、立下げ底距離Ｒ、押え平板部１９の板幅Ｈ１９（ＨＤ）を任意の数値に設定すると、立下げ角度θＡ、及び第１及び第２上側脚平板部２１，２２の板幅ＨＢ（Ｈ２１，Ｈ２２）を設定できる。
そして、立下げ角度θＡが決まれば、第２鋭角度θ２、及び折曲げ角度θＤも決定できる。
各上側立上げ平板部２１，２２は、立下げ角度θＡ＝０度（０°）を超えて、θＡ＝９０度（９０°）未満の範囲であれば、第１及び第２上側脚平板部２１，２２の立下げに伴って、立下げ角度θＡに対応する立上げ角度θＢにて立上げられる。なお、立上げ角度θＡ＝０度（０°）とすると、折曲げ角度θＤ＝１８０度（１８０°）となり、各上側立上げ平板部２１，２２は、第１及び第２上側脚平板部２１，２２の押え平板部１９の表面１９Ｘ側の立下げに伴って、押え平板部１９の裏面１９Y側に立上がらない。
立下げ角度θＡ、立上げ角度θＢ、第２鋭角度θ２、第１及び第２上側脚平板部２１，２２の板幅Ｈ２１，Ｈ２２（第６間隔Ｐ６）は、押え平板部１９の板幅Ｈ１９（第７間隔Ｐ７）に依存し、押え平板部１９の板幅Ｈ１９及び立下げ底距離Ｒを任意の数値に設定すれば、式（３）及び式（４）により決定できる。
なお、式（１）〜式（４）の関係は、第２乃至第６実施形態の梱包用緩衝材Ｘ２，Ｘ３，Ｘ４，Ｘ５，Ｘ６にも適用できる。
【０１４８】
＜第２実施形態＞
第２実施形態の梱包用緩衝材Ｘ２について、図４２乃至図５９を参照して説明する。
なお、図４２乃至図５９において、図１乃至図４１と同一符号は、同一部材、同一構成であるので、その詳細な説明は省略する。
また、説明の便宜上、先ず、組立前の展開した第２実施形態の梱包用緩衝材Ｘ２について説明し、次に、第２実施形態の梱包用緩衝材Ｘ２を組立てて物品（商品）を梱包する要領（組立て梱包方法）について説明する。
【０１４９】
図４２乃至図４７において、第２実施形態の梱包用緩衝材Ｘ２（以下、「梱包用緩衝材Ｘ２」という）は、基礎平板体１、押えシート２、積載補強平板３５及び押え補強平板３６を備える。
【０１５０】
梱包用緩衝材Ｘ２において、基礎平板体１は、図１乃至図４１で説明したと同様に、基礎折曲直線ＬＸ、及び左右一対の基準切込直線ＬＹ，ＬＹを有する（図４２乃至図４７参照）。
基礎平板体１は、図１乃至図４１で説明したと同様に、下平板３と、上平板４とで構成される（図４２乃至図４７参照）。
【０１５１】
梱包用緩衝材Ｘ２において、下平板３は、図１乃至図４１で説明したと同様に、上下一対の第１折曲直線Ｌ１，Ｌ１、左右一対の第２折曲直線Ｌ２，Ｌ２、左右一対の第３折曲直線Ｌ３，Ｌ３、左右一対の第４折曲直線Ｌ４，Ｌ４、左右一対の第５折曲直線Ｌ５，Ｌ５、左右一対の第６折曲直線Ｌ６，Ｌ６、左右一対の第１下側折曲穴５，５及び左右一対の第２下側折曲穴６，６を有する。下平板３は、板上縁３Ａ、板下縁３Ｂ、左右一対の板下側縁３Ｃ，３Ｄを有する（図４２乃至図４４参照）。
【０１５２】
梱包用緩衝材Ｘ２において、下平板３は、図１乃至図４１で説明したと同様に、積載平板部７、積載窓穴８、第１下側脚平板部９、第２下側脚平板部１０、左右一対の下側立上げ平板部１１，１２、左右一対の第１保形平板部１３，１４、及び左右一対の第２保形平板部１５，１６で構成される（図４２乃至図４７参照）。
【０１５３】
梱包用緩衝材Ｘ２において、上平板４は、図１乃至図４１で説明したと同様に、上下一対の第７折曲直線Ｌ７，Ｌ７、左右一対の第８折曲直線Ｌ８，Ｌ８、左右一対の第９折曲直線Ｌ９，Ｌ９、左右一対の第１０折曲直線Ｌ１０，Ｌ１０、左右一対の第１１折曲直線Ｌ１１，Ｌ１１、左右一対の第１２折曲直線Ｌ１２，Ｌ１２、左右一対の第１３折曲直線Ｌ１３，Ｌ１３、左右一対の第１４折曲直線Ｌ１４，Ｌ１４、左右一対の第１上側折曲穴１７，１７、及び左右一対の第２上側折曲穴１８，１８を有する。上平板４は、板上縁４Ａ、板下縁４Ｂ、及び左右一対の板上側縁４Ｃ，４Ｄを有する（図４２乃至図４４参照）。
【０１５４】
梱包用緩衝材Ｘ２において、上平板４は、図１乃至図４１で説明したと同様に、押え平板部１９、押え窓穴２０、第１上側脚平板部２１、第２上側脚平板部２２、左右一対の上側立上げ平板部２３，２４、左右一対の第３保形平板部２５，２６、及び左右一対の第４保形平板部２７，２８で構成される（図４２乃至図４７参照）。
【０１５５】
梱包用緩衝材Ｘ２において、積載窓穴８は、図４２乃至図４６に示すように、積載窓穴部３７を有する。積載窓穴部３７は、積載窓穴８の積載窓穴縁の内側に配置され、例えば、長方形（矩形状）に形成される。積載窓穴部３７は、図４２に示すように、上下方向ＵＤにおいて、窓穴上縁８Ａ及び窓穴下縁８Ｂの夫々に、第１補強間隔ＰＡを隔てて配置される。積載窓穴部３７は、左右方向ＬＤにおいて、窓穴右縁８Ｃ及び窓穴左縁８Ｄの夫々に、第２補強間隔ＰＢに隔てて配置される。
積載窓穴部３７は、積載窓穴８の窓穴上縁８Ａ、窓穴下縁８Ｂ、窓穴右縁８Ｃ及び窓穴左縁８Ｄに平行して、左右方向ＬＲに長い長方形（矩形状）に形成される。
【０１５６】
積載補強平板３５は、図４２乃至図４６に示すように、積載窓穴８の内側（積載窓穴縁内）に配置される。積載補強平板３５は、積載窓穴８の積載窓穴縁であって、窓穴上縁８Ａ、窓穴下縁８Ｂ、窓穴右縁８Ｃ及び窓穴左縁８Ｄに沿って、積載平板部７に連設（隣接）される。積載補強平板３５は、積載平板部７にて支持（保持）される。
【０１５７】
積載補強平板３５は、図４２乃至図４６に示すように、複数（４枚）の積載補強平板部３８，３８，…で構成される。各積載補強平板部３８，３８，…は、複数（４本）の積載切込直線（積載切込線）ＬＫ，ＬＫ，…にて区画される。各積載補強平板部３８，３８，…は、積載窓穴８の積載窓穴縁であって、窓穴上縁８Ａ、窓穴下縁８Ｂ、窓穴右縁８Ｃ及び窓穴左縁８Ｄと、積載窓穴部３７の間に延在される。
各積載切込直線ＬＫ，ＬＫ，…は、図４２及び図４３に示すように、積載窓穴８の積載窓穴縁であって、窓穴上縁８Ａ、窓穴下縁８Ｂ、窓穴右縁８Ｃ及び窓穴左縁８Ｄから延在して、積載窓穴部３７に開口される。各積載切込直線ＬＫ，ＬＫ，…は、前後方向ＦＲ（板厚方向）において、積載補強平板３５を貫通して、積載補強平板３５の表面３５Ｘ（表平面）及び裏面３５Ｙ（裏平面）に開口する。
各積載切込直線ＬＫ，ＬＫ，…は、図４２に示すように、例えば、窓穴上縁８Ａ、窓穴下縁８Ｂ、窓穴右縁８Ｃ及び窓穴左縁８Ｄの各窓交点Ｑａ，Ｑｂ，Ｑｃ，Ｑｄにおいて、各窓交点Ｑａ，Ｑｂ，Ｑｃ，Ｑｄ及び積載窓穴部３７の間に延在される。各積載切込直線ＬＫ，ＬＫ，…は、図４３に示すように、窓穴上縁８Ａ、窓穴下縁８Ｂ、窓穴右縁８Ｃ及び窓穴左縁８Ｄに切込角度θＫ［例えば、θＫ＝４５度（４５°）］をなして、各窓交点Ｑａ，Ｑｂ，Ｑｃ，Ｑｄから延在される。
【０１５８】
梱包用緩衝材Ｘ２において、押え窓穴２０は、図４２乃至図４５、及び図４７に示すように、押え窓穴部４１を有する。押え窓穴部４１は、押え窓穴２０の押え窓穴縁の内側に配置され、例えば、長方形（矩形状）に形成される。押え窓穴部４１は、図４２に示すように、上下方向ＵＤにおいて、窓穴上縁２０Ａ及び窓穴下縁２０Ｂの夫々に、第１補強間隔ＰＡを隔てて配置される。押え窓穴部４１は、左右方向ＬＤにおいて、窓穴右縁２０Ｃ及び窓穴左縁２０Ｄの夫々に、第２補強間隔ＰＢに隔てて配置される。
押え窓穴部４１は、押え窓穴２０の窓穴上縁２０Ａ、窓穴下縁２０Ｂ、窓穴右縁２０Ｃ及び窓穴左縁２０Ｄに平行して、左右方向ＬＲに長い長方形（矩形状）に形成される。
【０１５９】
押え補強平板３６は、図４２及び図４３に示すように、押え窓穴２０の内側（押え窓穴縁内）に配置される。押え補強平板３６は、押え窓穴２０の押え窓穴縁であって、窓穴上縁２０Ａ、窓穴下縁２０Ｂ、窓穴右縁２０Ｃ及び窓穴左縁２０Ｄに沿って、押え平板部１９に連設（隣接）される。押え補強平板３６は、押え平板部１９にて支持（保持）される。
【０１６０】
押え補強平板３６は、図４２乃至図４５、及び図４７に示すように、複数（４枚）の押え補強平板部４２，４２，…で構成される。各押え補強平板部４２，４２，…は、複数（４本）の押え切込直線（押え切込線）ＬＭ，ＬＭ，…にて区画される。各押え補強平板部４２，４２，…は、押え窓穴２０の押え窓穴縁であって、窓穴上縁２０Ａ、窓穴下縁２０Ｂ、窓穴右縁２０Ｃ及窓穴左縁２０Ｄと、押え窓穴部４１の間に延在される。
各押え切込直線ＬＭ，ＬＭ…は、図４２及び図４３に示すように、押え窓穴２０の押え窓穴縁であって、窓穴上縁２０Ａ、窓穴下縁２０Ｂ、窓穴右縁２０Ｃ及び窓穴左縁２０Ｄから延在して、押え窓穴部４１に開口される。各押え切込直線ＬＭ，ＬＭ，…は、前後方向ＦＲ（板厚方向）において、押え補強平板３６を貫通して、押え補強平板３６の表面３６Ｘ（表平面）及び裏面３６Ｙ（裏平面）に開口する。
各押え切込直線ＬＭ，ＬＭ，…は、図４３に示すように、例えば、窓穴上縁２０Ａ、窓穴下縁２０Ｂ、窓穴右縁２０Ｃ及び窓穴左縁２０Ｄの各窓交点Ｑｅ，Ｑｆ，Ｑｇ，Ｑｈにおいて、各窓交点Ｑｅ，Ｑｆ，Ｑｇ，Ｑｈ及び押え窓穴部４１の間に延在される。各押え切込直線ＬＭ，ＬＭ，…は、図４２に示すように、窓穴上縁２０Ａ、窓穴下縁２０Ｂ、窓穴右縁２０Ｃ及び窓穴左縁２０Ｄに切込角度θＫ［例えば、θＫ＝４５度（４５°）］をなして、各窓交点Ｑｅ，Ｑｆ，Ｑｇ，Ｑｈから延在される。
【０１６１】
＜物品（商品）の梱包＞
次に、梱包用緩衝材Ｘ２を組立てて、物品Ｚ（商品）を梱包する要領（組立て梱包方法）について、図４８乃至図５９を参照して説明する。
【０１６２】
先ず、展開した梱包用緩衝材Ｘ２において、物品Ｚ（商品）を下平板３の表面３Ｘに積載（載置）する（図４８参照）。
物品Ｚは、図４８に示すように、下平板３の表面３Ｘから積載窓穴８内（積載窓穴８の内側）に配置されて、第１押えシート部２Ａ上（第１押えシート部２Ａの表面上）、及び積載補強平板３５上（各積載補強平板部３８，３８，…上）に積載（載置）される。
このとき、物品Ｚは、積載窓穴８の積載窓穴縁であって、窓穴上縁８Ａ、窓穴下縁８Ｂ、窓穴右縁８Ｃ及び窓穴左縁８Ｄを横切って積載することなく、積載窓穴８の内側の第押え１シート部２Ａ上、及び各積載補強平板部３８，３８，…上に積載（載置）される。
【０１６３】
図４８及び図４９において、上平板４を、基準折曲直線ＬＸに沿って下平板３の表面３Ｘに折返す。上平板４は、表面４Ｘを下平板３の表面３Ｘに向けて、基準折曲直線ＬＸに沿って下平板３の表面３Ｘに折返される。
このとき、第２上側脚平板部２２は、図４８及び図４９に示すように、第２上側脚平板部２２の表面２２Ｘを第１下側脚平板部９の表面９Ｘに向けて、基準折曲直線ＬＸに沿って第１下側脚平板部９の表面９Ｘ（表平面）に折返される。
各第４保形平板部２７，２８は、図４８及び図４９に示すように、各第４保形平板部２７，２８の表面２７Ｘ，２８Ｘを各第１保形平板部１３，１４の表面１３Ｘ，１４Ｘに向けて、各基準切込直線ＬＹ，ＬＹ（基準折曲直線ＬＸ）に沿って各第１保形平板部１３，１４の表面１３Ｘ，１４Ｘ（表平面）に折返される。
これにより、上平板４は、基準折曲直線ＬＸを境（境界線）として下平板３の表面３Ｘに重ねて配置される。
第２上側脚平板部２２は、基準折曲直線ＬＸを境（境界線）として第１下側脚平板部９に重ねて配置される。
各第４保形平板部２７，２８は、各基準切込直線ＬＹ，ＬＹ（基準折曲直線ＬＹ）を境（境界線）として各第１保形平板部１３，１４の表面１３Ｘ，１４Ｘ（表平面）に重ねて配置される。
【０１６４】
押え平板部１９は、図４８及び図４９に示すように、上平板４を下平板３の表面３Ｘに折返した状態において、積載平板部７の表面７Ｘに重ねて配置される。
【０１６５】
押え窓穴２０は、図４８及び図４９に示すように、上平板４を下平板３の表面３Ｘに折返した状態において、積載窓穴８に重ねて配置される。
【０１６６】
第１上側脚平板部２１は、図４８及び図４９に示すように、上平板４を下平板３の表面３Ｘに折返した状態において、第１上側脚平板部２１の表面２１Ｘを第２下側脚平板部１０の表面１０Ｘに向けて、第２下側脚平板部１０の表面１０Ｘ（表平面）に重ねて配置される。
各上側立上げ平板部２３，２４は、図４８及び図４９に示すように、上平板４を下平板３の表面３Ｘに折返した状態において、各上側立上げ平板部２３，２４の表面２３Ｘ，２４Ｘを各下側立上げ平板部１１，１２の表面１１Ｘ，１２Ｘに向けて、各下側立上げ平板部１１，１２の表面１１Ｘ，１２Ｘ（表平面）に重ねて配置される。
各第３保形平板部２５，２６は、図４８及び図４９に示すように、上平板４を下平板３の表面３Ｘに折返した状態において、各第３保形平板部２５，２６の表面２５Ｘ，２６Ｘを各第２保形平板部１５，１６の表面１５Ｘ，１６Ｘに向けて、各第２保形平板部１５，１６の表面１５Ｘ，１６Ｘ（表平面）に重ねて配置される。
上平板４は、図４８に示すように、下平板３の表面３Ｘに重ねた状態において、各第１１折曲直線Ｌ１１，Ｌ１１及び各第１２折曲直線Ｌ１２，Ｌ１２の間（各第１３間隔Ｐ１３）に、下平板３の各第６折曲直線Ｌ６，Ｌ６を配置する。
上平板４は、図４８に示すように、下平板３の表面３Ｘに重ねた状態において、各第１３折曲直線Ｌ１３，Ｌ１３及び各第１４折曲直線Ｌ１４，Ｌ１４の間（各第１３間隔Ｐ１３）に、下平板３の各第５折曲直線Ｌ５，Ｌ５を配置する。
【０１６７】
押えシート２において、第２押えシート部２Ｂは、図４８及び図４９に示すように、上平板４を下平板３の表面３Ｘに折返した状態において、第２押えシート部２Ｂの表面を第１押えシート部２Ａの表面に向けて、第１押えシート部２Ａの表面に重ねて配置される。
第２押えシート部２Ｂは、図４８及び図４９に示すように、上平板４を下平板３の表面３Ｘに折返した状態において、第１押えシート部２Ａ上の物品Ｚ（商品）を覆って、物品Ｚに当接される。
このとき、第１押えシート部２Ａ上の物品Ｚ（商品）は、押え窓穴２０の押え窓穴縁であって、窓穴上縁２０Ａ，窓穴下縁２０Ｂ、窓穴右縁２０Ｃ及び窓穴左縁２０Ｄに接触することなく、押え窓穴２０の内側（押え窓穴２０内）に位置する第２押えシート部２Ｂに当接される。
これにより、押えシート２は、積載窓穴８の内側に位置する第１押えシート部２Ａ、及び押え窓穴２０の内側に位置する第２押えシート部２Ｂの間に、物品Ｚ（商品）を配置する。
押え補強平板３６において、各押え補強平板部４２，４２，…は、図４８及び図４９に示すように、上平板４を下平板３に折返した状態において、各押え補強平板部４２，４２，…の表面を各積載補強平板部３８，３８，…の表面に向けて、各積載補強平板部３８，３８，…の表面に重ねて配置される。
これにより、各押え補強平板部４２，４２，…は、第２押えシート部２Ｂを介して、第１押えシート部２Ａ上の物品Ｚに当接される。
積載補強平板３５、及び押え補強平板３６は、第１及び第２押えシート部２Ａ，２Ｂを介して、物品Ｚを各積載補強平板部３８，３８，…及び各押え補強平板部４２，４２，…の間に配置する。
【０１６８】
続いて、図４８乃至図５６に示すように、重ね配置された第１下側脚平板部９及び第２上側脚平板部２２を、上側の第１折曲直線L１及び上側の第７折曲直線Ｌ７に沿って、積載平板部７の裏面７Ｙ側及び押え平板部１９の表面１９Ｘ（表平面）に折曲げる。
このとき、第１下側脚平板部９は、基準折曲直線ＬＸ（下平板３の板上縁３Ａ）に第６間隔Ｐ６を隔てる第１折曲直線Ｌ１（上側の第７折曲直線）に沿って、積載平板部７の裏面７Ｙ側に折曲げられる。
第２上側脚平板部２２は、基準折曲直線ＬＸ（上平板４の板下縁４Ｂ）に第６間隔Ｐ６を隔てる第７折曲直線Ｌ７（下側の第７折曲直線）に沿って、押え平板部１９の表面１９Ｘ側に折曲げられる。
これにより、第１下側脚平板部９は、図５６に示すように、積載平板部７の裏面７Ｙに立下げ角度θＡをなして、上側の第１折曲直線Ｌ１に沿って積載平板部７の裏面７Ｙ側に立下げられる。第１下側脚平板部９は、上側の第１折曲直線Ｌ１を境（境界線）として、積載平板部７の裏面７Ｙ側（第１押えシート部２Ａの表面、各積載補強平板部３８の表面）に立下げられる。
第２上側脚平板部２２は、図５６に示すように、押え平板部１９の表面１９Ｘに立下げ角度θＡをなして、下側の第７折曲直線Ｌ７に沿って押え平板部１９の表面１９Ｘ側（第２押えシート部２Ｂの表面側、各押え補強平板部４２の表面側）に立下げられる。立下げた第２上側平板部２２は、図５３及び図５６に示すように、立下げた第１下側脚平板部９の表面９Ｘに当接して、第１下側脚平板部９の表面９Ｘに重ねられる。第２上側脚平板部２２は、下側の第７折曲直線Ｌ７を境（境界線）として、立下げられた第１下側脚平板部９の表面９Ｘに重ねられて、押え平板部１９の表面１９Ｘ側に立下げられる。
このように、重ね配置された第１下側脚平板部９及び第２上側脚平板部２２は、同時に、積載平板部７の裏面７Ｙ及び押え平板部１９の表面１９Ｘに折曲げられて、積載平板部７の裏面７Ｙ側及び押え平板部１９の表面１９Ｘ側に立下げられる。
【０１６９】
図４８乃至図５６に示すように、重ね配置された第２下側脚平板部１０及び第１上側脚平板部２１を、下側の第１折曲直線Ｌ１及び下側の第７折曲直線Ｌ７に沿って、積載平板部７の裏面７Ｙ及び押え平板部１９の表面１９Ｘに折曲げられる。
このとき、第２下側脚平板部１０は、基礎平板体１の板下縁１Ｂ（下平板３の板下縁３Ｂ）に第１間隔Ｐ１を隔てる第１折曲直線Ｌ１（下側の第１折曲直線）に沿って、積載平板部７の裏面７Ｙに折曲げられる。
第１上側脚平板部２１は、基礎平板体１の板上縁１Ａ（上平板４の板上縁１Ａ）に第６間隔Ｐ６を隔てる第７折曲直線Ｌ７（上側の第７折曲直線）に沿って、押え平板部１９の表面１９Ｘに折曲げられる。
これにより、第２下側脚平板部１０は、図５６に示すように、積載平板部７の裏面７Ｙに立下げ角度θＡをなして、下側の第１折曲直線Ｌ１に沿って、積載平板部７の裏面７Ｙ側に立下げられる。第２下側脚平板部１０は、下側の第１折曲直線Ｌ１を境（境界線）として、積載平板部７の裏面７Ｙ側に立下げられる。
第１上側脚平板部２１は、図５６に示すように、押え平板部１９の表面１９Ｘに立下げ角度θＡをなして、上側の第７折曲直線Ｌ７に沿って押え平板部１９の表面１９Ｘ側に立下げられる。立下げた第１上側脚平板部２１は、図５６に示すように、立下げた第２下側脚平板部１０の表面１０Ｘに当接して、第２下側脚平板部１０の表面１０Ｘに重ねられる。第１上側脚平板部２１は、上側の第７折曲直線Ｌ１０を境（境界線）として、立下げられた第２下側脚平板部１０に重ねられて、押え平板部１９の表面１９Ｘ側に立下げられる。
このように、重ね配置された第２下側脚平板部１０及び第１上側脚平板部２１は、同時に、積載平板部７の裏面７Ｙ及び押え平板部１９の表面１９Ｘに折曲げられて、積載平板部７の裏面７Ｙ側及び押え平板部１９の表面１９Ｘ側に立下げられる。
【０１７０】
図４９乃至図５２に示すように、重ね配置された下側立上げ平板部１１及び上側立上げ平板部２３は、各下側脚平板部９，１０及び各上側脚平板部２１，２２の立下げに伴って、右側の第４折曲直線Ｌ４及び右側の第１０折曲直線Ｌ１０に沿って、積載平板部７の表面７Ｘ側及び押え平板部１９の裏面１９Ｙ側に立上げられる。
このとき、右側の下側立上げ平板部１１は、図５０乃至図５２に示すように、第１及び第２下側脚平板部９，１０の立下げに伴って、下平板３の板下側縁３Ｃ（第７板下側縁部３Ｒ）に第３間隔Ｐ３を隔てる第４折曲直線Ｌ４（右側の第４折曲直線Ｌ４）に沿って、積載平板部７の表面７Ｘ側に折曲げられる。
右側の上側立上げ平板部２３は、図５０乃至図５２に示すように、第１及び第２上側脚平板部２１，２２の立下げに伴って、上平板４の板上側縁４Ｃ（第７板上側縁部４Ｒ）に第９間隔Ｐ９を隔てる第１０折曲直線Ｌ１０（右側の第１０折曲直線Ｌ１０）に沿って、押え平板部１９の裏面１９Ｙ側に折曲げられる。
これにより、右側の下側立上げ平板部１１は、図５２に示すように、積載平板部７の表面７Ｘに立上げ角度θＢをなして、右側の第４折曲直線Ｌ４に沿って積載平板部７の表面７Ｘ側に立上げられる。右側の下側立上げ平板部１１は、右側の第４折曲直線Ｌ４を境（境界線）として、積載平板部７の表面７Ｘ側に立上げられる。
右側の上側立上げ平板部２３は、図５２に示すように、押え平板部１９の裏面１９Ｙに立上げ角度θＢをなして、右側の第１０折曲直線Ｌ１０に沿って押え平板部１９の裏面１９Ｙ側に立上げられる。立上げられた上側立上げ平板部２３は、図５０乃至図５２に示すように、立上げられた下側立上げ平板部１１の表面１１Ｘ（表平面）に当接して、下側立上げ平板部１１の表面１１Ｘに重ねられる。右側の上側立上げ平板部２３は、右側の第１０折曲直線L１０を境（境界線）として、立上げられた下側立上げ平板部１１に重ねられて、押え平板部１９の裏面１９Ｙ側に立上げられる。
このように、右側の下側立上げ平板部１１及び右側の上側立上げ平板部２３は、各下側脚平板部９，１０及び各上側脚平板部２１，２２の立下げに伴って、積載平板部７の表面７Ｘ側及び押え平板部１９の裏面１９Ｙ側に立上げられる。
【０１７１】
図４９乃至図５３に示すように、重ね配置された下側立上げ平板部１２及び上側立上げ平板部２３は、各下側脚平板部９，１０及び各上側脚平板部２１，２２の立下げに伴って、左側の第４折曲直線Ｌ４及び左側の第１０折曲直線Ｌ１０に沿って、積載平板部７の表面７Ｘ側及び押え平板部１９の裏面１９Ｙ側に立上げられる。
このとき、左側の下側立上げ平板部１２は、図５０乃至図５２に示すように、第１及び第２下側脚平板部９，１０の立下げに伴って、下平板３の板下側縁３Ｄ（第７板下側縁部３Ｓ）に第３間隔Ｐ３を隔てる第４折曲直線Ｌ４（左側の第４折曲直線Ｌ４）に沿って、積載平板部７の表面７Ｘ側に折曲げられる。
左側の上側立上げ平板部２４は、図５０乃至図５２に示すように、第１及び第２上側脚平板部２１，２２の立下げに伴って、上平板４の板上側縁４Ｄ（第７板上側縁部４Ｓ）に第９間隔Ｐ９を隔てる第１０折曲直線Ｌ１０（左側の第１０折曲直線Ｌ１０）に沿って、押え平板部１９の裏面１９Ｙ側に折曲げられる。
これにより、左側の下側立上げ平板部１２は、図５２に示すように、積載平板部７の表面７Ｘに立上げ角度θＢをなして、左側の第４折曲直線Ｌ４に沿って積載平板部７の表面７Ｘ側に立上げられる。左側の下側立上げ平板部１２は、左側の第４折曲直線Ｌ４を境（境界線）として、積載平板部７の表面７Ｘ側に立上げられる。
左側の上側立上げ平板部２４は、図５２に示すように、押え平板部１９の裏面１９Ｙに立上げ角度θＢをなして、左側の第１０折曲直線Ｌ１０に沿って押え平板部１９の裏面１９Ｙ側に立上げられる。立上げられた上側立上げ平板部２４は、図５０乃至図５２に示すように、立上げられた下側立上げ平板部１２の表面１２Ｘ（表平面）に当接して、下側立上げ平板部１２の表面１２Ｘに重ねられる。左側の上側立上げ平板部２４は、左側の第１０折曲直線L１０を境（境界線）として、立上げられた下側立上げ平板部１２に重ねられて、押え平板部１９の裏面１９Ｙ側に立上げられる。
このように、左側の下側立上げ平板部１２及び左側の上側立上げ平板部２４は、各下側脚平板部９，１０及び各上側脚平板部２１，２２の立下げに伴って、積載平板部７の表面７Ｘ側及び押え平板部１９の裏面１９Ｙ側に立上げられる。
【０１７２】
図４９乃至図５１に示すように、重ね配置された第１保形平板部１３及び第４保形平板部２７は、各下側脚平板部９，１０及び各上側脚平板部２１，２２の立下げに伴って、右側の第２折曲直線Ｌ２、右側の第５折曲直線Ｌ５、右側の第９折曲直線Ｌ９、右側の第１３折曲直線Ｌ１３及び右側の第１４折曲直線Ｌ１４に沿って、積載平板部７の表面７Ｘ側に立上げられ及び下側立上げ平板部１１の裏面１１Ｙ側に折返され、押え平板部１９の裏面１９Ｙ側に立上げられ及上側立上げ平板部２３の表面２３Ｘ側に折返される。
このとき、右側の第１保形平板部１３は、図５０及び図５１に示すように、各下側脚平板部９，１０及び各上側脚平板部２１，２２の立下げに伴って、下平板３の板下側縁３Ｃ（第３板下側縁部３Ｊ）に第３間隔Ｐ３を隔てる第２折曲直線Ｌ２（右側の第２折曲直線Ｌ２）、右側の第５折曲直線Ｌ５に沿って、積載平板部７の表面７Ｘ側、及び下側立上げ平板部１１の裏面１１Ｙ側に折曲げられる。
右側の第４保形平板部２７は、図５０及び図５１に示すように、各下側脚平板部９，１０及び各上側脚平板部２１，２２の立下げに伴って、上平板４の板上側縁４Ｃ（第４板上側縁部４Ｌ）に第８間隔Ｐ８を隔てる第９折曲直線Ｌ９（右側の第９折曲直線Ｌ９）、右側の第１３折曲直線Ｌ１３及び右側の第１４折曲直線Ｌ１４に沿って、押え平板部１９の裏面１９Ｙ側、及び上側立上げ平板部２３の表面２３Ｘ側に折曲げられる。
これにより、右側の第１保形平板部１３は、図５０及び図５１に示すように、右側の第２折曲直線Ｌ２及び右側の第５折曲直線Ｌ５に沿って、積載平板部７の表面７Ｘ側に立上げられ、及び立上げられた下側立上げ平板部１１の裏面１１Ｙ側に折返えされる。第１保形平板部１３は、右側の第２折曲直線Ｌ２及び右側の第５折曲直線Ｌ５を境（境界線）として、積載平板部７の表面７Ｘ側に立上げられ、及び右側の下側立上げ平板部１１の裏面１１Ｙ側に折返えされる。
右側の第４保形平板部２７は、図５０及び図５１に示すように、右側の第９折曲直線Ｌ９、右側の第１３折曲直線Ｌ１３及び右側の第１４折曲直線Ｌ１４に沿って、押え平板部１９の裏面１９Ｙ側に立上げられ、及び右側の上側立上げ平板部２３の表面２３Ｘ側に折返される。第４保形平板部２７は、右側の第９折曲直線Ｌ９、右側の第１３折曲直線Ｌ１３及び右側の第１４折曲直線Ｌ１４を境（境界線）として、押え平板部１９の裏面１９Ｙ側に立上げられ、及び右側の上側立上げ平板部２３の表面２３Ｘ側に折返される。
右側の第４保形平板部２７は、図５０及び図５１に示すように、立上げられた上側立上げ平板部２３との間に、立上げられた下側立上げ平板部１１と、立上げられ及び折返えされた第１保形平板部１３を配置して、押え平板部１９の裏面１９Ｙ側に立上げられ、及び右側の上側立上げ平板部２３の表面２３Ｘ側に折返される。
右側の第４保形平板部２７は、立上げ及び折返しに伴って、右側の第１３折曲直線Ｌ１３及び右側の第１４折曲直線Ｌ１４の間（第１３間隔Ｐ１３）に、立上げられた下側立上げ平板部１１と、立上げられ及び折返えされた第１保形平板部１３（右側の第５折曲直線Ｌ５）を配置（位置）する。
【０１７３】
図５０及び図５１に示すように、重ね配置された第１保形平板部１４及び第４保形平板部２８は、各下側脚平板部９，１０及び各上側脚平板部２１，２２の立下げに伴って、左側の第２折曲直線Ｌ２、左側の第５折曲直線Ｌ５、左側の第９折曲直線Ｌ９、左側の第１３折曲直線Ｌ１３及び左側の第１４折曲直線Ｌ１４に沿って、積載平板部７の表面７Ｘ側に立上げられ及び下側立上げ平板部１２の裏面１２Ｙ側に折返され、押え平板部１９の裏面１９Ｙ側に立上げられ及上側立上げ平板部２４の表面２４Ｘ側に折返される。
このとき、左側の第１保形平板部１４は、図５０及び図５１に示すように、各下側脚平板部９，１０及び各上側脚平板部２１，２２の立下げに伴って、下平板３の板下側縁３Ｄ（第３板下側縁部３Ｋ）に第３間隔Ｐ３を隔てる第２折曲直線Ｌ２（左側の第２折曲直線Ｌ２）、左側の第５折曲直線Ｌ５に沿って、積載平板部７の表面７Ｘ側、及び下側立上げ平板部１２の裏面１２Ｙ側に折曲げられる。
右側の第４保形平板部２８は、図５０及び図５１に示すように、各下側脚平板部９，１０及び各上側脚平板部２１，２２の立下げに伴って、上平板４の板上側縁４Ｄ（第４板上側縁部４Ｍ）に第８間隔Ｐ８を隔てる第９折曲直線Ｌ９（左側の第９折曲直線Ｌ９）、左側の第１３折曲直線Ｌ１３及び左側の第１４折曲直線Ｌ１４に沿って、押え平板部１９の裏面１９Ｙ側、及び上側立上げ平板部２４の表面２４Ｘ側に折曲げられる。
これにより、左側の第１保形平板部１４は、図５０及び図５１に示すように、左側の第２折曲直線Ｌ２及び左側の第５折曲直線Ｌ５に沿って、積載平板部７の表面７Ｘ側に立上げられ、及び立上げられた下側立上げ平板部１２の裏面１２Ｙ側に折返えされる。第１保形平板部１４は、左側の第２折曲直線Ｌ２及び左側の第５折曲直線Ｌ５を境（境界線）として、積載平板部７の表面７Ｘ側に立上げられ、及び左側の下側立上げ平板部１２の裏面１２Ｙ側に折返えされる。
左側の第４保形平板部２８は、図５０及び図５１に示すように、左側の第９折曲直線Ｌ９、左側の第１３折曲直線Ｌ１３及び左側の第１４折曲直線Ｌ１４に沿って、押え平板部１９の裏面１９Ｙ側に立上げられ、及び左側の上側立上げ平板部２４の表面２４Ｘ側に折返される。第４保形平板部２７は、左側の第９折曲直線Ｌ９、左側の第１３折曲直線Ｌ１３及び左側の第１４折曲直線Ｌ１４を境（境界線）として、押え平板部１９の裏面１９Ｙ側に立上げられ、及び左側の上側立上げ平板部２４の表面２４Ｘ側に折返される。
左側の第４保形平板部２８は、図５０及び図５１に示すように、立上げられた上側立上げ平板部２４との間に、立上げられた下側立上げ平板部１２と、立上げられ及び折返えされた第１保形平板部１４を配置して、押え平板部１９の裏面１９Ｙ側に立上げられ、及び左側の上側立上げ平板部２４の表面２４Ｘ側に折返される。
左側の第４保形平板部２８は、立上げ及び折返しに伴って、左側の第１３折曲直線Ｌ１３及び左側の第１４折曲直線Ｌ１４の間（第１３間隔Ｐ１３）に、立上げられた下側立上げ平板部１２と、立上げられ及び折返えされた第１保形平板部１４（左側の第５折曲直線Ｌ５）を配置（位置）する。
【０１７４】
図５０及び図５１に示すように、重ね配置された第２保形平板部１５及び第３保形平板部２５は、各下側脚平板部９，１０及び各上側脚平板部２１，２２の立下げに伴って、右側の第３折曲直線Ｌ３、右側の第６折曲直線Ｌ６、右側の第８折曲直線Ｌ８、右側の第１１折曲直線Ｌ１１及び右側の第１２折曲直線Ｌ１２に沿って、積載平板部７の表面７Ｘ側に立上げられ及び下側立上げ平板部１１の裏面１１Ｙ側に折返され、押え平板部１９の裏面１９Ｙ側に立上げられ及上側立上げ平板部２３の表面２３Ｘ側に折返される。
このとき、右側の第２保形平板部１５は、図５０及び図５１に示すように、各下側脚平板部９，１０及び各上側脚平板部２１，２２の立下げに伴って、下平板３の板下側縁３Ｃ（第４板下側縁部３Ｌ）に第３間隔Ｐ３を隔てる第３折曲直線Ｌ３（右側の第３折曲直線Ｌ３）、右側の第６折曲直線Ｌ６に沿って、積載平板部７の表面７Ｘ側、及び下側立上げ平板部１１の裏面１１Ｙ側に折曲げられる。
右側の第３保形平板部２５は、図５０及び図５１に示すように、各下側脚平板部９，１０及び各上側脚平板部２１，２２の立下げに伴って、上平板４の板上側縁４Ｃ（第３板上側縁部４Ｊ）に第８間隔Ｐ８を隔てる第８折曲直線Ｌ８（右側の第８折曲直線Ｌ８）、右側の第１１折曲直線Ｌ１１及び右側の第１２折曲直線Ｌ１２に沿って、押え平板部１９の裏面１９Ｙ側、及び上側立上げ平板部２３の表面２３Ｘ側に折曲げられる。
これにより、右側の第２保形平板部１５は、図５０及び図５１に示すように、右側の第３折曲直線Ｌ３及び右側の第６折曲直線Ｌ６に沿って、積載平板部７の表面７Ｘ側に立上げられ、及び立上げられた下側立上げ平板部１１の裏面１１Ｙ側に折返えされる。第２保形平板部１５は、右側の第３折曲直線Ｌ３及び右側の第６折曲直線Ｌ６を境（境界線）として、積載平板部７の表面７Ｘ側に立上げられ、及び右側の下側立上げ平板部１１の裏面１１Ｙ側に折返えされる。
右側の第３保形平板部２５は、図５０及び図５１に示すように、右側の第８折曲直線Ｌ８、右側の第１１折曲直線Ｌ１１及び右側の第１２折曲直線Ｌ１２に沿って、押え平板部１９の裏面１９Ｙ側に立上げられ、及び右側の上側立上げ平板部２３の表面２３Ｘ側に折返される。第３保形平板部２５は、右側の第８折曲直線Ｌ８、右側の第１１折曲直線Ｌ１１及び右側の第１２折曲直線Ｌ１２を境（境界線）として、押え平板部１９の裏面１９Ｙ側に立上げられ、及び右側の上側立上げ平板部２３の表面２３Ｘ側に折返される。
右側の第３保形平板部２５は、立上げられた上側立上げ平板部２３との間に、立上げられた下側立上げ平板部１１と、立上げられ及び折返えされた第２保形平板部１５を配置して、押え平板部１９の裏面１９Ｙ側に立上げられ、及び右側の上側立上げ平板部２３の表面２３Ｘ側に折返される。
右側の第３保形平板部２５は、立上げ及び折返しに伴って、右側の第１１折曲直線Ｌ１１及び右側の第１２折曲直線Ｌ１２の間（第１３間隔Ｐ１３）に、立上げられた下側立上げ平板部１１と、立上げられ及び折返えされた第２保形平板部１５（右側の第６折曲直線Ｌ５）を配置（位置）する。
【０１７５】
図５０及び図５１に示すように、重ね配置された第２保形平板部１６及び第３保形平板部２６は、各下側脚平板部９，１０及び各上側脚平板部２１，２２の立下げに伴って、左側の第３折曲直線Ｌ３、左側の第６折曲直線Ｌ６、左側の第８折曲直線Ｌ８、左側の第１１折曲直線Ｌ１１及び左側の第１２折曲直線Ｌ１２に沿って、積載平板部７の表面７Ｘ側に立上げられ及び下側立上げ平板部１２の裏面１２Ｙ側に折返され、押え平板部１９の裏面１９Ｙ側に立上げられ及上側立上げ平板部２４の表面２４Ｘ側に折返される。
このとき、左側の第２保形平板部１６は、図５０及び図５１に示すように、各下側脚平板部９，１０及び各上側脚平板部２１，２２の立下げに伴って、下平板３の板下側縁３Ｄ（第４板下側縁部３Ｍ）に第３間隔Ｐ３を隔てる第３折曲直線Ｌ３（左側の第３折曲直線Ｌ３）、左側の第６折曲直線Ｌ３に沿って、積載平板部７の表面７Ｘ側、及び下側立上げ平板部１２の裏面１２Ｙ側に折曲げられる。
右側の第３保形平板部２６は、図５０及び図５１に示すように、各下側脚平板部９，１０及び各上側脚平板部２１，２２の立下げに伴って、上平板４の板上側縁４Ｄ（第３板上側縁部４Ｋ）に第８間隔Ｐ８を隔てる第８折曲直線Ｌ８（左側の第８折曲直線Ｌ８）、左側の第１１折曲直線Ｌ１１及び左側の第１２折曲直線Ｌ１２に沿って、押え平板部１９の裏面１９Ｙ側、及び上側立上げ平板部２４の表面２４Ｘ側に折曲げられる。
これにより、左側の第２保形平板部１６は、図５０及び図５１に示すように、左側の第３折曲直線Ｌ３及び左側の第６折曲直線Ｌ６に沿って、積載平板部７の表面７Ｘ側に立上げられ、及び立上げられた下側立上げ平板部１２の裏面１２Ｙ側に折返えされる。第２保形平板部１６は、左側の第３折曲直線Ｌ３及び左側の第６折曲直線Ｌ６を境（境界線）として、積載平板部７の表面７Ｘ側に立上げられ、及び左側の下側立上げ平板部１２の裏面１２Ｙ側に折返えされる。
左側の第３保形平板部２６は、図５０及び図５１に示すように、左側の第８折曲直線Ｌ８、左側の第１１折曲直線Ｌ１１及び左側の第１２折曲直線Ｌ１２に沿って、押え平板部１９の裏面１９Ｙ側に立上げられ、及び左側の上側立上げ平板部２４の表面２４Ｘ側に折返される。第３保形平板部２６は、左側の第８折曲直線Ｌ８、左側の第１１折曲直線Ｌ１１及び左側の第１２折曲直線Ｌ１２を境（境界線）として、押え平板部１９の裏面１９Ｙ側に立上げられ、及び左側の上側立上げ平板部２４の表面２４Ｘ側に折返される。
左側の第３保形平板部２６は、立上げられた上側立上げ平板部２４との間に、立上げられた下側立上げ平板部１２と、立上げられ及び折返えされた第２保形平板部１６を配置して、押え平板部１９の裏面１９Ｙ側に立上げられ、及び左側の上側立上げ平板部２４の表面２４Ｘ側に折返される。
左側の第３保形平板部２６は、立上げ及び折返しに伴って、左側の第１１折曲直線Ｌ１１及び左側の第１２折曲直線Ｌ１２の間（第１３間隔Ｐ１３）に、立上げられた下側立上げ平板部１２と、立上げられ及び折返えされた第２保形平板部１６（左側の第６折曲直線Ｌ５）を配置（位置）する。
【０１７６】
押えシート２において、第２押えシート部２Ｂは、図５０乃至図５３に示すように、各下側脚平板部９，１０及び各上側脚平板部２１，２２の立下げに伴って、物品Ｚ（下平板３）に押付けられる。
これにより、押えシート２は、積載窓穴８の内側に位置する第１押えシート部２Ａ、及び押え窓穴２０の内側に位置する第２押えシート部２Ｂにて物品Ｚ（商品）を挟持して、物品Ｚを定着する。
押え補強平板３６は、図５０乃至図５３に示すように、下側脚平板部９，１０及び各上側脚平板部２１，２２の立下げに伴って、第２押えシート部２Ｂを介して、物品Ｚ（下平板３）に押付けられる。
このとき、各積載補強平板部３８，３８，…は、図５２及び図５３に示すように、第１及び第２下側脚平板部９，１０を立下げた状態において、積載窓穴８の各窓縁８Ａ〜８Ｄを折曲直線として、積載平板部７の裏面７Ｙから突出するように折曲げられ、各押え補強平板部４２，４２，…は、図５０乃至図５３に示すように、第１及び第２上側脚平板部２１，２２を立上げた状態において、押え窓穴２０の各窓縁２０Ａ〜２０Ｄを折曲直線として、押え平板部１９の裏面１９Ｙから突出するように折曲げられる。
これにより、積載補強平板３５、及び押え補強平板３６は、各積載補強平板部３８及び各押え補強平板部４２にて物品Ｚ（商品）を挟持して、物品Ｚを保持する。各積載補強平板部３８，３８，…は、物品Ｚを各押え補強平板部４２，４２，…（第２押えシート部２Ｂ）に向けて押付け、及び各押え補強平板部４２，４２，は、物品Ｚを各積載補強平板部３８，３８，…（第１押えシート部２Ａ）に向けて押付ける。
【０１７７】
続いて、各下側立上げ平板部１１，１２、及び各上側立上げ平板部２３，２４は、図５４乃至図５６に示すように、立上げ角θＢから積載平板部７の表面７Ｘ及び押え平板部１９の表面１９Ｘに直交する位置に立上げられる。
このとき、各第１保形平板部１３，１４、及び各第２保形平板部１５，１６は、図５４乃至図５６に示すように、各第２折曲直線Ｌ２，Ｌ２、各第３折曲直線Ｌ３，Ｌ３、各第５折曲直線Ｌ５，Ｌ５及び各第６折曲直線Ｌ６，Ｌ６に沿って、各下側立上げ平板部１１，１２の裏面１１Ｙ，１２Ｙに平行する位置に折返えされ、及び積載平板部７の表面７Ｘに直交する位置に立上げられる。
また、各第３保形平板部２５，２６、及び各第４保形平板部２７，２８は、図５４乃至図５６に示すように、各第８折曲直線Ｌ８，Ｌ８、各第９折曲直線Ｌ９，Ｌ９、各第１１折曲直線Ｌ１１，Ｌ１１、各第１２折曲直線Ｌ１２，Ｌ１２、各第１３折曲直線Ｌ１３，Ｌ１３及び各第１４折曲直線Ｌ１４，Ｌ１４に沿って、各上側立上げ平板部２３，２４の裏面２３Ｙ，２４Ｙに平行する位置に折返えされ、及び押え平板部１９の裏面１９Ｙに直行する位置に立上げられる。
これにより、下側立上げ平板部１１、第１保形平板部１３、上側立上げ平板部２３、及び第４保形平板部２７は、図５４及び図５５に示すように、左右方向ＬＲにおいて、相互に平行して重ね配置される。下側立上げ平板部１１及び第１保形平板部１３は、第１３及び第１４折曲直線Ｌ１３，１４の間（第１３間隔Ｐ３）において、上側立上げ平板部２３及び第４保形平板部２８の間に折込まれる。
下側立上げ平板部１２、第１保形平板部１４、上側立上げ平板部２４、及び第４保形平板部２８は、図５４及び図５５に示すように、左右方向ＬＲにおいて、相互に平行して重ね配置される。下側立上げ平板部１２及び第１保形平板部１４は、第１３及び第１４折曲直線Ｌ１３，１４の間（第１３間隔Ｐ１３）において、上側立上げ平板部２４及び第４保形平板部２８の間に折込まれる。
下側立上げ平板部１１、第２保形平板部１５、上側立上げ平板部２３、及び第３保形平板部２５は、図５４及び図５５に示すように、左右方向ＬＲにおいて、相互に平行して重ね配置される。下側立上げ平板部１１及び第２保形平板部１５は、第１１及び第１２折曲直線Ｌ１１，Ｌ１１の間（第１３間隔Ｐ１３）において、上側立上げ平板部２３及び第３保形平板部２５の間に折込まれる。
下側立上げ平板部１２、第２保形平板部１６、上側立上げ平板部２４及び第３保形平板部２６は、図５４及び図５５に示すように、左右方向ＬＲにおいて、相互に平行して重ね配置される・下側立上げ平板部１２及び第２保形平板部１６は、第１１及び第１２折曲直線Ｌ１１，Ｌ１２の間（第１３間隔Ｐ１３）において、上側立上げ平板部２４及び第３保形平板部２６の間に折込まれる。
【０１７８】
下平板３の第７板下側縁部３Ｒ，３Ｓ（各下側立上げ平板部１１，１２の第７板下側縁部３Ｒ，３Ｓ）は、図５４乃至図５６に示すように、各下側立上げ平板部１１，１２を積載平板部７の表面７Ｘに直交する位置に立上げると、積載平板部７の表面７Ｘに平行配置される。
上平板４の第７板上側縁部４Ｒ，４Ｓ（各上側立上げ平板部２３，２４の第７板上側縁部４Ｒ，４Ｓ）は、各上側立上げ平板部２３，２４を押え平板部１９の裏面１９Ｙに直交する位置に立上げると、押え平板部１９の裏面１９Ｙに平行配置される。
【０１７９】
下平板３の各第５板下側縁部３Ｎ，３Ｑ、及び第６板下側縁部３Ｐ，３Ｑ（各第１保形平板部１３，１４の第５板下側縁部３Ｎ，３Ｏ、各第２保形平板部１５，１６の第６板下側縁部３Ｐ，３Ｑ）は、図５４に示すように、各第１及び各第２保形平板部１３〜１６を積載平板部７の表面７Ｘに直交する位置に立上げると、各下側立上げ平板部１１，１２の第７板下側縁部３Ｒ，３Ｓに面一として平行配置される。
第４鋭角度θ４を、第１鋭角度θ１の半分の角度以上［θ４≧（１／２）×θ１］にすることで、第１保形平板部１３，１４の第５板下側縁部３Ｎ，３Ｏ、各第２保形平板部１５，１６の第６板下側縁部３Ｐ，３Ｑは、各下側立上げ平板部１１，１２の第７板下側縁部３Ｒ，３Ｓに平行配置される。
上平板４の各第５板上側縁部４Ｎ，４Ｑ、及び第６板上側縁部４Ｐ，４Ｑ（各第３保形平板部２５，２６の第５板上側縁部４Ｎ，４Ｏ、各第４保形平板部２７，２８の第６板上側縁部４Ｐ，４Ｑ）は、図５４に示すように、各第３及び各第４保形平板部２５〜２８を押え平板部１９の裏面１９Ｙに直交する位置に立上げると、各上側立上げ平板部２３，２４の第７板上側縁部４Ｒ，４Ｓに平行配置される。
第４鋭角度θ４を、第１鋭角度θ１の半分の角度以上［θ４≧（１／２）×θ１］にすることで、第３保形平板部２５，２６の第５板上側縁部４Ｎ，４Ｏ、各第４保形平板部２７，２８の第６板上側縁部４Ｐ，４Ｑは、各下側立上げ平板部１１，１２の第７板下側縁部３Ｒ，３Ｓに平行配置される。
これにより、梱包用緩衝材Ｘ２は、物品Ｚ（商品）を梱包して組立てられる。
【０１８０】
物品Ｚ（商品）を梱包して組立てられた梱包用緩衝材Ｘ２（以下、「組立て梱包した梱包用緩衝材Ｘ２」という）は、運送（運搬）する際に、図５７乃至図５９に示すように、直方体の梱包箱Ｂ内に収納される。
組立て梱包した梱包用緩衝材Ｘ２は、図５７乃至図５９に示すように、積載平板部７の裏面７Ｙ側から梱包箱Ｂ内に収納される。
組立て梱包した梱包用緩衝材Ｘ２は、図５９に示すように、第１及び第２下側脚平板部９，１０、第１及び第２上側脚平板部２１，２２（下平板３の板上縁３Ａ及び板下縁３Ｂ、上平板４の板上縁４Ａ及び板下縁４Ｂ）を梱包箱Ｂの底平板１０１に当接して。梱包箱Ｂ内に収納される。
また、組立て梱包した梱包用緩衝材Ｘ２は、図５８に示すように、各第３保形平板部２５，２６、及び各第４保形平板部２７，２８を梱包箱Ｂの側平板５２，５２に当接して、梱包箱Ｂ内に収納される。
続いて、梱包箱Ｂの蓋平板５３を閉じて、蓋平板５３を、立上げられた各下側立上げ平板部１１，１２、立上げられた各上側立上げ平板部２３，２４に当接して運送する。
このとき、組立て梱包した梱包用緩衝材Ｘ２は、各第３保形平板部２５，２６、及び各第４保形平板部２７，２８を梱包箱Ｂの各側平板５２，５２に当接するので、梱包用緩衝材Ｘ１の組立ては開放（展開）されず、第１及び第２下側脚平板部９，１０の立下げ角度θＡ、及び第１及び第２上側脚平板部２１，２１の立下げ角度θＡを保持する。
【０１８１】
＜第３実施形態＞
第３実施形態の梱包用緩衝材Ｘ３について、図６０乃至図７７を参照して説明する。
なお、図６０乃至図７７において、図１乃至図４１と同一符号は、同一部材、同一構成であるので、その詳細な説明は省略する。
また、説明の便宜上、先ず、組立前の展開した第３実施形態の梱包用緩衝材Ｘ３について説明し、次に、第３実施形態の梱包用緩衝材Ｘ３を組立てて物品（商品）を梱包する要領（組立て梱包方法）について説明する。
【０１８２】
図６０乃至図６５において、第３実施形態の梱包用緩衝材Ｘ３（以下、「梱包用緩衝材Ｘ３」という）は、基礎平板体１、押えシート２を備える。
【０１８３】
梱包用緩衝材Ｘ３において、基礎平板体１は、図１乃至図４１で説明したと同様に、基礎折曲直線ＬＸ、及び左右一対の基準切込直線ＬＹ，ＬＹを有する（図６０乃至図６２参照）。
基礎平板体１は、図１乃至図４１で説明したと同様に、下平板３と、上平板４とで構成される（図６０乃至図６５参照）。
【０１８４】
梱包用緩衝材Ｘ３において、下平板３は、図１乃至図４１で説明したと同様に、上下一対の第１折曲直線Ｌ１，Ｌ１、左右一対の第２折曲直線Ｌ２，Ｌ２、左右一対の第３折曲直線Ｌ３，Ｌ３、左右一対の第４折曲直線Ｌ４，Ｌ４、左右一対の第５折曲直線Ｌ５，Ｌ５、左右一対の第６折曲直線Ｌ６，Ｌ６、左右一対の第１下側折曲穴５，５及び左右一対の第２下側折曲穴６，６を有する。下平板３は、板上縁３Ａ、板下縁３Ｂ、左右一対の板下側縁３Ｃ，３Ｄを有する（図６０乃至図６２参照）。
【０１８５】
梱包用緩衝材Ｘ３において、下平板３は、図１乃至図４１で説明したと同様に、積載平板部７、第１下側脚平板部９、第２下側脚平板部１０、左右一対の下側立上げ平板部１１，１２、左右一対の第１保形平板部１３，１４、及び左右一対の第２保形平板部１５，１６、及び複数の積載保持平板部５１，５１，…で構成される（図６０乃至図６５参照）。
梱包用緩衝材Ｘ３は、積載窓穴８を有することなく構成される。
【０１８６】
梱包用緩衝材Ｘ３において、上平板４は、図１乃至図４１で説明したと同様に、上下一対の第７折曲直線Ｌ７，Ｌ７、左右一対の第８折曲直線Ｌ８，Ｌ８、左右一対の第９折曲直線Ｌ９，Ｌ９、左右一対の第１０折曲直線Ｌ１０，Ｌ１０、左右一対の第１１折曲直線Ｌ１１，Ｌ１１、左右一対の第１２折曲直線Ｌ１２，Ｌ１２、左右一対の第１３折曲直線Ｌ１３，Ｌ１３、左右一対の第１４折曲直線Ｌ１４，Ｌ１４、左右一対の第１上側折曲穴１７，１７、及び左右一対の第２上側折曲穴１８，１８を有する。上平板４は、板上縁４Ａ、板下縁４Ｂ、及び左右一対の板上側縁４Ｃ，４Ｄを有する（図６０乃至図６２参照）。
【０１８７】
梱包用緩衝材Ｘ３において、上平板４は、図１乃至図４１で説明したと同様に、押え平板部１９、押え窓穴２０、第１上側脚平板部２１、第２上側脚平板部２２、左右一対の上側立上げ平板部２３，２４、左右一対の第３保形平板部２５，２６、及び左右一対の第４保形平板部２７，２８で構成される（図６０乃至図６２参照）。
【０１８８】
各積載保持平板部５１，５１，…は、図６０乃至図６４に示すように、積載平板部７に形成される。各積載保持平板部５１，５１，…は、複数（４本）の保持切込直線（保持切込線）ＬＮ，ＬＮ，…にて区画される。
各保持切込直線ＬＮ，ＬＮ，…は、図６０及び図６１に示すように、積載平板部７に配置される。各保持切込直線ＬＮ，ＬＮ，…は、左右方向ＬＲにおいて、相互に切込間隔ＰＮ（保持切込間隔）を隔てて形成され、各第４折曲直線Ｌ４，Ｌ４に平行配置される。各保持込直線ＬＮ，ＬＮ，…は、上下方向ＵＤにおいて、各第１折曲直線Ｌ１，Ｌ１の間に延在されて、各第１折曲直線Ｌ１，Ｌ１に交差する。
各保持切込直線ＬＮ，ＬＮ，…は、前後方向ＦＲ（板厚方向）において、積載平板部７を貫通して、積載平板部７の表面７Ｘ及び裏面７Ｙに開口する。
これにより、各積載保持平板部５１，５１，…は、左右方向ＬＲにおいて、各保持切込直線ＬＮ，ＬＮ，…にて区画されて、各保持切込直線ＬＮ，ＬＮ，…の間に形成される。
各積載保持平板部５１，５１，…は、上下方向ＵＤにおいて、各第１折曲直線Ｌ１，Ｌ１の間に延在して形成される。
【０１８９】
梱包用緩衝材Ｘ３において、押え窓穴２０は、図６０及び図６１に示すように、窓穴上縁２０Ａを上側の第１折曲直線Ｌ１に沿って配置し、窓穴下縁２０Ｂを下側の第１折曲直線Ｌ１に沿って配置して、押え平板部１９に形成される。
【０１９０】
梱包用緩衝材Ｘ３において、第１押えシート部２Ａは、図６０乃至図６２に示すように、積載平板部７の表面７Ｘに積載（積層）される。第１押えシート部２Ａは、各積載保持平板部５１，５１，…を覆って下平板３に固定される。
第１押えシート部２Ａは、図６０に示すように、各保持切込直線ＬＮ，ＬＮ，…より各第４折曲直線Ｌ４，Ｌ４側において、各第１折曲直線Ｌ１，Ｌ１の間にわたって、積載平板部７の表面７Ｘに固定される。第１押えシート部２Ａは、各第４折曲直線Ｌ４，Ｌ４の間わたって、第１下側脚平板部９の表面９Ｘ、及び第２下側脚平板部１０の表面１０Ｘに固定される。
【０１９１】
＜物品（商品）の梱包＞
次に、梱包用緩衝材Ｘ３を組立てて、物品Ｚ（商品）を梱包する要領（組立て梱包方法）について、図６６乃至図７４を参照して説明する。
【０１９２】
先ず、展開した梱包用緩衝材Ｘ３において、物品Ｚ（商品）を下平板３の表面３Ｘに積載（載置）する（図６６参照）。
物品Ｚは、図６６に示すように、下平板３の表面３Ｘから積載窓穴８内（積載窓穴８の内側）に配置されて、第押え１シート部２Ａ上（第１押えシート部２Ａの表面）、及び各積載保持平板部５１，５１，…上に積載（載置）される。
このとき、物品Ｚは、図６６に示すように、各保持切込直線ＬＰ，ＬＰ，…を横切って、第１押えシート部２Ａ上、及び各積載保持平板部５１，５１，…上に積載される。
【０１９３】
図６６及び図６７において、上平板４を、基準折曲直線ＬＸに沿って下平板３の表面３Ｘに折返す。上平板４は、表面４Ｘを下平板３の表面３Ｘに向けて、基準折曲直線ＬＸに沿って下平板３の表面３Ｘに折返される。
このとき、第２上側脚平板部２２は、図６６及び図６７に示すように、第２上側脚平板部２２の表面２２Ｘを第１下側脚平板部９の表面９Ｘに向けて、基準折曲直線ＬＸに沿って第１下側脚平板部９の表面９Ｘ（表平面）に折返される。
各第４保形平板部２７，２８は、図６６及び図６７に示すように、各第４保形平板部２７，２８の表面２７Ｘ，２８Ｘを各第１保形平板部１３，１４の表面１３Ｘ，１４Ｘに向けて、各基準切込直線ＬＹ，ＬＹ（基準折曲直線ＬＸ）に沿って各第１保形平板部１３，１４の表面１３Ｘ，１４Ｘ（表平面）に折返される。
これにより、上平板４は、基準折曲直線ＬＸを境（境界線）として下平板３の表面３Ｘに重ねて配置される。
第２上側脚平板部２２は、基準折曲直線ＬＸを境（境界線）として第１下側脚平板部９に重ねて配置される。
各第４保形平板部２７，２８は、各基準切込直線ＬＹ，ＬＹ（基準折曲直線ＬＹ）を境（境界線）として各第１保形平板部１３，１４の表面１３Ｘ，１４Ｘ（表平面）に重ねて配置される。
【０１９４】
押え平板部１９は、図６６及び図６７に示すように、上平板４を下平板３の表面３Ｘに折返した状態において、積載平板部７の表面７Ｘに重ねて配置される。  
【０１９５】
押え窓穴２０は、図６６及び図６７に示すように、上平板４を下平板３の表面３Ｘに折返した状態において、積載窓穴８に重ねて配置される。
【０１９６】
第１上側脚平板部２１は、図６６及び図６７に示すように、上平板４を下平板３の表面３Ｘに折返した状態において、第１上側脚平板部２１の表面２１Ｘを第２下側脚平板部１０の表面１０Ｘを向けて、第２下側脚平板部１０の表面１０Ｘ（表平面）に重ねて配置される。
各上側立上げ平板部２３，２４は、図６６及び図６７に示すように、上平板４を下平板３の表面３Ｘに折返した状態において、各上側立上げ平板部２３，２４の表面２３Ｘ，２４Ｘを各下側立上げ平板部１１，１２の表面１１Ｘ，１２Ｘに向けて、各下側立上げ平板部１１，１２の表面１１Ｘ，１２Ｘ（表平面）に重ねて配置される。
各第３保形平板部２５，２６は、図６６及び図６７に示すように、上平板４を下平板３の表面３Ｘに折返した状態において、各第３保形平板部２５，２６の表面２５Ｘ，２６Ｘを各第２保形平板部１５，１６の表面１５Ｘ，１６Ｘに向けて、各第２保形平板部１５，１６の表面１５Ｘ，１６Ｘ（表平面）に重ねて配置される。
上平板４は、図５７に示すように、下平板３の表面３Ｘに重ねた状態において、各第１１折曲直線Ｌ１１，Ｌ１１及び各第１２折曲直線Ｌ１２，Ｌ１２の間（各第１３間隔Ｐ１３）に、下平板３の各第６折曲直線Ｌ６，Ｌ６を配置する。
上平板４は、図６７に示すように、下平板３の表面３Ｘに重ねた状態において、各第１３折曲直線Ｌ１３，Ｌ１３及び各第１４折曲直線Ｌ１４，Ｌ１４の間（各第１３間隔Ｐ１３）に、下平板３の各第５折曲直線Ｌ５，Ｌ５を配置する。
【０１９７】
押えシート２において、第２押えシート部２Ｂは、図６６及び図６７に示すように、上平板４を下平板３の表面３Ｘに折返した状態において、第２押えシート部２Ｂの表面を第１押えシート部２Ａの表面に向けて、第１押えシート部２Ａの表面に重ねて配置される。
第２押えシート部２Ｂは、図６６及び図６７に示すように、上平板４を下平板３の表面３Ｘに折返した状態において、第１押えシート部２Ａ上の物品Ｚ（商品）を覆って、物品Ｚに当接される。
このとき、第１押えシート部２Ａ上の物品Ｚ（商品）は、押え窓穴２０の押え窓穴縁であって、窓穴上縁２０Ａ，窓穴下縁２０Ｂ、窓穴右縁２０Ｃ及び窓穴左縁２０Ｄに接触することなく、押え窓穴２０の内側（押え窓穴２０内）に位置する第２押えシート部２Ｂに当接される。
これにより、押えシート２は、積載窓穴８の内側に位置する第１押えシート部２Ａ、及び押え窓穴２０の内側に位置する第２押えシート部２Ｂの間に、物品Ｚ（商品）を配置する。
各積載保持平板部５１，５１，…は、上平板４を下平板３の表面３Ｘに折返した状態において、第２押えシート部２Ｂとの間に物品Ｚを配置して、物品Ｚを保持する。
【０１９８】
続いて、図６７乃至図７４に示すように、重ね配置された第１下側脚平板部９及び第２上側脚平板部２２を、上側の第１折曲直線L１及び上側の第７折曲直線Ｌ７に沿って、積載平板部７の裏面７Ｙ側及び押え平板部１９の表面１９Ｘ（裏平面）に折曲げる。
このとき、第１下側脚平板部９は、基準折曲直線ＬＸ（下平板３の板上縁３Ａ）に第６間隔Ｐ６を隔てる第１折曲直線Ｌ１（上側の第７折曲直線）に沿って、積載平板部７の裏面７Ｙ側（各積載保持平板部５１の裏面５１Ｙ側）に折曲げられる。
第２上側脚平板部２２は、基準折曲直線ＬＸ（上平板４の板下縁４Ｂ）に第６間隔Ｐ６を隔てる第７折曲直線Ｌ７（下側の第７折曲直線）に沿って、押え平板部１９の表面１９Ｘ側に折曲げられる。
これにより、第１下側脚平板部９は、図７４に示すように、積載平板部７の裏面７Ｙに立下げ角度θＡをなして、上側の第１折曲直線Ｌ１に沿って積載平板部７の裏面７Ｙ側に立下げられる。第１下側脚平板部９は、上側の第１折曲直線Ｌ１を境（境界線）として、積載平板部７の裏面７Ｙ側（各積載保持平板部５１の裏面５１Ｙ側）に立下げられる。
第２上側脚平板部２２は、図７４に示すように、押え平板部１９の表面１９Ｘに立下げ角度θＡをなして、下側の第７折曲直線Ｌ７に沿って押え平板部１９の表面１９Ｘ側（第２押えシート部２Ｂの表面側）に立下げられる。立下げた第２上側平板部２２は、図７１及び図７４に示すように、立下げた第１下側脚平板部９の表面９Ｘに当接して、第１下側脚平板部９の表面９Ｘに重ねられる。第２上側脚平板部２２は、下側の第７折曲直線Ｌ７を境（境界線）として、立下げられた第１下側脚平板部９の表面９Ｘに重ねられて、押え平板部１９の表面１９Ｘ側に立下げられる。
このように、重ね配置された第１下側脚平板部９及び第２上側脚平板部２２は、同時に、積載平板部７の裏面７Ｙ及び押え平板部１９の表面１９Ｘに折曲げられて、積載平板部７の裏面７Ｙ側及び押え平板部１９の表面１９Ｘ側に立下げられる。
【０１９９】
図６８乃至図７４に示すように、重ね配置された第２下側脚平板部１０及び第１上側脚平板部２１を、下側の第１折曲直線Ｌ１及び下側の第７折曲直線Ｌ７に沿って、積載平板部７の裏面７Ｙ及び押え平板部１９の表面１９Ｘに折曲げられる。
このとき、第２下側脚平板部１０は、基礎平板体１の板下縁１Ｂ（下平板３の板下縁３Ｂ）に第１間隔Ｐ１を隔てる第１折曲直線Ｌ１（下側の第１折曲直線）に沿って、積載平板部７の裏面７Ｙに折曲げられる。
第１上側脚平板部２１は、基礎平板体１の板上縁１Ａ（上平板４の板上縁１Ａ）に第６間隔Ｐ６を隔てる第７折曲直線Ｌ７（上側の第７折曲直線）に沿って、押え平板部１９の表面１９Ｘに折曲げられる。
これにより、第２下側脚平板部１０は、図７４に示すように、積載平板部７の裏面７Ｙに立下げ角度θＡをなして、下側の第１折曲直線Ｌ１に沿って、積載平板部７の裏面７Ｙ側に立下げられる。第２下側脚平板部１０は、下側の第１折曲直線Ｌ１を境（境界線）として、積載平板部７の裏面７Ｙ側（各積載保持平板部５１，５１，…の裏面５１Ｙ側）に立下げられる。
第１上側脚平板部２１は、図７４に示すように、押え平板部１９の表面１９Ｘに立下げ角度θＡをなして、上側の第７折曲直線Ｌ７に沿って押え平板部１９の表面１９Ｘ側（第２押えシート部２Ｂの表面側）に立下げられる。立下げた第１上側脚平板部２１は、図７４に示すように、立下げた第２下側脚平板部１０の表面１０Ｘに当接して、第２下側脚平板部１０の表面１０Ｘに重ねられる。第１上側脚平板部２１は、上側の第７折曲直線Ｌ１０を境（境界線）として、立下げられた第２下側脚平板部１０に重ねられて、押え平板部１９の表面１９Ｘ側に立下げられる。
このように、重ね配置された第２下側脚平板部１０及び第１上側脚平板部２１は、同時に、積載平板部７の裏面７Ｙ及び押え平板部１９の表面１９Ｘに折曲げられて、積載平板部７の裏面７Ｙ側及び押え平板部１９の表面１９Ｘ側に立下げられる。
【０２００】
図６７乃至図７１に示すように、重ね配置された下側立上げ平板部１１及び上側立上げ平板部２３は、各下側脚平板部９，１０及び各上側脚平板部２１，２２の立下げに伴って、右側の第４折曲直線Ｌ４及び右側の第１０折曲直線Ｌ１０に沿って、積載平板部７の表面７Ｘ側及び押え平板部１９の裏面１９Ｙ側に立上げられる。
このとき、右側の下側立上げ平板部１１は、図６８乃至図７０に示すように、第１及び第２下側脚平板部９，１０の立下げに伴って、下平板３の板下側縁３Ｃ（第７板下側縁部３Ｒ）に第３間隔Ｐ３を隔てる第４折曲直線Ｌ４（右側の第４折曲直線Ｌ４）に沿って、積載平板部７の表面７Ｘ側に折曲げられる。
右側の上側立上げ平板部２３は、図６８乃至図７０に示すように、第１及び第２上側脚平板部２１，２２の立下げに伴って、上平板４の板上側縁４Ｃ（第７板上側縁部４Ｒ）に第９間隔Ｐ９を隔てる第１０折曲直線Ｌ１０（右側の第１０折曲直線Ｌ１０）に沿って、押え平板部１９の裏面１９Ｙ側に折曲げられる。
これにより、右側の下側立上げ平板部１１は、図７０に示すように、積載平板部７の表面７Ｘに立上げ角度θＢをなして、右側の第４折曲直線Ｌ４に沿って積載平板部７の表面７Ｘ側に立上げられる。右側の下側立上げ平板部１１は、右側の第４折曲直線Ｌ４を境（境界線）として、積載平板部７の表面７Ｘ側に立上げられる。
右側の上側立上げ平板部２３は、図７０に示すように、押え平板部１９の裏面１９Ｙに立上げ角度θＢをなして、右側の第１０折曲直線Ｌ１０に沿って押え平板部１９の裏面１９Ｙ側に立上げられる。立上げられた上側立上げ平板部２３は、図６８乃至図７０に示すように、立上げられた下側立上げ平板部１１の表面１１Ｘ（表平面）に当接して、下側立上げ平板部１１の表面１１Ｘに重ねられる。右側の上側立上げ平板部２３は、右側の第１０折曲直線L１０を境（境界線）として、立上げられた下側立上げ平板部１１に重ねられて、押え平板部１９の裏面Ｙ側に立上げられる。
このように、右側の下側立上げ平板部１１及び右側の上側立上げ平板部２３は、各下側脚平板部９，１０及び各上側脚平板部２１，２２の立下げに伴って、積載平板部７の表面７Ｘ側及び押え平板部１９の裏面１９Ｙ側に立上げられる。
【０２０１】
図６７乃至図７１に示すように、重ね配置された下側立上げ平板部１２及び上側立上げ平板部２３は、各下側脚平板部９，１０及び各上側脚平板部２１，２２の立下げに伴って、左側の第４折曲直線Ｌ４及び左側の第１０折曲直線Ｌ１０に沿って、積載平板部７の表面７Ｘ側及び押え平板部１９の裏面１９Ｙ側に立上げられる。
このとき、左側の下側立上げ平板部１２は、図６８乃至図７０に示すように、第１及び第２下側脚平板部９，１０の立下げに伴って、下平板３の板下側縁３Ｄ（第７板下側縁部３Ｓ）に第３間隔Ｐ３を隔てる第４折曲直線Ｌ４（左側の第４折曲直線Ｌ４）に沿って、積載平板部７の表面７Ｘ側に折曲げられる。
左側の上側立上げ平板部２４は、図６８乃至図７０に示すように、第１及び第２上側脚平板部２１，２２の立下げに伴って、上平板４の板上側縁４Ｄ（第７板上側縁部４Ｓ）に第９間隔Ｐ９を隔てる第１０折曲直線Ｌ１０（左側の第１０折曲直線Ｌ１０）に沿って、押え平板部１９の裏面１９Ｙ側に折曲げられる。
これにより、左側の下側立上げ平板部１２は、図７０に示すように、積載平板部７の表面７Ｘに立上げ角度θＢをなして、左側の第４折曲直線Ｌ４に沿って積載平板部７の表面７Ｘ側に立上げられる。左側の下側立上げ平板部１２は、左側の第４折曲直線Ｌ４を境（境界線）として、積載平板部７の表面７Ｘ側に立上げられる。
左側の上側立上げ平板部２４は、図７０に示すように、押え平板部１９の裏面１９Ｙに立上げ角度θＢをなして、左側の第１０折曲直線Ｌ１０に沿って押え平板部１９の裏面１９Ｙ側に立上げられる。立上げられた上側立上げ平板部２４は、図６８乃至図７０に示すように、立上げられた下側立上げ平板部１２の表面１２Ｘ（表平面）に当接して、下側立上げ平板部１２の表面１２Ｘに重ねられる。左側の上側立上げ平板部２４は、左側の第１０折曲直線L１０を境（境界線）として、立上げられた下側立上げ平板部１２に重ねられて、押え平板部１９の裏面１９Ｙ側に立上げられる。
このように、左側の下側立上げ平板部１２及び左側の上側立上げ平板部２４は、各下側脚平板部９，１０及び各上側脚平板部２１，２２の立下げに伴って、積載平板部７の表面７Ｘ側及び押え平板部１９の裏面１９Ｙ側に立上げられる。
【０２０２】
図６７乃至図６９に示すように、重ね配置された第１保形平板部１３及び第４保形平板部２７は、各下側脚平板部９，１０及び各上側脚平板部２１，２２の立下げに伴って、右側の第２折曲直線Ｌ２、右側の第５折曲直線Ｌ５、右側の第９折曲直線Ｌ９、右側の第１３折曲直線Ｌ１３及び右側の第１４折曲直線Ｌ１４に沿って、積載平板部７の表面７Ｘ側に立上げられ及び下側立上げ平板部１１の裏面１１Ｙ側に折返され、押え平板部１９の裏面１９Ｙ側に立上げられ及上側立上げ平板部２３の表面２３Ｘ側に折返される。
このとき、右側の第１保形平板部１３は、図６８及び図６９に示すように、各下側脚平板部９，１０及び各上側脚平板部２１，２２の立下げに伴って、下平板３の板下側縁３Ｃ（第３板下側縁部３Ｊ）に第３間隔Ｐ３を隔てる第２折曲直線Ｌ２（右側の第２折曲直線Ｌ２）、右側の第５折曲直線Ｌ５に沿って、積載平板部７の表面７Ｘ側、及び下側立上げ平板部１１の裏面１１Ｙ側に折曲げられる。
右側の第４保形平板部２７は、図６８及び図６９に示すように、各下側脚平板部９，１０及び各上側脚平板部２１，２２の立下げに伴って、上平板４の板上側縁４Ｃ（第４板上側縁部４Ｌ）に第８間隔Ｐ８を隔てる第９折曲直線Ｌ９（右側の第９折曲直線Ｌ９）、右側の第１３折曲直線Ｌ１３及び右側の第１４折曲直線Ｌ１４に沿って、押え平板部１９の裏面１９Ｙ側、及び上側立上げ平板部２３の表面２３Ｘ側に折曲げられる。
これにより、右側の第１保形平板部１３は、図６８及び図６９に示すように、右側の第２折曲直線Ｌ２及び右側の第５折曲直線Ｌ５に沿って、積載平板部７の表面７Ｘ側に立上げられ、及び立上げられた下側立上げ平板部１１の裏面１１Ｙ側に折返えされる。第１保形平板部１３は、右側の第２折曲直線Ｌ２及び右側の第５折曲直線Ｌ５を境（境界線）として、積載平板部７の表面７Ｘ側に立上げられ、及び右側の下側立上げ平板部１１の裏面１１Ｙ側に折返えされる。
右側の第４保形平板部２７は、図６８及び図６９に示すように、右側の第９折曲直線Ｌ９、右側の第１３折曲直線Ｌ１３及び右側の第１４折曲直線Ｌ１４に沿って、押え平板部１９の裏面１９Ｙ側に立上げられ、及び右側の上側立上げ平板部２３の表面２３Ｘ側に折返される。第４保形平板部２７は、右側の第９折曲直線Ｌ９、右側の第１３折曲直線Ｌ１３及び右側の第１４折曲直線Ｌ１４を境（境界線）として、押え平板部１９の裏面１９Ｙ側に立上げられ、及び右側の上側立上げ平板部２３の表面２３Ｘ側に折返される。
右側の第４保形平板部２７は、図６８及び図６９に示すように、立上げられた上側立上げ平板部２３との間に、立上げられた下側立上げ平板部１１と、立上げられ及び折返えされた第１保形平板部１３を配置して、押え平板部１９の裏面１９Ｙ側に立上げられ、及び右側の上側立上げ平板部２３の表面２３Ｘ側に折返される。
右側の第４保形平板部２７は、立上げ及び折返しに伴って、右側の第１３折曲直線Ｌ１３及び右側の第１４折曲直線Ｌ１４の間（第１３間隔Ｐ１３）に、立上げられた下側立上げ平板部１１と、立上げられ及び折返えされた第１保形平板部１３（右側の第５折曲直線Ｌ５）を配置（位置）する。
【０２０３】
図６８及び図６９に示すように、重ね配置された第１保形平板部１４及び第４保形平板部２８は、各下側脚平板部９，１０及び各上側脚平板部２１，２２の立下げに伴って、左側の第２折曲直線Ｌ２、左側の第５折曲直線Ｌ５、左側の第９折曲直線Ｌ９、左側の第１３折曲直線Ｌ１３及び左側の第１４折曲直線Ｌ１４に沿って、積載平板部７の表面７Ｘ側に立上げられ及び下側立上げ平板部１２の裏面１２Ｙ側に折返され、押え平板部１９の裏面１９Ｙ側に立上げられ及上側立上げ平板部２４の表面２４Ｘ側に折返される。
このとき、左側の第１保形平板部１４は、図６８及び図６９に示すように、各下側脚平板部９，１０及び各上側脚平板部２１，２２の立下げに伴って、下平板３の板下側縁３Ｄ（第３板下側縁部３Ｋ）に第３間隔Ｐ３を隔てる第２折曲直線Ｌ２（左側の第２折曲直線Ｌ２）、左側の第５折曲直線Ｌ５に沿って、積載平板部７の表面７Ｘ側、及び下側立上げ平板部１２の裏面１２Ｙ側に折曲げられる。
右側の第４保形平板部２８は、図６８及び図６９に示すように、各下側脚平板部９，１０及び各上側脚平板部２１，２２の立下げに伴って、上平板４の板上側縁４Ｄ（第４板上側縁部４Ｍ）に第８間隔Ｐ８を隔てる第９折曲直線Ｌ９（左側の第９折曲直線Ｌ９）、左側の第１３折曲直線Ｌ１３及び左側の第１４折曲直線Ｌ１４に沿って、押え平板部１９の裏面１９Ｙ側、及び上側立上げ平板部２４の表面２４Ｘ側に折曲げられる。
これにより、左側の第１保形平板部１４は、図６８及び図６９に示すように、左側の第２折曲直線Ｌ２及び左側の第５折曲直線Ｌ５に沿って、積載平板部７の表面７Ｘ側に立上げられ、及び立上げられた下側立上げ平板部１２の裏面１２Ｙ側に折返えされる。第１保形平板部１４は、左側の第２折曲直線Ｌ２及び左側の第５折曲直線Ｌ５を境（境界線）として、積載平板部７の表面７Ｘ側に立上げられ、及び左側の下側立上げ平板部１２の裏面１２Ｙ側に折返えされる。
左側の第４保形平板部２８は、図６８及び図６９に示すように、左側の第９折曲直線Ｌ９、左側の第１３折曲直線Ｌ１３及び左側の第１４折曲直線Ｌ１４に沿って、押え平板部１９の裏面１９Ｙ側に立上げられ、及び左側の上側立上げ平板部２４の表面２４Ｘ側に折返される。第４保形平板部２７は、左側の第９折曲直線Ｌ９、左側の第１３折曲直線Ｌ１３及び左側の第１４折曲直線Ｌ１４を境（境界線）として、押え平板部１９の裏面１９Ｙ側に立上げられ、及び左側の上側立上げ平板部２４の表面２４Ｘ側に折返される。
左側の第４保形平板部２８は、図６８及び図６９に示すように、立上げられた上側立上げ平板部２４との間に、立上げられた下側立上げ平板部１２と、立上げられ及び折返えされた第１保形平板部１４を配置して、押え平板部１９の裏面１９Ｙ側に立上げられ、及び左側の上側立上げ平板部２４の表面２４Ｘ側に折返される。
左側の第４保形平板部２８は、立上げ及び折返しに伴って、左側の第１３折曲直線Ｌ１３及び左側の第１４折曲直線Ｌ１４の間（第１３間隔Ｐ１３）に、立上げられた下側立上げ平板部１２と、立上げられ及び折返えされた第１保形平板部１４（左側の第５折曲直線Ｌ５）を配置（位置）する。
【０２０４】
図６８及び図６９に示すように、重ね配置された第２保形平板部１５及び第３保形平板部２５は、各下側脚平板部９，１０及び各上側脚平板部２１，２２の立下げに伴って、右側の第３折曲直線Ｌ３、右側の第６折曲直線Ｌ６、右側の第８折曲直線Ｌ８、右側の第１１折曲直線Ｌ１１及び右側の第１２折曲直線Ｌ１２に沿って、積載平板部７の表面７Ｘ側に立上げられ及び下側立上げ平板部１１の裏面１１Ｙ側に折返され、押え平板部１９の裏面１９Ｙ側に立上げられ及上側立上げ平板部２３の表面２３Ｘ側に折返される。
このとき、右側の第２保形平板部１５は、図６８及び図６９に示すように、各下側脚平板部９，１０及び各上側脚平板部２１，２２の立下げに伴って、下平板３の板下側縁３Ｃ（第４板下側縁部３Ｌ）に第３間隔Ｐ３を隔てる第３折曲直線Ｌ３（右側の第３折曲直線Ｌ３）、右側の第６折曲直線Ｌ６に沿って、積載平板部７の表面７Ｘ側、及び下側立上げ平板部１１の裏面１１Ｙ側に折曲げられる。
右側の第３保形平板部２５は、図６８及び図６９に示すように、各下側脚平板部９，１０及び各上側脚平板部２１，２２の立下げに伴って、上平板４の板上側縁４Ｃ（第３板上側縁部４Ｊ）に第８間隔Ｐ８を隔てる第８折曲直線Ｌ８（右側の第８折曲直線Ｌ８）、右側の第１１折曲直線Ｌ１１及び右側の第１２折曲直線Ｌ１２に沿って、押え平板部１９の裏面１９Ｙ側、及び上側立上げ平板部２３の表面２３Ｘ側に折曲げられる。
これにより、右側の第２保形平板部１５は、図６８及び図６９に示すように、右側の第３折曲直線Ｌ３及び右側の第６折曲直線Ｌ６に沿って、積載平板部７の表面７Ｘ側に立上げられ、及び立上げられた下側立上げ平板部１１の裏面１１Ｙ側に折返えされる。第２保形平板部１５は、右側の第３折曲直線Ｌ３及び右側の第６折曲直線Ｌ６を境（境界線）として、積載平板部７の表面７Ｘ側に立上げられ、及び右側の下側立上げ平板部１１の裏面１１Ｙ側に折返えされる。
右側の第３保形平板部２５は、図６８及び図６９に示すように、右側の第８折曲直線Ｌ８、右側の第１１折曲直線Ｌ１１及び右側の第１２折曲直線Ｌ１２に沿って、押え平板部１９の裏面１９Ｙ側に立上げられ、及び右側の上側立上げ平板部２３の表面２３Ｘ側に折返される。第３保形平板部２５は、右側の第８折曲直線Ｌ８、右側の第１１折曲直線Ｌ１１及び右側の第１２折曲直線Ｌ１２を境（境界線）として、押え平板部１９の裏面１９Ｙ側に立上げられ、及び右側の上側立上げ平板部２３の表面２３Ｘ側に折返される。
右側の第３保形平板部２５は、立上げられた上側立上げ平板部２３との間に、立上げられた下側立上げ平板部１１と、立上げられ及び折返えされた第２保形平板部１５を配置して、押え平板部１９の裏面１９Ｙ側に立上げられ、及び右側の上側立上げ平板部２３の表面２３Ｘ側に折返される。
右側の第３保形平板部２５は、立上げ及び折返しに伴って、右側の第１１折曲直線Ｌ１１及び右側の第１２折曲直線Ｌ１２の間（第１３間隔Ｐ１３）に、立上げられた下側立上げ平板部１１と、立上げられ及び折返えされた第２保形平板部１５（右側の第６折曲直線Ｌ５）を配置（位置）する。
【０２０５】
図６８及び図６９に示すように、重ね配置された第２保形平板部１６及び第３保形平板部２６は、各下側脚平板部９，１０及び各上側脚平板部２１，２２の立下げに伴って、左側の第３折曲直線Ｌ３、左側の第６折曲直線Ｌ６、左側の第８折曲直線Ｌ８、左側の第１１折曲直線Ｌ１１及び左側の第１２折曲直線Ｌ１２に沿って、積載平板部７の表面７Ｘ側に立上げられ及び下側立上げ平板部１２の裏面１２Ｙ側に折返され、押え平板部１９の裏面１９Ｙ側に立上げられ及上側立上げ平板部２４の表面２４Ｘ側に折返される。
このとき、左側の第２保形平板部１６は、図６８及び図６９に示すように、各下側脚平板部９，１０及び各上側脚平板部２１，２２の立下げに伴って、下平板３の板下側縁３Ｄ（第４板下側縁部３Ｍ）に第３間隔Ｐ３を隔てる第３折曲直線Ｌ３（左側の第３折曲直線Ｌ３）、左側の第６折曲直線Ｌ３に沿って、積載平板部７の表面７Ｘ側、及び下側立上げ平板部１２の裏面１２Ｙ側に折曲げられる。
右側の第３保形平板部２６は、図６８及び図６９に示すように、各下側脚平板部９，１０及び各上側脚平板部２１，２２の立下げに伴って、上平板４の板上側縁４Ｄ（第３板上側縁部４Ｋ）に第８間隔Ｐ８を隔てる第８折曲直線Ｌ８（左側の第８折曲直線Ｌ８）、左側の第１１折曲直線Ｌ１１及び左側の第１２折曲直線Ｌ１２に沿って、押え平板部１９の裏面１９Ｙ側、及び上側立上げ平板部２４の表面２４Ｘ側に折曲げられる。
これにより、左側の第２保形平板部１６は、図６８及び図６９に示すように、左側の第３折曲直線Ｌ３及び左側の第６折曲直線Ｌ６に沿って、積載平板部７の表面７Ｘ側に立上げられ、及び立上げられた下側立上げ平板部１２の裏面１２Ｙ側に折返えされる。第２保形平板部１６は、左側の第３折曲直線Ｌ３及び左側の第６折曲直線Ｌ６を境（境界線）として、積載平板部７の表面７Ｘ側に立上げられ、及び左側の下側立上げ平板部１２の裏面１２Ｙ側に折返えされる。
左側の第３保形平板部２６は、図６８及び図６９に示すように、左側の第８折曲直線Ｌ８、左側の第１１折曲直線Ｌ１１及び左側の第１２折曲直線Ｌ１２に沿って、押え平板部１９の裏面１９Ｙ側に立上げられ、及び左側の上側立上げ平板部２４の表面２４Ｘ側に折返される。第３保形平板部２６は、左側の第８折曲直線Ｌ８、左側の第１１折曲直線Ｌ１１及び左側の第１２折曲直線Ｌ１２を境（境界線）として、押え平板部１９の裏面１９Ｙ側に立上げられ、及び左側の上側立上げ平板部２４の表面２４Ｘ側に折返される。
左側の第３保形平板部２６は、立上げられた上側立上げ平板部２４との間に、立上げられた下側立上げ平板部１２と、立上げられ及び折返えされた第２保形平板部１６を配置して、押え平板部１９の裏面１９Ｙ側に立上げられ、及び左側の上側立上げ平板部２４の表面２４Ｘ側に折返される。
左側の第３保形平板部２６は、立上げ及び折返しに伴って、左側の第１１折曲直線Ｌ１１及び左側の第１２折曲直線Ｌ１２の間（第１３間隔Ｐ１３）に、立上げられた下側立上げ平板部１２と、立上げられ及び折返えされた第２保形平板部１６（左側の第６折曲直線Ｌ５）を配置（位置）する。
【０２０６】
押えシート２において、第２押えシート部２Ｂは、図６８乃至図７１に示すように、各下側脚平板部９，１０及び各上側脚平板部２１，２２の立下げに伴って、物品Ｚ（下平板３）に押付けられる。
これにより、押えシート２は、積載窓穴８の内側に位置する第１押えシート部２Ａ、及び押え窓穴２０の内側に位置する第２押えシート部２Ｂにて物品Ｚ（商品）を挟持して、物品Ｚを定着する。
各積載保持平板部５１，５１，…は、図７０及び図７１に示すように、各第１折曲直線Ｌ１，Ｌ１を折曲直線として、積載平板部７の裏面７Ｙから突出可能であって、物品Ｚを第２押えシート部２Ｂに向けて押付ける。
これにより、各積載保持平板部５１，５１，…は、第１押えシート部２Ａ上の物品Ｚを保持して、第２押えシート部２Ｂとで物品Ｚを挟持する。
【０２０７】
続いて、各下側立上げ平板部１１，１２、及び各上側立上げ平板部２３，２４は、図７２乃至図７４に示すように、立上げ角θＢから積載平板部７の表面７Ｘ及び押え平板部１９の裏面１９Ｙに直交する位置に立上げられる。
このとき、各第１保形平板部１３，１４、及び各第２保形平板部１５，１６は、図７２乃至図７４に示すように、各第２折曲直線Ｌ２，Ｌ２、各第３折曲直線Ｌ３，Ｌ３、各第５折曲直線Ｌ５，Ｌ５及び各第６折曲直線Ｌ６，Ｌ６に沿って、各下側立上げ平板部１１，１２の裏面１１Ｙ，１２Ｙに平行する位置に折返えされ、及び積載平板部７の表面７Ｘに直交する位置に立上げられる。
また、各第３保形平板部２５，２６、及び各第４保形平板部２７，２８は、図７２乃至図７４に示すように、各第８折曲直線Ｌ８，Ｌ８、各第９折曲直線Ｌ９，Ｌ９、各第１１折曲直線Ｌ１１，Ｌ１１、各第１２折曲直線Ｌ１２，Ｌ１２、各第１３折曲直線Ｌ１３，Ｌ１３及び各第１４折曲直線Ｌ１４，Ｌ１４に沿って、各上側立上げ平板部２３，２４の裏面２３Ｙ，２４Ｙに平行する位置に折返えされ、及び押え平板部１９の裏面１９Ｙに直行する位置に立上げられる。
これにより、下側立上げ平板部１１、第１保形平板部１３、上側立上げ平板部２３、及び第４保形平板部２７は、図７２及び図７３に示すように、左右方向ＬＲにおいて、相互に平行して重ね配置される。下側立上げ平板部１１及び第１保形平板部１３は、第１３及び第１４折曲直線Ｌ１３，１４の間（第１３間隔Ｐ３）において、上側立上げ平板部２３及び第４保形平板部２８の間に折込まれる。
下側立上げ平板部１２、第１保形平板部１４、上側立上げ平板部２４、及び第４保形平板部２８は、図７２及び図７３に示すように、左右方向ＬＲにおいて、相互に平行して重ね配置される。下側立上げ平板部１２及び第１保形平板部１４は、第１３及び第１４折曲直線Ｌ１３，１４の間（第１３間隔Ｐ１３）において、上側立上げ平板部２４及び第４保形平板部２８の間に折込まれる。
下側立上げ平板部１１、第２保形平板部１５、上側立上げ平板部２３、及び第３保形平板部２５は、図７２及び図７３に示すように、左右方向ＬＲにおいて、相互に平行して重ね配置される。下側立上げ平板部１１及び第２保形平板部１５は、第１１及び第１２折曲直線Ｌ１１，Ｌ１１の間（第１３間隔Ｐ１３）において、上側立上げ平板部２３及び第３保形平板部２５の間に折込まれる。
下側立上げ平板部１２、第２保形平板部１６、上側立上げ平板部２４及び第３保形平板部２６は、図７２及び図７３に示すように、左右方向ＬＲにおいて、相互に平行して重ね配置される・下側立上げ平板部１２及び第２保形平板部１６は、第１１及び第１２折曲直線Ｌ１１，Ｌ１２の間（第１３間隔Ｐ１３）において、上側立上げ平板部２４及び第３保形平板部２６の間に折込まれる。
【０２０８】
下平板３の第７板下側縁部３Ｒ，３Ｓ（各下側立上げ平板部１１，１２の第７板下側縁部３Ｒ，３Ｓ）は、図７２及び図７３に示すように、各下側立上げ平板部１１，１２を積載平板部７の表面７Ｘに直交する位置に立上げると、積載平板部７の表面７Ｘに平行配置される。
上平板４の第７板上側縁部４Ｒ，４Ｓ（各上側立上げ平板部２３，２４の第７板上側縁部４Ｒ，４Ｓ）は、各上側立上げ平板部２３，２４を押え平板部１９の裏面１９Ｙに直交する位置に立上げると、押え平板部１９の裏面１９Ｙに平行配置される。
【０２０９】
下平板３の各第５板下側縁部３Ｎ，３Ｑ、及び第６板下側縁部３Ｐ，３Ｑ（各第１保形平板部１３，１４の第５板下側縁部３Ｎ，３Ｏ、各第２保形平板部１５，１６の第６板下側縁部３Ｐ，３Ｑ）は、図７２に示すように、各第１及び各第２保形平板部１３〜１６を積載平板部７の表面７Ｘに直交する位置に立上げると、各下側立上げ平板部１１，１２の第７板下側縁部３Ｒ，３Ｓに面一として平行配置される。
第４鋭角度θ４を、第１鋭角度θ１の半分の角度以上［θ４≧（１／２）×θ１］にすることで、第１保形平板部１３，１４の第５板下側縁部３Ｎ，３Ｏ、各第２保形平板部１５，１６の第６板下側縁部３Ｐ，３Ｑは、各下側立上げ平板部１１，１２の第７板下側縁部３Ｒ，３Ｓに平行配置される。
上平板４の各第５板上側縁部４Ｎ，４Ｑ、及び第６板上側縁部４Ｐ，４Ｑ（各第３保形平板部２５，２６の第５板上側縁部４Ｎ，４Ｏ、各第４保形平板部２７，２８の第６板上側縁部４Ｐ，４Ｑ）は、図７２に示すように、各第３及び各第４保形平板部２５〜２８を押え平板部１９の裏面１９Ｙに直交する位置に立上げると、各上側立上げ平板部２３，２４の第７板上側縁部４Ｒ，４Ｓに平行配置される。
第４鋭角度θ４を、第１鋭角度θ１の半分の角度以上［θ４≧（１／２）×θ１］にすることで、第３保形平板部２５，２６の第５板上側縁部４Ｎ，４Ｏ、各第４保形平板部２７，２８の第６板上側縁部４Ｐ，４Ｑは、各下側立上げ平板部１１，１２の第７板下側縁部３Ｒ，３Ｓに平行配置される。
これにより、梱包用緩衝材Ｘ３は、物品Ｚ（商品）を梱包して組立てられる。
【０２１０】
物品Ｚ（商品）を梱包して組立てられた梱包用緩衝材Ｘ３（以下、「組立て梱包した梱包用緩衝材Ｘ３」という）は、運送（運搬）する際に、図７５乃至図７７に示すように、直方体の梱包箱Ｂ内に収納される。
組立て梱包した梱包用緩衝材Ｘ３は、図７５乃至図７７に示すように、積載平板部７の裏面７Ｙ側から梱包箱Ｂ内に収納される。
組立て梱包した梱包用緩衝材Ｘ３は、図７７に示すように、第１及び第２下側脚平板部９，１０、第１及び第２上側脚平板部２１，２２（下平板３の板上縁３Ａ及び板下縁３Ｂ、上平板４の板上縁４Ａ及び板下縁４Ｂ）を梱包箱Ｂの底平板１０１に当接して。梱包箱Ｂ内に収納される。
また、組立て梱包した梱包用緩衝材Ｘ３は、図７６に示すように、各第３保形平板部２５，２６、及び各第４保形平板部２７，２８を梱包箱Ｂの側平板５２，５２に当接して、梱包箱Ｂ内に収納される。
続いて、梱包箱Ｂの蓋平板５３を閉じて、蓋平板５３を、立上げられた各下側立上げ平板部１１，１２、立上げられた各上側立上げ平板部２３，２４に当接して運送する。
このとき、組立て梱包した梱包用緩衝材Ｘ３は、各第３保形平板部２５，２６、及び各第４保形平板部２７，２８を梱包箱Ｂの各側平板５２，５２に当接するので、梱包用緩衝材Ｘ１の組立ては開放（展開）されず、第１及び第２下側脚平板部９，１０の立下げ角度θＡ、及び第１及び第２上側脚平板部２１，２２の立下げ角度θＡを保持する。
【０２１１】
＜第４実施形態＞
第４実施形態の梱包用緩衝材Ｘ４について、図７８乃至図９６を参照して説明する。
なお、図７８乃至図９６において、図１乃至図４１と同一符号は、同一部材、同一構成であるので、その詳細な説明は省略する。
また、説明の便宜上、先ず、組立前の展開した第４実施形態の梱包用緩衝材Ｘ４について説明し、次に、第４実施形態の梱包用緩衝材Ｘ４を組立てて物品（商品）を梱包する要領（組立て梱包方法）について説明する。
【０２１２】
図６０乃至図６５において、第４実施形態の梱包用緩衝材Ｘ４（以下、「梱包用緩衝材Ｘ４」という）は、押えシート２、下平板３、及び上平板４を備える。
【０２１３】
梱包用緩衝材Ｘ４の下平板３、及び上平板４は、例えば、図１乃至図４１で説明した梱包用緩衝材Ｘ１（実施形態１）において、基準折曲直線ＬＸ（図１及び図２参照）に沿って上下に２分割（下平板３及び上平板４に切断）して構成される。梱包用緩衝材Ｘ４は、図１及び図２に示す梱包用緩衝材Ｘ１の基準折曲直線ＬＸを、下平板３の板上縁３Ａ及び上平板４の板下縁４Ｂとする（図７８乃至図８０参照）。
【０２１４】
梱包用緩衝材Ｘ４において、下平板３は、図１乃至図４１で説明したと同様に、上下一対の第１折曲直線Ｌ１，Ｌ１、左右一対の第２折曲直線Ｌ２，Ｌ２、左右一対の第３折曲直線Ｌ３，Ｌ３、左右一対の第４折曲直線Ｌ４，Ｌ４、左右一対の第５折曲直線Ｌ５，Ｌ５、左右一対の第６折曲直線Ｌ６，Ｌ６、左右一対の第１下側折曲穴５，５及び左右一対の第２下側折曲穴６，６を有する。下平板３は、板上縁３Ａ、板下縁３Ｂ、左右一対の板下側縁３Ｃ，３Ｄを有する（図７８乃至図８０参照）。
【０２１５】
梱包用緩衝材Ｘ４において、下平板３は、図１乃至図４１で説明したと同様に、積載平板部７、積載窓穴８、第１下側脚平板部９、第２下側脚平板部１０、左右一対の下側立上げ平板部１１，１２、左右一対の第１保形平板部１３，１４、及び左右一対の第２保形平板部１５，１６で構成される（図７８乃至図８４参照）。
【０２１６】
梱包用緩衝材Ｘ４において、上平板４は、図１乃至図４１で説明したと同様に、上下一対の第７折曲直線Ｌ７，Ｌ７、左右一対の第８折曲直線Ｌ８，Ｌ８、左右一対の第９折曲直線Ｌ９，Ｌ９、左右一対の第１０折曲直線Ｌ１０，Ｌ１０、左右一対の第１１折曲直線Ｌ１１，Ｌ１１、左右一対の第１２折曲直線Ｌ１２，Ｌ１２、左右一対の第１３折曲直線Ｌ１３，Ｌ１３、左右一対の第１４折曲直線Ｌ１４，Ｌ１４、左右一対の第１上側折曲穴１７，１７、及び左右一対の第２上側折曲穴１８，１８を有する。上平板４は、板上縁４Ａ、板下縁４Ｂ、及び左右一対の板上側縁４Ｃ，４Ｄを有する（図７８乃至図８０参照）。
【０２１７】
梱包用緩衝材Ｘ４において、上平板４は、図１乃至図４１で説明したと同様に、押え平板部１９、押え窓穴２０、第１上側脚平板部２１、第２上側脚平板部２２、左右一対の上側立上げ平板部２３，２４、左右一対の第３保形平板部２５，２６、及び左右一対の第４保形平板部２７，２８で構成される（図７８乃至図８４参照）。
梱包用緩衝材Ｘ４において、押えシート２は、図７８及び図８０に示すように、２枚のシート（フィルム）にて第１及び第２押えシート部２Ａ，２Ｂを構成する。１枚のシート（フィルム）でなる第１押えシート部２Ａは、図１乃至図４１で説明したと同様に、積載窓穴８を覆って、積載平板部７の表面７Ｘに積層されて、積載窓穴８の積載窓縁（窓穴上縁８Ａ，窓穴下縁８Ｂ，窓穴右縁８Ｃ及び窓穴左縁８Ｄ）に沿って下平板３の表面３Ｘに固定される（図７８及び図８０参照）。１枚のシール（フィルム）でなる第２押えシート部２Ｂは、図１乃至図４１で説明したと同様に、押え窓穴２０を覆って、押え平板部１９の表面１９Ｘに積層されて、押え窓穴２０の押え窓穴縁（窓穴上縁２０Ａ，窓穴下縁２０Ｂ，窓穴右縁２０Ｃ及び窓穴左縁２０Ｄ）に沿って上平板４の表面４Ｘに固定される（図７８及び図８０参照）。
【０２１８】
＜物品（商品）の梱包＞
次に、梱包用緩衝材Ｘ４を組立てて、物品Ｚ（商品）を梱包する要領（組立て梱包方法）について、図８５乃至図９３を参照して説明する。
【０２１９】
先ず、展開した梱包用緩衝材Ｘ４において、物品Ｚ（商品）を下平板３の表面３Ｘに積載（載置）する（図８５参照）。
物品Ｚは、図８５に示すように、下平板３の表面３Ｘから積載窓穴８内（積載窓穴８の内側）に配置されて、第１押えシート部２Ａ（第１押えシート部２Ａの表面）上に積載（載置）される。
このとき、物品Ｚは、積載窓穴８の積載窓穴縁であって、窓穴上縁８Ａ、窓穴下縁８Ｂ、窓穴右縁８Ｃ及び窓穴左縁８Ｄに接触することなく、積載窓穴８の内側の第１押えシート部２Ａ上（第１押えシート部２Ａの表面上）に積載（載置）される。
【０２２０】
図８５及び図８６において、上平板４を、下平板３の表面３Ｘに積載（積層）する。上平板４は、表面４Ｘを下平板３の表面３Ｘに向けて、下平板３の表面３Ｘに積載される。
上平板４は、例えば、図８６に示すように、上平板４の板上縁４Ａを下平板３の板下縁３Ｂに一致させて、及び上平板４の板上側縁４Ｃ，４Ｄを下平板３の各板下側縁３Ｃ，３Ｄに一致させて、下平板３の表面３Ｘに重ねて配置する。
このとき、押え平板部１９は、図８５及び図８６に示すように、上平板４を下平板３の表面３Ｘに積載した状態において、積載平板部７に重ねて配置される。
【０２２１】
押え窓穴２０は、図８６及び図８６に示すように、上平板４を下平板３の表面３Ｘに積載した状態において、積載窓穴８に重ねて配置される。
【０２２２】
第１上側脚平板部２１は、図８５及び図８６に示すように、上平板４を下平板３の表面３Ｘに積載した状態において、第１上側脚平板部２１の表面２１Ｘを第２下側脚平板部１０の表面１０Ｘに向けて、第２下側脚平板部１０の表面１０Ｘ（表平面）に重ねて配置される。
【０２２３】
第２上側脚平板部２２は、図８５及び図８６に示すように、上平板４を下平板３の表面３Ｘに積載した状態において、第２上側脚平板部２２の表面２２Ｘを第１下側脚平板部９の表面９Ｘに向けて、第１下側脚平板部９の表面９Ｘ（表平面）に重ねて配置される。
【０２２４】
各上側立上げ平板部２３，２４は、図８５及び図８６に示すように、上平板４を下平板３の表面３Ｘに積載した状態において、各上側立上げ平板部２３，２４の表面２３Ｘ，２４Ｘを各下側立上げ平板部１１，１２の表面１１Ｘ，１２Ｘに向けて、各下側立上げ平板部１１，１２の表面１１Ｘ，１２Ｘ（表平面）に重ねて配置される。
【０２２５】
各第４保形平板部２７，２８は、図８５及び図８６に示すように、上平板４を下平板３の表面３Ｘに積載した状態において、各第４保形平板部２７，２８の表面２７Ｘ，２８Ｘを各第１保形平板部１３，１４の表面１３Ｘ，１４Ｘに向けて、各第１保形平板部１３，１４の表面１３Ｘ，１４Ｘ（表平面）に重ねて配置される。
【０２２６】
上平板４は、図８６に示すように、下平板３の表面３Ｘに積載した状態において、各第１１折曲直線Ｌ１１，Ｌ１１及び各第１２折曲直線Ｌ１２，Ｌ１２の間（各第１３間隔Ｐ１３）に、下平板３の各第６折曲直線Ｌ６，Ｌ６を配置する。
上平板４は、図８６に示すように、下平板３の表面３Ｘに積載した状態において、各第１３折曲直線Ｌ１３，Ｌ１３及び各第１４折曲直線Ｌ１４，Ｌ１４の間（各第１３間隔Ｐ１３）に、下平板３の各第５折曲直線Ｌ５，Ｌ５を配置する。
【０２２７】
押えシート２において、第２押えシート部２Ｂは、図８５及び図８６に示すように、上平板４を下平板３の表面３Ｘに積載した状態において、第２押えシート部２Ｂの表面を第１押えシート部２Ａの表面に向けて、第１押えシート部２Ａの表面に重ねて配置される。
第２押えシート部２Ｂは、図８５及び図８６に示すように、上平板４を下平板３の表面３Ｘに積載した状態において、第１押えシート部２Ａ上の物品Ｚ（商品）を覆って、物品Ｚに当接される。
このとき、第１押えシート部２Ａ上の物品Ｚ（商品）は、押え窓穴２０の押え窓穴縁であって、窓穴上縁２０Ａ，窓穴下縁２０Ｂ、窓穴右縁２０Ｃ及び窓穴左縁２０Ｄに接触することなく、押え窓穴２０の内側（押え窓穴２０内）に位置する第２押えシート部２Ｂに当接される。
これにより、押えシート２は、積載窓穴８の内側に位置する第１押えシート部２Ａ、及び押え窓穴２０の内側に位置する第２押えシート部２Ｂの間に、物品Ｚ（商品）を配置する。
【０２２８】
続いて、図８６乃至図９３に示すように、重ね配置された第１下側脚平板部９及び第２上側脚平板部２２を、上側の第１折曲直線L１及び上側の第７折曲直線Ｌ７に沿って、積載平板部７の裏面７Ｙ側（第１押えシート部２Ａの裏面側）及び押え平板部１９の表面１９Ｘ側（第２押えシート部２Ｂの裏面側）に折曲げる。
このとき、第１下側脚平板部９は、基準折曲直線ＬＸ（下平板３の板上縁３Ａ）に第６間隔Ｐ６を隔てる第１折曲直線Ｌ１（上側の第７折曲直線）に沿って、積載平板部７の裏面７Ｙ側に折曲げられる。
第２上側脚平板部２２は、基準折曲直線ＬＸ（上平板４の板下縁４Ｂ）に第６間隔Ｐ６を隔てる第７折曲直線Ｌ７（下側の第７折曲直線）に沿って、押え平板部１９の表面１９Ｘ側に折曲げられる。
これにより、第１下側脚平板部９は、図９３に示すように、積載平板部７の裏面７Ｙに立下げ角度θＡをなして、上側の第１折曲直線Ｌ１に沿って積載平板部７の裏面７Ｙ側に立下げられる。第１下側脚平板部９は、上側の第１折曲直線Ｌ１を境（境界線）として、積載平板部７の裏面７Ｙ側（第１押えシート部２Ａの裏面側）に立下げられる。
第２上側脚平板部２２は、図９３に示すように、押え平板部１９の表面１９Ｘ（第２押えシート部２Ｂの表面側）に立下げ角度θＡをなして、下側の第７折曲直線Ｌ７に沿って押え平板部１９の表面１９Ｘ側に立下げられる。立下げた第２上側平板部２２は、図９０及び図９３に示すように、立下げた第１下側脚平板部９の表面９Ｘに当接して、第１下側脚平板部９の表面９Ｘに重ねられる。第２上側脚平板部２２は、下側の第７折曲直線Ｌ７を境（境界線）として、立下げられた第１下側脚平板部９の表面９Ｘに重ねられて、押え平板部１９の表面１９Ｘ側に立下げられる。
このように、重ね配置された第１下側脚平板部９及び第２上側脚平板部２２は、同時に、積載平板部７の裏面７Ｙ及び押え平板部１９の表面１９Ｘに折曲げられて、積載平板部７の裏面７Ｙ側及び押え平板部１９の表面１９Ｘ側に立下げられる。
【０２２９】
図８６乃至図９３に示すように、重ね配置された第２下側脚平板部１０及び第１上側脚平板部２１を、下側の第１折曲直線Ｌ１及び下側の第７折曲直線Ｌ７に沿って、積載平板部７の裏面７Ｙ及び押え平板部１９の表面１９Ｘに折曲げられる。
このとき、第２下側脚平板部１０は、基礎平板体１の板下縁１Ｂ（下平板３の板下縁３Ｂ）に第１間隔Ｐ１を隔てる第１折曲直線Ｌ１（下側の第１折曲直線）に沿って、積載平板部７の裏面７Ｙに折曲げられる。
第１上側脚平板部２１は、基礎平板体１の板上縁１Ａ（上平板４の板上縁１Ａ）に第６間隔Ｐ６を隔てる第７折曲直線Ｌ７（上側の第７折曲直線）に沿って、押え平板部１９の表面１９Ｘに折曲げられる。
これにより、第２下側脚平板部１０は、図９３に示すように、積載平板部７の裏面７Ｙに立下げ角度θＡをなして、下側の第１折曲直線Ｌ１に沿って、積載平板部７の裏面７Ｙ側に立下げられる。第２下側脚平板部１０は、下側の第１折曲直線Ｌ１を境（境界線）として、積載平板部７の裏面７Ｙ側に立下げられる。
第１上側脚平板部２１は、図９３に示すように、押え平板部１９の表面１９Ｘに立下げ角度θＡをなして、上側の第７折曲直線Ｌ７に沿って押え平板部１９の表面１９Ｘ側に立下げられる。立下げた第１上側脚平板部２１は、図９０及び図９３に示すように、立下げた第２下側脚平板部１０の表面１０Ｘに当接して、第２下側脚平板部１０の表面１０Ｘに重ねられる。第１上側脚平板部２１は、上側の第７折曲直線Ｌ１０を境（境界線）として、立下げられた第２下側脚平板部１０に重ねられて、押え平板部１９の表面１９Ｘ側に立下げられる。
このように、重ね配置された第２下側脚平板部１０及び第１上側脚平板部２１は、同時に、積載平板部７の裏面７Ｙ及び押え平板部１９の表面１９Ｘに折曲げられて、積載平板部７の裏面７Ｙ側及び押え平板部１９の表面１９Ｘ側に立下げられる。
【０２３０】
図８６乃至図９３に示すように、重ね配置された下側立上げ平板部１１及び上側立上げ平板部２３は、各下側脚平板部９，１０及び各上側脚平板部２１，２２の立下げに伴って、右側の第４折曲直線Ｌ４及び右側の第１０折曲直線Ｌ１０に沿って、積載平板部７の表面７Ｘ側（第１押えシート部２Ａの表面側）及び押え平板部１９の裏面１９Ｙ側（第２押えシート部２Ｂの裏面側）に立上げられる。
このとき、右側の下側立上げ平板部１１は、図８７乃至図８９に示すように、第１及び第２下側脚平板部９，１０の立下げに伴って、下平板３の板下側縁３Ｃ（第７板下側縁部３Ｒ）に第３間隔Ｐ３を隔てる第４折曲直線Ｌ４（右側の第４折曲直線Ｌ４）に沿って、積載平板部７の表面７Ｘ側に折曲げられる。
右側の上側立上げ平板部２３は、図８７乃至図８９に示すように、第１及び第２上側脚平板部２１，２２の立下げに伴って、上平板４の板上側縁４Ｃ（第７板上側縁部４Ｒ）に第９間隔Ｐ９を隔てる第１０折曲直線Ｌ１０（右側の第１０折曲直線Ｌ１０）に沿って、押え平板部１９の裏面１９Ｙ側に折曲げられる。
これにより、右側の下側立上げ平板部１１は、図８９に示すように、積載平板部７の表面７Ｘに立上げ角度θＢをなして、右側の第４折曲直線Ｌ４に沿って積載平板部７の表面７Ｘ側に立上げられる。右側の下側立上げ平板部１１は、右側の第４折曲直線Ｌ４を境（境界線）として、積載平板部７の表面７Ｘ側に立上げられる。
右側の上側立上げ平板部２３は、図８９に示すように、押え平板部１９の裏面１９Ｙに立上げ角度θＢをなして、右側の第１０折曲直線Ｌ１０に沿って押え平板部１９の裏面１９Ｙ側に立上げられる。立上げられた上側立上げ平板部２３は、図８７乃至図８９に示すように、立上げられた下側立上げ平板部１１の表面１１Ｘ（表平面）に当接して、下側立上げ平板部１１の表面１１Ｘに重ねられる。右側の上側立上げ平板部２３は、右側の第１０折曲直線L１０を境（境界線）として、立上げられた下側立上げ平板部１１に重ねられて、押え平板部１９の裏面Ｙ側に立上げられる。
このように、右側の下側立上げ平板部１１及び右側の上側立上げ平板部２３は、各下側脚平板部９，１０及び各上側脚平板部２１，２２の立下げに伴って、積載平板部７の表面７Ｘ側及び押え平板部１９の裏面１９Ｙ側に立上げられる。
【０２３１】
図８５乃至図９０に示すように、重ね配置された下側立上げ平板部１２及び上側立上げ平板部２３は、各下側脚平板部９，１０及び各上側脚平板部２１，２２の立下げに伴って、左側の第４折曲直線Ｌ４及び左側の第１０折曲直線Ｌ１０に沿って、積載平板部７の表面７Ｘ側及び押え平板部１９の裏面１９Ｙ側に立上げられる。
このとき、左側の下側立上げ平板部１２は、図８７乃至図８９に示すように、第１及び第２下側脚平板部９，１０の立下げに伴って、下平板３の板下側縁３Ｄ（第７板下側縁部３Ｓ）に第３間隔Ｐ３を隔てる第４折曲直線Ｌ４（左側の第４折曲直線Ｌ４）に沿って、積載平板部７の表面７Ｘ側に折曲げられる。
左側の上側立上げ平板部２４は、図８７乃至図８９に示すように、第１及び第２上側脚平板部２１，２２の立下げに伴って、上平板４の板上側縁４Ｄ（第７板上側縁部４Ｓ）に第９間隔Ｐ９を隔てる第１０折曲直線Ｌ１０（左側の第１０折曲直線Ｌ１０）に沿って、押え平板部１９の裏面１９Ｙ側に折曲げられる。
これにより、左側の下側立上げ平板部１２は、図８９に示すように、積載平板部７の表面７Ｘに立上げ角度θＢをなして、左側の第４折曲直線Ｌ４に沿って積載平板部７の表面７Ｘ側に立上げられる。左側の下側立上げ平板部１２は、左側の第４折曲直線Ｌ４を境（境界線）として、積載平板部７の表面７Ｘ側に立上げられる。
左側の上側立上げ平板部２４は、図８９に示すように、押え平板部１９の裏面１９Ｙに立上げ角度θＢをなして、左側の第１０折曲直線Ｌ１０に沿って押え平板部１９の裏面１９Ｙ側に立上げられる。立上げられた上側立上げ平板部２４は、図８７乃至図８９に示すように、立上げられた下側立上げ平板部１２の表面１２Ｘ（表平面）に当接して、下側立上げ平板部１２の表面１２Ｘに重ねられる。左側の上側立上げ平板部２４は、左側の第１０折曲直線L１０を境（境界線）として、立上げられた下側立上げ平板部１２に重ねられて、押え平板部１９の裏面１９Ｙ側に立上げられる。
このように、左側の下側立上げ平板部１２及び左側の上側立上げ平板部２４は、各下側脚平板部９，１０及び各上側脚平板部２１，２２の立下げに伴って、積載平板部７の表面７Ｘ側及び押え平板部１９の裏面１９Ｙ側に立上げられる。
【０２３２】
図８６乃至図８８に示すように、重ね配置された第１保形平板部１３及び第４保形平板部２７は、各下側脚平板部９，１０及び各上側脚平板部２１，２２の立下げに伴って、右側の第２折曲直線Ｌ２、右側の第５折曲直線Ｌ５、右側の第９折曲直線Ｌ９、右側の第１３折曲直線Ｌ１３及び右側の第１４折曲直線Ｌ１４に沿って、積載平板部７の表面７Ｘ側に立上げられ及び下側立上げ平板部１１の裏面１１Ｙ側に折返され、押え平板部１９の裏面１９Ｙ側に立上げられ及上側立上げ平板部２３の表面２３Ｘ側に折返される。
このとき、右側の第１保形平板部１３は、図８７及び図８８に示すように、各下側脚平板部９，１０及び各上側脚平板部２１，２２の立下げに伴って、下平板３の板下側縁３Ｃ（第３板下側縁部３Ｊ）に第３間隔Ｐ３を隔てる第２折曲直線Ｌ２（右側の第２折曲直線Ｌ２）、右側の第５折曲直線Ｌ５に沿って、積載平板部７の表面７Ｘ側、及び下側立上げ平板部１１の裏面１１Ｙ側に折曲げられる。
右側の第４保形平板部２７は、図８７及び図８８に示すように、各下側脚平板部９，１０及び各上側脚平板部２１，２２の立下げに伴って、上平板４の板上側縁４Ｃ（第４板上側縁部４Ｌ）に第８間隔Ｐ８を隔てる第９折曲直線Ｌ９（右側の第９折曲直線Ｌ９）、右側の第１３折曲直線Ｌ１３及び右側の第１４折曲直線Ｌ１４に沿って、押え平板部１９の裏面１９Ｙ側、及び上側立上げ平板部２３の表面２３Ｘ側に折曲げられる。
これにより、右側の第１保形平板部１３は、図８７及び図８８に示すように、右側の第２折曲直線Ｌ２及び右側の第５折曲直線Ｌ５に沿って、積載平板部７の表面７Ｘ側に立上げられ、及び立上げられた下側立上げ平板部１１の裏面１１Ｙ側に折返えされる。第１保形平板部１３は、右側の第２折曲直線Ｌ２及び右側の第５折曲直線Ｌ５を境（境界線）として、積載平板部７の表面７Ｘ側に立上げられ、及び右側の下側立上げ平板部１１の裏面１１Ｙ側に折返えされる。
右側の第４保形平板部２７は、図８７及び図８８に示すように、右側の第９折曲直線Ｌ９、右側の第１３折曲直線Ｌ１３及び右側の第１４折曲直線Ｌ１４に沿って、押え平板部１９の裏面１９Ｙ側に立上げられ、及び右側の上側立上げ平板部２３の表面２３Ｘ側に折返される。第４保形平板部２７は、右側の第９折曲直線Ｌ９、右側の第１３折曲直線Ｌ１３及び右側の第１４折曲直線Ｌ１４を境（境界線）として、押え平板部１９の裏面１９Ｙ側に立上げられ、及び右側の上側立上げ平板部２３の表面２３Ｘ側に折返される。
右側の第４保形平板部２７は、図８７及び図８８に示すように、立上げられた上側立上げ平板部２３との間に、立上げられた下側立上げ平板部１１と、立上げられ及び折返えされた第１保形平板部１３を配置して、押え平板部１９の裏面１９Ｙ側に立上げられ、及び右側の上側立上げ平板部２３の表面２３Ｘ側に折返される。
右側の第４保形平板部２７は、立上げ及び折返しに伴って、右側の第１３折曲直線Ｌ１３及び右側の第１４折曲直線Ｌ１４の間（第１３間隔Ｐ１３）に、立上げられた下側立上げ平板部１１と、立上げられ及び折返えされた第１保形平板部１３（右側の第５折曲直線Ｌ５）を配置（位置）する。
【０２３３】
図８７及び図８８に示すように、重ね配置された第１保形平板部１４及び第４保形平板部２８は、各下側脚平板部９，１０及び各上側脚平板部２１，２２の立下げに伴って、左側の第２折曲直線Ｌ２、左側の第５折曲直線Ｌ５、左側の第９折曲直線Ｌ９、左側の第１３折曲直線Ｌ１３及び左側の第１４折曲直線Ｌ１４に沿って、積載平板部７の表面７Ｘ側に立上げられ及び下側立上げ平板部１２の裏面１２Ｙ側に折返され、押え平板部１９の裏面１９Ｙ側に立上げられ及上側立上げ平板部２４の表面２４Ｘ側に折返される。
このとき、左側の第１保形平板部１４は、図８７及び図８８に示すように、各下側脚平板部９，１０及び各上側脚平板部２１，２２の立下げに伴って、下平板３の板下側縁３Ｄ（第３板下側縁部３Ｋ）に第３間隔Ｐ３を隔てる第２折曲直線Ｌ２（左側の第２折曲直線Ｌ２）、左側の第５折曲直線Ｌ５に沿って、積載平板部７の表面７Ｘ側、及び下側立上げ平板部１２の裏面１２Ｙ側に折曲げられる。
右側の第４保形平板部２８は、図８７及び図８８に示すように、各下側脚平板部９，１０及び各上側脚平板部２１，２２の立下げに伴って、上平板４の板上側縁４Ｄ（第４板上側縁部４Ｍ）に第８間隔Ｐ８を隔てる第９折曲直線Ｌ９（左側の第９折曲直線Ｌ９）、左側の第１３折曲直線Ｌ１３及び左側の第１４折曲直線Ｌ１４に沿って、押え平板部１９の裏面１９Ｙ側、及び上側立上げ平板部２４の表面２４Ｘ側に折曲げられる。
これにより、左側の第１保形平板部１４は、図８７及び図８８に示すように、左側の第２折曲直線Ｌ２及び左側の第５折曲直線Ｌ５に沿って、積載平板部７の表面７Ｘ側に立上げられ、及び立上げられた下側立上げ平板部１２の裏面１２Ｙ側に折返えされる。第１保形平板部１４は、左側の第２折曲直線Ｌ２及び左側の第５折曲直線Ｌ５を境（境界線）として、積載平板部７の表面７Ｘ側に立上げられ、及び左側の下側立上げ平板部１２の裏面１２Ｙ側に折返えされる。
左側の第４保形平板部２８は、図８７及び図８８に示すように、左側の第９折曲直線Ｌ９、左側の第１３折曲直線Ｌ１３及び左側の第１４折曲直線Ｌ１４に沿って、押え平板部１９の裏面１９Ｙ側に立上げられ、及び左側の上側立上げ平板部２４の表面２４Ｘ側に折返される。第４保形平板部２７は、左側の第９折曲直線Ｌ９、左側の第１３折曲直線Ｌ１３及び左側の第１４折曲直線Ｌ１４を境（境界線）として、押え平板部１９の裏面１９Ｙ側に立上げられ、及び左側の上側立上げ平板部２４の表面２４Ｘ側に折返される。
左側の第４保形平板部２８は、図８７及び図８８に示すように、立上げられた上側立上げ平板部２４との間に、立上げられた下側立上げ平板部１２と、立上げられ及び折返えされた第１保形平板部１４を配置して、押え平板部１９の裏面１９Ｙ側に立上げられ、及び左側の上側立上げ平板部２４の表面２４Ｘ側に折返される。
左側の第４保形平板部２８は、立上げ及び折返しに伴って、左側の第１３折曲直線Ｌ１３及び左側の第１４折曲直線Ｌ１４の間（第１３間隔Ｐ１３）に、立上げられた下側立上げ平板部１２と、立上げられ及び折返えされた第１保形平板部１４（左側の第５折曲直線Ｌ５）を配置（位置）する。
【０２３４】
図８７及び図８８に示すように、重ね配置された第２保形平板部１５及び第３保形平板部２５は、各下側脚平板部９，１０及び各上側脚平板部２１，２２の立下げに伴って、右側の第３折曲直線Ｌ３、右側の第６折曲直線Ｌ６、右側の第８折曲直線Ｌ８、右側の第１１折曲直線Ｌ１１及び右側の第１２折曲直線Ｌ１２に沿って、積載平板部７の表面７Ｘ側に立上げられ及び下側立上げ平板部１１の裏面１１Ｙ側に折返され、押え平板部１９の裏面１９Ｙ側に立上げられ及上側立上げ平板部２３の表面２３Ｘ側に折返される。
このとき、右側の第２保形平板部１５は、図８７及び図８８に示すように、各下側脚平板部９，１０及び各上側脚平板部２１，２２の立下げに伴って、下平板３の板下側縁３Ｃ（第４板下側縁部３Ｌ）に第３間隔Ｐ３を隔てる第３折曲直線Ｌ３（右側の第３折曲直線Ｌ３）、右側の第６折曲直線Ｌ６に沿って、積載平板部７の表面７Ｘ側、及び下側立上げ平板部１１の裏面１１Ｙ側に折曲げられる。
右側の第３保形平板部２５は、図８７及び図８８に示すように、各下側脚平板部９，１０及び各上側脚平板部２１，２２の立下げに伴って、上平板４の板上側縁４Ｃ（第３板上側縁部４Ｊ）に第８間隔Ｐ８を隔てる第８折曲直線Ｌ８（右側の第８折曲直線Ｌ８）、右側の第１１折曲直線Ｌ１１及び右側の第１２折曲直線Ｌ１２に沿って、押え平板部１９の裏面１９Ｙ側、及び上側立上げ平板部２３の表面２３Ｘ側に折曲げられる。
これにより、右側の第２保形平板部１５は、図８７及び図８８に示すように、右側の第３折曲直線Ｌ３及び右側の第６折曲直線Ｌ６に沿って、積載平板部７の表面７Ｘ側に立上げられ、及び立上げられた下側立上げ平板部１１の裏面１１Ｙ側に折返えされる。第２保形平板部１５は、右側の第３折曲直線Ｌ３及び右側の第６折曲直線Ｌ６を境（境界線）として、積載平板部７の表面７Ｘ側に立上げられ、及び右側の下側立上げ平板部１１の裏面１１Ｙ側に折返えされる。
右側の第３保形平板部２５は、図８７及び図８８に示すように、右側の第８折曲直線Ｌ８、右側の第１１折曲直線Ｌ１１及び右側の第１２折曲直線Ｌ１２に沿って、押え平板部１９の裏面１９Ｙ側に立上げられ、及び右側の上側立上げ平板部２３の表面２３Ｘ側に折返される。第３保形平板部２５は、右側の第８折曲直線Ｌ８、右側の第１１折曲直線Ｌ１１及び右側の第１２折曲直線Ｌ１２を境（境界線）として、押え平板部１９の裏面１９Ｙ側に立上げられ、及び右側の上側立上げ平板部２３の表面２３Ｘ側に折返される。
右側の第３保形平板部２５は、立上げられた上側立上げ平板部２３との間に、立上げられた下側立上げ平板部１１と、立上げられ及び折返えされた第２保形平板部１５を配置して、押え平板部１９の裏面１９Ｙ側に立上げられ、及び右側の上側立上げ平板部２３の表面２３Ｘ側に折返される。
右側の第３保形平板部２５は、立上げ及び折返しに伴って、右側の第１１折曲直線Ｌ１１及び右側の第１２折曲直線Ｌ１２の間（第１３間隔Ｐ１３）に、立上げられた下側立上げ平板部１１と、立上げられ及び折返えされた第２保形平板部１５（右側の第６折曲直線Ｌ５）を配置（位置）する。
【０２３５】
図８７及び図８８に示すように、重ね配置された第２保形平板部１６及び第３保形平板部２６は、各下側脚平板部９，１０及び各上側脚平板部２１，２２の立下げに伴って、左側の第３折曲直線Ｌ３、左側の第６折曲直線Ｌ６、左側の第８折曲直線Ｌ８、左側の第１１折曲直線Ｌ１１及び左側の第１２折曲直線Ｌ１２に沿って、積載平板部７の表面７Ｘ側に立上げられ及び下側立上げ平板部１２の裏面１２Ｙ側に折返され、押え平板部１９の裏面１９Ｙ側に立上げられ及上側立上げ平板部２４の表面２４Ｘ側に折返される。
このとき、左側の第２保形平板部１６は、図８７及び図８８に示すように、各下側脚平板部９，１０及び各上側脚平板部２１，２２の立下げに伴って、下平板３の板下側縁３Ｄ（第４板下側縁部３Ｍ）に第３間隔Ｐ３を隔てる第３折曲直線Ｌ３（左側の第３折曲直線Ｌ３）、左側の第６折曲直線Ｌ３に沿って、積載平板部７の表面７Ｘ側、及び下側立上げ平板部１２の裏面１２Ｙ側に折曲げられる。
右側の第３保形平板部２６は、図８７及び図８８に示すように、各下側脚平板部９，１０及び各上側脚平板部２１，２２の立下げに伴って、上平板４の板上側縁４Ｄ（第３板上側縁部４Ｋ）に第８間隔Ｐ８を隔てる第８折曲直線Ｌ８（左側の第８折曲直線Ｌ８）、左側の第１１折曲直線Ｌ１１及び左側の第１２折曲直線Ｌ１２に沿って、押え平板部１９の裏面１９Ｙ側、及び上側立上げ平板部２４の表面２４Ｘ側に折曲げられる。
これにより、左側の第２保形平板部１６は、図８７及び図８８に示すように、左側の第３折曲直線Ｌ３及び左側の第６折曲直線Ｌ６に沿って、積載平板部７の表面７Ｘ側に立上げられ、及び立上げられた下側立上げ平板部１２の裏面１２Ｙ側に折返えされる。第２保形平板部１６は、左側の第３折曲直線Ｌ３及び左側の第６折曲直線Ｌ６を境（境界線）として、積載平板部７の表面７Ｘ側に立上げられ、及び左側の下側立上げ平板部１２の裏面１２Ｙ側に折返えされる。
左側の第３保形平板部２６は、図８７及び図８８に示すように、左側の第８折曲直線Ｌ８、左側の第１１折曲直線Ｌ１１及び左側の第１２折曲直線Ｌ１２に沿って、押え平板部１９の裏面１９Ｙ側に立上げられ、及び左側の上側立上げ平板部２４の表面２４Ｘ側に折返される。第３保形平板部２６は、左側の第８折曲直線Ｌ８、左側の第１１折曲直線Ｌ１１及び左側の第１２折曲直線Ｌ１２を境（境界線）として、押え平板部１９の裏面１９Ｙ側に立上げられ、及び左側の上側立上げ平板部２４の表面２４Ｘ側に折返される。
左側の第３保形平板部２６は、立上げられた上側立上げ平板部２４との間に、立上げられた下側立上げ平板部１２と、立上げられ及び折返えされた第２保形平板部１６を配置して、押え平板部１９の裏面１９Ｙ側に立上げられ、及び左側の上側立上げ平板部２４の表面２４Ｘ側に折返される。
左側の第３保形平板部２６は、立上げ及び折返しに伴って、左側の第１１折曲直線Ｌ１１及び左側の第１２折曲直線Ｌ１２の間（第１３間隔Ｐ１３）に、立上げられた下側立上げ平板部１２と、立上げられ及び折返えされた第２保形平板部１６（左側の第６折曲直線Ｌ５）を配置（位置）する。
【０２３６】
押えシート２において、第２押えシート部２Ｂは、図８７乃至図９０に示すように、各下側脚平板部９，１０及び各上側脚平板部２１，２２の立下げに伴って、物品Ｚ（下平板３）に押付けられる。
これにより、押えシート２は、積載窓穴８の内側に位置する第１押えシート部２Ａ、及び押え窓穴２０の内側に位置する第２押えシート部２Ｂにて物品Ｚ（商品）を挟持して、物品Ｚを定着する。
【０２３７】
続いて、各下側立上げ平板部１１，１２、及び各上側立上げ平板部２３，２４は、図９１乃至図９３に示すように、立上げ角θＢから積載平板部７の表面７Ｘ及び押え平板部１９の裏面１９Ｙに直交する位置に立上げられる。
このとき、各第１保形平板部１３，１４、及び各第２保形平板部１５，１６は、図９１乃至図９３に示すように、各第２折曲直線Ｌ２，Ｌ２、各第３折曲直線Ｌ３，Ｌ３、各第５折曲直線Ｌ５，Ｌ５及び各第６折曲直線Ｌ６，Ｌ６に沿って、各下側立上げ平板部１１，１２の裏面１１Ｙ，１２Ｙに平行する位置に折返えされ、及び積載平板部７の表面７Ｘに直交する位置に立上げられる。
また、各第３保形平板部２５，２６、及び各第４保形平板部２７，２８は、図９１乃至図９３に示すように、各第８折曲直線Ｌ８，Ｌ８、各第９折曲直線Ｌ９，Ｌ９、各第１１折曲直線Ｌ１１，Ｌ１１、各第１２折曲直線Ｌ１２，Ｌ１２、各第１３折曲直線Ｌ１３，Ｌ１３及び各第１４折曲直線Ｌ１４，Ｌ１４に沿って、各上側立上げ平板部２３，２４の裏面２３Ｙ，２４Ｙに平行する位置に折返えされ、及び押え平板部１９の裏面１９Ｙに直行する位置に立上げられる。
これにより、下側立上げ平板部１１、第１保形平板部１３、上側立上げ平板部２３、及び第４保形平板部２７は、図９１及び図９２に示すように、左右方向ＬＲにおいて、相互に平行して重ね配置される。下側立上げ平板部１１及び第１保形平板部１３は、第１３及び第１４折曲直線Ｌ１３，１４の間（第１３間隔Ｐ３）において、上側立上げ平板部２３及び第４保形平板部２８の間に折込まれる。
下側立上げ平板部１２、第１保形平板部１４、上側立上げ平板部２４、及び第４保形平板部２８は、図９１及び図９２に示すように、左右方向ＬＲにおいて、相互に平行して重ね配置される。下側立上げ平板部１２及び第１保形平板部１４は、第１３及び第１４折曲直線Ｌ１３，１４の間（第１３間隔Ｐ１３）において、上側立上げ平板部２４及び第４保形平板部２８の間に折込まれる。
下側立上げ平板部１１、第２保形平板部１５、上側立上げ平板部２３、及び第３保形平板部２５は、図９１及び図９２に示すように、左右方向ＬＲにおいて、相互に平行して重ね配置される。下側立上げ平板部１１及び第２保形平板部１５は、第１１及び第１２折曲直線Ｌ１１，Ｌ１１の間（第１３間隔Ｐ１３）において、上側立上げ平板部２３及び第３保形平板部２５の間に折込まれる。
下側立上げ平板部１２、第２保形平板部１６、上側立上げ平板部２４及び第３保形平板部２６は、図９１及び図９２に示すように、左右方向ＬＲにおいて、相互に平行して重ね配置される・下側立上げ平板部１２及び第２保形平板部１６は、第１１及び第１２折曲直線Ｌ１１，Ｌ１２の間（第１３間隔Ｐ１３）において、上側立上げ平板部２４及び第３保形平板部２６の間に折込まれる。
【０２３８】
下平板３の第７板下側縁部３Ｒ，３Ｓ（各下側立上げ平板部１１，１２の第７板下側縁部３Ｒ，３Ｓ）は、図９１及び図９２に示すように、各下側立上げ平板部１１，１２を積載平板部７の表面７Ｘに直交する位置に立上げると、積載平板部７の表面７Ｘに平行配置される。
上平板４の第７板上側縁部４Ｒ，４Ｓ（各上側立上げ平板部２３，２４の第７板上側縁部４Ｒ，４Ｓ）は、各上側立上げ平板部２３，２４を押え平板部１９の裏面１９Ｙに直交する位置に立上げると、押え平板部１９の裏面１９Ｙに平行配置される。
【０２３９】
下平板３の各第５板下側縁部３Ｎ，３Ｑ、及び第６板下側縁部３Ｐ，３Ｑ（各第１保形平板部１３，１４の第５板下側縁部３Ｎ，３Ｏ、各第２保形平板部１５，１６の第６板下側縁部３Ｐ，３Ｑ）は、図９１に示すように、各第１及び各第２保形平板部１３〜１６を積載平板部７の表面７Ｘに直交する位置に立上げると、各下側立上げ平板部１１，１２の第７板下側縁部３Ｒ，３Ｓに面一として平行配置される。
第４鋭角度θ４を、第１鋭角度θ１の半分の角度以上［θ４≧（１／２）×θ１］にすることで、第１保形平板部１３，１４の第５板下側縁部３Ｎ，３Ｏ、各第２保形平板部１５，１６の第６板下側縁部３Ｐ，３Ｑは、各下側立上げ平板部１１，１２の第７板下側縁部３Ｒ，３Ｓに平行配置される。
上平板４の各第５板上側縁部４Ｎ，４Ｑ、及び第６板上側縁部４Ｐ，４Ｑ（各第３保形平板部２５，２６の第５板上側縁部４Ｎ，４Ｏ、各第４保形平板部２７，２８の第６板上側縁部４Ｐ，４Ｑ）は、図９１に示すように、各第３及び各第４保形平板部２５〜２８を押え平板部１９の裏面１９Ｙに直交する位置に立上げると、各上側立上げ平板部２３，２４の第７板上側縁部４Ｒ，４Ｓに平行配置される。
第４鋭角度θ４を、第１鋭角度θ１の半分の角度以上［θ４≧（１／２）×θ１］にすることで、第３保形平板部２５，２６の第５板上側縁部４Ｎ，４Ｏ、各第４保形平板部２７，２８の第６板上側縁部４Ｐ，４Ｑは、各下側立上げ平板部１１，１２の第７板下側縁部３Ｒ，３Ｓに平行配置される。
これにより、梱包用緩衝材Ｘ４は、物品Ｚ（商品）を梱包して組立てられる。
【０２４０】
物品Ｚ（商品）を梱包して組立てられた梱包用緩衝材Ｘ４（以下、「組立て梱包した梱包用緩衝材Ｘ４」という）は、運送（運搬）する際に、図９４乃至図９６に示すように、直方体の梱包箱Ｂ内に収納される。
組立て梱包した梱包用緩衝材Ｘ４は、図９４乃至図９６に示すように、積載平板部７の裏面７Ｙ側から梱包箱Ｂ内に収納される。
組立て梱包した梱包用緩衝材Ｘ４は、図９６に示すように、第１及び第２下側脚平板部９，１０、第１及び第２上側脚平板部２１，２２（下平板３の板上縁３Ａ及び板下縁３Ｂ、上平板４の板上縁４Ａ及び板下縁４Ｂ）を梱包箱Ｂの底平板１０１に当接して。梱包箱Ｂ内に収納される。
また、組立て梱包した梱包用緩衝材Ｘ４は、図９５に示すように、各第３保形平板部２５，２６、及び各第４保形平板部２７，２８を梱包箱Ｂの側平板５２，５２に当接して、梱包箱Ｂ内に収納される。
続いて、梱包箱Ｂの蓋平板５３を閉じて、蓋平板５３を、立上げられた各下側立上げ平板部１１，１２、立上げられた各上側立上げ平板部２３，２４に当接して運送する。
このとき、組立て梱包した梱包用緩衝材Ｘ４は、各第３保形平板部２５，２６、及び各第４保形平板部２７，２８を梱包箱Ｂの各側平板５２，５２に当接するので、梱包用緩衝材Ｘ１の組立ては開放（展開）されず、第１及び第２下側脚平板部９，１０の立下げ角度θＡ、及び第１及び第２上側脚平板部２１，２２の立下げ角度θＡを保持する。
【０２４１】
＜実施形態５＞
第５実施形態の梱包用緩衝材Ｘ５について、図９７乃至図１１５を参照して説明する。
なお、図９７乃至図１１５において、図１乃至図４１、及び図６９乃至図７７と同一符号は、同一部材、同一構成であるので、その詳細な説明は省略する。
また、説明の便宜上、先ず、組立前の展開した第５実施形態の梱包用緩衝材Ｘ５について説明し、次に、第５実施形態の梱包用緩衝材Ｘ５を組立てて物品（商品）を梱包する要領（組立て梱包方法）について説明する。
【０２４２】
図９７乃至図１０３において、第５実施形態の梱包用緩衝材Ｘ５（以下、「梱包用緩衝材Ｘ５」という）は、押えシート２、下平板３、及び上平板４を備える。
【０２４３】
梱包用緩衝材Ｘ５の下平板３、及び上平板４は、例えば、図４２乃至５９で説明した梱包用緩衝材Ｘ２（実施形態２）において、基準折曲直線ＬＸ（図４２及び図４３参照）に沿って上下に２分割（下平板３及び上平板４に切断）して構成される。梱包用緩衝材Ｘ５は、図４２及び図４３に示す梱包用緩衝材Ｘ２の基準折曲直線ＬＸを、下平板３の板上縁３Ａ及び上平板４の板下縁４Ｂとする（図９７乃至図９９参照）。
【０２４４】
梱包用緩衝材Ｘ５において、下平板３は、図１乃至図４１で説明したと同様に、上下一対の第１折曲直線Ｌ１，Ｌ１、左右一対の第２折曲直線Ｌ２，Ｌ２、左右一対の第３折曲直線Ｌ３，Ｌ３、左右一対の第４折曲直線Ｌ４，Ｌ４、左右一対の第５折曲直線Ｌ５，Ｌ５、左右一対の第６折曲直線Ｌ６，Ｌ６、左右一対の第１下側折曲穴５，５及び左右一対の第２下側折曲穴６，６を有する。下平板３は、板上縁３Ａ、板下縁３Ｂ、左右一対の板下側縁３Ｃ，３Ｄを有する（図９７乃至図９９参照）。
【０２４５】
梱包用緩衝材Ｘ５において、下平板３は、図１乃至図４１で説明したと同様に、積載平板部７、積載窓穴８、第１下側脚平板部９、第２下側脚平板部１０、左右一対の下側立上げ平板部１１，１２、左右一対の第１保形平板部１３，１４、及び左右一対の第２保形平板部１５，１６で構成される（図９９乃至図１０３参照）。
【０２４６】
梱包用緩衝材Ｘ５において、上平板４は、図１乃至図４１で説明したと同様に、上下一対の第７折曲直線Ｌ７，Ｌ７、左右一対の第８折曲直線Ｌ８，Ｌ８、左右一対の第９折曲直線Ｌ９，Ｌ９、左右一対の第１０折曲直線Ｌ１０，Ｌ１０、左右一対の第１１折曲直線Ｌ１１，Ｌ１１、左右一対の第１２折曲直線Ｌ１２，Ｌ１２、左右一対の第１３折曲直線Ｌ１３，Ｌ１３、左右一対の第１４折曲直線Ｌ１４，Ｌ１４、左右一対の第１上側折曲穴１７，１７、及び左右一対の第２上側折曲穴１８，１８を有する。上平板４は、板上縁４Ａ、板下縁４Ｂ、及び左右一対の板上側縁４Ｃ，４Ｄを有する（図９７乃至図９９参照）。
【０２４７】
梱包用緩衝材Ｘ５において、上平板４は、図１乃至図４１で説明したと同様に、押え平板部１９、押え窓穴２０、第１上側脚平板部２１、第２上側脚平板部２２、左右一対の上側立上げ平板部２３，２４、左右一対の第３保形平板部２５，２６、及び左右一対の第４保形平板部２７，２８で構成される（図９７乃至図１０３参照）。
【０２４８】
梱包用緩衝材Ｘ５において、積載窓穴８は、図４２乃至図４７で説明したと同様に、積載窓穴部３７を有する（図９７乃至図１００参照）。
梱包用緩衝材Ｘ５において、下平板３は、図４２乃至図４７で説明したと同様に、積載補強平板３５（複数の積載補強平板部３８，３８，…及び複数の補強切込直線ＬＭ，ＬＭ，を備える（図９７乃至図１００参照）。
【０２４９】
梱包用緩衝材Ｘ５において、押え窓穴２０は、図４２乃至図４７で説明したと同様に、押え窓穴部４１を有する（図９７乃至図９９、図１０２及び図１０３参照）。
梱包用緩衝材Ｘ５において、上平板４は、図４２乃至図４７で説明したと同様に、押え補強平板３６（複数の押え補強平板部４２，４２，…及び複数の補強切込直線ＬＮ，ＬＮ，…）を備える（図９７乃至図９９、図１０２及び図１０３参照）。
梱包用緩衝材Ｘ５において、押えシート２は、図９７及び図９９に示すように、２枚のシート（フィルム）にて第１押えフィルム部２Ａ及び第２押えフィルム部２Ｂを構成する。１枚のシート（フィルム）でなる第１押えフィルム部２Ａは、図９７及び図９９に示すように、積載窓穴８、積載窓穴部３７及び積載補強平板３５（各積載補強平板部３８，３８，…及び積載窓穴部３７）を覆って、積載平板部７の表面７Ｘに積層され、図１乃至図４１で説明したと同様に、積載窓穴８の積載窓縁（窓穴上縁８Ａ，窓穴下縁８Ｂ、窓穴右縁８Ｃ及び窓穴左縁８Ｄ）に沿って下平板３の表面３Ｘに固定される（図９７及び図９９参照）。１枚のシート（フィルム）でなる第２押えシート部２Ｂは、図９７及び図９９に示すように、押え窓穴２０、押え窓穴部４１及び押え補強平板３６（押え補強平板部４２，４２，…）を覆って、押え平板部１９の表面９１Ｘに積層され、図１乃至図４１で説明したと同様に、押え窓穴１９の押え窓縁（窓穴上縁２０Ａ，窓穴下縁２０Ｂ、窓穴右縁２０Ｃ及び窓穴左縁２０Ｄ）に沿って上平板４の表面４Ｘに固定される（図９７及び図９９参照）。
【０２５０】
＜物品（商品）の梱包＞
次に、梱包用緩衝材Ｘ５を組立てて、物品Ｚ（商品）を梱包する要領（組立て梱包方法）について、図１０４乃至図１１２を参照して説明する。
【０２５１】
先ず、展開した梱包用緩衝材Ｘ５において、物品Ｚ（商品）を下平板３の表面３Ｘに積載（載置）する（図１０４参照）。
物品Ｚは、図１０４に示すように、下平板３の表面３Ｘから積載窓穴８内（積載窓穴８の内側）に配置されて、第１押えシート部２Ａ上（第１押えシート部２Ａの表面上）、及び積載補強平板３５上（各積載補強平板部３８，３８，…上）に積載（載置）される。
このとき、物品Ｚは、積載窓穴８の積載窓穴縁であって、窓穴上縁８Ａ、窓穴下縁８Ｂ、窓穴右縁８Ｃ及び窓穴左縁８Ｄを横切って積載することなく、積載窓穴８の内側の第１押えシート部２Ａ上、及び各積載補強平板部３８，３８，…上に積載（載置）される。
【０２５２】
図１０４及び図１０５において、上平板４を、下平板３の表面３Ｘに積載（積層）する。上平板４は、表面４Ｘを下平板３の表面３Ｘに向けて、下平板３の表面３Ｘに積載される。
上平板４は、例えば、図１０５に示すように、上平板４の板上縁４Ａを下平板３の板下縁３Ｂに一致させて、及び上平板４の板上側縁４Ｃ，４Ｄを下平板３の各板下側縁３Ｃ，３Ｄに一致させて、下平板３の表面３Ｘに重ねて配置する。
このとき、押え平板部１９は、図１０５及び図１０６に示すように、上平板４を下平板３の表面３Ｘに積載した状態において、積載平板部７に重ねて配置される。
【０２５３】
押え窓穴２０は、図１０４及び図１０５に示すように、上平板４を下平板３の表面３Ｘに積載した状態において、積載窓穴８に重ねて配置される。
【０２５４】
第１上側脚平板部２１は、図１０４及び図１０５に示すように、上平板４を下平板３の表面３Ｘに積載した状態において、第１上側脚平板部２１の表面２１Ｘを第２下側脚平板部１０の表面１０Ｘに向けて、第２下側脚平板部１０の表面１０Ｘ（表平面）に重ねて配置される。
【０２５５】
第２上側脚平板部２２は、図１０４及び図１０５に示すように、上平板４を下平板３の表面４Ｘに積載した状態において、第２上側脚平板部２２の表面２２Ｘを第１下側脚平板部９の表面９Ｘに向けて、第１下側脚平板部９の表面９Ｘ（表平面）に重ねて配置される。
【０２５６】
各上側立上げ平板部２３，２４は、図１０４及び図１０５に示すように、上平板４を下平板３の表面３Ｘに積載した状態において、各上側立上げ平板部２３，２４の表面２３Ｘ，２４Ｘを各下側立上げ平板部１１，１２の表面１１Ｘ，１２Ｘに向けて、各下側立上げ平板部１１，１２の表面１１Ｘ，１２Ｘ（表平面）に重ねて配置される。
【０２５７】
各第４保形平板部２７，２８は、図１０４及び図１０５に示すように、上平板４を下平板３の表面３Ｘに積載した状態において、各第４保形平板部２７，２８の表面２７Ｘ，２８Ｘを各第１保形平板部１３，１４の表面１３Ｘ，１４Ｘに向けて、各第１保形平板部１３，１４の表面１３Ｘ，１４Ｘ（表平面）に重ねて配置される。
【０２５８】
上平板４は、図１０５に示すように、下平板３の表面３Ｘに積載した状態において、各第１１折曲直線Ｌ１１，Ｌ１１及び各第１２折曲直線Ｌ１２，Ｌ１２の間（各第１３間隔Ｐ１３）に、下平板３の各第６折曲直線Ｌ６，Ｌ６を配置する。
上平板４は、図１０５に示すように、下平板３の表面３Ｘに積載した状態において、各第１３折曲直線Ｌ１３，Ｌ１３及び各第１４折曲直線Ｌ１４，Ｌ１４の間（各第１３間隔Ｐ１３）に、下平板３の各第５折曲直線Ｌ５，Ｌ５を配置する。
【０２５９】
押えシート２において、第２押えシート部２Ｂは、図１０４及び図１０５に示すように、上平板４を下平板３の表面３Ｘに積載した状態において、第２押えシート部２Ｂの表面を第１押えシート部２Ａの表面に向けて、第１押えシート部２Ａの表面に重ねて配置される。
第２押えシート部２Ｂは、図１０４及び図１０５に示すように、上平板４を下平板３の表面３Ｘに折返した状態において、第１押えシート部２Ａ上の物品Ｚ（商品）を覆って、物品Ｚに当接される。
このとき、第１押えシート部２Ａ上の物品Ｚ（商品）は、押え窓穴２０の押え窓穴縁であって、窓穴上縁２０Ａ，窓穴下縁２０Ｂ、窓穴右縁２０Ｃ及び窓穴左縁２０Ｄに接触することなく、押え窓穴２０の内側（押え窓穴２０内）に位置する第２押えシート部２Ｂに当接される。
これにより、押えシート２は、積載窓穴８の内側に位置する第１押えシート部２Ａ、及び押え窓穴２０の内側に位置する第２押えシート部２Ｂの間に、物品Ｚ（商品）を配置する。
押え補強平板３６において、各押え補強平板部４２，４２，…は、図１０４及び図１０５に示すように、上平板４を下平板３の表面３Ｘに積載した状態において、各押え補強平板部４２，４２，…の表面を各積載補強平板部３８，３８，…の表面に向けて、各積載補強平板部３８，３８，…の表面に重ねて配置される。
これにより、各押え補強平板部４２，４２，…は、第２押えシート部２Ｂを介して、第１押えシート部２Ａ上の物品Ｚに当接される。
積載補強平板３５、及び押え補強平板３６は、第１及び第２押えシート部２Ａ，２Ｂを介して、物品Ｚを各積載補強平板部３８，３８，…及び各押え補強平板部４２，４２，…の間に配置する。
【０２６０】
続いて、図１０４乃至図１１２に示すように、重ね配置された第１下側脚平板部９及び第２上側脚平板部２２を、上側の第１折曲直線L１及び上側の第７折曲直線Ｌ７に沿って、積載平板部７の裏面７Ｙ側及び押え平板部１９の表面１９Ｘ（表平面）に折曲げる。
このとき、第１下側脚平板部９は、基準折曲直線ＬＸ（下平板３の板上縁３Ａ）に第６間隔Ｐ６を隔てる第１折曲直線Ｌ１（上側の第７折曲直線）に沿って、積載平板部７の裏面７Ｙ側に折曲げられる。
第２上側脚平板部２２は、基準折曲直線ＬＸ（上平板４の板下縁４Ｂ）に第６間隔Ｐ６を隔てる第７折曲直線Ｌ７（下側の第７折曲直線）に沿って、押え平板部１９の表面１９Ｘ側に折曲げられる。
これにより、第１下側脚平板部９は、図１１２に示すように、積載平板部７の裏面７Ｙに立下げ角度θＡをなして、上側の第１折曲直線Ｌ１に沿って積載平板部７の裏面７Ｙ側に立下げられる。第１下側脚平板部９は、上側の第１折曲直線Ｌ１を境（境界線）として、積載平板部７の裏面７Ｙ側（第１押えシート部２Ａの裏面、各積載補強平板部３８の裏面）に立下げられる。
第２上側脚平板部２２は、図１１２に示すように、押え平板部１９の表面１９Ｘに立下げ角度θＡをなして、下側の第７折曲直線Ｌ７に沿って押え平板部１９の表面１９Ｘ側（第２押えシート部２Ｂの表面側、各押え補強平板部４２の表面側）に立下げられる。立下げた第２上側平板部２２は、図１０９及び図１１２に示すように、立下げた第１下側脚平板部９の表面９Ｘに当接して、第１下側脚平板部９の表面９Ｘに重ねられる。第２上側脚平板部２２は、下側の第７折曲直線Ｌ７を境（境界線）として、立下げられた第１下側脚平板部９の表面９Ｘに重ねられて、押え平板部１９の表面１９Ｘ側に立下げられる。
このように、重ね配置された第１下側脚平板部９及び第２上側脚平板部２２は、同時に、積載平板部７の裏面７Ｙ及び押え平板部１９の表面１９Ｘに折曲げられて、積載平板部７の裏面７Ｙ側及び押え平板部１９の表面１９Ｘ側に立下げられる。
【０２６１】
図１０４乃至図１１２に示すように、重ね配置された第２下側脚平板部１０及び第１上側脚平板部２１を、下側の第１折曲直線Ｌ１及び下側の第７折曲直線Ｌ７に沿って、積載平板部７の裏面７Ｙ及び押え平板部１９の表面１９Ｘに折曲げられる。
このとき、第２下側脚平板部１０は、基礎平板体１の板下縁１Ｂ（下平板３の板下縁３Ｂ）に第１間隔Ｐ１を隔てる第１折曲直線Ｌ１（下側の第１折曲直線）に沿って、積載平板部７の裏面７Ｙに折曲げられる。
第１上側脚平板部２１は、基礎平板体１の板上縁１Ａ（上平板４の板上縁１Ａ）に第６間隔Ｐ６を隔てる第７折曲直線Ｌ７（上側の第７折曲直線）に沿って、押え平板部１９の表面１９Ｘに折曲げられる。
これにより、第２下側脚平板部１０は、図１１２に示すように、積載平板部７の裏面７Ｙに立下げ角度θＡをなして、下側の第１折曲直線Ｌ１に沿って、積載平板部７の裏面７Ｙ側に立下げられる。第２下側脚平板部１０は、下側の第１折曲直線Ｌ１を境（境界線）として、積載平板部７の裏面７Ｙ側に立下げられる。
第１上側脚平板部２１は、図１１２に示すように、押え平板部１９の表面１９Ｘに立下げ角度θＡをなして、上側の第７折曲直線Ｌ７に沿って押え平板部１９の表面１９Ｘ側に立下げられる。立下げた第１上側脚平板部２１は、図１０９及び図１１２に示すように、立下げた第２下側脚平板部１０の表面１０Ｘに当接して、第２下側脚平板部１０の表面１０Ｘに重ねられる。第１上側脚平板部２１は、上側の第７折曲直線Ｌ１０を境（境界線）として、立下げられた第２下側脚平板部１０に重ねられて、押え平板部１９の表面１９Ｘ側に立下げられる。
このように、重ね配置された第２下側脚平板部１０及び第１上側脚平板部２１は、同時に、積載平板部７の裏面７Ｙ及び押え平板部１９の表面１９Ｘに折曲げられて、積載平板部７の裏面７Ｙ側及び押え平板部１９の表面１９Ｘ側に立下げられる。
【０２６２】
図１０５乃至図１０８に示すように、重ね配置された下側立上げ平板部１１及び上側立上げ平板部２３は、各下側脚平板部９，１０及び各上側脚平板部２１，２２の立下げに伴って、右側の第４折曲直線Ｌ４及び右側の第１０折曲直線Ｌ１０に沿って、積載平板部７の表面７Ｘ側及び押え平板部１９の裏面１９Ｙ側に立上げられる。
このとき、右側の下側立上げ平板部１１は、図１０６乃至図１０８に示すように、第１及び第２下側脚平板部９，１０の立下げに伴って、下平板３の板下側縁３Ｃ（第７板下側縁部３Ｒ）に第３間隔Ｐ３を隔てる第４折曲直線Ｌ４（右側の第４折曲直線Ｌ４）に沿って、積載平板部７の表面７Ｘ側に折曲げられる。
右側の上側立上げ平板部２３は、図１０６乃至図１０８に示すように、第１及び第２上側脚平板部２１，２２の立下げに伴って、上平板４の板上側縁４Ｃ（第７板上側縁部４Ｒ）に第９間隔Ｐ９を隔てる第１０折曲直線Ｌ１０（右側の第１０折曲直線Ｌ１０）に沿って、押え平板部１９の裏面１９Ｙ側に折曲げられる。
これにより、右側の下側立上げ平板部１１は、図１０８に示すように、積載平板部７の表面７Ｘに立上げ角度θＢをなして、右側の第４折曲直線Ｌ４に沿って積載平板部７の表面７Ｘ側に立上げられる。右側の下側立上げ平板部１１は、右側の第４折曲直線Ｌ４を境（境界線）として、積載平板部７の表面７Ｘ側に立上げられる。
右側の上側立上げ平板部２３は、図１０８に示すように、押え平板部１９の裏面１９Ｙに立上げ角度θＢをなして、右側の第１０折曲直線Ｌ１０に沿って押え平板部１９の裏面１９Ｙ側に立上げられる。立上げられた上側立上げ平板部２３は、図１０６乃至図１０８に示すように、立上げられた下側立上げ平板部１１の表面１１Ｘ（表平面）に当接して、下側立上げ平板部１１の表面１１Ｘに重ねられる。右側の上側立上げ平板部２３は、右側の第１０折曲直線L１０を境（境界線）として、立上げられた下側立上げ平板部１１に重ねられて、押え平板部１９の裏面１９Ｙ側に立上げられる。
このように、右側の下側立上げ平板部１１及び右側の上側立上げ平板部２３は、各下側脚平板部９，１０及び各上側脚平板部２１，２２の立下げに伴って、積載平板部７の表面７Ｘ側及び押え平板部１９の裏面１９Ｙ側に立上げられる。
【０２６３】
図１０５乃至図１０８に示すように、重ね配置された下側立上げ平板部１２及び上側立上げ平板部２３は、各下側脚平板部９，１０及び各上側脚平板部２１，２２の立下げに伴って、左側の第４折曲直線Ｌ４及び左側の第１０折曲直線Ｌ１０に沿って、積載平板部７の表面７Ｘ側及び押え平板部１９の裏面１９Ｙ側に立上げられる。
このとき、左側の下側立上げ平板部１２は、図１０６乃至図１０８に示すように、第１及び第２下側脚平板部９，１０の立下げに伴って、下平板３の板下側縁３Ｄ（第７板下側縁部３Ｓ）に第３間隔Ｐ３を隔てる第４折曲直線Ｌ４（左側の第４折曲直線Ｌ４）に沿って、積載平板部７の表面７Ｘ側に折曲げられる。
左側の上側立上げ平板部２４は、図１０６乃至図１０８に示すように、第１及び第２上側脚平板部２１，２２の立下げに伴って、上平板４の板上側縁４Ｄ（第７板上側縁部４Ｓ）に第９間隔Ｐ９を隔てる第１０折曲直線Ｌ１０（左側の第１０折曲直線Ｌ１０）に沿って、押え平板部１９の裏面１９Ｙ側に折曲げられる。
これにより、左側の下側立上げ平板部１２は、図１０８に示すように、積載平板部７の表面７Ｘに立上げ角度θＢをなして、左側の第４折曲直線Ｌ４に沿って積載平板部７の表面７Ｘ側に立上げられる。左側の下側立上げ平板部１２は、左側の第４折曲直線Ｌ４を境（境界線）として、積載平板部７の表面７Ｘ側に立上げられる。
左側の上側立上げ平板部２４は、図１０８に示すように、押え平板部１９の裏面１９Ｙに立上げ角度θＢをなして、左側の第１０折曲直線Ｌ１０に沿って押え平板部１９の裏面１９Ｙ側に立上げられる。立上げられた上側立上げ平板部２４は、図１０６乃至図１０８に示すように、立上げられた下側立上げ平板部１２の表面１２Ｘ（表平面）に当接して、下側立上げ平板部１２の表面１２Ｘに重ねられる。左側の上側立上げ平板部２４は、左側の第１０折曲直線L１０を境（境界線）として、立上げられた下側立上げ平板部１２に重ねられて、押え平板部１９の裏面１９Ｙ側に立上げられる。
このように、左側の下側立上げ平板部１２及び左側の上側立上げ平板部２４は、各下側脚平板部９，１０及び各上側脚平板部２１，２２の立下げに伴って、積載平板部７の表面７Ｘ側及び押え平板部１９の裏面１９Ｙ側に立上げられる。
【０２６４】
図１０５乃至図１０７に示すように、重ね配置された第１保形平板部１３及び第４保形平板部２７は、各下側脚平板部９，１０及び各上側脚平板部２１，２２の立下げに伴って、右側の第２折曲直線Ｌ２、右側の第５折曲直線Ｌ５、右側の第９折曲直線Ｌ９、右側の第１３折曲直線Ｌ１３及び右側の第１４折曲直線Ｌ１４に沿って、積載平板部７の表面７Ｘ側に立上げられ及び下側立上げ平板部１１の裏面１１Ｙ側に折返され、押え平板部１９の裏面１９Ｙ側に立上げられ及上側立上げ平板部２３の表面２３Ｘ側に折返される。
このとき、右側の第１保形平板部１３は、図１０６及び図１０７に示すように、各下側脚平板部９，１０及び各上側脚平板部２１，２２の立下げに伴って、下平板３の板下側縁３Ｃ（第３板下側縁部３Ｊ）に第３間隔Ｐ３を隔てる第２折曲直線Ｌ２（右側の第２折曲直線Ｌ２）、右側の第５折曲直線Ｌ５に沿って、積載平板部７の表面７Ｘ側、及び下側立上げ平板部１１の裏面１１Ｙ側に折曲げられる。
右側の第４保形平板部２７は、図１０６及び図１０７に示すように、各下側脚平板部９，１０及び各上側脚平板部２１，２２の立下げに伴って、上平板４の板上側縁４Ｃ（第４板上側縁部４Ｌ）に第８間隔Ｐ８を隔てる第９折曲直線Ｌ９（右側の第９折曲直線Ｌ９）、右側の第１３折曲直線Ｌ１３及び右側の第１４折曲直線Ｌ１４に沿って、押え平板部１９の裏面１９Ｙ側、及び上側立上げ平板部２３の表面２３Ｘ側に折曲げられる。
これにより、右側の第１保形平板部１３は、図１０６及び図１０７に示すように、右側の第２折曲直線Ｌ２及び右側の第５折曲直線Ｌ５に沿って、積載平板部７の表面７Ｘ側に立上げられ、及び立上げられた下側立上げ平板部１１の裏面１１Ｙ側に折返えされる。第１保形平板部１３は、右側の第２折曲直線Ｌ２及び右側の第５折曲直線Ｌ５を境（境界線）として、積載平板部７の表面７Ｘ側に立上げられ、及び右側の下側立上げ平板部１１の裏面１１Ｙ側に折返えされる。
右側の第４保形平板部２７は、図１０６及び図１０７に示すように、右側の第９折曲直線Ｌ９、右側の第１３折曲直線Ｌ１３及び右側の第１４折曲直線Ｌ１４に沿って、押え平板部１９の裏面１９Ｙ側に立上げられ、及び右側の上側立上げ平板部２３の表面２３Ｘ側に折返される。第４保形平板部２７は、右側の第９折曲直線Ｌ９、右側の第１３折曲直線Ｌ１３及び右側の第１４折曲直線Ｌ１４を境（境界線）として、押え平板部１９の裏面１９Ｙ側に立上げられ、及び右側の上側立上げ平板部２３の表面２３Ｘ側に折返される。
右側の第４保形平板部２７は、図１０６及び図１０７に示すように、立上げられた上側立上げ平板部２３との間に、立上げられた下側立上げ平板部１１と、立上げられ及び折返えされた第１保形平板部１３を配置して、押え平板部１９の裏面１９Ｙ側に立上げられ、及び右側の上側立上げ平板部２３の表面２３Ｘ側に折返される。
右側の第４保形平板部２７は、立上げ及び折返しに伴って、右側の第１３折曲直線Ｌ１３及び右側の第１４折曲直線Ｌ１４の間（第１３間隔Ｐ１３）に、立上げられた下側立上げ平板部１１と、立上げられ及び折返えされた第１保形平板部１３（右側の第５折曲直線Ｌ５）を配置（位置）する。
【０２６５】
図１０６及び図１０７に示すように、重ね配置された第１保形平板部１４及び第４保形平板部２８は、各下側脚平板部９，１０及び各上側脚平板部２１，２２の立下げに伴って、左側の第２折曲直線Ｌ２、左側の第５折曲直線Ｌ５、左側の第９折曲直線Ｌ９、左側の第１３折曲直線Ｌ１３及び左側の第１４折曲直線Ｌ１４に沿って、積載平板部７の表面７Ｘ側に立上げられ及び下側立上げ平板部１２の裏面１２Ｙ側に折返され、押え平板部１９の裏面１９Ｙ側に立上げられ及上側立上げ平板部２４の表面２４Ｘ側に折返される。
このとき、左側の第１保形平板部１４は、図１０６及び図１０７に示すように、各下側脚平板部９，１０及び各上側脚平板部２１，２２の立下げに伴って、下平板３の板下側縁３Ｄ（第３板下側縁部３Ｋ）に第３間隔Ｐ３を隔てる第２折曲直線Ｌ２（左側の第２折曲直線Ｌ２）、左側の第５折曲直線Ｌ５に沿って、積載平板部７の表面７Ｘ側、及び下側立上げ平板部１２の裏面１２Ｙ側に折曲げられる。
右側の第４保形平板部２８は、図１０６及び図１０７に示すように、各下側脚平板部９，１０及び各上側脚平板部２１，２２の立下げに伴って、上平板４の板上側縁４Ｄ（第４板上側縁部４Ｍ）に第８間隔Ｐ８を隔てる第９折曲直線Ｌ９（左側の第９折曲直線Ｌ９）、左側の第１３折曲直線Ｌ１３及び左側の第１４折曲直線Ｌ１４に沿って、押え平板部１９の裏面１９Ｙ側、及び上側立上げ平板部２４の表面２４Ｘ側に折曲げられる。
これにより、左側の第１保形平板部１４は、図１０６及び図１０７に示すように、左側の第２折曲直線Ｌ２及び左側の第５折曲直線Ｌ５に沿って、積載平板部７の表面７Ｘ側に立上げられ、及び立上げられた下側立上げ平板部１２の裏面１２Ｙ側に折返えされる。第１保形平板部１４は、左側の第２折曲直線Ｌ２及び左側の第５折曲直線Ｌ５を境（境界線）として、積載平板部７の表面７Ｘ側に立上げられ、及び左側の下側立上げ平板部１２の裏面１２Ｙ側に折返えされる。
左側の第４保形平板部２８は、図１０６及び図１０７に示すように、左側の第９折曲直線Ｌ９、左側の第１３折曲直線Ｌ１３及び左側の第１４折曲直線Ｌ１４に沿って、押え平板部１９の裏面１９Ｙ側に立上げられ、及び左側の上側立上げ平板部２４の表面２４Ｘ側に折返される。第４保形平板部２７は、左側の第９折曲直線Ｌ９、左側の第１３折曲直線Ｌ１３及び左側の第１４折曲直線Ｌ１４を境（境界線）として、押え平板部１９の裏面１９Ｙ側に立上げられ、及び左側の上側立上げ平板部２４の表面２４Ｘ側に折返される。
左側の第４保形平板部２８は、図１０６及び図１０７に示すように、立上げられた上側立上げ平板部２４との間に、立上げられた下側立上げ平板部１２と、立上げられ及び折返えされた第１保形平板部１４を配置して、押え平板部１９の裏面１９Ｙ側に立上げられ、及び左側の上側立上げ平板部２４の表面２４Ｘ側に折返される。
左側の第４保形平板部２８は、立上げ及び折返しに伴って、左側の第１３折曲直線Ｌ１３及び左側の第１４折曲直線Ｌ１４の間（第１３間隔Ｐ１３）に、立上げられた下側立上げ平板部１２と、立上げられ及び折返えされた第１保形平板部１４（左側の第５折曲直線Ｌ５）を配置（位置）する。
【０２６６】
図１０６及び図１０７に示すように、重ね配置された第２保形平板部１５及び第３保形平板部２５は、各下側脚平板部９，１０及び各上側脚平板部２１，２２の立下げに伴って、右側の第３折曲直線Ｌ３、右側の第６折曲直線Ｌ６、右側の第８折曲直線Ｌ８、右側の第１１折曲直線Ｌ１１及び右側の第１２折曲直線Ｌ１２に沿って、積載平板部７の表面７Ｘ側に立上げられ及び下側立上げ平板部１１の裏面１１Ｙ側に折返され、押え平板部１９の裏面１９Ｙ側に立上げられ及上側立上げ平板部２３の表面２３Ｘ側に折返される。
このとき、右側の第２保形平板部１５は、図１０６及び図１０７に示すように、各下側脚平板部９，１０及び各上側脚平板部２１，２２の立下げに伴って、下平板３の板下側縁３Ｃ（第４板下側縁部３Ｌ）に第３間隔Ｐ３を隔てる第３折曲直線Ｌ３（右側の第３折曲直線Ｌ３）、右側の第６折曲直線Ｌ６に沿って、積載平板部７の表面７Ｘ側、及び下側立上げ平板部１１の裏面１１Ｙ側に折曲げられる。
右側の第３保形平板部２５は、図１０６及び図１０７に示すように、各下側脚平板部９，１０及び各上側脚平板部２１，２２の立下げに伴って、上平板４の板上側縁４Ｃ（第３板上側縁部４Ｊ）に第８間隔Ｐ８を隔てる第８折曲直線Ｌ８（右側の第８折曲直線Ｌ８）、右側の第１１折曲直線Ｌ１１及び右側の第１２折曲直線Ｌ１２に沿って、押え平板部１９の裏面１９Ｙ側、及び上側立上げ平板部２３の表面２３Ｘ側に折曲げられる。
これにより、右側の第２保形平板部１５は、図１０６及び図１０７に示すように、右側の第３折曲直線Ｌ３及び右側の第６折曲直線Ｌ６に沿って、積載平板部７の表面７Ｘ側に立上げられ、及び立上げられた下側立上げ平板部１１の裏面１１Ｙ側に折返えされる。第２保形平板部１５は、右側の第３折曲直線Ｌ３及び右側の第６折曲直線Ｌ６を境（境界線）として、積載平板部７の表面７Ｘ側に立上げられ、及び右側の下側立上げ平板部１１の裏面１１Ｙ側に折返えされる。
右側の第３保形平板部２５は、図１０６及び図１０７に示すように、右側の第８折曲直線Ｌ８、右側の第１１折曲直線Ｌ１１及び右側の第１２折曲直線Ｌ１２に沿って、押え平板部１９の裏面１９Ｙ側に立上げられ、及び右側の上側立上げ平板部２３の表面２３Ｘ側に折返される。第３保形平板部２５は、右側の第８折曲直線Ｌ８、右側の第１１折曲直線Ｌ１１及び右側の第１２折曲直線Ｌ１２を境（境界線）として、押え平板部１９の裏面１９Ｙ側に立上げられ、及び右側の上側立上げ平板部２３の表面２３Ｘ側に折返される。
右側の第３保形平板部２５は、立上げられた上側立上げ平板部２３との間に、立上げられた下側立上げ平板部１１と、立上げられ及び折返えされた第２保形平板部１５を配置して、押え平板部１９の裏面１９Ｙ側に立上げられ、及び右側の上側立上げ平板部２３の表面２３Ｘ側に折返される。
右側の第３保形平板部２５は、立上げ及び折返しに伴って、右側の第１１折曲直線Ｌ１１及び右側の第１２折曲直線Ｌ１２の間（第１３間隔Ｐ１３）に、立上げられた下側立上げ平板部１１と、立上げられ及び折返えされた第２保形平板部１５（右側の第６折曲直線Ｌ５）を配置（位置）する。
【０２６７】
図１０６及び図１０７に示すように、重ね配置された第２保形平板部１６及び第３保形平板部２６は、各下側脚平板部９，１０及び各上側脚平板部２１，２２の立下げに伴って、左側の第３折曲直線Ｌ３、左側の第６折曲直線Ｌ６、左側の第８折曲直線Ｌ８、左側の第１１折曲直線Ｌ１１及び左側の第１２折曲直線Ｌ１２に沿って、積載平板部７の表面７Ｘ側に立上げられ及び下側立上げ平板部１２の裏面１２Ｙ側に折返され、押え平板部１９の裏面１９Ｙ側に立上げられ及上側立上げ平板部２４の表面２４Ｘ側に折返される。
このとき、左側の第２保形平板部１６は、図１０６及び図１０７に示すように、各下側脚平板部９，１０及び各上側脚平板部２１，２２の立下げに伴って、下平板３の板下側縁３Ｄ（第４板下側縁部３Ｍ）に第３間隔Ｐ３を隔てる第３折曲直線Ｌ３（左側の第３折曲直線Ｌ３）、左側の第６折曲直線Ｌ３に沿って、積載平板部７の表面７Ｘ側、及び下側立下げ平板部１２の裏面１２Ｙ側に折曲げられる。
右側の第３保形平板部２６は、図１０６及び図１０７に示すように、各下側脚平板部９，１０及び各上側脚平板部２１，２２の立下げに伴って、上平板４の板上側縁４Ｄ（第３板上側縁部４Ｋ）に第８間隔Ｐ８を隔てる第８折曲直線Ｌ８（左側の第８折曲直線Ｌ８）、左側の第１１折曲直線Ｌ１１及び左側の第１２折曲直線Ｌ１２に沿って、押え平板部１９の裏面１９Ｙ側、及び上側立上げ平板部２４の表面２４Ｘ側に折曲げられる。
これにより、左側の第２保形平板部１６は、図１０６及び図１０７に示すように、左側の第３折曲直線Ｌ３及び左側の第６折曲直線Ｌ６に沿って、積載平板部７の表面７Ｘ側に立上げられ、及び立上げられた下側立上げ平板部１２の裏面１２Ｙ側に折返えされる。第２保形平板部１６は、左側の第３折曲直線Ｌ３及び左側の第６折曲直線Ｌ６を境（境界線）として、積載平板部７の表面７Ｘ側に立上げられ、及び左側の下側立上げ平板部１２の裏面１２Ｙ側に折返えされる。
左側の第３保形平板部２６は、図１０６及び図１０７に示すように、左側の第８折曲直線Ｌ８、左側の第１１折曲直線Ｌ１１及び左側の第１２折曲直線Ｌ１２に沿って、押え平板部１９の裏面１９Ｙ側に立上げられ、及び左側の上側立上げ平板部２４の表面２４Ｘ側に折返される。第３保形平板部２６は、左側の第８折曲直線Ｌ８、左側の第１１折曲直線Ｌ１１及び左側の第１２折曲直線Ｌ１２を境（境界線）として、押え平板部１９の裏面１９Ｙ側に立上げられ、及び左側の上側立上げ平板部２４の表面２４Ｘ側に折返される。
左側の第３保形平板部２６は、立上げられた上側立上げ平板部２４との間に、立上げられた下側立上げ平板部１２と、立上げられ及び折返えされた第２保形平板部１６を配置して、押え平板部１９の裏面１９Ｙ側に立上げられ、及び左側の上側立上げ平板部２４の表面２４Ｘ側に折返される。
左側の第３保形平板部２６は、立上げ及び折返しに伴って、左側の第１１折曲直線Ｌ１１及び左側の第１２折曲直線Ｌ１２の間（第１３間隔Ｐ１３）に、立上げられた下側立上げ平板部１２と、立上げられ及び折返えされた第２保形平板部１６（左側の第６折曲直線Ｌ５）を配置（位置）する。
【０２６８】
押えシート２において、第２押えシート部２Ｂは、図１０６乃至図１０９に示すように、各下側脚平板部９，１０及び各上側脚平板部２１，２２の立下げに伴って、物品Ｚ（下平板３）に押付けられる。
これにより、押えシート２は、積載窓穴８の内側に位置する第１押えシート部２Ａ、及び押え窓穴２０の内側に位置する第２押えシート部２Ｂにて物品Ｚ（商品）を挟持して、物品Ｚを定着する。
押え補強平板３６は、図１０６乃至図１０９に示すように、下側脚平板部９，１０及び各上側脚平板部２１，２２の立下げに伴って、第２押えシート部２Ｂを介して、物品Ｚ（下平板３）に押付けられる。
このとき、各積載補強平板部３８，３８，…は、図１０８及び図１０９に示すように、積載窓穴８の各窓縁８Ａ〜８Ｄを折曲直線として、積載平板部７の裏面７Ｙから突出するように折曲げられ、各押え補強平板部４２，４２，…は、図５０乃至図５３に示すように、押え窓穴２０の各窓縁２０Ａ〜２０Ｄを折曲直線として、押え平板部１９の裏面１９Ｙから突出するように折曲げられる。
これにより、積載補強平板３５、及び押え補強平板３６は、各積載補強平板部３８及び各押え補強平板部４２にて物品Ｚ（商品）を挟持して、物品Ｚを保持する。各積載補強平板部３８，３８，…は、物品Ｚを各押え補強平板部４２，４２，…（第２押えシート部２Ｂ）に向けて押付け、及び各押え補強平板部４２，４２，は、物品Ｚを各積載補強平板部３８，３８，…（第１押えシート部２Ａ）に向けて押付ける。
【０２６９】
続いて、各下側立上げ平板部１１，１２、及び各上側立上げ平板部２３，２４は、図１１０乃至図１１２に示すように、立上げ角θＢから積載平板部７の表面７Ｘ及び押え平板部１９の表面１９Ｘに直交する位置に立上げられる。
このとき、各第１保形平板部１３，１４、及び各第２保形平板部１５，１６は、図１１０乃至図１１２に示すように、各第２折曲直線Ｌ２，Ｌ２、各第３折曲直線Ｌ３，Ｌ３、各第５折曲直線Ｌ５，Ｌ５及び各第６折曲直線Ｌ６，Ｌ６に沿って、各下側立上げ平板部１１，１２の裏面１１Ｙ，１２Ｙに平行する位置に折返えされ、及び積載平板部７の表面７Ｘに直交する位置に立上げられる。
また、各第３保形平板部２５，２６、及び各第４保形平板部２７，２８は、図１１０乃至図１１２に示すように、各第８折曲直線Ｌ８，Ｌ８、各第９折曲直線Ｌ９，Ｌ９、各第１１折曲直線Ｌ１１，Ｌ１１、各第１２折曲直線Ｌ１２，Ｌ１２、各第１３折曲直線Ｌ１３，Ｌ１３及び各第１４折曲直線Ｌ１４，Ｌ１４に沿って、各上側立上げ平板部２３，２４の裏面２３Ｙ，２４Ｙに平行する位置に折返えされ、及び押え平板部１９の裏面１９Ｙに直行する位置に立上げられる。
これにより、下側立上げ平板部１１、第１保形平板部１３、上側立上げ平板部２３、及び第４保形平板部２７は、図１１０及び図１１１に示すように、左右方向ＬＲにおいて、相互に平行して重ね配置される。下側立上げ平板部１１及び第１保形平板部１３は、第１３及び第１４折曲直線Ｌ１３，１４の間（第１３間隔Ｐ３）において、上側立上げ平板部２３及び第４保形平板部２８の間に折込まれる。
下側立上げ平板部１２、第１保形平板部１４、上側立上げ平板部２４、及び第４保形平板部２８は、図１１０及び図１１１に示すように、左右方向ＬＲにおいて、相互に平行して重ね配置される。下側立上げ平板部１２及び第１保形平板部１４は、第１３及び第１４折曲直線Ｌ１３，１４の間（第１３間隔Ｐ１３）において、上側立上げ平板部２４及び第４保形平板部２８の間に折込まれる。
下側立上げ平板部１１、第２保形平板部１５、上側立上げ平板部２３、及び第３保形平板部２５は、図１１０及び図１１１に示すように、左右方向ＬＲにおいて、相互に平行して重ね配置される。下側立上げ平板部１１及び第２保形平板部１５は、第１１及び第１２折曲直線Ｌ１１，Ｌ１１の間（第１３間隔Ｐ１３）において、上側立上げ平板部２３及び第３保形平板部２５の間に折込まれる。
下側立上げ平板部１２、第２保形平板部１６、上側立上げ平板部２４及び第３保形平板部２６は、図１１０及び図１１１に示すように、左右方向ＬＲにおいて、相互に平行して重ね配置される・下側立上げ平板部１２及び第２保形平板部１６は、第１１及び第１２折曲直線Ｌ１１，Ｌ１２の間（第１３間隔Ｐ１３）において、上側立上げ平板部２４及び第３保形平板部２６の間に折込まれる。
【０２７０】
下平板３の第７板下側縁部３Ｒ，３Ｓ（各下側立上げ平板部１１，１２の第７板下側縁部３Ｒ，３Ｓ）は、図１１０乃至図１１２に示すように、各下側立上げ平板部１１，１２を積載平板部７の表面７Ｘに直交する位置に立上げると、積載平板部７の表面７Ｘに平行配置される。
上平板４の第７板上側縁部４Ｒ，４Ｓ（各上側立上げ平板部２３，２４の第７板上側縁部４Ｒ，４Ｓ）は、各上側立上げ平板部２３，２４を押え平板部１９の裏面１９Ｙに直交する位置に立上げると、押え平板部１９の裏面１９Ｙに平行配置される。
【０２７１】
下平板３の各第５板下側縁部３Ｎ，３Ｑ、及び第６板下側縁部３Ｐ，３Ｑ（各第１保形平板部１３，１４の第５板下側縁部３Ｎ，３Ｏ、各第２保形平板部１５，１６の第６板下側縁部３Ｐ，３Ｑ）は、図１１０に示すように、各第１及び各第２保形平板部１３〜１６を積載平板部７の表面７Ｘに直交する位置に立上げると、各下側立上げ平板部１１，１２の第７板下側縁部３Ｒ，３Ｓに面一として平行配置される。
第４鋭角度θ４を、第１鋭角度θ１の半分の角度以上［θ４≧（１／２）×θ１］にすることで、第１保形平板部１３，１４の第５板下側縁部３Ｎ，３Ｏ、各第２保形平板部１５，１６の第６板下側縁部３Ｐ，３Ｑは、各下側立上げ平板部１１，１２の第７板下側縁部３Ｒ，３Ｓに平行配置される。
上平板４の各第５板上側縁部４Ｎ，４Ｑ、及び第６板上側縁部４Ｐ，４Ｑ（各第３保形平板部２５，２６の第５板上側縁部４Ｎ，４Ｏ、各第４保形平板部２７，２８の第６板上側縁部４Ｐ，４Ｑ）は、図１１０に示すように、各第３及び各第４保形平板部２５〜２８を押え平板部１９の裏面１９Ｙに直交する位置に立上げると、各上側立上げ平板部２３，２４の第７板上側縁部４Ｒ，４Ｓに平行配置される。
第４鋭角度θ４を、第１鋭角度θ１の半分の角度以上［θ４≧（１／２）×θ１］にすることで、第３保形平板部２５，２６の第５板上側縁部４Ｎ，４Ｏ、各第４保形平板部２７，２８の第６板上側縁部４Ｐ，４Ｑは、各下側立上げ平板部１１，１２の第７板下側縁部３Ｒ，３Ｓに平行配置される。
これにより、梱包用緩衝材Ｘ５は、物品Ｚ（商品）を梱包して組立てられる。
【０２７２】
物品Ｚ（商品）を梱包して組立てられた梱包用緩衝材Ｘ５（以下、「組立て梱包した梱包用緩衝材Ｘ５」という）は、運送（運搬）する際に、図１１３乃至図１１５に示すように、直方体の梱包箱Ｂ内に収納される。
組立て梱包した梱包用緩衝材Ｘ５は、図１１３乃至図１１５に示すように、積載平板部７の裏面７Ｙ側から梱包箱Ｂ内に収納される。
組立て梱包した梱包用緩衝材Ｘ５は、図１１５に示すように、第１及び第２下側脚平板部９，１０、第１及び第２上側脚平板部２１，２２（下平板３の板上縁３Ａ及び板下縁３Ｂ、上平板４の板上縁４Ａ及び板下縁４Ｂ）を梱包箱Ｂの底平板１０１に当接して。梱包箱Ｂ内に収納される。
また、組立て梱包した梱包用緩衝材Ｘ５は、図１１４に示すように、各第３保形平板部２５，２６、及び各第４保形平板部２７，２８を梱包箱Ｂの側平板５２，５２に当接して、梱包箱Ｂ内に収納される。
続いて、梱包箱Ｂの蓋平板５３を閉じて、蓋平板５３を、立上げられた各下側立上げ平板部１１，１２、立上げられた各上側立上げ平板部２３，２４に当接して運送する。
このとき、組立て梱包した梱包用緩衝材Ｘ５は、各第３保形平板部２５，２６、及び各第４保形平板部２７，２８を梱包箱Ｂの各側平板５２，５２に当接するので、梱包用緩衝材Ｘ１の組立ては開放（展開）されず、第１及び第２下側脚平板部９，１０の立下げ角度θＡ、及び第１及び第２上側脚平板部２１，２２の立下げ角度θＡを保持する。
【０２７３】
＜実施形態６＞
第６実施形態の梱包用緩衝材Ｘ６について、図１１６乃至図１３４を参照して説明する。
なお、図１１６乃至図１３４において、図１乃至図４１、及び図６０乃至図６５と同一符号は、同一部材、同一構成であるので、その詳細な説明は省略する。
また、説明の便宜上、先ず、組立前の展開した第６実施形態の梱包用緩衝材Ｘ６について説明し、次に、第６実施形態の梱包用緩衝材Ｘ６を組立てて物品（商品）を梱包する要領（組立て梱包方法）について説明する。
【０２７４】
図１１６乃至図１３４において、第６実施形態の梱包用緩衝材Ｘ６（以下、「梱包用緩衝材Ｘ６」という）は、押えシート２、下平板３、及び上平板４を備える（図１１６乃至図１２２参照）。
【０２７５】
梱包用緩衝材Ｘ６の下平板３、及び上平板４は、例えば、図６０乃至７７で説明した梱包用緩衝材Ｘ３（実施形態３）において、基準折曲直線ＬＸ（図６０及び図６１参照）に沿って上下に２分割（下平板３及び上平板４に切断）して構成される。梱包用緩衝材Ｘ６は、図６０及び図６１に示す梱包用緩衝材Ｘ３の基準折曲直線ＬＸを、下平板３の板上縁３Ａ及び上平板４の板下縁４Ｂとする（図１１６乃至図１１８参照）。
【０２７６】
梱包用緩衝材Ｘ６において、下平板３は、図１乃至図４１で説明したと同様に、上下一対の第１折曲直線Ｌ１，Ｌ１、左右一対の第２折曲直線Ｌ２，Ｌ２、左右一対の第３折曲直線Ｌ３，Ｌ３、左右一対の第４折曲直線Ｌ４，Ｌ４、左右一対の第５折曲直線Ｌ５，Ｌ５、左右一対の第６折曲直線Ｌ６，Ｌ６、左右一対の第１下側折曲穴５，５及び左右一対の第２下側折曲穴６，６を有する。下平板３は、板上縁３Ａ、板下縁３Ｂ、左右一対の板下側縁３Ｃ，３Ｄを有する（図１１６乃至図１１８参照）。
【０２７７】
梱包用緩衝材Ｘ６において、下平板３は、図１乃至図４１で説明したと同様に、積載平板部７、第１下側脚平板部９、第２下側脚平板部１０、左右一対の下側立上げ平板部１１，１２、左右一対の第１保形平板部１３，１４、及び左右一対の第２保形平板部１５，１６で構成される（図１１６乃至図１２２参照）。
梱包用緩衝材Ｘ６は、積載窓穴８を有することなく構成される。
【０２７８】
梱包用緩衝材Ｘ６において、上平板４は、図１乃至図４１で説明したと同様に、上下一対の第７折曲直線Ｌ７，Ｌ７、左右一対の第８折曲直線Ｌ８，Ｌ８、左右一対の第９折曲直線Ｌ９，Ｌ９、左右一対の第１０折曲直線Ｌ１０，Ｌ１０、左右一対の第１１折曲直線Ｌ１１，Ｌ１１、左右一対の第１２折曲直線Ｌ１２，Ｌ１２、左右一対の第１３折曲直線Ｌ１３，Ｌ１３、左右一対の第１４折曲直線Ｌ１４，Ｌ１４、左右一対の第１上側折曲穴１７，１７、及び左右一対の第２上側折曲穴１８，１８を有する。上平板４は、板上縁４Ａ、板下縁４Ｂ、及び左右一対の板上側縁４Ｃ，４Ｄを有する（図１１６乃至図１１８参照）。
【０２７９】
梱包用緩衝材Ｘ６において、上平板４は、図１乃至図４１で説明したと同様に、押え平板部１９、押え窓穴２０、第１上側脚平板部２１、第２上側脚平板部２２、左右一対の上側立上げ平板部２３，２４、左右一対の第３保形平板部２５，２６、及び左右一対の第４保形平板部２７，２８で構成される（図１１６乃至図１２２参照）。
【０２８０】
梱包用緩衝材Ｘ６において、下平板３は、図６０乃至図６５で説明したと同様に、複数の積載保持平板部５１，５１，…を備え、各積載保持平板部５１，５１，…は、複数の保持切込直線ＬＰ，ＬＰ，…にて区画される（図１１６乃至図１２０参照）。
【０２８１】
梱包用緩衝材Ｘ６において、押え窓穴２０は、図６０乃至図６５で説明したと同様に、窓穴上縁２０Ａ及び窓穴下縁２０Ｂを各第７折曲直線Ｌ７，Ｌ７に沿って配置する（図１１６及び図１１７参照）。
【０２８２】
梱包用緩衝材Ｘ６において、第１押えシート部２Ａは、図６０乃至図６５で説明したと同様に、積載平板部７の表面７Ｘに積載（積層）されて、各積載保持平板部５１，５１，…を覆って下平板３に固定される（図１１６乃至図１２０参照）。
梱包用緩衝材Ｘ６において、押えシート２は、図１１６及び図１１８に示すように、２枚のシート（フィルム）にて第１押えシート部２Ａ及び第２押えシート部２Ｂを構成する。１枚のシート（フィルム）でなる第１押えシート部２Ｂは、図６０乃至図６２で説明したと同様に、各積載保持平板部５１，５１，…を覆って、積載平板部７の表面７Ｘに積層されて、下平板３の表面３Ｘに固定される（図１１６及び図１１８参照）。１枚のシート（フィルム）でなる第２押えシート部２Ｂは、図１乃至図４１で説明したと同様に、押え窓穴２０を覆って、押え平板部１９の表面１９Ｘに積層されて、押え窓穴２０の押え窓縁（窓穴上縁２０Ａ，窓穴下縁２０Ｂ，窓穴右縁２０Ｃ及び窓穴左縁２０Ｄ）に沿って上平板４の表面４Ｘに固定される（図１１６及び図１１８参照）。
【０２８３】
＜物品（商品）の梱包＞
次に、梱包用緩衝材Ｘ６を組立てて、物品Ｚ（商品）を梱包する要領（組立て梱包方法）について、図１２３乃至図１３１を参照して説明する。
【０２８４】
先ず、展開した梱包用緩衝材Ｘ６において、物品Ｚ（商品）を下平板３の表面３Ｘに積載（載置）する（図１２３参照）。
物品Ｚは、図１２３に示すように、下平板３の表面３Ｘから積載窓穴８内（積載窓穴８の内側）に配置されて、第１押えシート部２Ａ上（第１押えシート部２Ａの表面）、及び各積載保持平板部５１，５１，…上に積載（載置）される。
このとき、物品Ｚは、図１２３に示すように、各保持切込直線ＬＰ，ＬＰ，…を横切って、第１押えシート部２Ａ上、及び各積載保持平板部５１，５１，…上に積載される。
【０２８５】
図１２３及び図１２４において、上平板４を、下平板３の表面３Ｘに積載（積層）する。上平板４は、表面４Ｘを下平板３の表面３Ｘに向けて、下平板３の表面３Ｘに積載される。
上平板４は、例えば、図１２４に示すように、上平板４の板上縁４Ａを下平板３の板下縁３Ｂに一致させて、及び上平板４の板上側縁４Ｃ，４Ｄを下平板３の各板下側縁３Ｃ，３Ｄに一致させて、下平板３の表面３Ｘに重ねて配置する。
このとき、押え平板部１９は、図１２３及び図１２４に示すように、上平板４を下平板３の表面３Ｘに積載した状態において、積載平板部７に重ねて配置される。
【０２８６】
押え窓穴２０は、図１２３及び図１２４に示すように、上平板４を下平板３の表面３Ｘに積載した状態において、積載窓穴８に重ねて配置される。
【０２８７】
第１上側脚平板部２１は、図１２３及び図１２４に示すように、上平板４を下平板３の表面３Ｘに積載した状態において、第１上側脚平板部２１の表面２１Ｘを第２下側脚平板部１０の表面１０Ｘに向けて、第２下側脚平板部１０の表面１０Ｘ（表平面）に重ねて配置される。
【０２８８】
第２上側脚平板部２２は、図１２３及び図１２４に示すように、上平板４を下平板３の表面３Ｘに積載した状態において、第２上側脚平板部２２の表面２２Ｘを第１下側脚平板部９の表面９Ｘに向けて、第１下側脚平板部９の表面９Ｘ（表平面）に重ねて配置される。
【０２８９】
各上側立上げ平板部２３，２４は、図１２３及び図１２４に示すように、上平板４を下平板３の表面３Ｘに積載した状態において、各上側立上げ平板部２３，２４の表面２３Ｘ，２４Ｘを各下側立上げ平板部１１，１２の表面１１Ｘ，１２Ｘに向けて、各下側立上げ平板部１１，１２の表面１１Ｘ，１２Ｘ（表平面）に重ねて配置される。
【０２９０】
各第４保形平板部２７，２８は、図１２３及び図１２４に示すように、上平板４を下平板３の表面３Ｘに積載した状態において、各第４保形平板部２７，２８の表面２７Ｘ，２８Ｘを各第１保形平板部１３，１４の表面１３Ｘ，１４Ｘに向けて、各第１保形平板部１３，１４の表面１３Ｘ，１４Ｘ（表平面）に重ねて配置される。
【０２９１】
上平板４は、図１２４に示すように、下平板３の表面３Ｘに積載した状態において、各第１１折曲直線Ｌ１１，Ｌ１１及び各第１２折曲直線Ｌ１２，Ｌ１２の間（各第１３間隔Ｐ１３）に、下平板３の各第６折曲直線Ｌ６，Ｌ６を配置する。
上平板４は、図１２４に示すように、下平板３の表面３Ｘに積載した状態において、各第１３折曲直線Ｌ１３，Ｌ１３及び各第１４折曲直線Ｌ１４，Ｌ１４の間（各第１３間隔Ｐ１３）に、下平板３の各第５折曲直線Ｌ５，Ｌ５を配置する。
【０２９２】
押えシート２において、第２押えシート部２Ｂは、図１２３及び図１２４に示すように、上平板４を下平板３の表面３Ｘに折返した状態において、第２押えシート部２Ｂの表面を第１押えシート部２Ａの表面に向けて、第１押えシート部２Ａの表面に重ねて配置される。
第２押えシート部２Ｂは、図１２３及び図１２４に示すように、上平板４を下平板３の表面３Ｘに折返した状態において、第１押えシート部２Ａ上の物品Ｚ（商品）を覆って、物品Ｚに当接される。
このとき、第１押えシート部２Ａ上の物品Ｚ（商品）は、押え窓穴２０の窓穴縁であって、窓穴上縁２０Ａ，窓穴下縁２０Ｂ、窓穴右縁２０Ｃ及び窓穴左縁２０Ｄに接触することなく、押え窓穴２０の内側（押え窓穴２０内）に位置する第２押えシート部２Ｂに当接される。
これにより、押えシート２は、積載窓穴８の内側に位置する第１押えシート部２Ａ、及び押え窓穴２０の内側に位置する第２押えシート部２Ｂの間に、物品Ｚ（商品）を配置する。
各積載保持平板部５１，５１，…は、上平板４を下平板３の表面３Ｘに折返した状態において、第２押えシート部２Ｂとの間に物品Ｚを配置して、物品Ｚを保持する。
【０２９３】
続いて、図１２４乃至図１３１に示すように、重ね配置された第１下側脚平板部９及び第２上側脚平板部２２を、上側の第１折曲直線L１及び上側の第７折曲直線Ｌ７に沿って、積載平板部７の裏面７Ｙ側及び押え平板部１９の表面１９Ｘ（裏平面）に折曲げる。
このとき、第１下側脚平板部９は、基準折曲直線ＬＸ（下平板３の板上縁３Ａ）に第６間隔Ｐ６を隔てる第１折曲直線Ｌ１（上側の第７折曲直線）に沿って、積載平板部７の裏面７Ｙ側に折曲げられる。
第２上側脚平板部２２は、基準折曲直線ＬＸ（上平板４の板下縁４Ｂ）に第６間隔Ｐ６を隔てる第７折曲直線Ｌ７（下側の第７折曲直線）に沿って、押え平板部１９の表面１９Ｘ側に折曲げられる。
これにより、第１下側脚平板部９は、図１３１に示すように、積載平板部７の裏面７Ｙに立下げ角度θＡをなして、上側の第１折曲直線Ｌ１に沿って積載平板部７の裏面７Ｙ側に立下げられる。第１下側脚平板部９は、上側の第１折曲直線Ｌ１を境（境界線）として、積載平板部７の裏面７Ｙ側に立下げられる。
第２上側脚平板部２２は、図１３１に示すように、押え平板部１９の表面１９Ｘに立下げ角度θＡをなして、下側の第７折曲直線Ｌ７に沿って押え平板部１９の表面１９Ｘ側に立下げられる。立下げた第２上側平板部２２は、図１２８及び図１３１に示すように、立下げた第１下側脚平板部９の表面９Ｘに当接して、第１下側脚平板部９の表面９Ｘに重ねられる。第２上側脚平板部２２は、下側の第７折曲直線Ｌ７を境（境界線）として、立下げられた第１下側脚平板部９の表面９Ｘに重ねられて、押え平板部１９の表面１９Ｘ側に立下げられる。
このように、重ね配置された第１下側脚平板部９及び第２上側脚平板部２２は、同時に、積載平板部７の裏面７Ｙ及び押え平板部１９の表面１９Ｘに折曲げられて、積載平板部７の裏面７Ｙ側及び押え平板部１９の表面１９Ｘ側に立下げられる。
【０２９４】
図１２５乃至図１３１に示すように、重ね配置された第２下側脚平板部１０及び第１上側脚平板部２１を、下側の第１折曲直線Ｌ１及び下側の第７折曲直線Ｌ７に沿って、積載平板部７の裏面７Ｙ及び押え平板部１９の表面１９Ｘに折曲げられる。
このとき、第２下側脚平板部１０は、基礎平板体１の板下縁１Ｂ（下平板３の板下縁３Ｂ）に第１間隔Ｐ１を隔てる第１折曲直線Ｌ１（下側の第１折曲直線）に沿って、積載平板部７の裏面７Ｙに折曲げられる。
第１上側脚平板部２１は、基礎平板体１の板上縁１Ａ（上平板４の板上縁１Ａ）に第６間隔Ｐ６を隔てる第７折曲直線Ｌ７（上側の第７折曲直線）に沿って、押え平板部１９の表面１９Ｘに折曲げられる。
これにより、第２下側脚平板部１０は、図１３１に示すように、積載平板部７の裏面７Ｙに立下げ角度θＡをなして、下側の第１折曲直線Ｌ１に沿って、積載平板部７の裏面７Ｙ側に立下げられる。第２下側脚平板部１０は、下側の第１折曲直線Ｌ１を境（境界線）として、積載平板部７の裏面７Ｙ側（各積載保持平板部５１，５１，…の裏面５１Ｙ側）に立下げられる。
第１上側脚平板部２１は、図１３１に示すように、押え平板部１９の表面１９Ｘに立下げ角度θＡをなして、上側の第７折曲直線Ｌ７に沿って押え平板部１９の表面１９Ｘ側（第２押えシート部２Ｂの表面側）に立下げられる。立下げた第１上側脚平板部２１は、図７４に示すように、立下げた第２下側脚平板部１０の表面１０Ｘに当接して、第２下側脚平板部１０の表面１０Ｘに重ねられる。第１上側脚平板部２１は、上側の第７折曲直線Ｌ１０を境（境界線）として、立下げられた第２下側脚平板部１０に重ねられて、押え平板部１９の表面１９Ｘ側に立下げられる。
このように、重ね配置された第２下側脚平板部１０及び第１上側脚平板部２１は、同時に、積載平板部７の裏面７Ｙ及び押え平板部１９の表面１９Ｘに折曲げられて、積載平板部７の裏面７Ｙ側及び押え平板部１９の表面１９Ｘ側に立下げられる。
【０２９５】
図１２４乃至図１２８に示すように、重ね配置された下側立上げ平板部１１及び上側立上げ平板部２３は、各下側脚平板部９，１０及び各上側脚平板部２１，２２の立下げに伴って、右側の第４折曲直線Ｌ４及び右側の第１０折曲直線Ｌ１０に沿って、積載平板部７の表面７Ｘ側及び押え平板部１９の裏面１９Ｙ側に立上げられる。
このとき、右側の下側立上げ平板部１１は、図１２５乃至図１２７に示すように、第１及び第２下側脚平板部９，１０の立下げに伴って、下平板３の板下側縁３Ｃ（第７板下側縁部３Ｒ）に第３間隔Ｐ３を隔てる第４折曲直線Ｌ４（右側の第４折曲直線Ｌ４）に沿って、積載平板部７の表面７Ｘ側に折曲げられる。
右側の上側立上げ平板部２３は、図１２５乃至図１２７に示すように、第１及び第２上側脚平板部２１，２２の立下げに伴って、上平板４の板上側縁４Ｃ（第７板上側縁部４Ｒ）に第９間隔Ｐ９を隔てる第１０折曲直線Ｌ１０（右側の第１０折曲直線Ｌ１０）に沿って、押え平板部１９の裏面１９Ｙ側に折曲げられる。
これにより、右側の下側立上げ平板部１１は、図１２７に示すように、積載平板部７の表面７Ｘに立上げ角度θＢをなして、右側の第４折曲直線Ｌ４に沿って積載平板部７の表面７Ｘ側に立上げられる。右側の下側立上げ平板部１１は、右側の第４折曲直線Ｌ４を境（境界線）として、積載平板部７の表面７Ｘ側に立上げられる。
右側の上側立上げ平板部２３は、図１２７に示すように、押え平板部１９の裏面１９Ｙに立上げ角度θＢをなして、右側の第１０折曲直線Ｌ１０に沿って押え平板部１９の裏面１９Ｙ側に立上げられる。立上げられた上側立上げ平板部２３は、図１２８乃至図１３１に示すように、立上げられた下側立上げ平板部１１の表面１１Ｘ（表平面）に当接して、下側立上げ平板部１１の表面１１Ｘに重ねられる。右側の上側立上げ平板部２３は、右側の第１０折曲直線L１０を境（境界線）として、立上げられた下側立上げ平板部１１に重ねられて、押え平板部１９の裏面Ｙ側に立上げられる。
このように、右側の下側立上げ平板部１１及び右側の上側立上げ平板部２３は、各下側脚平板部９，１０及び各上側脚平板部２１，２２の立下げに伴って、積載平板部７の表面７Ｘ側及び押え平板部１９の裏面１９Ｙ側に立上げられる。
【０２９６】
図１２４乃至図１２８に示すように、重ね配置された下側立上げ平板部１２及び上側立上げ平板部２３は、各下側脚平板部９，１０及び各上側脚平板部２１，２２の立下げに伴って、左側の第４折曲直線Ｌ４及び左側の第１０折曲直線Ｌ１０に沿って、積載平板部７の表面７Ｘ側及び押え平板部１９の裏面１９Ｙ側に立上げられる。
このとき、左側の下側立上げ平板部１２は、図１２５乃至図１２７に示すように、第１及び第２下側脚平板部９，１０の立下げに伴って、下平板３の板下側縁３Ｄ（第７板下側縁部３Ｓ）に第３間隔Ｐ３を隔てる第４折曲直線Ｌ４（左側の第４折曲直線Ｌ４）に沿って、積載平板部７の表面７Ｘ側に折曲げられる。
左側の上側立上げ平板部２４は、図１２５乃至図１２７に示すように、第１及び第２上側脚平板部２１，２２の立下げに伴って、上平板４の板上側縁４Ｄ（第７板上側縁部４Ｓ）に第９間隔Ｐ９を隔てる第１０折曲直線Ｌ１０（左側の第１０折曲直線Ｌ１０）に沿って、押え平板部１９の裏面１９Ｙ側に折曲げられる。
これにより、左側の下側立上げ平板部１２は、図１２７に示すように、積載平板部７の表面７Ｘに立上げ角度θＢをなして、左側の第４折曲直線Ｌ４に沿って積載平板部７の表面７Ｘ側に立上げられる。左側の下側立上げ平板部１２は、左側の第４折曲直線Ｌ４を境（境界線）として、積載平板部７の表面７Ｘ側に立上げられる。
左側の上側立上げ平板部２４は、図１２７に示すように、押え平板部１９の裏面１９Ｙに立上げ角度θＢをなして、左側の第１０折曲直線Ｌ１０に沿って押え平板部１９の裏面１９Ｙ側に立上げられる。立上げられた上側立上げ平板部２４は、図１２５乃至図１２７に示すように、立上げられた下側立上げ平板部１２の表面１２Ｘ（表平面）に当接して、下側立上げ平板部１２の表面１２Ｘに重ねられる。左側の上側立上げ平板部２４は、左側の第１０折曲直線L１０を境（境界線）として、立上げられた下側立上げ平板部１２に重ねられて、押え平板部１９の裏面１９Ｙ側に立上げられる。
このように、左側の下側立上げ平板部１２及び左側の上側立上げ平板部２４は、各下側脚平板部９，１０及び各上側脚平板部２１，２２の立下げに伴って、積載平板部７の表面７Ｘ側及び押え平板部１９の裏面１９Ｙ側に立上げられる。
【０２９７】
図１２４乃至図１２８に示すように、重ね配置された第１保形平板部１３及び第４保形平板部２７は、各下側脚平板部９，１０及び各上側脚平板部２１，２２の立下げに伴って、右側の第２折曲直線Ｌ２、右側の第５折曲直線Ｌ５、右側の第９折曲直線Ｌ９、右側の第１３折曲直線Ｌ１３及び右側の第１４折曲直線Ｌ１４に沿って、積載平板部７の表面７Ｘ側に立上げられ及び下側立上げ平板部１１の裏面１１Ｙ側に折返され、押え平板部１９の裏面１９Ｙ側に立上げられ及上側立上げ平板部２３の表面２３Ｘ側に折返される。
このとき、右側の第１保形平板部１３は、図１２５及び図１２６に示すように、各下側脚平板部９，１０及び各上側脚平板部２１，２２の立下げに伴って、下平板３の板下側縁３Ｃ（第３板下側縁部３Ｊ）に第３間隔Ｐ３を隔てる第２折曲直線Ｌ２（右側の第２折曲直線Ｌ２）、右側の第５折曲直線Ｌ５に沿って、積載平板部７の表面７Ｘ側、及び下側立上げ平板部１１の裏面１１Ｙ側に折曲げられる。
右側の第４保形平板部２７は、図１２５及び図１２６に示すように、各下側脚平板部９，１０及び各上側脚平板部２１，２２の立下げに伴って、上平板４の板上側縁４Ｃ（第４板上側縁部４Ｌ）に第８間隔Ｐ８を隔てる第９折曲直線Ｌ９（右側の第９折曲直線Ｌ９）、右側の第１３折曲直線Ｌ１３及び右側の第１４折曲直線Ｌ１４に沿って、押え平板部１９の裏面１９Ｙ側、及び上側立上げ平板部２３の表面２３Ｘ側に折曲げられる。
これにより、右側の第１保形平板部１３は、図１２５及び図１２７に示すように、右側の第２折曲直線Ｌ２及び右側の第５折曲直線Ｌ５に沿って、積載平板部７の表面７Ｘ側に立上げられ、及び立上げられた下側立上げ平板部１１の裏面１１Ｙ側に折返えされる。第１保形平板部１３は、右側の第２折曲直線Ｌ２及び右側の第５折曲直線Ｌ５を境（境界線）として、積載平板部７の表面７Ｘ側に立上げられ、及び右側の下側立上げ平板部１１の裏面１１Ｙ側に折返えされる。
右側の第４保形平板部２７は、図１２５及び図１２６に示すように、右側の第９折曲直線Ｌ９、右側の第１３折曲直線Ｌ１３及び右側の第１４折曲直線Ｌ１４に沿って、押え平板部１９の裏面１９Ｙ側に立上げられ、及び右側の上側立上げ平板部２３の表面２３Ｘ側に折返される。第４保形平板部２７は、右側の第９折曲直線Ｌ９、右側の第１３折曲直線Ｌ１３及び右側の第１４折曲直線Ｌ１４を境（境界線）として、押え平板部１９の裏面１９Ｙ側に立上げられ、及び右側の上側立上げ平板部２３の表面２３Ｘ側に折返される。
右側の第４保形平板部２７は、図１２５及び図１２６に示すように、立上げられた上側立上げ平板部２３との間に、立上げられた下側立上げ平板部１１と、立上げられ及び折返えされた第１保形平板部１３を配置して、押え平板部１９の裏面１９Ｙ側に立上げられ、及び右側の上側立上げ平板部２３の表面２３Ｘ側に折返される。
右側の第４保形平板部２７は、立上げ及び折返しに伴って、右側の第１３折曲直線Ｌ１３及び右側の第１４折曲直線Ｌ１４の間（第１３間隔Ｐ１３）に、立上げられた下側立上げ平板部１１と、立上げられ及び折返えされた第１保形平板部１３（右側の第５折曲直線Ｌ５）を配置（位置）する。
【０２９８】
図１２５及び図１２６に示すように、重ね配置された第１保形平板部１４及び第４保形平板部２８は、各下側脚平板部９，１０及び各上側脚平板部２１，２２の立下げに伴って、左側の第２折曲直線Ｌ２、左側の第５折曲直線Ｌ５、左側の第９折曲直線Ｌ９、左側の第１３折曲直線Ｌ１３及び左側の第１４折曲直線Ｌ１４に沿って、積載平板部７の表面７Ｘ側に立上げられ及び下側立上げ平板部１２の裏面１２Ｙ側に折返され、押え平板部１９の裏面１９Ｙ側に立上げられ及上側立上げ平板部２４の表面２４Ｘ側に折返される。
このとき、左側の第１保形平板部１４は、図１２５及び図１２６に示すように、各下側脚平板部９，１０及び各上側脚平板部２１，２２の立下げに伴って、下平板３の板下側縁３Ｄ（第３板下側縁部３Ｋ）に第３間隔Ｐ３を隔てる第２折曲直線Ｌ２（左側の第２折曲直線Ｌ２）、左側の第５折曲直線Ｌ５に沿って、積載平板部７の表面７Ｘ側、及び下側立上げ平板部１２の裏面１２Ｙ側に折曲げられる。
右側の第４保形平板部２８は、図１２５及び図１２６に示すように、各下側脚平板部９，１０及び各上側脚平板部２１，２２の立下げに伴って、上平板４の板上側縁４Ｄ（第４板上側縁部４Ｍ）に第８間隔Ｐ８を隔てる第９折曲直線Ｌ９（左側の第９折曲直線Ｌ９）、左側の第１３折曲直線Ｌ１３及び左側の第１４折曲直線Ｌ１４に沿って、押え平板部１９の裏面１９Ｙ側、及び上側立上げ平板部２４の表面２４Ｘ側に折曲げられる。
これにより、左側の第１保形平板部１４は、図１２５及び図１２６に示すように、左側の第２折曲直線Ｌ２及び左側の第５折曲直線Ｌ５に沿って、積載平板部７の表面７Ｘ側に立上げられ、及び立上げられた下側立上げ平板部１２の裏面１２Ｙ側に折返えされる。第１保形平板部１４は、左側の第２折曲直線Ｌ２及び左側の第５折曲直線Ｌ５を境（境界線）として、積載平板部７の表面７Ｘ側に立上げられ、及び左側の下側立上げ平板部１２の裏面１２Ｙ側に折返えされる。
左側の第４保形平板部２８は、図１２５及び図１２６に示すように、左側の第９折曲直線Ｌ９、左側の第１３折曲直線Ｌ１３及び左側の第１４折曲直線Ｌ１４に沿って、押え平板部１９の裏面１９Ｙ側に立上げられ、及び左側の上側立上げ平板部２４の表面２４Ｘ側に折返される。第４保形平板部２７は、左側の第９折曲直線Ｌ９、左側の第１３折曲直線Ｌ１３及び左側の第１４折曲直線Ｌ１４を境（境界線）として、押え平板部１９の裏面１９Ｙ側に立上げられ、及び左側の上側立上げ平板部２４の表面２４Ｘ側に折返される。
左側の第４保形平板部２８は、図１２５及び図１２６に示すように、立上げられた上側立上げ平板部２４との間に、立上げられた下側立上げ平板部１２と、立上げられ及び折返えされた第１保形平板部１４を配置して、押え平板部１９の裏面１９Ｙ側に立上げられ、及び左側の上側立上げ平板部２４の表面２４Ｘ側に折返される。
左側の第４保形平板部２８は、立上げ及び折返しに伴って、左側の第１３折曲直線Ｌ１３及び左側の第１４折曲直線Ｌ１４の間（第１３間隔Ｐ１３）に、立上げられた下側立上げ平板部１２と、立上げられ及び折返えされた第１保形平板部１４（左側の第５折曲直線Ｌ５）を配置（位置）する。
【０２９９】
図１２５及び図１２６に示すように、重ね配置された第２保形平板部１５及び第３保形平板部２５は、各下側脚平板部９，１０及び各上側脚平板部２１，２２の立下げに伴って、右側の第３折曲直線Ｌ３、右側の第６折曲直線Ｌ６、右側の第８折曲直線Ｌ８、右側の第１１折曲直線Ｌ１１及び右側の第１２折曲直線Ｌ１２に沿って、積載平板部７の表面７Ｘ側に立上げられ及び下側立上げ平板部１１の裏面１１Ｙ側に折返され、押え平板部１９の裏面１９Ｙ側に立上げられ及上側立上げ平板部２３の表面２３Ｘ側に折返される。
このとき、右側の第２保形平板部１５は、図１２５及び図１２６に示すように、各下側脚平板部９，１０及び各上側脚平板部２１，２２の立下げに伴って、下平板３の板下側縁３Ｃ（第４板下側縁部３Ｌ）に第３間隔Ｐ３を隔てる第３折曲直線Ｌ３（右側の第３折曲直線Ｌ３）、右側の第６折曲直線Ｌ６に沿って、積載平板部７の表面７Ｘ側、及び下側立上げ平板部１１の裏面１１Ｙ側に折曲げられる。
右側の第３保形平板部２５は、図１２５及び図１２６に示すように、各下側脚平板部９，１０及び各上側脚平板部２１，２２の立下げに伴って、上平板４の板上側縁４Ｃ（第３板上側縁部４Ｊ）に第８間隔Ｐ８を隔てる第８折曲直線Ｌ８（右側の第８折曲直線Ｌ８）、右側の第１１折曲直線Ｌ１１及び右側の第１２折曲直線Ｌ１２に沿って、押え平板部１９の裏面１９Ｙ側、及び上側立上げ平板部２３の表面２３Ｘ側に折曲げられる。
これにより、右側の第２保形平板部１５は、図１２５及び図１２６に示すように、右側の第３折曲直線Ｌ３及び右側の第６折曲直線Ｌ６に沿って、積載平板部７の表面７Ｘ側に立上げられ、及び立上げられた下側立上げ平板部１１の裏面１１Ｙ側に折返えされる。第２保形平板部１５は、右側の第３折曲直線Ｌ３及び右側の第６折曲直線Ｌ６を境（境界線）として、積載平板部７の表面７Ｘ側に立上げられ、及び右側の下側立上げ平板部１１の裏面１１Ｙ側に折返えされる。
右側の第３保形平板部２５は、図１２５及び図１２６に示すように、右側の第８折曲直線Ｌ８、右側の第１１折曲直線Ｌ１１及び右側の第１２折曲直線Ｌ１２に沿って、押え平板部１９の裏面１９Ｙ側に立上げられ、及び右側の上側立上げ平板部２３の表面２３Ｘ側に折返される。第３保形平板部２５は、右側の第８折曲直線Ｌ８、右側の第１１折曲直線Ｌ１１及び右側の第１２折曲直線Ｌ１２を境（境界線）として、押え平板部１９の裏面１９Ｙ側に立上げられ、及び右側の上側立上げ平板部２３の表面２３Ｘ側に折返される。
右側の第３保形平板部２５は、立上げられた上側立上げ平板部２３との間に、立上げられた下側立上げ平板部１１と、立上げられ及び折返えされた第２保形平板部１５を配置して、押え平板部１９の裏面１９Ｙ側に立上げられ、及び右側の上側立上げ平板部２３の表面２３Ｘ側に折返される。
右側の第３保形平板部２５は、立上げ及び折返しに伴って、右側の第１１折曲直線Ｌ１１及び右側の第１２折曲直線Ｌ１２の間（第１３間隔Ｐ１３）に、立上げられた下側立上げ平板部１１と、立上げられ及び折返えされた第２保形平板部１５（右側の第６折曲直線Ｌ５）を配置（位置）する。
【０３００】
図１２５及び図１２６に示すように、重ね配置された第２保形平板部１６及び第３保形平板部２６は、各下側脚平板部９，１０及び各上側脚平板部２１，２２の立下げに伴って、左側の第３折曲直線Ｌ３、左側の第６折曲直線Ｌ６、左側の第８折曲直線Ｌ８、左側の第１１折曲直線Ｌ１１及び左側の第１２折曲直線Ｌ１２に沿って、積載平板部７の表面７Ｘ側に立上げられ及び下側立上げ平板部１２の裏面１２Ｙ側に折返され、押え平板部１９の裏面１９Ｙ側に立上げられ及上側立上げ平板部２４の表面２４Ｘ側に折返される。
このとき、左側の第２保形平板部１６は、図１２５及び図１２６に示すように、各下側脚平板部９，１０及び各上側脚平板部２１，２２の立下げに伴って、下平板３の板下側縁３Ｄ（第４板下側縁部３Ｍ）に第３間隔Ｐ３を隔てる第３折曲直線Ｌ３（左側の第３折曲直線Ｌ３）、左側の第６折曲直線Ｌ３に沿って、積載平板部７の表面７Ｘ側、及び下側立上げ平板部１２の裏面１２Ｙ側に折曲げられる。
右側の第３保形平板部２６は、図１２５及び図１２６に示すように、各下側脚平板部９，１０及び各上側脚平板部２１，２２の立下げに伴って、上平板４の板上側縁４Ｄ（第３板上側縁部４Ｋ）に第８間隔Ｐ８を隔てる第８折曲直線Ｌ８（左側の第８折曲直線Ｌ８）、左側の第１１折曲直線Ｌ１１及び左側の第１２折曲直線Ｌ１２に沿って、押え平板部１９の裏面１９Ｙ側、及び上側立上げ平板部２４の表面２４Ｘ側に折曲げられる。
これにより、左側の第２保形平板部１６は、図１２５及び図１２６に示すように、左側の第３折曲直線Ｌ３及び左側の第６折曲直線Ｌ６に沿って、積載平板部７の表面７Ｘ側に立上げられ、及び立上げられた下側立上げ平板部１２の裏面１２Ｙ側に折返えされる。第２保形平板部１６は、左側の第３折曲直線Ｌ３及び左側の第６折曲直線Ｌ６を境（境界線）として、積載平板部７の表面７Ｘ側に立上げられ、及び左側の下側立上げ平板部１２の裏面１２Ｙ側に折返えされる。
左側の第３保形平板部２６は、図１２５及び図１２６に示すように、左側の第８折曲直線Ｌ８、左側の第１１折曲直線Ｌ１１及び左側の第１２折曲直線Ｌ１２に沿って、押え平板部１９の裏面１９Ｙ側に立上げられ、及び左側の上側立上げ平板部２４の表面２４Ｘ側に折返される。第３保形平板部２６は、左側の第８折曲直線Ｌ８、左側の第１１折曲直線Ｌ１１及び左側の第１２折曲直線Ｌ１２を境（境界線）として、押え平板部１９の裏面１９Ｙ側に立上げられ、及び左側の上側立上げ平板部２４の表面２４Ｘ側に折返される。
左側の第３保形平板部２６は、立上げられた上側立上げ平板部２４との間に、立上げられた下側立上げ平板部１２と、立上げられ及び折返えされた第２保形平板部１６を配置して、押え平板部１９の裏面１９Ｙ側に立上げられ、及び左側の上側立上げ平板部２４の表面２４Ｘ側に折返される。
左側の第３保形平板部２６は、立上げ及び折返しに伴って、左側の第１１折曲直線Ｌ１１及び左側の第１２折曲直線Ｌ１２の間（第１３間隔Ｐ１３）に、立上げられた下側立上げ平板部１２と、立上げられ及び折返えされた第２保形平板部１６（左側の第６折曲直線Ｌ５）を配置（位置）する。
【０３０１】
押えシート２において、第２押えシート部２Ｂは、図１２５乃至図１２８に示すように、各下側脚平板部９，１０及び各上側脚平板部２１，２２の立下げに伴って、物品Ｚ（下平板３）に押付けられる。
これにより、押えシート２は、積載窓穴８の内側に位置する第１押えシート部２Ａ、及び押え窓穴２０の内側に位置する第２押えシート部２Ｂにて物品Ｚ（商品）を挟持して、物品Ｚを定着する。
各積載保持平板部５１，５１，…は、図１２７及び図１２８に示すように、各第１折曲直線Ｌ１，Ｌ１を折曲直線として、積載平板部７の裏面７Ｙから突出可能であって、物品Ｚを第２押えシート部２Ｂに向けて押付ける。
これにより、各積載保持平板部５１，５１，…は、第１押えシート部２Ａ上の物品Ｚを保持して、第２押えシート部２Ｂとで物品Ｚを挟持する。
【０３０２】
続いて、各下側立上げ平板部１１，１２、及び各上側立上げ平板部２３，２４は、図１２９乃至図１３１に示すように、立上げ角θＢから積載平板部７の表面７Ｘ及び押え平板部１９の裏面１９Ｙに直交する位置に立上げられる。
このとき、各第１保形平板部１３，１４、及び各第２保形平板部１５，１６は、図１２９乃至図１３１に示すように、各第２折曲直線Ｌ２，Ｌ２、各第３折曲直線Ｌ３，Ｌ３、各第５折曲直線Ｌ５，Ｌ５及び各第６折曲直線Ｌ６，Ｌ６に沿って、各下側立上げ平板部１１，１２の裏面１１Ｙ，１２Ｙに平行する位置に折返えされ、及び積載平板部７の表面７Ｘに直交する位置に立上げられる。
また、各第３保形平板部２５，２６、及び各第４保形平板部２７，２８は、図１２９乃至図１３１に示すように、各第８折曲直線Ｌ８，Ｌ８、各第９折曲直線Ｌ９，Ｌ９、各第１１折曲直線Ｌ１１，Ｌ１１、各第１２折曲直線Ｌ１２，Ｌ１２、各第１３折曲直線Ｌ１３，Ｌ１３及び各第１４折曲直線Ｌ１４，Ｌ１４に沿って、各上側立上げ平板部２３，２４の裏面２３Ｙ，２４Ｙに平行する位置に折返えされ、及び押え平板部１９の裏面１９Ｙに直行する位置に立上げられる。
これにより、下側立上げ平板部１１、第１保形平板部１３、上側立上げ平板部２３、及び第４保形平板部２７は、図１２９及び図１３０に示すように、左右方向ＬＲにおいて、相互に平行して重ね配置される。下側立上げ平板部１１及び第１保形平板部１３は、第１３及び第１４折曲直線Ｌ１３，１４の間（第１３間隔Ｐ３）において、上側立上げ平板部２３及び第４保形平板部２８の間に折込まれる。
下側立上げ平板部１２、第１保形平板部１４、上側立上げ平板部２４、及び第４保形平板部２８は、図１２９及び図１３０に示すように、左右方向ＬＲにおいて、相互に平行して重ね配置される。下側立上げ平板部１２及び第１保形平板部１４は、第１３及び第１４折曲直線Ｌ１３，１４の間（第１３間隔Ｐ１３）において、上側立上げ平板部２４及び第４保形平板部２８の間に折込まれる。
下側立上げ平板部１１、第２保形平板部１５、上側立上げ平板部２３、及び第３保形平板部２５は、図１２９及び図１３０に示すように、左右方向ＬＲにおいて、相互に平行して重ね配置される。下側立上げ平板部１１及び第２保形平板部１５は、第１１及び第１２折曲直線Ｌ１１，Ｌ１１の間（第１３間隔Ｐ１３）において、上側立上げ平板部２３及び第３保形平板部２５の間に折込まれる。
下側立上げ平板部１２、第２保形平板部１６、上側立上げ平板部２４及び第３保形平板部２６は、図１２９及び図１３０に示すように、左右方向ＬＲにおいて、相互に平行して重ね配置される・下側立上げ平板部１２及び第２保形平板部１６は、第１１及び第１２折曲直線Ｌ１１，Ｌ１２の間（第１３間隔Ｐ１３）において、上側立上げ平板部２４及び第３保形平板部２６の間に折込まれる。
【０３０３】
下平板３の第７板下側縁部３Ｒ，３Ｓ（各下側立上げ平板部１１，１２の第７板下側縁部３Ｒ，３Ｓ）は、図１２９及び図１３０に示すように、各下側立上げ平板部１１，１２を積載平板部７の表面７Ｘに直交する位置に立上げると、積載平板部７の表面７Ｘに平行配置される。
上平板４の第７板上側縁部４Ｒ，４Ｓ（各上側立上げ平板部２３，２４の第７板上側縁部４Ｒ，４Ｓ）は、各上側立上げ平板部２３，２４を押え平板部１９の裏面１９Ｙに直交する位置に立上げると、押え平板部１９の裏面１９Ｙに平行配置される。
【０３０４】
下平板３の各第５板下側縁部３Ｎ，３Ｑ、及び第６板下側縁部３Ｐ，３Ｑ（各第１保形平板部１３，１４の第５板下側縁部３Ｎ，３Ｏ、各第２保形平板部１５，１６の第６板下側縁部３Ｐ，３Ｑ）は、図１２９に示すように、各第１及び各第２保形平板部１３〜１６を積載平板部７の表面７Ｘに直交する位置に立上げると、各下側立上げ平板部１１，１２の第７板下側縁部３Ｒ，３Ｓに面一として平行配置される。
第４鋭角度θ４を、第１鋭角度θ１の半分の角度以上［θ４≧（１／２）×θ１］にすることで、第１保形平板部１３，１４の第５板下側縁部３Ｎ，３Ｏ、各第２保形平板部１５，１６の第６板下側縁部３Ｐ，３Ｑは、各下側立上げ平板部１１，１２の第７板下側縁部３Ｒ，３Ｓに平行配置される。
上平板４の各第５板上側縁部４Ｎ，４Ｑ、及び第６板上側縁部４Ｐ，４Ｑ（各第３保形平板部２５，２６の第５板上側縁部４Ｎ，４Ｏ、各第４保形平板部２７，２８の第６板上側縁部４Ｐ，４Ｑ）は、図１２９に示すように、各第３及び各第４保形平板部２５〜２８を押え平板部１９の裏面１９Ｙに直交する位置に立上げると、各上側立上げ平板部２３，２４の第７板上側縁部４Ｒ，４Ｓに平行配置される。
第４鋭角度θ４を、第１鋭角度θ１の半分の角度以上［θ４≧（１／２）×θ１］にすることで、第３保形平板部２５，２６の第５板上側縁部４Ｎ，４Ｏ、各第４保形平板部２７，２８の第６板上側縁部４Ｐ，４Ｑは、各下側立上げ平板部１１，１２の第７板下側縁部３Ｒ，３Ｓに平行配置される。
これにより、梱包用緩衝材Ｘ６は、物品Ｚ（商品）を梱包して組立てられる。
【０３０５】
物品Ｚ（商品）を梱包して組立てられた梱包用緩衝材Ｘ６（以下、「組立て梱包した梱包用緩衝材Ｘ３」という）は、運送（運搬）する際に、図１３２乃至図１３４に示すように、直方体の梱包箱Ｂ内に収納される。
組立て梱包した梱包用緩衝材Ｘ６は、図１３２乃至図１３４に示すように、積載平板部７の裏面７Ｙ側から梱包箱Ｂ内に収納される。
組立て梱包した梱包用緩衝材Ｘ６は、図１３４に示すように、第１及び第２下側脚平板部９，１０、第１及び第２上側脚平板部２１，２２（下平板３の板上縁３Ａ及び板下縁３Ｂ、上平板４の板上縁４Ａ及び板下縁４Ｂ）を梱包箱Ｂの底平板１０１に当接して。梱包箱Ｂ内に収納される。
また、組立て梱包した梱包用緩衝材Ｘ６は、図１３３に示すように、各第３保形平板部２５，２６、及び各第４保形平板部２７，２８を梱包箱Ｂの側平板５２，５２に当接して、梱包箱Ｂ内に収納される。
続いて、梱包箱Ｂの蓋平板５３を閉じて、蓋平板５３を、立上げられた各下側立上げ平板部１１，１２、立上げられた各上側立上げ平板部２３，２４に当接して運送する。
このとき、組立て梱包した梱包用緩衝材Ｘ３は、各第３保形平板部２５，２６、及び各第４保形平板部２７，２８を梱包箱Ｂの各側平板５２，５２に当接するので、梱包用緩衝材Ｘ６の組立ては開放（展開）されず、第１及び第２下側脚平板部９，１０の立下げ角度θＡ、及び第１及び第２上側脚平板部２１，２２の立下げ角度θＡを保持する。
【０３０６】
梱包用緩衝材Ｘ１，Ｘ２，Ｘ４，Ｘ５では、積載窓穴８及び押え窓穴２０を長方形（矩形状）に形成したことについて説明したが、これに限定されず、多角形状、円形等に形成しても良い。
梱包用緩衝材Ｘ２，Ｘ３は、押え窓穴２０に押え補強平板３６（各押え補強平板部４２及び押え切込直線ＬＮ）を備える構成について説明したが、これに限定されるものでなく、押え窓穴２０に押え補強平板３６を備えない構成（積載窓穴８だけに、積載補強平板３５を備える構成）も採用できる。
梱包用緩衝材Ｘ３，Ｘ６では、押え窓穴２０押え窓穴２０を長方形（矩形状）に形成したことについて説明したが、これに限定されず、多角形状、円形等に形成しても良い。
【産業上の利用可能性】
【０３０７】
本発明は、物品（商品）を梱包して運搬（運送）するのに最適である。
【符号の説明】
【０３０８】
Ｘ１  梱包用緩衝材
１  基礎平板体
２  押えシート
２Ａ  第１押えシート部
２Ｂ  第２押えシート部
３  下平板
４  上平板
７  積載平板部
８  積載窓穴
９  第１下側脚平板部
１０  第２下側脚平板部
１１  下側立上げ平板部（右側）
１２  下側立上げ平板部（左）
１３  第１保形平板部（右側）
１４  第１保形平板部（左側）
１５  第２保形平板部（右側）
１６  第２保形平板部（左側）
１９  押え平板部
２０  押え窓穴
２１  第１上側脚平板部
２２  第２上側脚平板部
２３  上側立上げ平板部（右側）
２４  上側立上げ平板部（左側）
２５  第３保形平板部（右側）
２６  第３保形平板部（左側）
２７  第４保形平板部（右側）
２８  第４保形平板部（左側）
【図１】
2019104533.tif 000005
【図２】
2019104533.tif 000006
【図３】
2019104533.tif 000007
【図４】
2019104533.tif 000008
【図５】
2019104533.tif 000009
【図６】
2019104533.tif 000010
【図７】
2019104533.tif 000011
【図８】
2019104533.tif 000012
【図９】
2019104533.tif 000013
【図１０】
2019104533.tif 000014
【図１１】
2019104533.tif 000015
【図１２】
2019104533.tif 000016
【図１３】
2019104533.tif 000017
【図１４】
2019104533.tif 000018
【図１５】
2019104533.tif 000019
【図１６】
2019104533.tif 000020
【図１７】
2019104533.tif 000021
【図１８】
2019104533.tif 000022
【図１９】
2019104533.tif 000023
【図２０】
2019104533.tif 000024
【図２１】
2019104533.tif 000025
【図２２】
2019104533.tif 000026
【図２３】
2019104533.tif 000027
【図２４】
2019104533.tif 000028
【図２５】
2019104533.tif 000029
【図２６】
2019104533.tif 000030
【図２７】
2019104533.tif 000031
【図２８】
2019104533.tif 000032
【図２９】
2019104533.tif 000033
【図３０】
2019104533.tif 000034
【図３１】
2019104533.tif 000035
【図３２】
2019104533.tif 000036
【図３３】
2019104533.tif 000037
【図３４】
2019104533.tif 000038
【図３５】
2019104533.tif 000039
【図３６】
2019104533.tif 000040
【図３７】
2019104533.tif 000041
【図３８】
2019104533.tif 000042
【図３９】
2019104533.tif 000043
【図４０】
2019104533.tif 000044
【図４１】
2019104533.tif 000045
【図４２】
2019104533.tif 000046
【図４３】
2019104533.tif 000047
【図４４】
2019104533.tif 000048
【図４５】
2019104533.tif 000049
【図４６】
2019104533.tif 000050
【図４７】
2019104533.tif 000051
【図４８】
2019104533.tif 000052
【図４９】
2019104533.tif 000053
【図５０】
2019104533.tif 000054
【図５１】
2019104533.tif 000055
【図５２】
2019104533.tif 000056
【図５３】
2019104533.tif 000057
【図５４】
2019104533.tif 000058
【図５５】
2019104533.tif 000059
【図５６】
2019104533.tif 000060
【図５７】
2019104533.tif 000061
【図５８】
2019104533.tif 000062
【図５９】
2019104533.tif 000063
【図６０】
2019104533.tif 000064
【図６１】
2019104533.tif 000065
【図６２】
2019104533.tif 000066
【図６３】
2019104533.tif 000067
【図６４】
2019104533.tif 000068
【図６５】
2019104533.tif 000069
【図６６】
2019104533.tif 000070
【図６７】
2019104533.tif 000071
【図６８】
2019104533.tif 000072
【図６９】
2019104533.tif 000073
【図７０】
2019104533.tif 000074
【図７１】
2019104533.tif 000075
【図７２】
2019104533.tif 000076
【図７３】
2019104533.tif 000077
【図７４】
2019104533.tif 000078
【図７５】
2019104533.tif 000079
【図７６】
2019104533.tif 000080
【図７７】
2019104533.tif 000081
【図７８】
2019104533.tif 000082
【図７９】
2019104533.tif 000083
【図８０】
2019104533.tif 000084
【図８１】
2019104533.tif 000085
【図８２】
2019104533.tif 000086
【図８３】
2019104533.tif 000087
【図８４】
2019104533.tif 000088
【図８５】
2019104533.tif 000089
【図８６】
2019104533.tif 000090
【図８７】
2019104533.tif 000091
【図８８】
2019104533.tif 000092
【図８９】
2019104533.tif 000093
【図９０】
2019104533.tif 000094
【図９１】
2019104533.tif 000095
【図９２】
2019104533.tif 000096
【図９３】
2019104533.tif 000097
【図９４】
2019104533.tif 000098
【図９５】
2019104533.tif 000099
【図９６】
2019104533.tif 000100
【図９７】
2019104533.tif 000101
【図９８】
2019104533.tif 000102
【図９９】
2019104533.tif 000103
【図１００】
2019104533.tif 000104
【図１０１】
2019104533.tif 000105
【図１０２】
2019104533.tif 000106
【図１０３】
2019104533.tif 000107
【図１０４】
2019104533.tif 000108
【図１０５】
2019104533.tif 000109
【図１０６】
2019104533.tif 000110
【図１０７】
2019104533.tif 000111
【図１０８】
2019104533.tif 000112
【図１０９】
2019104533.tif 000113
【図１１０】
2019104533.tif 000114
【図１１１】
2019104533.tif 000115
【図１１２】
2019104533.tif 000116
【図１１３】
2019104533.tif 000117
【図１１４】
2019104533.tif 000118
【図１１５】
2019104533.tif 000119
【図１１６】
2019104533.tif 000120
【図１１７】
2019104533.tif 000121
【図１１８】
2019104533.tif 000122
【図１１９】
2019104533.tif 000123
【図１２０】
2019104533.tif 000124
【図１２１】
2019104533.tif 000125
【図１２２】
2019104533.tif 000126
【図１２３】
2019104533.tif 000127
【図１２４】
2019104533.tif 000128
【図１２５】
2019104533.tif 000129
【図１２６】
2019104533.tif 000130
【図１２７】
2019104533.tif 000131
【図１２８】
2019104533.tif 000132
【図１２９】
2019104533.tif 000133
【図１３０】
2019104533.tif 000134
【図１３１】
2019104533.tif 000135
【図１３２】
2019104533.tif 000136
【図１３３】
2019104533.tif 000137
【図１３４】
2019104533.tif 000138